(57)【要約】      （修正有）【課題】より環境にやさしく、どこにでも移設・順応出来る簡単・単純なマルチかまどを提供する。【解決手段】少なくとも上部に開口部を有する耐熱性容器と、前記耐熱性容器の上部の開口部を開閉できるように設けられた耐震装置付き火消蓋２９と、着火装置とを備える、バイオマスペレット燃料用の火消し壺兼用熱源かまど３１、この火消し壺兼用熱源かまどを熱源として用いるストーブ、及び、前記火消し壼兼用熱源かまどを熱源として用いるボイラーと、前記ボイラーで発生した蒸気で駆動する蒸気タービンと、前記蒸気タービンで発生した高速運動エネルギーを高出力電気エネルギーに変換する発電機装置と、前記蒸気タービンの蒸気排気口と接続された熱交換器と給湯・床暖装置と、前記発電機で発生した電気によって駆動する冷暖房空調機とを備える冷暖空調装置。【選択図】図３
2014081084.tif 000002
【特許請求の範囲】
【請求項１】
少なくとも上部に開口部を有する耐熱性容器と、前記耐熱性容器の上部の開口部を開閉できるように設けられた耐震装置付き火消蓋と、着火装置とを備える、バイオマスペレット燃料用の火消し壺兼用熱源順応かまど。
【請求項２】
前記耐熱性容器が、珪藻土製の容器である、請求項１に記載の耐震装置付き火消し壺兼用熱源順応かまど。
【請求項３】
さらに、踏み台と、前記踏み台と前記耐震装置付き火消蓋とを連結する火消蓋開閉機構とを備える耐震装置付き火消し壺兼用熱源かまどであって、
耐震装置の作動によるか、踏み台を操作することで、火消蓋開閉機構を通じて、火消蓋の開閉状態を制御するものである、請求項１又は２に記載の火消し壺兼用熱源順応かまど。
【請求項４】
前記着火装置が、ポリプロピレンを原料としたものを穴空き金属製ペレット状カプセルに収納させたものである、請求項１〜３のいずれかに記載の火消し壺兼用熱源順応かまど。
【請求項５】
請求項１〜４のいずれかに記載の火消し壺兼用熱源順応かまどを熱源として用いるストーブ。
【請求項６】
請求項１〜４のいずれかに記載の火消し壺兼用熱源順応かまどを熱源として用いるボイラーと、前記ボイラーで発生した蒸気で駆動する蒸気タービンと、前記蒸気タービンで発生した高速運動エネルギーに比例した高出力電気エネルギーに変換する発電機と、前記発電機で発生した電気をバッテリー充電と電力変換装置を通して使用したり、電源として直接使用出来る自家発電装置。
【請求項７】
請求項１〜４のいずれかに記載の火消し壺兼用熱源順応かまどを熱源として用いるボイラーと、前記ボイラーで発生した蒸気で駆動する蒸気タービンと、前記蒸気タービンで発生した高速回転運動エネルギーを高出力電気エネルギーに変換する発電機と、前記蒸気タービンの蒸気排気口と接続された冷暖給水切換機・給湯保温機を通した保温・給湯、床冷暖房機と、熱交換器と、前記発電機で発生した電気をバッテリー充電と電力変換装置を通したり、電源として直截駆動する冷暖房空調機器とを備える、冷暖房空調装置。
【請求項８】
請求項１〜７のいずれかに記載の火消壺兼用熱源順応かまどを容量に熱源として同時複合化することで、貴重なバイオマスペレット燃料エネルギー１容量に対して、エネルギー複数容量に変換増大化できることによって、セパレート家庭単位毎に家庭ゴミを産業廃棄物化せずに、分散したエネルギー生産が費用対効果を生み出して、グリーンでゆっくりでも豊かな生活を可能にしてくれて、環境・防衛・経済的にも安心な暮らしを提供されるバイオマスペレット燃料エネルギーの前記請求項１〜７の各種変換増大化装置。
【発明の詳細な説明】
【技術分野】
【０００１】  本考案は、専用ボイラーの熱源かまどとしても、又、単独でも料理用かまどとしても活用出来て、蒸気タービンの自家発電機とバッテリー充電池・電力変換機で各種電源も用意出来て、熱交換器を以って、モーターポンプ・送風機を自己完結型にて駆動させることで、冷暖両用となるバイオマスペレット順応かまどに関する。
【背景技術】
【０００２】  ペレットを燃料とするストーブやボイラーは、色々あるが、どの燃料源も、薪・バイオマスペレットも自在に使用できる内容の物はなくて、更に、有事の場合に複合的活用できるシステムになっていない。そればかりか、専用ペレットストーブはグリーンというタイトルのみに頼ったように高額過ぎてなじめず、大型・容量タイプで、しかも、費用対効果的にも難色を感じることを禁じえない、このように、従来のエネルギー燃料は、大型プラントでしか造れなくて、負の生産が甚だしいので、負を減らすには、よりセパレート化が希求されている、
本考案に関連して、特許証登録内容には、自家製の高密度グリーンな家庭ゴミであるバイオマスペレット燃料の製造方法が登録されている。
【特許文献】
【０００３】
【特許文献】特許第４７４６７０５号
【発明の概要】
【発明が解決しようとする課題】
【０００４】  本考案は、上述した実情に鑑みてなされたものであり、より環境にやさしく、どこにでも移設・順応出来る簡単・単純なマルチかまど、ストーブ、及び冷暖房空調・給湯・発電装置を提供して、同時に複合化することで、前記グリーンバイオマスペレット燃料エネルギーを増大化することを目的とする。
【課題を解決するための手段】
【０００５】  本考案者は、上記課題を解決すべく鋭意検討した結果、環境に優しいバイオマスペレット燃料熱源化でき、基本的構造部分についてどこにでもあり、販売・使用許可される既存道具・部品類を出来るだけ用いて簡単・単純なシステムを以って、旧来の化石・電気エネルギーの動力を廃して、バイオマス燃料からストーブで直接に、そして、複合的に、ボイラー・蒸気タービンの自家発電気で以ってそれに代えられる物とするために直接多目的なマルチかまどを考案した。【０００６】  かくして本考案によれば、下記（１）〜（４）のバイオマスペレット燃料用の耐震装置付き火消し壺兼用熱源かまど、（５）のストーブ、及び（６）の冷暖房空調装置、（７）の冷暖給水切換・給湯保温機の床冷暖房・給湯装置、（８）の自家製発電装置が提供される、
（１）少なくとも上部に開口部を有する耐熱性容器と、前記耐熱性容器の上部の開口部を開閉できるように設けられた耐震装置付き火消蓋と、着火装置とを備える、バイオマスペレット燃料用の火消し壺兼用熱源順応かまど。
（２）前記耐熱性容器が、珪藻土製の容器である、（１）に記載の耐震装置付き火消し壺兼用熱源順応かまど。
（３）さらに、踏み台と、前記踏み台と前記耐震装置付き火消蓋とを連結する火消蓋開閉機構とを備える耐震装置付き火消し壺兼用熱源かまどであって、耐震装置によるか、踏み台を操作することで、火消蓋開閉機構を通じて、火消蓋の開閉状態を制御するものである、（１）又は（２）に記載の耐震装置付き火消し壺兼用熱源順応かまど。【０００７】（４）前記着火装置が、ポリプロピレンを原料としたものを穴空き金属製ペレット状カプセルに収納させたものである、（１）〜（３）のいずれかに記載の耐震装置付き火消し壺兼用熱源順応かまど。
（５）前記（１）〜（４）のいずれかに記載の耐震装置付き火消し壺兼用熱源順応かまどを熱源として用いるストーブ。
（６）前記（１）〜（４）のいずれかに記載の耐震装置付き火消し壺兼用熱源順応かまどを熱源として用いるボイラーと、前記ボイラーで発生した蒸気で駆動する蒸気タービンと、前記蒸気タービンで発生した高速運動エネルギーを高出力電気エネルギーに変換する発電機装置と、前記蒸気タービンの蒸気排気口と接続された熱交換器と、前記発電機で発生した電気によって駆動する冷暖房空調機とを備える、冷暖房空調装置。
（７）前記（１）〜（４）のいずれかに記載の耐震装置付き火消し壺兼用熱源順応かまどを熱源として用いるボイラーと、前記ボイラーで発生した蒸気で駆動する蒸気タービンと、前記蒸気タービンの蒸気排気口と接続された熱交換器と、給湯保温庫による温水給配と保温庫内配管・給排水口取付口設備にて、床冷暖房機とを備える、床冷暖房・給湯装置。
（８）前記（１）〜（７）のいずれかに記載の耐震装置付き火消し壺兼用熱源かまどを熱源として用いる前記発電機によって発生した高出力電気をインバーターを経て各種電圧電源を供給したり、選択充電を使用したり出来る前記蒸気タービンで発生した高速運動エネルギーを高出力電気エネルギーに変換する発電機装置。
【発明の効果】
【０００８】  上記のようにセパレートであって、対既存化石・電気エネルギーに与しない、バイオマスペレット燃料・蒸気エネルギーとによるボイラー蒸気と変換電気とで単純・簡単構造にしてリーズナブルな低廉価格でしかも本格的な燃料源としてのバイオマスペレットかまどをエネルギー増大化して、尚且つ、環境・経済問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来るマルチタイプの熱源順応かまどを考案したのである。
【図面の簡単な説明】
【０００９】
【図１】  本考案のかまど・火消壺の正面図である。
【図２】  本考案のかまど・火消壺の側面図である。
【図３】  本考案のかまど・火消壺の踏み打を外した状態側Ａ−Ａ”断面図である。
【図４】  本考案のかまど・火消壺の踏み打を踏んだ状態のＡ−Ａ２側断面図であ。，
【図５】  本考案のストーブの多用途順応かまどの正面図である。
【図６】  本考案のストーブの多用途順応かまどの側面図である。
【図７】  本考案のシステム実施例を示す図である。
【発明を実施するための形態】
【００１０】  ペレット燃料順応かまどには、複合的マルチタイプの単体移設型システム内容が求められている。本考案のペレット燃料順応かまどは、その内容が難しくない簡単・単純なもので、同時複合的連関を発生させる考案実施の形態であって、バイオマスペレット燃料の専用かまどとして環境に優しく、高温に耐えられて、持ち運び移設に小型・簡便で、しかも安全であることを可能とした工夫がペレット熱源順応かまどである。
【００１１】  本考案に用いる燃料ペレットは特に制限されず、しかしながら、ダイオキシンや重金属の除去されていないものや、余分なものが混在している、例えば、放射能をかぶったバイオマスの除染が出来ていないものは制限されるが、それらに対して（０００３）特許文献１のペレット燃料は全てを満たしているから制限されないのである。
【００１２】  以下、添付図面符号に従って一実施例を説明する、
図３・４は、本考案のかまど・火消壺の実施例を示す図２の断面図である、
図３・４中、１１はストーブ用耐熱珪藻土かまど、１４はバイオマスペレット燃料置き空気孔付き受皿、周りの淵はより堅牢・背高で五徳使用も可。１５はかまど空気調整開閉調整口、２２は火消用落し蓋アジャスター継ぎ手、２３は火消用落し蓋アジャスター踏み台、２４は火消用落し蓋アジャスト重量（目皿・火消蓋・１４の燃料より重い）継ぎ手鋳・鉄棒、２５は、２７継ぎ手と一体構造の鋳物製目皿、２６は２３の踏み台の補助取手、２７は火消蓋・目皿自在継ぎ手（一体構造の目皿と継ぎ手・火消蓋の支点のアジャスターの丁番（３３）にて、シーソー・上下降する）、２８は目皿・火消蓋・１４の燃料置き空気孔付き受け皿アジャスター・フェンダー、２９は火消蓋（３２の目皿の自在取付具によって用をなして、それまでは単なる自在蓋であるが、２８のアジャスターの真下に位置して３１の火消壺内を密閉する。）、３０は火消蓋・目皿・２７継ぎ手アジャスター開閉の上下運動支点、３１は火消壺・かまど、３２は目皿の火消蓋自在取付具、３３は、鋳物製目皿（２５）と火消蓋・目皿自在継ぎ手（２７）との継ぎ手丁番である、
【００１３】  図３において、鋳物製目皿（２５）は、一体構造の火消蓋・目皿自在継ぎ手（２７）と目皿と継ぎ手・火消蓋の支点のアジャスターの丁番（３３）において回動自在に取り付けられており、通常は、２５の鋳物製目皿、２９の火消用落し蓋と、１４の燃料の総重量より重い継ぎ手鋳・鉄棒（２４）の重力により、火消蓋・目皿自在継ぎ手（２７）に図中下方向に力が働くことで、鋳物製目皿（２５）は、目皿・火消蓋アジャスター（２８）より刳り抜かれた形が正確にはまり込む（目皿の枠内定位置）ことで、３２の自在取付具によって２９の火消蓋が２８のアジャスターの真下にくるように固定されている。
【００１４】  図３・４に示すかまど・火消壺は、バイオマスペレット燃料をバイオマスペレット燃料置き空気孔付き受皿（１４）内に入れ、２９の火消蓋を３２の自在取付具より放すか、２５の目皿の隙間から軽く叩き落として、３２の取付具を解放して３１火消壺・かまど内に落とし、１５のかまどの空気調整口を開けて、そこでバイオマスペレット燃料を１７のスチール着火カプセルにて燃焼させる装置である。
【００１５】  また、使用を中断したい場合等においては、以下のように、３９の安全ストッパーを外してから、燃焼中のバイオマスペレット燃料を火消壺（３１）中に落とし、消火することができる。すなわち、火消用落し蓋アジャスター踏み台（２３）を足で踏むことにより、２５の目皿、２８の火消用落し蓋、１４の中身の燃料の合計重量より重い継ぎ手鋳物棒（２４）が、図中、上方向に移動し、火消用落し蓋アジャスター継ぎ手（２２）及び火消蓋・目皿自在継ぎ手（２７）が、図中、上方向に移動すると、目皿・火消蓋アジャスター（２８）の真下にくるように固定されていた鋳物製目皿（２５）は、目皿と継ぎ手・火消蓋の支点のアジャスターの丁番（３３）において下方向に回転して、図４に示す状態になる、したがって、バイオマスペレット燃料置き空気孔付き受皿（１４）内の燃料ペレットが火消壷内に落下して、１５の空気調整口は塞がれて、火消壷内は酸素不足の状態になっている為、消火が行われる、この状態を、図３でより詳細に説明する。
【００１６】  火消用落し蓋アジャスター踏み台（２３）から足を離すと、火消用落し蓋アジャスト重量（目皿より重い）継ぎ手鋳物棒（２４）が、図中、重力により下方向に移動し、火消用落し蓋アジャスター継ぎ手（２２）及び火消蓋・目皿自在継ぎ手（２７）が、図中、２７・２５の一体構造が３３の丁番を支点にシーソー下方向に移動することで、鋳物製目皿（２５）と３２の火消蓋の目皿自在取付具は、目皿・火消蓋アジャスター（２８）の枠内定位置・真下に固定されて、尚更に、より安全確保のために３９の安全ストッパーを掛ける。
【００１７】  また、火消壺（３１）内に落下し、消火された燃料ペレットは、再利用することができる、前記［０００３］の特許文献の燃料ペレットは、高密度・燃焼の、着火し難いので、ポリプロピレンを原料としたものを穴空き金属製ペレット状カプセルに収納させた着火装置を使用することが好ましい。
【００１８】  本考案の第２は、本考案の火消し壺兼用熱源順応かまどを熱源として利用するストーブである、本考案のストーブの正・側面図を図５、６に示す。図５、６中、１はバイオマスペレット順応かまど・火消蓋付き壺熱源、１４はバイオマスペレット燃料置き空気孔付き受皿、３４はストーブ煙突、３５は薪ストーブ窓、３６はストーブ灰皿受けであるので、薪を燃やし入れたいときには、順応かまどをストーブから取り出して、１２のアジャストを設ければ、薪ストーブになる。
【００１９】  本考案の第３は、本考案の火消し壺兼用熱源順応かまどを熱源として同時に用いるボイラーと、前記ボイラーで発生した蒸気で駆動する蒸気タービンと、前記蒸気タービンで発生した高速回転運動エネルギーを高出力電気エネルギーに変換する発電機と、前記蒸気タービンの蒸気排気口と接続された熱交換器と、前記発電機で発生した電気によってｉは、そのまま電源としての利用で以って、余剰電気は分配・売電出来て、ｉｉは、１０の電力変換装置より電気をバッテリーに各別充電して、尚且つ電力変換装置を経て各別電源に変換して利用できる発電装置であり、駆動サポートする冷暖房空調機とを備える、冷暖房空調装置である。
【００２０】  本考案の発電機・冷暖房空調装置の模式図を図７に示す、図中、バイオマスペレットかまど・火消蓋付き壺熱源（１）で発生した熱により、ボイラー（２）に収容された水（沸点調性剤使用も可。）を沸騰させ、高温、高圧蒸気により蒸気タービン（３）を回して発電を行い、得られた電気により、各別電源として用いる発電装置であり、余力各別電気は、冷暖房空調を十二分にサポートして行う装置であり、図７中、１はバイオマスペレットかまど・火消蓋付き壺熱源、２はボイラー、３は蒸気タービン、４は発電機、５は熱交換器、６は電気モーター（電力は自己完結方式）、７は循環ポンプ、８は発電余力電力の充電用安全機、９は充電器、１０は電力変換装置である。
【００２１】  前記各種の装置は、前記バイオマスペレット燃料用火消壺兼用熱源多用途順応かまどにて、同時使用にって、一つのエネルギーを拡大増加させて使用出来ることから最大効果・率のエネルギーを生み出すことができるグリーンな順応かまどエネルギー増大化装置である。
【符号の説明】
【００２２】１・・・バイオマスペレット順応かまど・火消蓋付き壺熱源
２・・・ボイラー
３・・・蒸気タービン
４・・・発電機
５・・・熱交換器
６・・・電気モーター（電力は自己完結方式）
７・・・循環ポンプ
８・・・発電気の電力変換機装置と充電機の安全機
９・・・充電器
１０・・正弦波長・電力変換装置
１１・・ストーブ用の耐熱珪藻土かまど
１２・・アジャスト薪空気孔付き受け皿（薪を用いる場合のストーブ用部材。）
１３・・前記１の火消開閉蓋（取換用部品。）
１４・・バイオマスペレット燃料置き空気孔付き受皿（２８と一体構造の鋳物）
１５・・かまど空気開閉調整口（引き違い戸かはめ込み栓方式の何れか。）
１６・・アジャスト空気孔筒伸縮調性蛇腹（内気導入を止めて、外気導入時の備品）
１７・・スチール着火カプセル（ポリプロピレン入りスチール火付け口付きカプセル）
１８・・ストーブ
１９・・モーター・除湿調性用ヒーター付き送風ファン
２０・・冷媒機
２１・・モーター付き圧縮ポンプ
２２・・火消用落し蓋アジャスター継ぎ手
２３・・火消用落し蓋アジャスター踏み台
２４・・火消用落し蓋アジャスト重量（目皿＋火消蓋＋１４の燃料合計より重い。）継ぎ手鋳・鉄棒
２５・・２７継ぎ手と一体構造の鋳物製目皿（２８のアジャスターを目皿の型に刳り抜いた形体）
２６・・踏み台の補助取っ手
２７・・火消蓋・目皿自在継ぎ手（２８アジャスターの丁番を支点に上下降する）
２８・・目皿・火消蓋アジャスター・フェンダー（１４・２７と同質の鋳物で１４と一体構造）
２９・・火消蓋（３２取付具によって２５の目皿と一体化出来、それまでは落蓋。）
３０・・火消蓋アジャスター継ぎ手支点
３１・・火消壺・かまど（珪藻土。）
３２・・目皿の火消蓋自在取付具
３３・・目皿と継ぎ手・火消蓋の支点のアジャスターの丁番
３４・・ストーブ煙突
３５・・薪ストーブ窓
３６・・ストーブ灰皿受け
３７・・耐震装置金属ボール、Ａ−Ａ２
３８・・外壁ステンレス板（珪藻土外壁強化材）
３９・・安全ストッパー（２９の火消蓋も動かぬ様に固定化。）
４０・・冷暖給水切換・給湯保温機（シーズンに合わせてメンテナンス可。床暖引込口・パイプ等埋設設備複数予備ライン・ジョイントあり。）
４１・・ヒーター（湿度調整）
４２・・１１の保護鋳物フェンダー（２８のフェンダーと同じ働き）
【図１】
2014081084.tif 000003
【図２】
2014081084.tif 000004
【図３】
2014081084.tif 000005
【図４】
2014081084.tif 000006
【図５】
2014081084.tif 000007
【図６】
2014081084.tif 000008
【図７】
2014081084.tif 000009
【手続補正書】
【提出日】平成23年10月24日(2011.10.24)
【手続補正１】
【補正対象書類名】特許請求の範囲
【補正対象項目名】請求項５
【補正方法】変更
【補正の内容】
【請求項５】
請求項１〜４のいずれかに記載の火消し壺兼用熱源順応かまどを熱源として用いるストーブ放熱熱源粗込み機装置。
【手続補正２】
【補正対象書類名】特許請求の範囲
【補正対象項目名】請求項６
【補正方法】変更
【補正の内容】
【請求項６】
請求項１〜５のいずれかに記載の火消し壺兼用熱源順応かまどを熱源として用いるボイラーと、前記ボイラーで発生した蒸気で駆動する蒸気タービンと、前記蒸気タービンで発生した高速運動エネルギーに比例した高出力電気エネルギーに変換する発電機と、前記発電機で発生した電気をバッテリー充電と電力変換装置を通して使用したりして、電源として直接使用出来る自家発電機装置。
【手続補正３】
【補正対象書類名】特許請求の範囲
【補正対象項目名】請求項７
【補正方法】変更
【補正の内容】
【請求項７】
請求項１〜６のいずれかに記載の火消し壺兼用熱源順応かまどを熱源として用いるボイラーと、前記ボイラーで発生した蒸気で駆動する蒸気タービンと、前記蒸気タービンで発生した高速回転運動エネルギーを高出力電気エネルギーに変換する発電機と、前記蒸気タービンの蒸気排気口と接続された冷暖給水切換機・給湯保温機を通した保温・給湯、床冷暖房機と、熱交換器と、前記発電機で発生した電気を＿＿＿＿＿充電器と電力変換装置を通したり、電源として直截駆動する冷暖房空調機器とを備える、冷暖房空調機装置。
【手続補正４】
【補正対象書類名】特許請求の範囲
【補正対象項目名】請求項８
【補正方法】変更
【補正の内容】
【請求項８】
請求項１〜７のいずれかに記載の火消し壺兼用熱源順応かまどを＿＿＿熱源として同時複合化することで、貴重なバイオマスペレット燃料エネルギー１容量に対して、エネルギー複数容量に変換増大化できることによって、セパレート家庭単位毎に家庭ゴミを産業廃棄物化せずに、分散したエネルギー生産が費用対効果を生み出して、グリーンでゆっくりでも豊かな生活を可能にしてくれて、環境・防衛・経済・財政的にも安心な暮らしを提供されるバイオマスペレット燃料エネルギーの前記請求項１〜７の各種変換増大化装置。
【手続補正６】
【補正対象書類名】明細書
【補正対象項目名】０００１
【補正方法】変更
【補正の内容】
【０００１】  本考案は、ストーブ放熱熱源・専用ボイラーの熱源かまどとしても、又、単独でも料理用かまどとしても活用出来て、蒸気タービンの自家発電機と＿＿＿＿＿充電器・電力変換機で各種高出力電源も用意出来て、熱交換器を以って、モーターポンプ・送風機を自己完結型にて駆動させることで、冷暖両用となるバイオマスペレット燃料用火消し壺兼用熱源順応かまどに関する。
【手続補正７】
【補正対象書類名】明細書
【補正対象項目名】０００６
【補正方法】変更
【補正の内容】
【０００６】  かくして本考案によれば、下記（１）〜（４）のバイオマスペレット燃料用の耐震装置付き火消し壼兼用熱源順応かまど・下記（５）のストーブ放熱熱源組込み機装置・下記（６）の冷暖房空調機装置・下記（７）の床冷暖房・給湯機装置・下記（８）の発電機装置が提供される。（１）少なくとも上部に開口部を有する耐熱性容器と、前記耐熱性容器の上部の開口部を開閉できるように設けられた耐震装置付き火消蓋と、着火装置とを備える、バイオマスペレット燃料用の火消し壺兼用熱源かまど  。（２）前記耐熱性容器が、珪藻土製の容器である、前記（１）に記載の耐震装置付き火消し壺兼用熱源順応かまど  。（３）さらに、踏み台と、前記踏み台と前記耐震装置付き火消蓋とを連結する火消蓋開閉機構とを備える耐震装置付き火消し壺兼用熱源順応かまどであって、耐震装置によるか、踏み台を操作することで、火消蓋開閉機構を通じて、火消蓋の開閉状態を制御するものである、前記（１）・（２）のいずれかに記載の耐震装置付き火消し壺兼用熱源順応かまど。（４）前記着火装置が、ポリプロピレンを原料としたものを穴空き金属製ペレット状カプセルに収納させたものである、前記（１）〜（３）のいずれかに記載の耐震装置付き火消し壺兼用熱源順応かまど。（５）前記（１）〜（４）のいずれかに記載の耐震装置付き火消し壺兼用熱源順応かまどを熱源として用いるストーブ放熱熱源組込み機装置。（６）前記（１）〜（５）のいずれかに記載の耐震装置付き火消し壺兼用熱源順応かまどを熱源として用いるボイラーと、前記ボイラーで発生した蒸気で駆動する蒸気タービンと、前記蒸気タービンで発生した高速運動エネルギーを高出力電気エネルギーに変換増大化する発電機装置と、前記蒸気タービンの蒸気排気口と接続された熱交換器と、前記発電機で発生した電気によって駆動する冷暖房空調機とを備える、冷暖房空調機装置、（７）前記（１）〜（６）のいずれかに記載の耐震装置付き火消し壺兼用熱源順応かまどを熱源として用いる前記ボイラーで発生した蒸気で駆動する蒸気タービンと、前記蒸気タービンの蒸気排気口と接続された熱交換器と、給湯保温庫による温水給配と保温庫内配管・給排水口取付口設備にて、床冷暖房機とを備える、床冷暖房・給湯機装置。（８）前記（１）〜（７）のいずれかに記載の耐震装置付き火消し壺兼用熱源順応かまどを熱源として用いる前記発電機によって発生した高出力電気を電力変換機装置を経て各種電圧電源を供給したり、選択充電を使用したり出来る前記蒸気タービンで発生した高速運動エネルギーを高出力電気エネルギーに変換増大化する発電機装置。
【手続補正８】
【補正対象書類名】明細書
【補正対象項目名】０００７
【補正方法】削除
【補正の内容】
【手続補正９】
【補正対象書類名】明細書
【補正対象項目名】０００９
【補正方法】変更
【補正の内容】
【０００９】
【図１】本考案の火消し壺兼用熱源順応かまどの正面図である。
【図２】本考案の火消し壺兼用熱源順応かまどの側面図である。
【図３】本考案の火消し壺兼用熱源順応かまどの踏み台を外した状態側Ａ−Ａ”断面図である。
【図４】本考案の火消し壺兼用熱源順応かまどの踏み台を踏んだ状態のＡ“側断面図である。＿
【図５】本考案のストーブの火消し壺兼用熱源順応かまどの正面図である。
【図６】本考案のストーブの火消し壺兼用熱源順応かまどの側面図である。
【図７】本考案のシステム実施例を示す図である。
【手続補正１０】
【補正対象書類名】明細書
【補正対象項目名】００１０
【補正方法】変更
【補正の内容】
【００１０】  ペレット燃料順応かまどには、複合的マルチタイプの単体移設型システム内容が求められている、本考案のペレット燃料火消し壺兼用熱源順応かまどは、その内容が難しくない簡単・単純なもので、同時複合的連関を発生させる考案実施の形態であって、バイオマスペレット燃料の専用かまどとして環境に優しく、高温に耐えられて、持ち運び移設に小型・簡便で、しかも安全であることを可能とした工夫がバイオマスペレット燃料用火消し壺兼用熱源順応かまどである。
【手続補正１１】
【補正対象書類名】明細書
【補正対象項目名】００１１
【補正方法】変更
【補正の内容】
【００１１】  本考案に用いる燃料ペレットは特に制限されず、しかしながら、ダイオキシンや重金属の除去されていないものや、余分なものが混在している、例えば、放射能をかぶったバイオマスの除染が出来ていないものは制限されるが、それらに対して前記（０００３）特許文献＿のペレット燃料は全てを満たしているから制限されないのである。
【手続補正１２】
【補正対象書類名】明細書
【補正対象項目名】００１２
【補正方法】変更
【補正の内容】
【００１２】  以下、添付図面符号に従って一実施例を説明する、図３・４は、本考案の火消し壺兼用熱源順応かまどの実施例を示す図２の断面図である、図３・４中、（１１）は、ストーブ用耐熱珪藻土かまど、（１４）は、バイオマスペレット燃料置き空気孔付き受皿、周りの淵は、より堅牢・背高で五徳使用も可、（１５）は、かまど空気調整開閉調整口、（２２）は、火消用落し蓋アジャスター継ぎ手、（２３）は、火消用落し蓋アジャスター踏み台、（２４）は、火消用落し蓋アジャスト重量（目皿・火消蓋・（１４）の燃料より重い）継ぎ手鋳・鉄棒、（２５）は、（２７）継ぎ手と一体構造の鋳物製目皿、（２６）は、（２３）の踏み台の補助取手、（２７）は、火消蓋・目皿自在継ぎ手（一体構造の目皿と継ぎ手・火消蓋の支点のアジャスターの丁番（３３）にて、シーソー・上下降する）、（２８）は、目皿・火消蓋・（１４）の燃料置き空気孔付き受け皿アジャスター・フェンダー、（２９）は、火消蓋（（３２）の目皿の自在取付具によって用をなして、それまでは単なる自在蓋であるが、（２８）のアジャスターの真下に位置して（３１）の火消壺内を密閉する。）、（３０）は、火消蓋・目皿・（２７）継手アジャスター開閉の上下運動支点、（３１）は、火消壺・かまど、（３２）は、目皿の火消蓋自在取付具兼（３９）の安全ストッパー自在解除具、（３３）は、鋳物製目皿（２５）と火消蓋・目皿自在継ぎ手（２７）との継ぎ手丁番である。
【手続補正１３】
【補正対象書類名】明細書
【補正対象項目名】００１３
【補正方法】変更
【補正の内容】
【００１３】  図３において、鋳物製目皿（２５）は、一体構造の火消蓋・目皿自在継ぎ手（２７）と目皿と継ぎ手・火消蓋の支点のアジャスターの丁番（３３）において回動自在に取り付けられており、通常は、（２５）の鋳物製目皿、（２９）の火消用落し蓋と、（１４）の燃料の総重量より重い継ぎ手鋳・鉄棒（２４）の重力により、火消蓋・目皿自在継ぎ手（２７）に図中下方向に力が働くことで、鋳物製目皿（２５）は、目皿・火消蓋アジャスター（２８）よりくり抜かれた形が正確にはまり込む（目皿の枠内定位置）ことで、（３２）の取付具によって（２９）の火消蓋が（２８）のアジャスターの真下にくるように固定されている。
【手続補正１４】
【補正対象書類名】明細書
【補正対象項目名】００１４
【補正方法】変更
【補正の内容】
【００１４】  図３・４に示す火消し壺兼用熱源順応かまどは、バイオマスペレット燃料をバイオマスペレット燃料置き空気孔付き受皿（１４）内に入れ、（２９）の火消蓋を（３２）の自在取付具より放すか、（２５）の目皿の隙間から軽く叩き落として、（３２）の取付具を解放して（３１）火消壺・かまど内に落とし、（１５）のかまどの空気調整口を開けて、そこでバイオマスペレット燃料を（１７）のスチール着火カプセルにて燃焼させる装置である。
【手続補正１５】
【補正対象書類名】明細書
【補正対象項目名】００１５
【補正方法】変更
【補正の内容】
【００１５】  また、使用を中断したい場合等においては、以下のように、（３９）のストッパーを外してから、又は、耐震装置（３７）の金属ボールが、自在解除具（３２）を作動して、（３９）のストッパーが外れて、燃焼中のバイオマスペレット燃料を火消壺（３１）中に落とし、消火することができる、すなわち、火消用落し蓋アジャスター踏み台（２３）を足で踏むことによるか、耐震装置（３７）により、（２５）の目皿、（２８）の火消用落し蓋、  （１４）の中身の燃料の合計重量より（２４）の鉄棒の重量は、重いか、又は、尚更に合計重量に加えて、（３７）の金属ボールの移動落下によって一時的に２倍まで重くなる耐震装置の金属ボール（３７）との合計により重くなった分、軽くなる継手鋳物棒（２４）が、図中、前記の何れかによって上方向に移動し、火消用落し蓋アジャスター継ぎ手（２２）及び火消蓋・目皿自在継ぎ手（２７）が、図中、上方向に移動すると、目皿・火消蓋アジャスター（２８）の真下にくるように固定されていた鋳物製目皿（２５）は、目皿と継ぎ手・火消蓋の支点のアジャスターの丁番（３３）において下方向に回転して、図４に示す状態になる、したがって、バイオマスペレット燃料置き空気孔付き受け皿（１４）内の燃料ペレットが火消壺内に落下して、（１４）内燃料と（３７）の金属ボールの落下荷重が元に戻った重量合計の軽くなった分、重量を上回った継手鋳・鉄棒（２４）の重力にて、継手（２２）と下方向に移動して、継手（２７）と一体構造の（２５）は丁番（３３）において回転して、（２５）は（３２）によって火消蓋（２８）をとらえた状態にて、密封した状態となり、（１５）のかまど空気調整口は塞がれて、火消壺内は酸素不足の状態になっている為、消火がおこなわれる、この状態を、図３でより詳細に説明する。
【手続補正１６】
【補正対象書類名】明細書
【補正対象項目名】００２０
【補正方法】変更
【補正の内容】
【００２０】  本考案の発電＿・冷暖房空調機装置の模式図を図７に示す、図中、バイオマスペレット燃料用火消し壺兼用熱源順応かまど（１）で発生した熱により、ボイラー（２）に収容された水（沸点調性剤使用も可）を沸騰させ、高温、高圧蒸気により蒸気タービン（３）を回して発電を行い、得られた電気により、各別電源として用いる発電機装置であり、余力各別電気は、冷暖房空調を十二分にサポートして行う装置であり、図７中、（１）は、前記バイオマスペレット燃料用火消し壺兼用熱源順応かまど、（２）は、ボイラー、（３）は、蒸気タービン、（４）は、発電機、（５）は熱交換器、（６）は、電気モーター（電力は自己完結方式）、（７）は、循環ポンプ、（８）は、発電余力電力の充電用安全機、（９）は、充電器  、（１０）は、電力変換機装置である。
【手続補正１７】
【補正対象書類名】明細書
【補正対象項目名】００２１
【補正方法】変更
【補正の内容】
【００２１】  前記各種の装置は、前記バイオマスペレット燃料用火消壺兼用熱源＿＿＿順応かまどにて、同時使用によって、一つのエネルギーを変換増大化させて使用出来ることから最大効果・率のエネルギーを生み出すことができるグリーンな火消し壺兼用熱源順応かまどエネルギー増大化装置である。
【手続補正１８】
【補正対象書類名】明細書
【補正対象項目名】００２２
【補正方法】変更
【補正の内容】
【００２２】１・・・バイオマスペレット燃料用火消し壺兼用熱源順応かまど２・・・ボイラー３・・・蒸気タービン４・・・発電機５・・・熱交換器６・・・電気モーター（電力は自己完結方式）７・・・循環ポンプ８・・・発電気の電力変換機装置と充電機の安全機９・・・充電器１０・・正弦波長・電力変換装置１１・・ストーブ用の耐熱珪藻土かまど１２・・アジャスト薪空気孔付き受け皿（薪を用いる場合のストーブ用部材。）１３・・前記１の火消開閉蓋（取換用部品。）１４・・バイオマスペレット燃料置き空気孔付き受皿（２８と一体構造の鋳物）１５・・かまど空気開閉調整口（引き違い戸かはめ込み栓方式の何れか。）１６・・アジャスト空気孔筒伸縮調整蛇腹（内気導入を止めて、外気導入時の備品）１７・・スチール着火カプセル（ポリプロピレン入りスチール発火＿＿口付きカプセル）１８・・ストーブ（１の放熱熱源組込み機装置）１９・・モーター・除湿調性用ヒーター付き送風ファン２０・・冷媒機２１・・モーター付き圧縮ポンプ２２・・火消用落し蓋アジャスター継ぎ手２３・・火消用落し蓋アジャスター踏み台２４・・火消用落し蓋アジャスト重量（目皿＋火消蓋＋１４の燃料合計より重い。）継ぎ手鉄棒２５・・２７継ぎ手と一体構造の鋳物製目皿（２８のアジャスターを目皿の型に刳り抜いた形体）２６・・踏み台の補助取っ手２７・・火消蓋・目皿自在継ぎ手（２８アジャスターの丁番３３を支点に上下降する）２８・・目皿・火消蓋アジャスター・フェンダー（１４・２７と同質の鋳物で１４と一体構造）２９・・火消蓋（３２取付具によって２５の目皿と一体化出来、それまでは落蓋。）３０・・火消蓋アジャスター継ぎ手支点３１・・火消壺・かまど（珪藻土。）３２・・目皿の火消盖自在取付具兼３７の作動自在解除具として、３９のストッパーを外す。３３・・目皿と継ぎ手・火消蓋の支点のアジャスターの丁番３４・・ストーブ煙突３５・・薪ストーブ窓３６・・ストーブ灰皿受け３７・・耐震装置金属ボール３８・・外壁ステンレス板（珪藻土外壁強化材）３９・・安全ストッパー（２９の火消蓋が動かぬ様に固定化、３７の３２によって外れる。）４０・・冷暖流水切換機・給湯保温機（シーズンに合わせてメンテナンス可、床暖引込口・パイプ等埋設設備複数予備ライン・ジョイントあり。）４１・・ヒーター（湿度調整）１９のヒーター月送風ファンと同じ４２・・１１の保護鋳物フェンダー（２８のフェンダーと同じ働き）
【手続補正１９】
【補正対象書類名】図面
【補正対象項目名】図５
【補正方法】変更
【補正の内容】
【図５】
2014081084.tif 000010
【手続補正２０】
【補正対象書類名】図面
【補正対象項目名】図６
【補正方法】変更
【補正の内容】
【図６】
2014081084.tif 000011
【手続補正書】
【提出日】平成23年10月31日(2011.10.31)
【手続補正１】
【補正対象書類名】特許請求の範囲
【補正対象項目名】請求項７
【補正方法】変更
【補正の内容】
【請求項７】
請求項１〜６のいずれかに記載の火消し壺兼用熱源順応かまどを熱源として用いるボイラーと、前記ボイラーで発生した蒸気で駆動する蒸気タービンと、前記蒸気タービンで発生した高速回転運動エネルギーを高出力電気エネルギーに変換する発電機と、前記蒸気タービンの蒸気排気口と接続された冷暖給水切換機・給湯保温機を通した保温・給湯、床冷暖房機と、熱交換器と、前記発電機で発生した電気を充電器と電力変換装置を通したり、電源として直接駆動する冷暖房空調機器とを備える、冷暖房空調機装置。
【手続補正２】
【補正対象書類名】特許請求の範囲
【補正対象項目名】請求項８
【補正方法】変更
【補正の内容】
【請求項８】
請求項１〜７のいずれかに記載の火消し壺兼用熱源順応かまどを熱源として同時複合化することで、貴重なバイオマスペレット燃料エネルギー１容量に対して、エネルギー複数容量に変換増大化できることによって、バイオマスペレット燃料源供給不足・忘れ・その他のことが起こっても、自己完結的に、前記ボイラー内蔵電気ヒーター（２）によって持続してエネルギーを供給できるバイオマスペレット燃料エネルギーの前記請求項１〜７の各種変換増大化装置。
【手続補正３】
【補正対象書類名】明細書
【補正対象項目名】０００６
【補正方法】変更
【補正の内容】
【０００６】かくして本考案によれば、下記（１）〜（４）のバイオマスペレット燃料用の耐震装置付き火消し壺兼用熱源順応かまど・下記（５）のストーブ放熱熱源組込み機装置・下記（６）の冷暖房空調機装置・下記（７）の床冷暖房・給湯機装置・下記（８）の発電機装置・下記（９）のエネルギー持続可能な各種変換増大化装置が提供される。（１）少なくとも上部に開口部を有する耐熱性容器と、前記耐熱性容器の上部の開口部を開閉できるように設けられた耐震装置付き火消蓋と、着火装置とを備える、バイオマスペレット燃料用の火消し壺兼用熱源かまど。（２）前記耐熱性容器が、珪藻土製の容器である、前記（１）に記載の耐震装置付き火消し壺兼用熱源順応かまど。（３）さらに、踏み台と、前記踏み台と前記耐震装置付き火消蓋とを連結する火消蓋開閉機構とを備える耐震装置付き火消し壺兼用熱源順応かまどであって、耐震装置によるか、踏み台を操作することで、火消蓋開閉機構を通じて、火消蓋の開閉状態を制御するものである、前記（１）・（２）のいずれかに記載の耐震装置付き火消し壺兼用熱源順応かまど。（４）前記着火装置が、ポリプロピレンを原料としたものを穴空き金属製ペレット状カプセルに収納させたものである、前記（１）〜（３）のいずれかに記載の耐震装置付き火消し壺兼用熱源順応かまど。（５）前記（１）〜（４）のいずれかに記載の耐震装置付き火消し壺兼用熱源順応かまどを熱源として用いるストーブ放熱熱源組込み機装置。（６）前記（１）〜（５）のいずれかに記載の耐震装置付き火消し壺兼用熱源順応かまどを熱源として用いるボイラーと、前記ボイラーで発生した蒸気で駆動する蒸気タービンと、前記蒸気タービンで発生した高速運動エネルギーを高出力電気エネルギーに変換増大化する発電機装置と、前記蒸気タービンの蒸気排気口と接続された熱交換器と、前記発電機で発生した電気によって駆動する冷暖房空調機とを備える、冷暖房空調機装置、（７）前記（１）〜（６）のいずれかに記載の耐震装置付き火消し壺兼用熱源順応かまどを熱源として用いる前記ボイラーで発生した蒸気で駆動する蒸気タービンと、前記蒸気タービンの蒸気排気口と接続された熱交換器と、給湯保温庫による温水給配と保温庫内配管・給排水口取付口設備にて、床冷暖房機とを備える、床冷暖房・給湯機装置。（８）前記（１）〜（７）のいずれかに記載の耐震装置付き火消し壺兼用熱源順応かまどを熱源として用いる前記発電機によって発生した高出力電気を電力変換機装置を経て各種電圧電源を供給したり、選択充電を使用したり出来る前記蒸気タービンで発生した高速運動エネルギーを高出力電気エネルギーに変換増大化する発電機装置。
【手続補正４】
【補正対象書類名】明細書
【補正対象項目名】０００７
【補正方法】変更
【補正の内容】
【０００７】（９）前記１〜８のいずれかに記載の各種増大化装置による燃料のバイオマスペレット燃料供給が停止されても前記ボイラー内臓の温度感知センサー（２）の作動にて、前記エネルギー増大化装置の余剰エネルギー電気を使った電気ヒーターが、持続的エネルギー供給を行えることにより、各家庭単位毎にバラツキのあるバイオマスペレット燃料のエネルギー供給を一律平均的に安定化させることが可能でもあり、セパレート家庭単位毎に家庭ゴミを産業廃物化せずに、分散したエネルギー生産が費用対効果を生み出して、グリーンでゆっくりでも豊かな生活を可能にしてくれて、環境・防衛・経済・財政的にも安心な暮らしを提供されるバイオマスペレット燃料エネルギーの前記１〜８のエネルギー持続供給可能な各種変換増大化装置。
【手続補正５】
【補正対象書類名】明細書
【補正対象項目名】００２２
【補正方法】変更
【補正の内容】
【００２２】１・・・バイオマスペレット燃料用火消し壷兼用熱源順応かまど２・・・ボイラー（温度センサー付き自己完結型電気ヒーター切替機装置内蔵）３・・・蒸気タービン４・・・発電機５・・・熱交換器６・・・電気モーター（電力は自己完結方式）７・・・循環ポンプ８・・・発電気の電力変換機装置と充電機の安全機９・・・充電器１０・・正弦波長・電力変換装置１１・・ストーブ用の耐熱珪藻土かまど１２・・アジャスト薪空気孔付き受け皿（薪を用いる場合のストーブ用部材。）１３・・前記１の火消開閉蓋（取換用部品。）１４・・バイオマスペレット燃料置き空気孔付き受皿（２８と一体構造の鋳物）１５・・かまど空気開閉調整口（引き違い戸かはめ込み栓方式の何れか。）１６・・アジャスト空気孔筒伸縮調整蛇腹（内気導入を止めて、外気導入時の備品）１７・・スチール着火カプセル（ポリプロピレン入りスチール発火口付きカプセル）１８・・ストーブ（１の放熱熱源組込み機装置）１９・・モーター・除湿調性用ヒーター付き送風ファン２０・・冷媒機２１・・モーター付き圧縮ポンプ２２・・火消用落し蓋アジャスター継ぎ手２３・・火消用落し蓋アジャスター踏み台２４・・火消用落し蓋アジャスト重量（目皿＋火消蓋＋１４の燃料合計より重い。）継ぎ手鉄棒２５・・２７継ぎ手と一体構造の鋳物製目皿（２８のアジャスターを目皿の型に刳り抜いた形体）２６・・踏み台の補助取っ手２７・・火消蓋・目皿自在継ぎ手（２８アジャスターの丁番３３を支点に上下降する）２８・・目皿・火消蓋アジャスター・フェンダー（１４・２７と同質の鋳物で１４と一体構造）２９・・火消蓋（３２取付具によって２５の目皿と一体化出来、それまでは落蓋。）３０・・火消蓋アジャスター継ぎ手支点３１・・火消壺・かまど（珪藻土。）３２・・目皿の火消蓋自在取付具兼３７の作動自在解除具として、３９のストッパーを外す。３３・・目皿と継ぎ手・火消蓋の支点のアジャスターの丁番３４・・ストーブ煙突３５・・薪ストーブ窓３６・・ストーブ灰皿受け３７・・耐震装置金属ボール３８・・外壁ステンレス板（珪藻土外壁強化材）３９・・安全ストッパー（２９の火消蓋が動かぬ様に固定化、３７の３２によって外れる。）４０・・冷暖流水切換機・給湯保温機（シーズンに合わせてメンテナンス可、床暖引込口・パイプ等埋設設備複数予備ライン・ジョイントあり。）４１・・ヒーター（湿度調整）１９のヒーター月送風ファンと同じ４２・・１１の保護鋳物フェンダー（２８のフェンダーと同じ働き）
【手続補正６】
【補正対象書類名】図面
【補正対象項目名】図７
【補正方法】変更
【補正の内容】
【図７】
2014081084.tif 000012
【手続補正書】
【提出日】平成23年11月15日(2011.11.15)
【手続補正１】
【補正対象書類名】特許請求の範囲
【補正対象項目名】請求項１
【補正方法】変更
【補正の内容】
【請求項１】
少なくとも上部に開口部を有する耐熱性容器と、前記耐熱性容器の上部の開口部を開閉できるように設けられた耐震装置・火消し蓋付きと、着火装置とを備える、バイオマスペレット燃料用の耐震装置・火消し蓋付き壺兼用熱源順応かまど。
【手続補正２】
【補正対象書類名】特許請求の範囲
【補正対象項目名】請求項２
【補正方法】変更
【補正の内容】
【請求項２】
前記耐熱性容器が、珪藻土製の容器である、請求項１に記載のバイオマスペレット燃料用の耐震装置・火消し蓋付き壺兼用熱源順応かまど。
【手続補正３】
【補正対象書類名】特許請求の範囲
【補正対象項目名】請求項３
【補正方法】変更
【補正の内容】
【請求項３】
さらに、踏み台と、前記踏み台と前記耐震装置・火消蓋付きとを連結する火消蓋開閉機構とを備えるバイオマスペレット燃料用の耐震装置・火消し蓋付き壺兼用熱源順応かまどであって、耐震装置の作動によるか、踏み台を操作することで、火消蓋開閉機構を通じて、火消蓋の開閉状態を制御するものである、請求項１又は２に記載のバイオマスペレット燃料用の耐震装置・火消し蓋付き壺兼用熱源順応かまど。
【手続補正４】
【補正対象書類名】特許請求の範囲
【補正対象項目名】請求項４
【補正方法】変更
【補正の内容】
【請求項４】
前記着火装置が、ポリプロピレンを原料としたものを穴空き金属製ペレット状カプセルに収納させたものである、請求項１〜３のいずれかに記載のバイオマスペレット燃料用の耐震装置・火消し蓋付き壼兼用熱源順応かまど。
【手続補正５】
【補正対象書類名】特許請求の範囲
【補正対象項目名】請求項５
【補正方法】変更
【補正の内容】
【請求項５】
請求項１〜４のいずれかに記載のバイオマスペレット燃料用の耐震装置・火消し蓋付き壺兼用熱源順応かまどを熱源として用いるストーブ放熱熱源組込機装置。
【手続補正６】
【補正対象書類名】特許請求の範囲
【補正対象項目名】請求項６
【補正方法】変更
【補正の内容】
【請求項６】
請求項１〜５のいずれかに記載のバイオマスペレット燃料用の耐震装置・火消し蓋付き壼兼用熱源順応かまどを熱源として用いるボイラーと、前記ボイラーで発生した蒸気で駆動する蒸気タービンと、前記蒸気タービンで発生した高速回転運動エネルギーに比例した高出力電気エネルギーに変換する発電機と、前記発電機で発生した電気をバッテリー充電と電力変換装置を通して使用したり、電源として直接使用出来る自家発電機装置。
【手続補正７】
【補正対象書類名】特許請求の範囲
【補正対象項目名】請求項７
【補正方法】変更
【補正の内容】
【請求項７】
請求項１〜６のいずれかに記載のバイオマスペレット燃料用の耐震装置・火消し蓋付き壺兼用熱源かまどを熱源として用いるボイラーと、前記ボイラーで発生した蒸気で駆動する蒸気タービンと、前記蒸気タービンで発生した高速回転運動エネルギーに比例して高出力電気エネルギーに変換する発電機と、前記蒸気タービンの蒸気排出口と接続された熱交換器と、前記熱交換器排出口に繋がる放熱螺旋形配管パイプが内蔵された給湯保温庫による冷暖給水切替機・給湯保温機の保温・給湯・床冷暖房機と、前記発電機で発生した電気によって駆動する床・空調冷暖房機とを備える、床・空調冷暖房機装置。
【手続補正８】
【補正対象書類名】特許請求の範囲
【補正対象項目名】請求項８
【補正方法】変更
【補正の内容】
【請求項８】
請求項１〜７のいずれかに記載のバイオマスペレット燃料用の耐震装置・火消し蓋付き壺兼用熱源順応かまどの前記上部の開口部に投入した、貴重なバイオマスペレット投入の沸点状態に於ける１回燃焼分の燃料エネルギー１容量としたものに対して、熱源として同時複合化することで、エネルギー複数容量に変換増大化できることによって、バイオマスペレット燃料源供給不足・忘れ・その他のことが起こっても、自己完結的に、前記ボイラー内蔵電気ヒーター（２）によって持続してエネルギーを供給できるバイオマスペレット燃料の耐震装置・火消し蓋付き壺兼用熱源順応かまどエネルギーの前記請求項１〜７の各種変換増大化装置。
【手続補正１０】
【補正対象書類名】明細書
【補正対象項目名】０００１
【補正方法】変更
【補正の内容】
【０００１】  本考案は、ストーブ放熱熱源組込機・専用ボイラーの熱源かまどとしても、又、単独でも料理用かまどとしても活用出来て、高速回転蒸気タービンの高出力自家発電機と充電器・電力変換機で各種電源も用意出来て、熱交換器排出エネルギーを以って、モーターポンプ・送風機を自己完結型にて駆動させることで、冷暖両用となるバイオマスペレット燃料用の耐震装置・火消し蓋付き壺兼用熱源順応かまどに関する。
【手続補正１１】
【補正対象書類名】明細書
【補正対象項目名】０００２
【補正方法】変更
【補正の内容】
【０００２】バイオマスペレットを燃料とするストーブやボイラーは、色々あるが、どの燃料源も、薪・バイオマスペレットも自在に使用できる内容の物はなくて、更に、有事の場合に複合的活用できるシステムになっていない、そればかりか、専用ペレットストーブはグリーンというタイトルのみに頼ったように高額過ぎてなじめず、大型・容量タイプで、しかも、費用対効果的にも難色を感じることを禁じえない、このように、従来のエネルギー燃料は、大型プラントでしか造れなくて、負の生産が甚だしいので、負を減らすことと、エネルギーを一極集中して広範囲に分配している現状は、複合化分配することは、エネルギーの損失が過大にて全く不可能であるので、可能にするには、家庭ゴミを産業廃棄物化しない装置で、費用対効果ある家庭単位のセパレート化が希求されている、
本考案に関連して、特許証登録内容には、自家製の高密度グリーンな家庭ゴミであるバイオマスペレット燃料の製造方法が登録されている。
【手続補正１２】
【補正対象書類名】明細書
【補正対象項目名】０００４
【補正方法】変更
【補正の内容】
【０００４】  本考案は、上述した実情に鑑みてなされたものであり、より環境にやさしく、どこにでも移設・順応出来る簡単・単純なマルチかまど、ストーブ放熱熱源組込機、及び冷暖房空調・給湯・発電装置を提供して、同時に複合化することで、前記のグリーンなバイオマスペレット燃料用の耐震装置・火消し蓋付き壺兼用熱源順応かまど発生のエネルギーを持続増大化することを目的とする。
【手続補正１３】
【補正対象書類名】明細書
【補正対象項目名】０００５
【補正方法】変更
【補正の内容】
【０００５】  本考案者は、上記課題を解決すべく鋭意検討した結果、費用対効果があって、環境に優しいバイオマスペレット燃料熱源化でき、基本的構造部分についてどこにでもあり、販売・使用許可される既存道具・部品類を出来るだけ用いて簡単・単純なシステムを以って、旧来の化石・電気エネルギーの動力を廃して、自家製バイオマス燃料からストーブ放熱熱源組込機で直接に、そして、複合的に、ボイラー・蒸気タービンの自家発電気で以ってそれに代えられる物とするために直接複合的順応マルチかまどであるバイオマスペレット燃料用の耐震装置・火消し蓋付き壺兼用熱源順応かまどを考案した。
【手続補正１４】
【補正対象書類名】明細書
【補正対象項目名】０００６
【補正方法】変更
【補正の内容】
【０００６】  かくして本考案によれば、下記（１）〜（４）のバイオマスペレット燃料用の耐震装置・火消し蓋付き壺兼用熱源順応かまど・下記（５）のストーブ放熱熱源組込み機装置・下記（６）の冷暖房空調機装置・下記（７）の床冷暖房・給湯機装置・下記（８）の発電機装置・下記（９）のエネルギー持続可能な各種変換増大化装置が提供される。
（１）少なくとも上部に開口部を有する耐熱性容器と、前記耐熱性容器の上部の開口部を開閉できるように設けられた耐震装置・火消蓋付きと、着火装置とを備える、バイオマスペレット燃料用の耐震装置・火消し蓋付き壺兼用熱源順応かまど。
（２）前記耐熱性容器が、珪藻土製の容器である、前記（１）に記載のバイオマスペレット燃料用の耐震装置・火消し蓋付き壺兼用熱源順応かまど。
（３）さらに、踏み台と、前記踏み台と前記バイオマスペレット燃料用の耐震装置・火消し蓋付き壺兼用熱源順応かまどとを連結する火消し蓋開閉機構とを備えるバイオマスペレット燃料用の耐震装置・火消し蓋付き壺兼用熱源順応かまどであって、耐震装置によるか、踏み台を操作することで、火消蓋開閉機構を通じて、火消蓋の開閉状態を制御するものである、前記（１）・（２）のいずれかに記載のバイオマスペレット燃料用の耐震装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載のバイオマスペレット燃料用の耐震装置・火消し蓋付き壺兼用熱源順応かまど。
（５）前記（１）〜（４）のいずれかに記載のバイオマスペレット燃料用の耐震装置・火消し蓋付き壺兼用熱源順応かまどを熱源として用いるストーブ放熱熱源組込み機装置。
（６）前記（１）〜（５）のいずれかに記載のバイオマスペレット燃料用の耐震装置・火消し蓋付き壺兼用熱源順応かまどを熱源として用いるボイラーと、前記ボイラーで発生した蒸気で駆動する蒸気タービンと、前記蒸気タービンで発生した高速運動エネルギーに比例した高出力電気エネルギーに変換増大化する発電機装置と、前記蒸気タービンの蒸気排気口と接続された熱交換器と、前記発電機で発生した電気によって駆動する冷暖房空調機とを備える、冷暖房空調機装置、
（７）前記（１）〜（６）のいずれかに記載のバイオマスペレット燃料用の耐震装置・火消し蓋付き壺兼用熱源順応かまどを熱源として用いる前記ボイラーで発生した蒸気で駆動する蒸気タービンと、前記蒸気タービンの蒸気排気口と接続された熱交換器と、前記熱交換機の排出口に接続された放熱螺旋形配管パイプが内蔵された給湯保温庫による温水給配と保温庫内配管・給排水口取付口設備にて、床冷暖房機とを備える、床冷暖房・給湯機装置。
（８）前記（１）〜（７）のいずれかに記載のバイオマスペレット燃料用の耐震装置・火消し蓋付き壺兼用熱源順応かまどを熱源として用いる前記発電機によって発生した高出力電気を電力変換機装置を経て各種電圧電源を供給したり、選択充電を使用したり出来る前記蒸気タービンで発生した高速回転運動エネルギーに比例した高出力電気エネルギーに変換増大化する発電機装置。
【手続補正１５】
【補正対象書類名】明細書
【補正対象項目名】０００７
【補正方法】変更
【補正の内容】
【０００７】  （９）前記（１）〜（８）のいずれかに記載のバイオマスペレット燃料用の耐震装置・火消し蓋付き壺兼用熱源順応かまどを熱源として各種増大化装置による同時複合化することで、貴重な前記バイオマスペレット燃料エネルギーを、前記（１４）の目皿に投入燃焼１回分のバイオマスペレット燃料を沸点状態に於ける１とする容量に対して、エネルギー複数容量に変換増大化されたことで、上記のバイオマスペレット燃料用の耐震装置・火消し蓋付き壺兼用熱源順応かまどの前記上部の開口部に投入した前記燃焼１回分のペレット燃料供給が停止されても前記ボイラー内臓の温度感知センサー（２）の作動にて、前記各種エネルギー増大化装置の余剰エネルギーを代表した電気を使った（２）の内蔵電気ヒーターが、持続的エネルギー供給を行える、また、バイオマスペレット燃料を投入して燃焼が開始すれば、前記エネルギー燃焼同様に持続的エネルギー供給して、（２）内蔵のセンサーによってヒーターは自動的に解除となることにより、各家庭単位毎にバラツキのあるバイオマスペレット燃料のエネルギー供給を一律平均的に安定化させることが可能でもあり、セパレート家庭単位毎に家庭ゴミを産業廃棄物化せずに、分散セパレート化したことで、前記（０００３）の特許文献にあるものを併せて、家庭単位毎のミニプラントエネルギー生産が複合化を可能にしての費用対効果を生み出して、グリーンでゆっくりでも豊かな生活を可能にしてくれて、環境・防衛・経済・財政的にも安心な暮らしを提供されるバイオマスペレット燃料の耐震装置・火消し蓋付き壺兼用熱源順応かまどエネルギーの前記（１）〜（８）のエネルギー持続供給可能な各種変換増大化装置。
【手続補正１６】
【補正対象書類名】明細書
【補正対象項目名】０００８
【補正方法】変更
【補正の内容】
【０００８】  上記のようにセパレートであって、対既存化石・電気エネルギーに与しない、バイオマスペレット燃料・蒸気エネルギーとによるボイラー蒸気と変換電気とで単純・簡単構造にしてリーズナブルな低廉価格でしかも本格的な燃料源としてのバイオマスペレット燃料の耐震装置・火消し蓋付き壺兼用熱源順応かまどのエネルギーを増大化して、尚且つ、環境・経済問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来るマルチタイプの前記バイオマスペレット燃料の耐震装置・火消し蓋付き壺兼用熱源順応かまどを考案したのである。
【手続補正１７】
【補正対象書類名】明細書
【補正対象項目名】０００９
【補正方法】変更
【補正の内容】
【０００９】
【図１】  本考案の耐震装置・火消し蓋付き壺兼用熱源順応かまどの正面図である。
【図２】  本考案の耐震装置・火消し蓋付き壺兼用熱源順応かまどの側面図である。
【図３】  本考案の耐震装置・火消し蓋付き壺兼用熱源順応かまどの踏み台を外した状態側Ａ−Ａ”断面図である。
【図４】  本考案の耐震装置・火消し蓋付き壺兼用熱源順応かまどの踏み台を踏んだ状態のＡ−Ａ”側断面図である。
【図５】  本考案のストーブ放熱熱源組込機の耐震装置・火消し蓋付き壺兼用熱源順応かまどの正面図である。
【図６】  本考案のストーブ放熱熱源組込機の耐震装置・火消し壺蓋付き兼用熱源順応かまどの側面図である。
【図７】  本考案のシステム実施例を示す図である。
【手続補正１８】
【補正対象書類名】明細書
【補正対象項目名】００１０
【補正方法】変更
【補正の内容】
【００１０】バイオマスペレット燃料の耐震装置・火消し蓋付き壺兼用熱源順応かまどには、複合的マルチタイプの単体移設型システム内容が求められている、本考案のバイオマスペレット燃料の耐震装置・火消し蓋付き壺兼用熱源順応かまどは、その内容が難しくない簡単・単純なもので、同時複合的連関を発生させる考案実施の形態であって、バイオマスペレット燃料の専用かまどとして環境に優しく、高温に耐えられて、持ち運び移設に小型・簡便で、しかも安全であることを可能とした工夫がバイオマスペレット燃料用の耐震装置・火消し蓋付き壺兼用熱源順応かまどである。
【手続補正１９】
【補正対象書類名】明細書
【補正対象項目名】００１１
【補正方法】変更
【補正の内容】
【００１１】本考案に用いる燃料ペレットは特に制限されず、しかしながら、ダイオキシンや重金属の除去されていないものや、余分なものが混在している、例えば、放射能をかぶったバイオマスの除染が出来ていないものは制限されるが、それらに対して前記（０００３）特許文献のバイオマスペレット燃料は全てを満たしているから制限されないのである。
【手続補正２０】
【補正対象書類名】明細書
【補正対象項目名】００１２
【補正方法】変更
【補正の内容】
【００１２】以下、添付図面符号に従って一実施例を説明する、
図３・４は、本考案のバイオマスペレット燃料の耐震装置・火消し蓋付き壺兼用熱源順応かまどの実施例を示す図２の断面図である、
図３・４中、（１１）は、ストーブ用耐熱珪藻土かまど、（１４）は、バイオマスペレット燃料置き空気孔付き受皿、周りの淵は、より堅牢・背高で五徳使用も可、（１５）は、かまど空気調整開閉調整口、（２２）は、火消用落し蓋アジャスター継ぎ手、（２３）は、火消用落し蓋アジャスター踏み台、（２４）は、火消用落し蓋アジャスト重量（目皿・火消蓋・（１４）の燃料より重い）継ぎ手鋳・鉄棒、（２５）は、（２７）継ぎ手と一体構造の鋳物製目皿、（２６）は、（２３）の踏み台の補助取手、（２７）は、火消蓋・目皿自在継ぎ手（一体構造の目皿と継ぎ手・火消蓋の支点のアジャスターの丁番（３３）にて、シーソー・上下降する）、（２８）は、目皿・火消蓋・（１４）の燃料置き空気孔付き受け皿アジャスター・フェンダー、（２９）は、火消蓋（（３２）の目皿の自在取付具によって用をなして、それまでは単なる自在蓋であるが、（２８）のアジャスターの真下に位置して（３１）の火消壺内を密閉する。）、（３０）は、火消蓋・目皿・（２７）継手アジャスター開閉の上下運動支点、（３１）は、火消壺・かまど、（３２）は、目皿の火消蓋自在取付具兼（３９）の安全ストッパー自在解除具、（３３）は、鋳物製目皿（２５）と火消蓋・目皿自在継ぎ手（２７）との継ぎ手丁番である。
【手続補正２１】
【補正対象書類名】明細書
【補正対象項目名】００１３
【補正方法】変更
【補正の内容】
【００１３】  図３・４において、鋳物製目皿（２５）は、一体構造の火消蓋・目皿自在継ぎ手（２７）と目皿と継ぎ手・火消蓋の支点のアジャスターの丁番（３３）において回動自在に取り付けられており、通常は、（２５）の鋳物製目皿、（２９）の火消用落し蓋と、（１４）の燃料の総重量より重い継ぎ手鋳・鉄棒（２４）の重力により、火消蓋・目皿自在継ぎ手（２７）に図中下方向に力が働くことで、鋳物製目皿（２５）は、目皿・火消蓋アジャスター（２８）よりくり抜かれた形が正確にはまり込む（目皿の枠内定位置）ことで、（３２）の取付具によって（２９）の火消蓋が（２８）のアジャスターの真下にくるように固定されている。
【手続補正２２】
【補正対象書類名】明細書
【補正対象項目名】００１４
【補正方法】変更
【補正の内容】
【００１４】  図３・４に示すバイオマスペレット燃料の耐震装置・火消し蓋付き壺兼用熱源順応かまどは、バイオマスペレット燃料をバイオマスペレット燃料置き空気孔付き受皿（１４）内に入れ、（２９）の火消蓋を（３２）の自在取付具より放すか、（２５）の目皿の隙間から軽く叩き落として、（３２）の取付具を解放して（３１）火消壺・かまど内に落とし、（１５）のかまどの空気調整口を開けて、そこでバイオマスペレット燃料を（１７）のスチール着火カプセルにて燃焼させる装置である。
【手続補正２３】
【補正対象書類名】明細書
【補正対象項目名】００１５
【補正方法】変更
【補正の内容】
【００１５】  図３・４において、また、使用を中断したい場合等においては、以下のように、（３９）のストッパーを外してから、又は、耐震装置（３７）の金属ボールが、自在解除具（３２）を作動して、（３９）の（３２）よりのリードラインを通して、ストッパーが外れて、燃焼中のバイオマスペレット燃料を火消壺（３１）中に落とし、消火することができる、すなわち、火消用落し蓋アジャスター踏み台（２３）を足で踏むことによるか、耐震装置（３７）により、（２５）の目皿、（２８）の火消用落し蓋、  （１４）の中身の燃料の合計重量より（２４）の鉄棒の重量は、重いか、又は、尚更に合計重量に加えて、（３７）の金属ボールの移動落下荷重によって一時的に２倍まで重くなる耐震装置の金属ボール（３７）との合計により重くなった分、軽くなる継手鋳物棒（２４）が、図中、前記の何れかによって上方向に移動し、火消用落し蓋アジャスター継ぎ手（２２）及び火消蓋・目皿自在継ぎ手（２７）が、図中、上方向に移動すると、目皿・火消蓋アジャスター（２８）の真下にくるように固定されていた鋳物製目皿（２５）は、目皿と継ぎ手・火消蓋の支点のアジャスターの丁番（３３）において下方向に回転して、図４に示す状態になる、したがって、バイオマスペレット燃料置き空気孔付き受け皿（１４）内の燃料ペレットが火消壺内に落下して、（１４）内燃料と（３７）の金属ボールの落下荷重が元に戻った重量合計の軽くなった分、重量を上回った継手鋳・鉄棒（２４）の重力にて、継手（２２）と下方向に移動して、継手（２７）と一体構造の（２５）は丁番（３３）において回転して、（２５）は（３２）によって火消蓋（２８）をとらえた状態にて、（１５）のかまど空気調整口は塞ぐことで、密封した状態となり、＿＿＿＿＿＿＿＿＿＿＿＿＿＿＿＿＿＿＿火消壺内は酸素不足の状態になっている為に、消火がおこなわれる、この状態を、図３でより詳細に説明する。
【手続補正２４】
【補正対象書類名】明細書
【補正対象項目名】００１６
【補正方法】変更
【補正の内容】
【００１６】図３において、火消用落し蓋アジャスター踏み台（２３）から足を離すと、火消用落し蓋アジャスト重量（目皿より重い）継ぎ手鋳物棒（２４）が、図中、重力により下方向に移動し、火消用落し蓋アジャスター継ぎ手（２２）及び火消蓋・目皿自在継ぎ手（２７）が、図中、（２７）・（２５）の一体構造が（３３）の丁番を支点にシーソー下方向に移動することで、鋳物製目皿（２５）と（３２）の火消蓋の目皿自在取付具は、目皿・火消蓋アジャスター（２８）の枠内定位置・真下に固定されて、尚更に、より安全確保のために（３９）の安全ストッパーを掛ける。
【手続補正２５】
【補正対象書類名】明細書
【補正対象項目名】００１７
【補正方法】変更
【補正の内容】
【００１７】また、火消壺（３１）内に落下し、消火された燃料ペレットは、再利用することができる、前記（０００３）の特許文献の燃料ペレットは、高密度・燃焼の、着火し難いので、ポリプロピレンを原料としたものを穴空き金属製ペレット状カプセルに収納させた着火装置を使用することが好ましい。
【手続補正２６】
【補正対象書類名】明細書
【補正対象項目名】００１８
【補正方法】変更
【補正の内容】
【００１８】本考案の第２は、本考案のバイオマスペレット燃料の耐震装置・火消し蓋付き壺兼用熱源順応かまどを熱源として利用する前記ストーブ放熱熱源組込機である、本考案のストーブ放熱熱源組込機の正・側面図を図５、６に示す、また、図５、６中、（１）は、バイオマスペレット燃料用の耐震装置・火消し蓋付き壺兼用熱源順応かまど＿＿＿＿＿＿＿、（１４）は、バイオマスペレット燃料置き空気孔付き受皿、（３４）は、ストーブ煙突、３５は薪ストーブ窓、（３６）は、ストーブ灰皿受けであるので、薪を燃やし入れたいときには、順応かまどをストーブから取り出して、（１２）のアジャストを設ければ、薪ストーブになる。
【手続補正２７】
【補正対象書類名】明細書
【補正対象項目名】００１９
【補正方法】変更
【補正の内容】
【００１９】  本考案の第３は、本考案のバイオマスペレット燃料用の耐震装置・火消し蓋付き壺兼用熱源順応かまどを熱源として同時に用いるボイラーと、前記ボイラーで発生した蒸気で駆動する蒸気タービンと、前記蒸気タービンで発生した高速回転運動エネルギーに比例する高出力電気エネルギーに変換する発電機と、前記蒸気タービンの蒸気排気口と接続された熱交換器と、前記発電機で発生した電気によってｉは、そのまま電源としての利用で以って、余剰電気は分配・売電出来て、ｉｉは、（１０）の電力変換装置より電気をバッテリーに各別充電して、尚且つ電力変換装置を経て各別電源に変換して持続的に利用できる発電機装置であり、駆動サポートする冷暖房床・空調機とを備える、冷暖房空調装置である。
【手続補正２８】
【補正対象書類名】明細書
【補正対象項目名】００２０
【補正方法】変更
【補正の内容】
【００２０】  本考案の発電機・冷暖房空調装置の模式図を図７に示す、図中、バイオマスペレット燃料の耐震装置・火消し蓋付き壺兼用熱源順応かまど（１）で発生した熱により、ボイラー（２）に収容された液体（沸点調性剤使用も可。）を沸騰させ、高温、高圧蒸気により蒸気タービン（３）を高速回転に比例して高出力発電を行い、得られた電気により、各別電源として用いる発電装置であり、余力各別電気は、前記熱交換機の排出口より高温高圧蒸気と前記熱交換器より排出の高温高圧の放熱螺旋形パイプ内蔵の保温庫と併せ以って冷暖房空調を十二分にサポートして行う装置であり、図７中、（１）は、バイオマスペレット燃料の耐震装置・火消し蓋付き壺兼用熱源順応かまど、（２）は、ボイラー、（３）は蒸気タービン、（４）は、発電機、（５）は、熱交換器、（６）は、電気モーター（電力は自己完結方式）、（７）は循環ポンプ、（８）は、発電余力電力の充電用安全機、（９）は、充電器、（１０）は、電力変換装置である。
【手続補正２９】
【補正対象書類名】明細書
【補正対象項目名】００２１
【補正方法】変更
【補正の内容】
【００２１】  前記各種の装置は、前記バイオマスペレット燃料用の耐震装置・火消し蓋付き壺兼用熱源順応かまどにて、同時使用に＿て、前記（１４）の目皿に投入分のバイオマスペレット燃料を燃焼１回分とする燃料エネルギーを変換増大化させて使用出来ることから、持続的に最大効果・率のエネルギーを生み出すことができるグリーンなバイオマスペレット燃料用の耐震装置・火消し蓋付き壺兼用熱源順応かまどエネルギー増大化装置である。
【手続補正３０】
【補正対象書類名】明細書
【補正対象項目名】００２２
【補正方法】変更
【補正の内容】
【符号の説明】
【００２２】
１・・・バイオマスペレット燃料用の耐震装置・火消し蓋付き壺兼用熱源順応かまど
２・・・ボイラー（温度センサー付き自己完結型電気ヒーター・切替機装置内蔵）
３・・・蒸気タービン
４・・・発電機
５・・・熱交換器
６・・・電気モーター（電力は自己完結方式）
７・・・循環ポンプ
８・・・発電気の電力変換機装置と充電機の安全機
９・・・充電器
１０・・正弦波長・電力変換装置
１１・・ストーブ用の耐熱珪藻土かまど
１２・・アジャスト薪空気孔付き受け皿（薪を用いる場合のストーブ用部材。）
１３・・前記１の火消開閉蓋（取換用部品。）
１４・・バイオマスペレット燃料置き空気孔付き受皿（（２８）と一体構造の鋳物）
１５・・かまど空気開閉調整口（引き違い戸かはめ込み栓方式の何れか。）
１６・・アジャスト空気孔筒伸縮調整蛇腹（内気導入を止めて、外気導入時の備品）
１７・・スチール着火カプセル（ポリプロピレン入り金属製発火口付きカプセル）
１８・・ストーブ（（１）の放熱熱源組込み機装置）
１９・・モーター・除湿調性用ヒーター付き送風ファン
２０・・冷媒機
２１・・モーター付き圧縮ポンプ（冷暖切換機付き）
２２・・火消用落し蓋アジャスター継ぎ手
２３・・火消用落し蓋アジャスター踏み台
２４・・火消用落し蓋アジャスト重量（目皿＋火消蓋＋（１４）の燃料合計より重い。）継ぎ手鋳・鉄棒
２５・・（２７）継ぎ手と一体構造の鋳物製目皿（（２８）のアジャスターを目皿の型に刳り抜いた形体）
２６・・踏み台の補助取っ手
２７・・火消蓋・目皿自在継ぎ手（（２８）アジャスターの丁番（３３）を支点に上下降する）
２８・・目皿・火消蓋アジャスター・フェンダー（（１４）・（２７）と同質の鋳物で（１４）と一体構造）
２９・・火消蓋（（３２）取付具によって（２５）の目皿と一体化出来、それまでは落蓋。）
３０・・火消蓋アジャスター継ぎ手支点
３１・・火消壺・かまど（珪藻土。）
３２・・目皿の火消蓋自在取付具兼（３９）の作動自在解除具併せ持つ、（３９）のストッパーを外す。
３３・・目皿と継ぎ手・火消蓋の支点のアジャスターの丁番
３４・・ストーブ煙突
３５・・薪ストーブ窓
３６・・ストーブ灰皿受け
３７・・耐震装置金属ボールの（３２）自在解除具に金属ボールが転がり衝突作動
３８・・外壁ステンレス板（珪藻土外壁強化材）
３９・・安全ストッパー（（２９）の火消蓋が動かぬ様に固定化、（３７）の（３２）によって外れる。）
４０・・ボイラーに接続の放熱配管の螺旋形パイプ保温庫内内蔵と保温庫内冷暖給湯切換機（シーズンに合わせてメンテナンス可、床暖引込口・パイプ等埋設設備複数予備ライン・ジョイントあり。）
４１・・ヒーター（湿度調整）（１９）のヒーター付き送風ファンに同じ
４２・・（１１）の＿＿鋳物製フェンダー（（２８）のフェンダーと同じ働き）
【手続補正３１】
【補正対象書類名】図面
【補正対象項目名】図１
【補正方法】変更
【補正の内容】
【図１】
2014081084.tif 000013
【手続補正３２】
【補正対象書類名】図面
【補正対象項目名】図５
【補正方法】変更
【補正の内容】
【図５】
2014081084.tif 000014
【手続補正３３】
【補正対象書類名】図面
【補正対象項目名】図６
【補正方法】変更
【補正の内容】
【図６】
2014081084.tif 000015
【手続補正３４】
【補正対象書類名】図面
【補正対象項目名】図７
【補正方法】変更
【補正の内容】
【図７】
2014081084.tif 000016
【手続補正書】
【提出日】平成23年11月28日(2011.11.28)
【手続補正１】
【補正対象書類名】特許請求の範囲
【補正対象項目名】請求項１
【補正方法】変更
【補正の内容】
【請求項１】
少なくとも上部に開口部を有する耐熱性容器と、前記耐熱性容器の上部の開口部を開閉できるように設けられた耐震装置・火消し蓋付きと、着火装置とを備える、家庭バイオマスペレット燃料用の耐震装置・火消し蓋付き壺兼用熱源順応かまど。
【手続補正２】
【補正対象書類名】特許請求の範囲
【補正対象項目名】請求項２
【補正方法】変更
【補正の内容】
【請求項２】
前記耐熱性容器が、珪藻土製の容器である、請求項１に記載の家庭バイオマスペレット燃料用の耐震装置・火消し蓋付き壺兼用熱源順応かまど。
【手続補正３】
【補正対象書類名】特許請求の範囲
【補正対象項目名】請求項３
【補正方法】変更
【補正の内容】
【請求項３】
さらに、踏み台と、前記踏み台と前記耐震装置・火消蓋付きとを連結する火消蓋開閉機構とを備える家庭バイオマスペレット燃料用の耐震装置・火消し蓋付き壺兼用熱源順応かまどであって、耐震装置の作動によるか、踏み台を操作することで、火消蓋開閉機構を通じて、火消蓋の開閉状態を制御するものである、請求項１又は２に記載の家庭バイオマスペレット燃料用の耐震装置・火消し蓋付き壺兼用熱源順応かまど。
【手続補正４】
【補正対象書類名】特許請求の範囲
【補正対象項目名】請求項４
【補正方法】変更
【補正の内容】
【請求項４】
前記着火装置が、ポリプロピレンを原料としたものを穴空き金属製ペレット状カプセルに収納させたものである、請求項１〜３のいずれかに記載の家庭バイオマスペレット燃料用の耐震装置・火消し蓋付き壺兼用熱源順応かまど。
【手続補正５】
【補正対象書類名】特許請求の範囲
【補正対象項目名】請求項５
【補正方法】変更
【補正の内容】
【請求項５】
請求項１〜４のいずれかに記載の家庭バイオマスペレット燃料用の耐震装置・火消し蓋付き壺兼用熱源順応かまどを熱源として用いるストーブ放熱熱源組込機装置。
【手続補正６】
【補正対象書類名】特許請求の範囲
【補正対象項目名】請求項６
【補正方法】変更
【補正の内容】
【請求項６】
請求項１〜５のいずれかに記載の家庭バイオマスペレット燃料用の耐震装置・火消し蓋付き壺兼用熱源順応かまどを熱源として用いるボイラーと、前記ボイラーで発生した高温・圧蒸気で駆動する蒸気タービンと、前記蒸気タービンで発生した高速回転運動エネルギーに比例した高出力電気エネルギーに変換する自家発電機と、前記自家発電機で発生した電気をバッテリー充電器と電力変換装置を通して使用したり、電源として直接使用出来る自家発電機装置。
【手続補正７】
【補正対象書類名】特許請求の範囲
【補正対象項目名】請求項７
【補正方法】変更
【補正の内容】
【請求項７】
請求項１〜６のいずれかに記載の家庭バイオマスペレット燃料用の耐震装置・火消し蓋付き壺兼用熱源かまどを熱源として用いるボイラーと、前記ボイラーで発生した高温・圧蒸気で駆動する蒸気タービンと、前記蒸気タービンで発生した高速回転運動エネルギーに比例して高出力電気エネルギーに変換する自家発電機と、前記蒸気タービンの蒸気排出口と接続された熱交換器と、前記熱交換器排出口に繋がる放熱螺旋形配管パイプが内蔵された熱湯保温庫                            （熱湯保温・給湯・床冷暖房機）に繋がる冷媒機と、前記自家発電機で発生した電気によって駆動する床・空調冷暖房機とを備える、床・空調冷暖房機装置。
【手続補正８】
【補正対象書類名】特許請求の範囲
【補正対象項目名】請求項８
【補正方法】変更
【補正の内容】
【請求項８】
請求項１〜７のいずれかに記載の家庭バイオマスペレット燃料用の耐震装置・火消し蓋付き壺兼用熱源順応かまどの前記上部の開口部に投入した、貴重なバイオマスペレット投入の前記ボイラーの沸点状態に於ける１回燃焼分の燃料エネルギーを１容量としたものに対して、熱源として同時複合化することで、エネルギー複数容量に変換増大化できることによって、バイオマスペレット燃料源供給不足・忘れ・その他のことが起こっても、自己完結的に、前記熱湯保温庫に代表される複合的エネルギー保持されることも手伝って、前記ボイラー内蔵高出力電気の前記ヒーターによって持続してエネルギーを供給できる家庭バイオマスペレット燃料の耐震装置・火消し蓋付き壺兼用熱源順応かまどエネルギーの前記請求項１〜７の各種変換増大化装置。
【手続補正１０】
【補正対象書類名】明細書
【補正対象項目名】０００１
【補正方法】変更
【補正の内容】
【技術分野】
【０００１】
本考案は、前記ストーブ放熱熱源組込機・専用ボイラーの熱源かまどとしても、又、単独でも料理用かまどとしても活用出来て、高速回転蒸気タービンに比例した高出力自家発電機と充電器・電力変換機で各種電源も用意出来て、熱交換器排出エネルギーを以って、モーターポンプ・送風機を自己完結型にて駆動させることで、冷暖両用となる家庭バイオマスペレット燃料用の耐震装置・火消し蓋付き壺兼用熱源順応かまどに関する。
【手続補正１１】
【補正対象書類名】明細書
【補正対象項目名】０００２
【補正方法】変更
【補正の内容】
【背景技術】
【０００２】
バイオマスペレットを燃料とするストーブやボイラーは、色々あるが、どの燃料源も、薪・バイオマスペレットも自在に使用できる内容の物はなくて、更に、有事の場合にも複合的活用できるシステムになっていない、そればかりか、専用ペレットストーブはグリーンというタイトルのみに頼ったように高額過ぎてなじめず、大型・容量タイプで、しかも、費用対効果的にも難色を感じることを禁じえない、このように、従来のエネルギー燃料は、大型プラントでしか造れなくて、負の生産が甚だしいので、負を減らすことと、エネルギーを一極集中大型化して広範囲に分散・配している現状と、高密度ポイント複合化＿＿することとは、相矛盾していて、エネルギーの損失が過大にて全く不可能であるので、可能にするには、家庭ゴミを産業廃棄物化しない装置で、費用対効果ある正を保持・増大化出来る家庭単位のセパレート化が希求されている、
本考案に関連して、特許証登録内容には、自家製の高密度グリーンな家庭ゴミであるバイオマスペレット燃料の製造方法が登録されている。
【手続補正１２】
【補正対象書類名】明細書
【補正対象項目名】０００４
【補正方法】変更
【補正の内容】
【考案の概念】
【考案が解決しようとする課題】
【０００４】
本考案は、上述した実情に鑑みてなされたものであり、より環境にやさしく、どこにでも移設・順応出来る簡単・単純なマルチかまど、ストーブ放熱熱源組込機、及び冷暖房空調機・熱湯保温庫・給湯機・自家発電機装置を提供して、同時に複合化することで、前記のグリーンな家庭バイオマスペレット燃料用の耐震装置・火消し蓋付き壺兼用熱源順応かまど発生のエネルギーを保持・持続・増大化することを目的とする。
【手続補正１３】
【補正対象書類名】明細書
【補正対象項目名】０００５
【補正方法】変更
【補正の内容】
【課題を解決するための手段】
【０００５】
本考案者は、上記課題を解決すべく鋭意検討した結果、費用対効果があって、環境に優しいバイオマスペレット燃料熱源化でき、基本的構造部分についてどこにでもあり、販売・使用許可される既存道具・部品類を出来るだけ用いて簡単・単純なシステムを以って、旧来の化石・電気エネルギーの動力を廃して、自家製バイオマス燃料からストーブ放熱熱源組込機で直接に、そして、複合的に、ボイラー・蒸気タービンの自家発電気で以ってそれに代えられる物とするために＿＿複合的順応マルチかまどである家庭バイオマスペレット燃料用の耐震装置・火消し蓋付き壺兼用熱源順応かまどを考案した。
【手続補正１４】
【補正対象書類名】明細書
【補正対象項目名】０００６
【補正方法】変更
【補正の内容】
【０００６】  かくして本考案によれば、下記（１）〜（４）の家庭バイオマスペレット燃料用の耐震装置・火消し蓋付き壺兼用熱源順応かまど・下記（５）のストーブ放熱熱源組込み機装置・下記（６）の冷暖房空調機装置・下記（７）の床冷暖房・給湯機装置・下記（８）の自家発電機装置・下記（９）のエネルギー持続可能な各種変換増大化装置が提供される。
（１）少なくとも上部に開口部を有する耐熱性容器と、前記耐熱性容器の上部の開口部を開閉できるように設けられた耐震装置・火消蓋付きと、着火装置とを備える、家庭バイオマスペレット燃料用の耐震装置・火消し蓋付き壺兼用熱源順応かまど。
（２）前記耐熱性容器が、珪藻土製の容器である、前記（１）に記載の家庭バイオマスペレット燃料用の耐震装置・火消し蓋付き壺兼用熱源順応かまど。
（３）さらに、踏み台と、前記踏み台と前記家庭バイオマスペレット燃料用の耐震装置・火消し蓋付き壺兼用熱源順応かまどとを連結する火消し蓋開閉機構とを備える家庭バイオマスペレット燃料用の耐震装置・火消し蓋付き壺兼用熱源順応かまどであって、耐震装置によるか、踏み台を操作することで、火消蓋開閉機構を通じて、火消蓋の開閉状態を制御するものである、前記（１）・（２）のいずれかに記載の家庭バイオマスペレット燃料用の耐震装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載の家庭バイオマスペレット燃料用の耐震装置・火消し蓋付き壺兼用熱源順応かまど。
（５）前記（１）〜（４）のいずれかに記載の家庭バイオマスペレット燃料用の耐震装置・火消し蓋付き壺兼用熱源順応かまどを熱源として用いるストーブ放熱熱源組込み機装置。
（６）前記（１）〜（５）のいずれかに記載の家庭バイオマスペレット燃料用の耐震装置・火消し蓋付き壺兼用熱源順応かまどを熱源として用いるボイラーと、前記ボイラーで発生した蒸気で駆動する蒸気タービンと、前記蒸気タービンで発生した高速運動エネルギーに比例した高出力電気エネルギーに変換増大化する自家発電機装置と、前記蒸気タービンの蒸気排気口と接続された熱交換器と、前記熱交換器排出口繋がる冷媒機と、前記自家発電機で発生した電気によって駆動する冷暖房空調機とを備える、冷暖房空調機装置、
（７）前記（１）〜（６）のいずれかに記載の家庭バイオマスペレット燃料用の耐震装置・火消し蓋付き壺兼用熱源順応かまどを熱源として用いる前記ボイラーで発生した蒸気で駆動する蒸気タービンと、前記蒸気タービンの蒸気排気口と接続された熱交換器と、前記熱交換機の排出口に接続された放熱螺旋形配管パイプが内蔵された給湯保温庫による温水給配と保温庫内配管・給排水口取付口設備にて、床冷暖房機とを備える、床冷暖房・給湯機装置。
（８）前記（１）〜（７）のいずれかに記載の家庭バイオマスペレット燃料用の耐震装置・火消し蓋付き壺兼用熱源順応かまどを熱源として用いる前記自家発電機によって発生した高出力電気を電力変換機装置を経て各種電圧電源を供給したり、選択充電を使用したり出来る前記蒸気タービンで発生した高速回転運動エネルギーに比例した高出力電気エネルギーに変換増大化する自家発電機装置。
【手続補正１５】
【補正対象書類名】明細書
【補正対象項目名】０００７
【補正方法】変更
【補正の内容】
【０００７】  （９）前記（１）〜（８）のいずれかに記載の家庭バイオマスペレット燃料用の耐震装置・火消し蓋付き壺兼用熱源順応かまどを熱源として各種増大化装置による同時複合化することで、貴重な前記バイオマスペレット燃料エネルギーを、前記（１４）の目皿に投入燃焼１回分のバイオマスペレット燃料をボイラー（２）の沸点状態に於ける１とする容量に対して、エネルギー複数容量に変換増大化されたことで、上記の家庭バイオマスペレット燃料用の耐震装置・火消し蓋付き壺兼用熱源順応かまどの前記上部の開口部に投入した前記燃焼１回分のペレット燃料供給が停止されても前記ボイラー内臓の温度感知センサー（２）の作動にて、前記各種エネルギー増大化装置の余剰エネルギーを代表した高出力電気を使った（２）の内蔵電気ヒーターが、持続的エネルギー供給を行える、また、バイオマスペレット燃料を投入して燃焼が開始すれば、前記エネルギー燃焼同様に持続的エネルギー供給して、（２）内蔵のセンサーによってヒーターは自動的に解除となることにより、各家庭単位毎にバラツキのあるバイオマスペレット燃料のエネルギー供給を一律平均的に安定化させることが可能でもあり、セパレート家庭単位毎に家庭ゴミを産業廃棄物化せずに、分散セパレート化したことで、前記（０００３）の特許文献にあるものを併せて、家庭単位毎のミニプラントエネルギー生産が複合化を可能にしての費用対効果を生み出して、グリーンでゆっくりでも豊かな生活を可能にしてくれて、環境・防衛・経済・財政的にも安心な暮らしを提供される家庭バイオマスペレット燃料の耐震装置・火消し蓋付き壺兼用熱源順応かまどエネルギーの前記（１）〜（８）のエネルギー持続供給可能な各種変換増大化装置。
【手続補正１６】
【補正対象書類名】明細書
【補正対象項目名】０００８
【補正方法】変更
【補正の内容】
【考案の効果】
【０００８】
上記のようにセパレートであって、対既存化石・電気エネルギーに与しない、自家バイオマスペレット燃料・蒸気エネルギーとによるボイラー蒸気と変換電気とで単純・簡単構造にしてリーズナブルな低廉価格でしかも本格的な燃料源としての家庭バイオマスペレット燃料の耐震装置・火消し蓋付き壺兼用熱源順応かまどのエネルギーを持続・増大化して、尚且つ、環境・経済問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来るマルチタイプの前記家庭バイオマスペレット燃料の耐震装置・火消し蓋付き壺兼用熱源順応かまどを考案したのである。
【手続補正１７】
【補正対象書類名】明細書
【補正対象項目名】００１０
【補正方法】変更
【補正の内容】
【考案を実施するための形態】
【００１０】
家庭バイオマスペレット燃料の耐震装置・火消し蓋付き壺兼用熱源順応かまどには、複合的マルチタイプの小・移設型システム内容が求められている、本考案の家庭バイオマスペレット燃料の耐震装置・火消し蓋付き壺兼用熱源順応かまどは、その内容が難しくない簡単・単純なもので、同時複合的連関を発生させる考案実施の形態であって、バイオマスペレット燃料の専用かまどとして環境に優しく、高温に耐えられて、持ち運び移設に小型・簡便で、しかも安全であることを可能とした工夫が家庭バイオマスペレット燃料用の耐震装置・火消し蓋付き壺兼用熱源順応かまどである。
【手続補正１８】
【補正対象書類名】明細書
【補正対象項目名】００１２
【補正方法】変更
【補正の内容】
【００１２】  以下、添付図面符号に従って一実施例を説明する、
図３・４は、本考案の家庭バイオマスペレット燃料の耐震装置・火消し蓋付き壺兼用熱源順応かまどの実施例を示す図２の断面図である、図３・４中、（１１）は、ストーブ用耐熱珪藻土かまど、（１４）は、バイオマスペレット燃料置き空気孔付き受皿、周りの淵は、より堅牢・背高で五徳使用も可、（１５）は、かまど空気調整開閉調整口、（２２）は、火消用落し蓋アジャスター継ぎ手、（２３）は、火消用落し蓋アジャスター踏み台、（２４）は、火消用落し蓋アジャスト重量（目皿・火消蓋・（１４）の燃料より重い）継ぎ手鋳・鉄棒、（２５）は、（２７）継ぎ手と一体構造の鋳物製目皿、（２６）は、（２３）の踏み台の補助取手、（２７）は、火消蓋・目皿自在継ぎ手（一体構造の目皿と継ぎ手・火消蓋の支点のアジャスターの丁番（３３）にて、シーソー・上下降する）、（２８）は、目皿・火消蓋・（１４）の燃料置き空気孔付き受け皿アジャスター・フェンダー、（２９）は、火消蓋（（３２）の目皿の自在取付具によって用をなして、それまでは単なる自在蓋であるが、（２８）のアジャスターの真下に位置して（３１）の火消壺内を密閉する。）、（３０）は、火消蓋・目皿・（２７）継手アジャスター開閉の上下運動支点、（３１）は、火消壺・かまど、（３２）は、目皿の火消蓋自在取付具兼（３９）の安全ストッパー自在解除具、（３３）は、鋳物製目皿（２５）と火消蓋・目皿自在継ぎ手（２７）との継ぎ手丁番である。
【手続補正１９】
【補正対象書類名】明細書
【補正対象項目名】００１４
【補正方法】変更
【補正の内容】
【００１４】図３・４に示す家庭バイオマスペレット燃料の耐震装置・火消し蓋付き壺兼用熱源順応かまどは、バイオマスペレット燃料をバイオマスペレット燃料置き空気孔付き受皿（１４）内に入れ、（２９）の火消蓋を（３２）の自在取付具より放すか、（２５）の目皿の隙間から軽く叩き落として、（３２）の取付具を解放して（３１）火消壺・かまど内に落とし、（１５）のかまどの空気調整口を開けて、そこでバイオマスペレット燃料を（１７）のスチール着火カプセルにて燃焼させる装置である。
【手続補正２０】
【補正対象書類名】明細書
【補正対象項目名】００１６
【補正方法】変更
【補正の内容】
【００１６】  図３において、火消用落し蓋アジャスター踏み台（２３）から足を離すと、火消用落し蓋アジャスト重量（目皿より重い）継ぎ手鋳物棒（２４）が、図中、重力により下方向に移動し、火消用落し蓋アジャスター継ぎ手（２２）及び火消蓋・目皿自在継ぎ手（２７）が、図中、（２７）・（２５）の一体構造が（３３）の丁番を支点にシーソー下方向に移動することで、鋳物製目皿（２５）と（３２）の火消蓋の目皿自在取付具は、目皿・火消蓋アジャスター（２８）の枠内定位置・真下に固定されて、尚更に、より安全確保のために（３９）の安全ストッパーを掛けて、（１５）の空気開閉調整口を閉めると消火出来て、前記（１５）の調整口を開けて火消し蓋（２９）を（３１）内に落とせば、着火燃焼出来る。
【手続補正２１】
【補正対象書類名】明細書
【補正対象項目名】００１８
【補正方法】変更
【補正の内容】
【００１８】  本考案の第２は、本考案の家庭バイオマスペレット燃料の耐震装置・火消し蓋付き壺兼用熱源順応かまどを熱源として利用する前記ストーブ放熱熱源組込機である、本考案のストーブ放熱熱源組込機の正・側面図を図５、６に示す、また、図５、６中、（１）は、家庭バイオマスペレット燃料用の耐震装置・火消し蓋付き壺兼用熱源順応かまど、（１４）は、バイオマスペレット燃料置き空気孔付き受皿、（３４）は、ストーブ煙突、３５は薪ストーブ窓、（３６）は、ストーブ灰皿受けであるので、薪を燃やし入れたいときには、順応かまどをストーブから取り出して、（１２）のアジャストを設ければ、薪ストーブになる。
【手続補正２２】
【補正対象書類名】明細書
【補正対象項目名】００１９
【補正方法】変更
【補正の内容】
【００１９】  本考案の第３は、本考案の家庭バイオマスペレット燃料用の耐震装置・火消し蓋付き壺兼用熱源順応かまどを熱源として同時に用いるボイラーと、前記ボイラーで発生した高温・圧蒸気で駆動する蒸気タービンと、前記蒸気タービンで発生した高速回転運動エネルギーに比例する高出力電気エネルギーに変換する自家発電機と、前記蒸気タービンの蒸気排気口と繋がった熱交換器と、前記熱交換機に接続された放熱螺旋形パイプ内蔵  保温庫（熱湯・床冷暖・給湯装置）に接続された冷媒機と、前記自家発電機で発生した電気によって、ｉは、そのまま電源としての利用で以って、余剰電気は分配・売電出来て、ｉｉは、（１０）の電力変換装置より電気をバッテリーに各別充電して、尚且つ電力変換装置を経て各別電源に変換して持続的に利用できる自家発電機装置で発生した電気によって、駆動・送風サポートする冷暖房床・空調機とを備える、冷暖房空調装置である。
【手続補正２３】
【補正対象書類名】明細書
【補正対象項目名】００２０
【補正方法】変更
【補正の内容】
【００２０】  本考案の自家発電機・冷暖房空調装置の模式図を図７に示す、図中、家庭バイオマスペレット燃料の耐震装置・火消し蓋付き壺兼用熱源順応かまど（１）で発生した熱により、ボイラー（２）に収容された液体（沸点調性剤使用も可。）を沸騰させ、高温、高圧蒸気により蒸気タービン（３）の高速回転に比例して高出力自家発電を行い、得られた電気により、各別電源として用いる自家発電装置であり、余力各別電気は、前記蒸気タービンの排出口に繋がる                                                      熱交換器と前記熱交換器より排出の高温高温・圧の蒸気と、熱交換器の排出口に繋がる放熱螺旋形パイプ内蔵の熱湯保温庫・冷媒機とを併せ以って冷暖房空調および給湯・床冷暖房機を十二分にサポートして行う装置であり、図７中、（１）は、家庭バイオマスペレット燃料の耐震装置・火消し蓋付き壺兼用熱源順応かまど、（２）は、自家発電気ヒーター内蔵ボイラー、（３）は蒸気タービン、（４）は、自家発電機、（５）は、熱交換器、（６）は、電気モーター（電力は自己完結方式）、（７）は循環ポンプ、（８）は、発電余力電力の充電用安全機、（９）は、充電器、（１０）は、電力変換装置である。
【手続補正２４】
【補正対象書類名】明細書
【補正対象項目名】００２１
【補正方法】変更
【補正の内容】
【００２１】  前記各種の装置は、前記家庭バイオマスペレット燃料用の耐震装置・火消し蓋付き壺兼用熱源順応かまどにて、同時使用にて、前記ボイラー（２）の沸点状態に於いて、前記（１４）の目皿に投入分のバイオマスペレット燃料を燃焼１回分を１エネルギー容量とする燃料エネルギーを変換増大化させて使用出来ることから、持続的に最大効果・率のエネルギー変換増大化を生み出すことができるグリーンな家庭バイオマスペレット燃料用の耐震装置・火消し蓋付き壺兼用熱源順応かまどエネルギー増大化装置である。
【手続補正２５】
【補正対象書類名】明細書
【補正対象項目名】００２２
【補正方法】変更
【補正の内容】
【符号の説明】
【００２２】
１・・・家庭バイオマスペレット燃料用の耐震装置・火消し蓋付き壺兼用熱源順応かまど
２・・・ボイラー（温度センサー付き自己完結型高出力電気ヒーター・切替機装置内蔵）
３・・・蒸気タービン
４・・・自家発電機
５・・・熱交換器
６・・・電気モーター（電力は自己完結方式）
７・・・循環ポンプ
８・・・発電気の電力変換機装置と充電機の安全機
９・・・充電器
１０・・正弦波長・電力変換装置
１１・・ストーブ用の耐熱珪藻土かまど
１２・・アジャスト薪空気孔付き受け皿（薪を用いる場合のストーブ用部材。）
１３・・前記１の火消開閉蓋（取換用部品。）
１４・・バイオマスペレット燃料置き空気孔付き受皿（（２８）と一体構造の鋳物）
１５・・かまど空気開閉調整口（引き違い戸かはめ込み栓方式の何れか。）
１６・・アジャスト空気孔筒伸縮調整蛇腹（内気導入を止めて、外気導入時の備品）
１７・・スチール着火カプセル（ポリプロピレン入り金属製発火口付きカプセル）
１８・・ストーブ（（１）の放熱熱源組込み機装置）
１９・・モーター・除湿調性用ヒーター付き送風ファン
２０・・冷媒機熱（熱交換器に繋がった保温庫に繋がる）
２１・・モーター付き圧縮ポンプ（冷暖切換機付き）
２２・・火消用落し蓋アジャスター継ぎ手
２３・・火消用落し蓋アジャスター踏み台
２４・・火消用落し蓋アジャスト重量（目皿＋火消蓋＋（１４）の燃料合計より重い。）継ぎ手鋳・鉄棒
２５・・（２７）継ぎ手と一体構造の鋳物製目皿（（２８）のアジャスターを目皿の型に刳り抜いた形体）
２６・・踏み台の補助取っ手
２７・・火消蓋・目皿自在継ぎ手（（２８）アジャスターの丁番（３３）を支点に上下降する）
２８・・目皿・火消蓋アジャスター・フェンダー（（１４）・（２７）と同質の鋳物で（１４）と一体構造）
２９・・火消蓋（（３２）取付具によって（２５）の目皿と一体化出来、それまでは落蓋。）
３０・・火消蓋アジャスター継ぎ手支点
３１・・火消壺・かまど（珪藻土。）
３２・・目皿の火消蓋自在取付具兼（３９）の作動自在解除具併せ持つ、（３９）のストッパーを外す。
３３・・目皿と継ぎ手・火消蓋の支点のアジャスターの丁番
３４・・ストーブ煙突
３５・・薪ストーブ窓
３６・・ストーブ灰皿受け
３７・・耐震装置金属ボールの（３２）自在解除具に金属ボールが転がり衝突作動
３８・・外壁ステンレス板（珪藻土外壁強化材）
３９・・安全ストッパー（（２９）の火消蓋が動かぬ様に固定化、（３７）の（３２）によって外れる。）
４０・・保温庫（熱交換器に接続の放熱配管の螺旋形パイプ保温庫内内蔵と保温庫の給湯・床暖・熱湯保温する（＿＿＿＿＿＿＿＿＿＿＿＿＿＿＿＿床暖引込口・パイプ等埋設設備複数予備パイプライン・ジョイントあり、冷媒機に接続される））
４１・・ヒーター（湿度調整）（１９）のヒーター付き送風ファンに同じ
４２・・（１１）の鋳物製フェンダー（（２８）のフェンダーと同じ働き）
【手続補正２６】
【補正対象書類名】図面
【補正対象項目名】図７
【補正方法】変更
【補正の内容】
【図７】
2014081084.tif 000017
【手続補正書】
【提出日】平成23年12月5日(2011.12.5)
【手続補正１】
【補正対象書類名】特許請求の範囲
【補正対象項目名】請求項１
【補正方法】変更
【補正の内容】
【請求項１】
少なくとも上部に開口部を有する耐熱性容器と、前記耐熱性容器の上部の開口部を開閉できるように設けられた耐震装置・火消蓋付き壺と、熱源かまどとが一体化して、着火装置とを備える、バイオマスペレット燃料用の耐震装置・火消し蓋付き壺兼用熱源順応かまど。
【手続補正２】
【補正対象書類名】明細書
【補正対象項目名】０００４
【補正方法】変更
【補正の内容】
【０００４】  本考案の第１は、上述した実情に鑑みてなされたものであり、より環境にやさしく、どこにでも移設・順応出来る簡単・単純な耐震装置・火消し蓋付き壺と熱源かまどとを、一体化して、安全な熱源順応装置であるマルチ熱源かまどであるから、ストーブ放熱熱源組込機、及び冷暖房空調機・熱湯保温庫・給湯機・自家発電機装置を提供して、同時に複合化することで、前記のグリーンな家庭バイオマスペレット燃料用の耐震装置・火消し蓋付き壺兼用熱源順応かまど発生のエネルギーを保持・持続・増大化することを目的とする。
【手続補正３】
【補正対象書類名】明細書
【補正対象項目名】０００６
【補正方法】変更
【補正の内容】
【０００６】  かくして本考案によれば、下記（１）〜（４）の家庭バイオマスペレット燃料用の耐震装置・火消し蓋付き壺兼用熱源順応かまど・下記（５）のストーブ放熱熱源組込み機装置・下記（６）の冷暖房空調機装置・下記（７）の床冷暖房・給湯機装置・下記（８）の自家発電機装置・下記（９）のエネルギー持続可能な各種変換増大化装置が提供される。
（１）少なくとも上部に開口部を有する耐熱性容器と、前記耐熱性容器の上部の開口部を開閉できるように設けられた耐震装置・火消蓋付きと、着火装置とを備える、家庭バイオマスペレット燃料用の耐震装置・火消し蓋付き壺兼用熱源順応かまど。
（２）前記耐熱性容器が、珪藻土製の容器である、前記（１）に記載の家庭バイオマスペレット燃料用の耐震装置・火消し蓋付き壺兼用熱源順応かまど。
（３）さらに、踏み台と、前記踏み台と前記家庭バイオマスペレット燃料用の耐震装置・火消し蓋付き壺兼用熱源順応かまどとを連結する火消し蓋開閉機構とを備える家庭バイオマスペレット燃料用の耐震装置・火消し蓋付き壺兼用熱源順応かまどであって、耐震装置によるか、鞜み台を操作することで、火消蓋開閉機構を通じて、火消蓋の開閉状態を制御するものである、前記（１）・（２）のいずれかに記載の家庭バイオマスペレット燃料用の耐震装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載の家庭バイオマスペレット燃料用の耐震装置・火消し蓋付き壺兼用熱源順応かまど。
（５）前記（１）〜（４）のいずれかに記載の家庭バイオマスペレット燃料用の耐震装置・火消し蓋付き壺兼用熱源順応かまどを熱源として用いるストーブ放熱熱源組込み機装置。
（６）前記（１）〜（５）のいずれかに記載の家庭バイオマスペレット燃料用の耐震装置・火消し蓋付き壺兼用熱源順応かまどを熱源として用いるボイラーと、前記ボイラーで発生した蒸気で駆動する蒸気タービンと、前記蒸気タービンで発生した高速運動エネルギーに比例した高出力電気エネルギーに変換増大化する自家発電機装置と、前記蒸気タービンの蒸気排気口と接続された熱交換器と、前記熱交換器排出口繋がる冷媒機と、前記自家発電機で発生した電気によって駆動する冷暖房空調機とを備える、冷暖房空調機装置。
（７）前記（１）〜（６）のいずれかに記載の家庭バイオマスペレット燃料用の耐震装置・火消し蓋付き壺兼用熱源順応かまどを熱源として用いる前記ボイラーで発生した蒸気で駆動する蒸気タービンと、前記蒸気タービンの蒸気排気口と接続された熱交換器と、前記熱交換機の排出口に接続された放熱螺旋形配管パイプが内蔵された給湯保温庫による温水給配と保温庫内配管・給排水口取付口設備にて、床冷暖房機とを備える、床冷暖房・給湯機装置。
（８）前記（１）〜（７）のいずれかに記載の家庭バイオマスペレット燃料用の耐震装置・火消し蓋付き壺兼用熱源順応かまどを熱源として用いる前記自家発電機によって発生した高出力電気を電力変換機装置を経て各種電圧電源を供給したり、選択充電を使用したり出来る前記蒸気タービンで発生した高速回転運動エネルギーに比例した高出力電気エネルギーに変換増大化する自家発電機装置。
【手続補正４】
【補正対象書類名】明細書
【補正対象項目名】０００８
【補正方法】変更
【補正の内容】
【０００８】  上記のようにセパレート家庭単位であって、対既存化石・電気エネルギーに与しない、自家製バイオマスペレット燃料・蒸気エネルギーと＿＿＿＿＿＿＿蒸気タービン駆動の自家発電気による変換電気とエネルギーとで単純・簡単構造にしてリーズナブルな低廉価格でしかも本格的な燃料源としての家庭バイオマスペレット燃料の耐震装置・火消し蓋付き壺兼用熱源順応かまどのエネルギーを持続・増大化して、尚且つ、環境・経済問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来るマルチタイプの前記家庭バイオマスペレット燃料の耐震装置・火消し蓋付き壼兼用熱源順応かまどを考案したのである。
【手続補正５】
【補正対象書類名】明細書
【補正対象項目名】００１８
【補正方法】変更
【補正の内容】
【００１８】  本考案の第３は、本考案の前記バイオマスペレット燃料用の耐震装置・火消し蓋付き壺兼用熱源順応かまどを熱源として用いるボイラーと、前記ボイラーで発生した蒸気で駆動する蒸気タービンと、前記蒸気タービンで発生した高速回転運動エネルギーに比例する高出力電気エネルギーに変換する自家発電機と、前記蒸気タービンの蒸気排気口と接続された熱交換器と、前記熱交換機に接続された放熱螺旋形パイプ内蔵  保温庫（熱湯・床冷暖・給湯装置）に接続された冷媒機と、前記自家発電機で発生した電気によってｉは、前記ボイラーの沸点状態に於ける熱源として同時複合化することで、エネルギー複数容量に変換増大化できることから、バイオマスペレット燃料源供給不足・忘れ・その他のことが起こっても、自己完結的に、前記熱湯保温庫に代表される複合的エネルギー保持されることも手伝って、そのまま高出力電源としての利用で以って、前記ボイラー（２）の内蔵センサー付き高出力電気ヒーターによって、エネルギー供給が、複合・持続されて、余剰電気は、分配・売電出来て、ｉｉは、（１０）の電力変換装置より電気をバッテリーに各別充電して、尚且つ電力変換装置を経て各別電源に変換して持続的に利用できる発電機装置であり、駆動サポートする冷暖房空調機とを備える、発電機・冷暖房空調装置である。
【手続補正６】
【補正対象書類名】明細書
【補正対象項目名】００２０
【補正方法】変更
【補正の内容】
【００２０】  本考案の自家発電機・冷暖房空調装置の模式図を図７に示す、図中、家庭バイオマスペレット燃料の耐震装置・火消し蓋付き壷兼用熱源順応かまど（１）で発生した熱により、ボイラー（２）に収容された液体（沸点調性剤使用も可。）を沸騰させ、高温、高圧蒸気により蒸気タービン（３）の高速回転に比例して高出力自家発電を行い、得られた電気により、各別電源として用いる自家発電装置であり、余力各別電気は、前記蒸気タービンの排出口に繋がる                                                      熱交換器と前記熱交換器より排出の高温＿＿・圧の蒸気と、熱交換器の排出口に繋がる放熱螺旋形パイプ内蔵の熱湯保温庫・冷媒機とを併せ以って冷暖房空調および給湯・床冷暖房機を十二分にサポートして行う装置であり、図７中、（１）は、家庭バイオマスペレット燃料の耐震装置・火消し蓋付き壺兼用熱源順応かまど、（２）は、自家発電気ヒーター内蔵ボイラー、（３）は蒸気タービン、（４）は、自家発電機、（５）は、熱交換器、（６）は、電気モーター（電力は自己完結方式）、（７）は循環ポンプ、（８）は、発電余力電力の充電用安全機、（９）は、充電器、（１０）は、電力変換装置である。
【手続補正７】
【補正対象書類名】明細書
【補正対象項目名】００２２
【補正方法】変更
【補正の内容】
【００２２】１・・・家庭バイオマスペレット燃料用の耐震装置・火消し蓋付き壺兼用熱源順応かまど
２・・・ボイラー（温度センサー付き自己完結型高出力電気ヒーター・切替機装置内蔵）
３・・・蒸気タービン
４・・・自家発電機
５・・・熱交換器
６・・・電気モーター（電力は自己完結方式）
７・・・循環ポンプ
８・・・発電気の電力変換機装置と充電機の安全機
９・・・充電器
１０・・正弦波長・電力変換装置
１１・・ストーブ用の耐熱珪藻土かまど
１２・・アジャスト薪空気孔付き受け皿（薪を用いる場合のストーブ用部材。）
１３・・前記１の火消開閉蓋（取換用部品。）
１４・・バイオマスペレット燃料置き空気孔付き受皿（（２８）と一体構造の鋳物）
１５・・かまど空気開閉調整口（引き違い戸かはめ込み栓方式の何れか。）
１６・・アジャスト空気孔筒伸縮調整蛇腹（内気導入を止めて、外気導入時の備品）
１７・・スチール着火カプセル（ポリプロピレン入り金属製発火口付きカプセル）
１８・・ストーブ（（１）の放熱熱源組込み機装置）
１９・・モーター・除湿調性用ヒーター付き送風ファン
２０・・冷媒機＿（熱交換器に繋がった保温庫に繋がる）
２１・・モーター付き圧縮ポンプ（冷暖切換機付き）
２２・・火消用落し蓋アジャスター継ぎ手
２３・・火消用落し蓋アジャスター踏み台
２４・・火消用落し蓋アジャスト重量（目皿＋火消蓋＋（１４）の燃料合計より重い。）継ぎ手鋳・鉄棒
２５・・（２７）継ぎ手と一体構造の鋳物製目皿（（２８）のアジャスターを目皿の型に刳り抜いた形体）
２６・・踏み台の補助取っ手
２７・・火消蓋・目皿自在継ぎ手（（２８）アジャスターの丁番（３３）を支点に上下降する）
２８・・目皿・火消蓋アジャスター・フェンダー（（１４）・（２７）と同質の鋳物で（１４）と一体構造）
２９・・火消蓋（（３２）取付具によって（２５）の目皿と一体化出来、それまでは落蓋。）
３０・・火消蓋アジャスター継ぎ手支点
３１・・火消壺・かまど（珪藻土。）
３２・・目皿の火消蓋自在取付具兼（３９）の作動自在解除具併せ持つ、（３９）のストッパーを外す。
３３・・目皿と継ぎ手・火消蓋の支点のアジャスターの丁番
３４・・ストーブ煙突
３５・・薪ストーブ窓
３６・・ストーブ灰皿受け
３７・・耐震装置金属ボールの（３２）自在解除具に金属ボールが転がり衝突作動
３８・・外壁ステンレス板（珪藻土外壁強化材）
３９・・安全ストッパー（（２９）の火消蓋が動かぬ様に固定化、（３７）の（３２）によって外れる。）
４０・・保温庫（熱交換器に接続の放熱配管の螺旋形パイプ保温庫内内蔵と保温庫の給湯・床暖・熱湯保温する（床暖引込口・パイプ等埋設設備複数予備パイプライン・ジョイントあり、冷媒機に接続される））
４１・・ヒーター（湿度調整）（１９）のヒーター付き送風ファンに同じ
４２・・（１１）の鋳物製フェンダー（（２８）のフェンダーと同じ働き）
【手続補正書】
【提出日】平成23年12月7日(2011.12.7)
【手続補正１】
【補正対象書類名】明細書
【補正対象項目名】００１８
【補正方法】変更
【補正の内容】
【００１８】本考案の第２は、本考案の家庭バイオマスペレット燃料の耐震装置・火消し蓋付き壺兼用熱源順応かまどを熱源として利用する前記ストーブ放熱熱源組込機である、本考案のストーブ放熱熱源組込機の正・側面図を図５、６に示す、また、図５、６中、（１）は、家庭バイオマスペレット燃料用の耐震装置・火消し蓋付き壺兼用熱源順応かまど、（１４）は、バイオマスペレット燃料置き空気孔付き受皿、（３４）は、ストーブ煙突、３５は薪ストーブ窓、（３６）は、ストーブ灰皿受けであるので、薪を燃やし入れたいときには、順応かまどをストーブから取り出して、（１２）のアジャストを設ければ、薪ストーブになる。
【手続補正２】
【補正対象書類名】明細書
【補正対象項目名】００１９
【補正方法】変更
【補正の内容】
【００１９】  本考案の第３は、本考案の前記バイオマスペレット燃料用の耐震装置・火消し蓋付き壼兼用熱源順応かまどを熱源として用いるボイラーと、前記ボイラーで発生した蒸気で駆動する蒸気タービンと、前記蒸気タービンで発生した高速回転運動エネルギーに比例する高出力電気エネルギーに変換する自家発電機と、前記蒸気タービンの蒸気排気口と接続された熱交換器と、前記熱交換機に接続された放熱螺旋形パイプ内蔵  保温庫（熱湯・床冷暖・給湯装置）に接続された冷媒機と、前記自家発電機で発生した電気によってｉは、前記ボイラーの沸点状態に於ける熱源として同時複合化することで、エネルギー複数容量に変換増大化できることから、バイオマスペレット燃料源供給不足・忘れ・その他のことが起こっても、自己完結的に、前記熱湯保温庫に代表される複合的エネルギー保持されることも手伝って、そのまま高出力電源としての利用で以って、前記ボイラー（２）の内蔵センサー付き高出力電気ヒーターによって、エネルギー供給が、複合・持続されて、余剰電気は、分配・売電出来て、ｉｉは、（１０）の電力変換装置より電気をバッテリーに各別充電して、尚且つ電力変換装置を経て各別電源に変換して持続的に利用できる発電機装置であり、駆動サポートする冷暖房空調機とを備える、発電機・冷暖房空調装置である。
【手続補正書】
【提出日】平成24年2月29日(2012.2.29)
【手続補正１】
【補正対象書類名】特許請求の範囲
【補正対象項目名】請求項６
【補正方法】変更
【補正の内容】
【請求項６】
請求項１〜４のいずれかに記載の家庭バイオマスペレット燃料用の耐震装置・火消し蓋付き壺兼用熱源順応かまどを熱源として用いるボイラーと、前記ボイラーで発生した高温・圧蒸気で駆動する蒸気タービンと、前記蒸気タービンで発生した高速回転運動エネルギーに比例した高出力電気エネルギーに変換する自家発電機と、前記自家発電機で発生した電気をバッテリー充電器と電力変換装置を通して使用したり、電源として直接使用出来る自家発電機装置。
【手続補正２】
【補正対象書類名】特許請求の範囲
【補正対象項目名】請求項７
【補正方法】変更
【補正の内容】
【請求項７】
請求項１〜４のいずれかに記載の家庭バイオマスペレット燃料用の耐震装置・火消し蓋付き壺兼用熱源かまどを熱源として用いるボイラーと、前記ボイラーで発生した高温・圧蒸気で駆動する蒸気タービンと、前記蒸気タービンで発生した高速回転運動エネルギーに比例して高出力電気エネルギーに変換する自家発電機と、前記蒸気タービンの蒸気排出口と接続された熱交換器と、前記熱交換器排出口に繋がる放熱螺旋形配管パイプが内蔵された熱湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震装置・火消し蓋付き壺兼用熱源順応かまどの前記ボイラー加熱とを加えた加熱量によって、保温庫内給湯量の大量使用の冷水入れ替え時にも対応出来る、これによって、中心パイプ内液体保温状態で、持続的熱湯保温・給湯・床冷暖房機に繋がる冷媒機と、前記自家発電機で発生した電気によって駆動する床・空調冷暖房機とを備える、床・空調冷暖房機装置。
【手続補正３】
【補正対象書類名】特許請求の範囲
【補正対象項目名】請求項８
【補正方法】変更
【補正の内容】
【請求項８】
請求項１〜４のいずれかに記載の家庭バイオマスペレット燃料用の耐震装置・火消し蓋付き壺兼用熱源順応かまどの前記上部の開口部に投入した、貴重なバイオマスペレット投入の前記ボイラーの沸点状態に於ける1回燃焼分の燃料エネルギーを１容量としたものに対して、熱源として同時複合化することで、エネルギー複数容量に変換増大化できることによって、バイオマスペレット燃料源供給不足・忘れ・その他のことが起こっても、自己完結的に、前記熱湯保温庫に代表される複合的エネルギー保持されることも手伝って、前記ボイラー内蔵高出力電気の前記ヒーターによって持続してエネルギーを供給できる家庭バイオマスペレット燃料の耐震装置・火消し蓋付き壺兼用熱源順応かまどのエネルギーの前記ストーブ放熱熱源組込機・冷暖房空調機・熱湯保温庫・給湯機・自家発電機装置を同時に複合化使用することで、そのエネルギーを保持・持続・増大化出来る各種変換増大化装置。
【手続補正４】
【補正対象書類名】明細書
【補正対象項目名】０００４
【補正方法】変更
【補正の内容】
【０００４】
本考案は、上述した実情に鑑みてなされたものであり、より環境にやさしく、どこにでも移設・順応出来る簡単・単純なマルチな前記家庭バイオマスペレット燃料用の耐震装置・火消し蓋付き壺兼用熱源順応かまどは、前記ストーブ放熱熱源組込機、及び前記冷暖房空調機・熱湯保温庫・給湯機・自家発電機装置を提供して、同時に複合化することで、前記のグリーンな家庭バイオマスペレット燃料用の耐震装置・火消し蓋付き壺兼用熱源順応かまど発生のエネルギーを保持・持続・増大化することを目的とする。
【手続補正５】
【補正対象書類名】明細書
【補正対象項目名】０００６
【補正方法】変更
【補正の内容】
【０００６】
かくして本考案によれば、下記（１）〜（４）の家庭バイオマスペレット燃料用の耐震装置・火消し蓋付き壺兼用熱源順応かまど・下記（５）のストーブ放熱熱源組込み機装置・下記（６）の冷暖房空調機装置・下記（７）の床冷暖房・給湯機装置・下記(８)の自家発電機装置・下記（９）のエネルギー持続可能な各種変換増大化装置が提供される。
（１）少なくとも上部に開口部を有する耐熱性容器と、前記耐熱性容器の上部の開口部を開閉できるように設けられた耐震装置・火消蓋付きと、着火装置とを備える、家庭バイオマスペレット燃料用の耐震装置・火消し蓋付き壺兼用熱源順応かまど。
（２）前記耐熱性容器が、珪藻土製の容器である、前記（１）に記載の家庭バイオマスペレット燃料用の耐震装置・火消し蓋付き壺兼用熱源順応かまど。
（３）さらに、踏み台と、前記踏み台と前記家庭バイオマスペレット燃料用の耐震装置・火消し蓋付き壺兼用熱源順応かまどとを連結する火消し蓋開閉機構とを備える家庭バイオマスペレット燃料用の耐震装置・火消し蓋付き壺兼用熱源順応かまどであって、耐震装置によるか、踏み台を操作することで、火消蓋開閉機構を通じて、火消蓋の開閉状態を制御するものである、前記（１）・（２）のいずれかに記載の家庭バイオマスペレット燃料用の耐震装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載の家庭バイオマスペレット燃料用の耐震装置・火消し蓋付き壺兼用熱源順応かまど。  
（５）前記（１）〜（４）のいずれかに記載の家庭バイオマスペレット燃料用の耐震装置・火消し蓋付き壺兼用熱源順応かまどを熱源として用いるストーブ放熱熱源組込み機装置。  
（６）前記（１）〜（４）のいずれかに記載の家庭バイオマスペレット燃料用の耐震装置・火消し蓋付き壺兼用熱源順応かまどを熱源として用いるボイラーと、前記ボイラーで発生した蒸気で駆動する蒸気タービンと、前記蒸気タービンで発生した高速運動エネルギーに比例した高出力電気エネルギーに変換増大化する自家発電機装置と、前記蒸気タービンの蒸気排気口と接続された熱交換器と、前記熱交換器排出口繋がる冷媒機と、前記自家発電機で発生した電気によって駆動する冷暖房空調機とを備える、冷暖房空調機装置、
（７）前記（１）〜（４）のいずれかに記載の家庭バイオマスペレット燃料用の耐震装置・火消し蓋付き壺兼用熱源順応かまどを熱源として用いる前記ボイラーで発生した蒸気で駆動する蒸気タービンと、前記蒸気タービンの蒸気排気口と接続された熱交換器と、前記熱交換機の排出口に接続された放熱螺旋形配管パイプが内蔵された給湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震装置・火消し蓋付き壺兼用熱源順応かまどの前記ボイラー過熱とを加えた加熱量によって、保温庫内給湯量の大量使用の冷水入れ替え時にも対応出来る、これによって、中心パイプ内液体保温状態で、持続的熱湯保温・給湯・床冷暖房機による温水給配と保温庫内配管・給排水口取付口設備にて、床冷暖房機とを備える、床冷暖房・給湯機装置。
（８）前記（１）〜（４）のいずれかに記載の家庭バイオマスペレット燃料用の耐震装置・火消し蓋付き壺兼用熱源順応かまどを熱源として用いる前記自家発電機によって発生した高出力電気を電力変換機装置を経て各種電圧電源を供給したり、選択充電を使用したり出来る前記蒸気タービンで発生した高速回転運動エネルギーに比例した高出力電気エネルギーに変換増大化する自家発電機装置。
【手続補正６】
【補正対象書類名】明細書
【補正対象項目名】０００７
【補正方法】変更
【補正の内容】
【０００７】
（９）前記（１）〜（４）のいずれかに記載の家庭バイオマスペレット燃料用の耐震装置・火消し蓋付き壺兼用熱源順応かまどを熱源として各種増大化装置による同時複合化することで、貴重な前記バイオマスペレット燃料エネルギーを、前記（１４）の目皿に投入燃焼１回分のバイオマスペレット燃料をボイラー（２）の沸点状態に於ける１とする容量に対して、エネルギー複数容量に変換増大化されたことで、上記の家庭バイオマスペレット燃料用の耐震装置・火消し蓋付き壺兼用熱源順応かまどの前記上部の開口部に投入した前記燃焼１回分のペレット燃料供給が停止・不足・忘れ等がなされたり、保温庫の大量給湯使用による冷水入れ替え交換時の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプとボイラー内蔵の温度センサー付き高出力自家発電の電気を使った放熱螺旋形配管ヒーターパイプの加熱と併せた前記耐震装置・火消し蓋付き壺兼用熱源順応かまどの前記ボイラー過熱とを加えた加熱量によって、保温庫内給湯量の大量使用の冷水入れ替え時にも保温に対応出来ることで、前記ボイラー内臓の温度感知センサー（２）の作動にて、前記各種エネルギー増大化装置の余剰エネルギーを代表した高出力電気を使った（２）の内蔵電気ヒーターが、持続的エネルギー供給を行える、また、バイオマスペレット燃料を投入して燃焼が開始すれば、前記エネルギー燃焼同様に持続的エネルギー供給して、（２）内蔵のセンサーによってヒーターは自動的に解除となることにより、各家庭単位毎にバラツキのあるバイオマスペレット燃料のエネルギー供給を一律平均的に安定化させることが可能でもあり、セパレート家庭単位毎に家庭ゴミを産業廃棄物化せずに、分散セパレート化したことで、前記（０００３）の特許文献にあるものを併せて、家庭単位毎のミニプラントエネルギー生産が複合化を可能にしての費用対効果を生み出して、グリーンでゆっくりでも豊かな生活を可能にしてくれて、環境・防衛・経済・財政的にも安心な暮らしを提供される家庭バイオマスペレット燃料の耐震装置・火消し蓋付き壺兼用熱源順応かまどエネルギーの前記（１）〜（８）のエネルギー持続供給可能な各種変換増大化装置。
【手続補正７】
【補正対象書類名】明細書
【補正対象項目名】００１９
【補正方法】変更
【補正の内容】
【００１９】
本考案の第３は、本考案の家庭バイオマスペレット燃料用の耐震装置・火消し蓋付き壺兼用熱源順応かまどを熱源として同時に用いるボイラーと、前記ボイラーで発生した高温・圧蒸気で駆動する蒸気タービンと、前記蒸気タービンで発生した高速回転運動エネルギーに比例する高出力電気エネルギーに変換する前記自家発電機と、前記蒸気タービンの蒸気排気口と繋がった熱交換器と、前記熱交換機に接続された放熱螺旋形パイプ内蔵の前記保温庫内の放熱螺旋形配管パイプが、尚更なる、前記パイプより太い外径の放熱螺旋形配管パイプで二重に密閉して被せられ、内部液体は、中心パイプ内蔵の液体と同じものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震装置・火消し蓋付き壺兼用熱源順応かまどの前記ボイラー過熱とを加えた加熱量によって、保温庫内給湯量の大量使用の冷水入れ替え時にも対応して、熱湯・床冷暖・給湯装置に接続された冷媒機と、前記自家発電機で発生した電気によって、一つは、そのまま電源としての利用で以って、余剰電気は分配・売電出来て、二つは、（１０）の電力変換装置より電気をバッテリーに各別充電して、尚且つ電力変換装置を経て各別電源に変換して持続的に利用できる自家発電機装置で発生した電気によって、駆動・送風サポートする冷暖房床・空調機とを備える、冷暖房空調装置である。
【手続補正８】
【補正対象書類名】明細書
【補正対象項目名】００２０
【補正方法】変更
【補正の内容】
【００２０】
本考案の自家発電機・冷暖房空調装置の模式図を図７に示す、図中、家庭バイオマスペレット燃料の耐震装置・火消し蓋付き壺兼用熱源順応かまど（１）で発生した熱により、ボイラー（２）に収容された液体（沸点調性剤使用も可。）を沸騰させ、高温、高圧蒸気により蒸気タービン（３）の高速回転に比例して高出力自家発電を行い、得られた電気により、各別電源として用いる自家発電装置であり、余力各別電気は、前記蒸気タービンの排出口に繋がる熱交換器と前記熱交換器より排出の高温高温・圧の蒸気と、熱交換器の排出口に繋がる前記二重構造の放熱螺旋形パイプと前記電気加熱ヒーター放熱螺旋形パイプ内蔵の熱湯保温庫、冷媒機とを併せ以って冷暖房空調および給湯・床冷暖房機を十二分にサポートして行う装置であり、図７中、（１）は、家庭バイオマスペレット燃料の耐震装置・火消し蓋付き壺兼用熱源順応かまど、（２）は、自家発電気ヒーター内蔵ボイラー、（３）は蒸気タービン、（４）は、自家発電機、（５）は、熱交換器、（６）は、電気モーター（電力は自己完結方式）、（７）は循環ポンプ、（８）は、発電余力電力の充電用安全機、（９）は、充電器、（１０）は、電力変換装置である。
【手続補正９】
【補正対象書類名】明細書
【補正対象項目名】００２２
【補正方法】変更
【補正の内容】
【００２２】
１、家庭バイオマスペレット燃料用の耐震装置・火消し蓋付き壺兼用熱源順応かまど
２、ボイラー（温度センサー付き自己完結型高出力電気ヒーター・切替機装置内蔵）
３、蒸気タービン
４、自家発電機
５、熱交換器
６、電気モーター（電力は自己完結方式）
７、循環ポンプ
８、発電気の電力変換機装置と充電機の安全機
９、充電器                                  
10、正弦波長・電力変換装置
11、ストーブ用の耐熱珪藻土かまど
12、アジャスト薪空気孔付き受け皿（薪を用いる場合のストーブ用部材。）
13、前記１の火消開閉蓋（取換用部品。）
14、バイオマスペレット燃料置き空気孔付き受皿（（２８）と一体構造の鋳物）
15、かまど空気開閉調整口（引き違い戸かはめ込み栓方式の何れか。）
16、アジャスト空気孔筒伸縮調整蛇腹（内気導入を止めて、外気導入時の備品）
17、スチール着火カプセル（ポリプロピレン入り金属製発火口付きカプセル）
18、ストーブ（（１）の放熱熱源組込み機装置）
19、モーター・除湿調性用ヒーター付き送風ファン
20、冷媒機熱（熱交換器に繋がった保温庫に繋がる）
21、モーター付き圧縮ポンプ（冷暖切換機付き）
22、火消用落し蓋アジャスター継ぎ手
23、火消用落し蓋アジャスター踏み台
24、火消用落し蓋アジャスト重量（目皿＋火消蓋＋（１４）の燃料合計より重い。）継ぎ手鋳・鉄棒
25、（２７）継ぎ手と一体構造の鋳物製目皿（（２８）のアジャスターを目皿の型に刳り抜いた形体）
26、踏み台の補助取っ手
27、火消蓋・目皿自在継ぎ手（（２８）アジャスターの丁番（３３）を支点に上下降する）
28、目皿・火消蓋アジャスター・フェンダー（（１４）・（２７）と同質の鋳物で（１４）と一体構造）
29、火消蓋（（３２）取付具によって（２５）の目皿と一体化出来、それまでは落蓋。）
30、火消蓋アジャスター継ぎ手支点
31、火消壺・かまど（珪藻土。）
32、目皿の火消蓋自在取付具兼（３９）の作動自在解除具併せ持つ、（３９）のストッパーを外す。
33、目皿と継ぎ手・火消蓋の支点のアジャスターの丁番
34、ストーブ煙突
35、薪ストーブ窓
36、ストーブ灰皿受け
37、耐震装置金属ボールの（３２）自在解除具に金属ボールが転がり衝突作動      
38、外壁ステンレス板（珪藻土外壁強化材）
39、安全ストッパー（（２９）の火消蓋が動かぬ様に固定化、（３７）の（３２）によって外れる。）
40、保温庫（熱交換器に接続の二重構造放熱配管の螺旋形パイプと電気加熱温度センサー付きヒーター螺旋形パイプの保温庫内内蔵と保温庫の給湯・床暖・熱湯保温する（床暖引込口・パイプ等埋設設備複数予備パイプライン・ジョイントあり、冷媒機に接続される））
41、ヒーター（湿度調整）（１９）のヒーター付き送風ファンに同じ
42、（１１）の鋳物製フェンダー（（２８）のフェンダーと同じ働き）
【手続補正１０】
【補正対象書類名】図面
【補正対象項目名】図７
【補正方法】変更
【補正の内容】
【図７】
2014081084.tif 000018
【手続補正書】
【提出日】平成24年4月5日(2012.4.5)
【手続補正１】
【補正対象書類名】明細書
【補正対象項目名】０００６
【補正方法】変更
【補正の内容】
【０００６】
かくして本考案によれば、下記（１）〜（４）の家庭バイオマスペレット燃料用の耐震装置・火消し蓋付き壺兼用熱源順応かまど・下記（５）のストーブ放熱熱源組込み機装置・下記（６）の冷暖房空調機装置・下記（７）の床冷暖房・給湯機装置・下記(８)の自家発電機装置・下記（９）のエネルギー持続可能な各種変換増大化装置が提供される。
（１）少なくとも上部に開口部を有する耐熱性容器と、前記耐熱性容器の上部の開口部を開閉できるように設けられた耐震装置・火消蓋付きと、着火装置とを備える、家庭バイオマスペレット燃料用の耐震装置・火消し蓋付き壺兼用熱源順応かまど。
（２）前記耐熱性容器が、珪藻土製の容器である、前記（１）に記載の家庭バイオマスペレット燃料用の耐震装置・火消し蓋付き壺兼用熱源順応かまど。
（３）さらに、踏み台と、前記踏み台と前記家庭バイオマスペレット燃料用の耐震装置・火消し蓋付き壺兼用熱源順応かまどとを連結する火消し蓋開閉機構とを備える家庭バイオマスペレット燃料用の耐震装置・火消し蓋付き壺兼用熱源順応かまどであって、耐震装置によるか、踏み台を操作することで、火消蓋開閉機構を通じて、火消蓋の開閉状態を制御するものである、前記（１）・（２）のいずれかに記載の家庭バイオマスペレット燃料用の耐震装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載の家庭バイオマスペレット燃料用の耐震装置・火消し蓋付き壺兼用熱源順応かまど。  
（５）前記（１）〜（４）のいずれかに記載の家庭バイオマスペレット燃料用の耐震装置・火消し蓋付き壺兼用熱源順応かまどを熱源として用いるストーブ放熱熱源組込み機装置。  
（６）前記（１）〜（４）のいずれかに記載の家庭バイオマスペレット燃料用の耐震装置・火消し蓋付き壺兼用熱源順応かまどを熱源として用いるボイラーと、前記ボイラーで発生した蒸気で駆動する蒸気タービンと、前記蒸気タービンで発生した高速運動エネルギーに比例した高出力電気エネルギーに変換増大化する自家発電機装置と、前記蒸気タービンの蒸気排気口と接続された熱交換器と、前記熱交換器排出口に繋がる冷媒機と、前記自家発電機で発生した電気によって駆動する冷暖房空調機とを備える、冷暖房空調機装置、
（７）前記（１）〜（４）のいずれかに記載の家庭バイオマスペレット燃料用の耐震装置・火消し蓋付き壺兼用熱源順応かまどを熱源として用いる前記ボイラーで発生した蒸気で駆動する蒸気タービンと、前記蒸気タービンの蒸気排気口と接続された熱交換器と、前記熱交換機の排出口に接続された放熱螺旋形配管パイプが内蔵された給湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震装置・火消し蓋付き壺兼用熱源順応かまどの前記ボイラー過熱とを加えた加熱量によって、保温庫内給湯量の大量使用の冷水入れ替え時にも対応出来る、これによって、中心パイプ内液体保温状態で、持続的熱湯保温・給湯・床冷暖房機による温水給配と保温庫内配管・給排水口取付口設備にて、床冷暖房機とを備える、床冷暖房・給湯機装置。
（８）前記（１）〜（４）のいずれかに記載の家庭バイオマスペレット燃料用の耐震装置・火消し蓋付き壺兼用熱源順応かまどを熱源として用いる前記自家発電機によって発生した高出力電気を電力変換機装置を経て各種電圧電源を供給したり、選択充電を使用したり出来る前記蒸気タービンで発生した高速回転運動エネルギーに比例した高出力電気エネルギーに変換増大化する自家発電機装置。
【手続補正２】
【補正対象書類名】明細書
【補正対象項目名】０００９
【補正方法】変更
【補正の内容】
【０００９】
【図１】本考案の耐震装置・火消し蓋付き壺兼用熱源順応かまどの平面図である。
【図２】本考案の耐震装置・火消し蓋付き壺兼用熱源順応かまどの正面図である。
【図３】本考案の耐震装置・火消し蓋付き壺兼用熱源順応かまどの踏み台を外した状態 A-A”側断面図である。
【図４】本考案の耐震装置・火消し蓋付き壺兼用熱源順応かまどの踏み台を踏んだ状態のA-A”側断面図である。
【図５】本考案のストーブ放熱熱源組込機の耐震装置・火消し蓋付き壺兼用熱源順応かまどの正面図である。
【図６】本考案のストーブ放熱熱源組込機の耐震装置・火消し壺蓋付き兼用熱源順応かまどの側面図である。
【図７】本考案のシステム実施例を示す図である。
【手続補正３】
【補正対象書類名】明細書
【補正対象項目名】００２０
【補正方法】変更
【補正の内容】
【００２０】
本考案の自家発電機・冷暖房空調装置の模式図を図７に示す、図中、家庭バイオマスペレット燃料の耐震装置・火消し蓋付き壺兼用熱源順応かまど（１）で発生した熱により、ボイラー（２）に収容された液体（沸点調性剤使用も可。）を沸騰させ、高温、高圧蒸気により蒸気タービン（３）の高速回転に比例して高出力自家発電を行い、得られた電気により、各別電源として用いる自家発電装置であり、余力各別電気は、前記蒸気タービンの排出口に繋がる熱交換器と前記熱交換器より排出の 高温・圧の蒸気と、熱交換器の排出口に繋がる前記二重構造の放熱螺旋形パイプと前記電気加熱ヒーター放熱螺旋形パイプ内蔵の熱湯保温庫、冷媒機とを併せ以って冷暖房空調および給湯・床冷暖房機を十二分にサポートして行う装置であり、図７中、（１）は、家庭バイオマスペレット燃料の耐震装置・火消し蓋付き壺兼用熱源順応かまど、（２）は、自家発電気ヒーター内蔵ボイラー、（３）は蒸気タービン、（４）は、自家発電機、（５）は、熱交換器、（６）は、電気モーター（電力は自己完結方式）、（７）は循環ポンプ、（８）は、発電余力電力の充電用安全機、（９）は、充電器、（１０）は、電力変換装置である。
【手続補正書】
【提出日】平成24年4月27日(2012.4.27)
【手続補正１】
【補正対象書類名】明細書
【補正対象項目名】全文
【補正方法】変更
【補正の内容】
【発明の詳細な説明】
【技術分野】
【０００１】
本発明は、前記ストーブ放熱熱源組込機・専用ボイラーの熱源かまどとしても、又、単独でも料理用かまどとしても活用出来て、高速回転蒸気タービンに比例した高出力自家発電機と充電器・電力変換機で各種電源も用意出来て、熱交換器排出エネルギーを以って、モーターポンプ・送風機を自己完結型にて駆動させることで、冷暖両用となる家庭バイオマスペレット燃料用の耐震装置・火消し蓋付き壺兼用熱源順応かまどに関する。
【背景技術】
【０００２】
バイオマスペレットを燃料とするストーブやボイラーは、色々あるが、どの燃料源も、薪・バイオマスペレットも自在に使用できる内容の物はなくて、更に、有事の場合にも複合的活用できるシステムになっていない、そればかりか、専用ペレットストーブはグリーンというタイトルのみに頼ったように高額過ぎてなじめず、大型・容量タイプで、しかも、費用対効果的にも難色を感じることを禁じえない、このように、従来のエネルギー燃料は、大型プラントでしか造れなくて、負の生産が甚だしいので、負を減らすことと、エネルギーを一極集中大型化して広範囲に分散・配している現状と、高密度ポイント複合化することとは、相矛盾していて、エネルギーの損失が過大にて全く不可能であるので、可能にするには、家庭ゴミを産業廃棄物化しない装置で、費用対効果ある正を保持・増大化出来る家庭単位のセパレート化が希求されている、
本発明に関連して、特許証登録内容には、自家製の高密度グリーンな家庭ゴミであるバイオマスペレット燃料の製造方法が登録されている。
【先行技術文献】
【特許文献】
【０００３】
【特許文献１】特許第４７４６７０５号
【発明の概要】
【発明が解決しようとする課題】
【０００４】
本発明は、上述した実情に鑑みてなされたものであり、より環境にやさしく、どこにでも移設・順応出来る簡単・単純なマルチな前記家庭バイオマスペレット燃料用の耐震装置・火消し蓋付き壺兼用熱源順応かまどは、前記ストーブ放熱熱源組込機、及び前記冷暖房空調機・熱湯保温庫・給湯機・自家発電機装置を提供して、同時に複合化することで、前記のグリーンな家庭バイオマスペレット燃料用の耐震装置・火消し蓋付き壺兼用熱源順応かまど発生のエネルギーを保持・持続・増大化することを目的とする。
【課題を解決するための手段】
【０００５】
本発明者は、上記課題を解決すべく鋭意検討した結果、費用対効果があって、環境に優しいバイオマスペレット燃料熱源化でき、基本的構造部分についてどこにでもあり、販売・使用許可される既存道具・部品類を出来るだけ用いて簡単・単純なシステムを以って、旧来の化石・電気エネルギーの動力を廃して、自家製バイオマス燃料からストーブ放熱熱源組込機で直接に、そして、複合的に、ボイラー・蒸気タービンの自家発電気で以ってそれに代えられる物とするために複合的順応マルチかまどである家庭バイオマスペレット燃料用の耐震装置・火消し蓋付き壺兼用熱源順応かまどを考案した。
【０００６】
かくして本発明によれば、下記（１）〜（４）の家庭バイオマスペレット燃料用の耐震装置・火消し蓋付き壺兼用熱源順応かまど・下記（５）のストーブ放熱熱源組込み機装置・下記（６）の冷暖房空調機装置・下記（７）の床冷暖房・給湯機装置・下記(８)の自家発電機装置・下記（９）のエネルギー持続可能な各種変換増大化装置が提供される。
（１）少なくとも上部に開口部を有する耐熱性容器と、前記耐熱性容器の上部の開口部を開閉できるように設けられた耐震装置・火消蓋付きと、着火装置とを備える、家庭バイオマスペレット燃料用の耐震装置・火消し蓋付き壺兼用熱源順応かまど。
（２）前記耐熱性容器が、珪藻土製の容器である、前記（１）に記載の家庭バイオマスペレット燃料用の耐震装置・火消し蓋付き壺兼用熱源順応かまど。
（３）さらに、踏み台と、前記踏み台と前記家庭バイオマスペレット燃料用の耐震装置・火消し蓋付き壺兼用熱源順応かまどとを連結する火消し蓋開閉機構とを備える家庭バイオマスペレット燃料用の耐震装置・火消し蓋付き壺兼用熱源順応かまどであって、耐震装置によるか、踏み台を操作することで、火消蓋開閉機構を通じて、火消蓋の開閉状態を制御するものである、前記（１）・（２）のいずれかに記載の家庭バイオマスペレット燃料用の耐震装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載の家庭バイオマスペレット燃料用の耐震装置・火消し蓋付き壺兼用熱源順応かまど。
（５）前記（１）〜（４）のいずれかに記載の家庭バイオマスペレット燃料用の耐震装置・火消し蓋付き壺兼用熱源順応かまどを熱源として用いるストーブ放熱熱源組込み機装置。
（６）前記（１）〜（４）のいずれかに記載の家庭バイオマスペレット燃料用の耐震装置・火消し蓋付き壺兼用熱源順応かまどを熱源として用いるボイラーと、前記ボイラーで発生した蒸気で駆動する蒸気タービンと、前記蒸気タービンで発生した高速運動エネルギーに比例した高出力電気エネルギーに変換増大化する自家発電機装置と、前記蒸気タービンの蒸気排気口と接続された熱交換器と、前記熱交換器排出口に繋がる冷媒機と、前記自家発電機で発生した電気によって駆動する冷暖房空調機とを備える、冷暖房空調機装置。
７）前記（１）〜（４）のいずれかに記載の家庭バイオマスペレット燃料用の耐震装置・火消し蓋付き壺兼用熱源順応かまどを熱源として用いる前記ボイラーで発生した蒸気で駆動する蒸気タービンと、前記蒸気タービンの蒸気排気口と接続された熱交換器と、前記熱交換機の排出口に接続された放熱螺旋形配管パイプが内蔵された給湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震装置・火消し蓋付き壺兼用熱源順応かまどの前記ボイラー過熱とを加えた加熱量によって、保温庫内給湯量の大量使用の冷水入れ替え時にも対応出来る、これによって、中心パイプ内液体保温状態で、持続的熱湯保温・給湯・床冷暖房機による温水給配と保温庫内配管・給排水口取付口設備にて、床冷暖房機とを備える、床冷暖房・給湯機装置。
（８）前記（１）〜（４）のいずれかに記載の家庭バイオマスペレット燃料用の耐震装置・火消し蓋付き壺兼用熱源順応かまどを熱源として用いる前記自家発電機によって発生した高出力電気を電力変換機装置を経て各種電圧電源を供給したり、選択充電を使用したり出来る前記蒸気タービンで発生した高速回転運動エネルギーに比例した高出力電気エネルギーに変換増大化する自家発電機装置。
【０００７】
（９）前記（１）〜（４）のいずれかに記載の家庭バイオマスペレット燃料用の耐震装置・火消し蓋付き壺兼用熱源順応かまどを熱源として各種増大化装置による同時複合化することで、貴重な前記バイオマスペレット燃料エネルギーを、前記（１４）の目皿に投入燃焼１回分のバイオマスペレット燃料をボイラー（２）の沸点状態に於ける１とする容量に対して、エネルギー複数容量に変換増大化されたことで、上記の家庭バイオマスペレット燃料用の耐震装置・火消し蓋付き壺兼用熱源順応かまどの前記上部の開口部に投入した前記燃焼１回分のペレット燃料供給が停止・不足・忘れ等がなされたり、保温庫の大量給湯使用による冷水入れ替え交換時の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプとボイラー内蔵の温度センサー付き高出力自家発電の電気を使った放熱螺旋形配管ヒーターパイプの加熱と併せた前記耐震装置・火消し蓋付き壺兼用熱源順応かまどの前記ボイラー過熱とを加えた加熱量によって、保温庫内給湯量の大量使用の冷水入れ替え時にも保温に対応出来ることで、前記ボイラー内臓の温度感知センサー（２）の作動にて、前記各種エネルギー増大化装置の余剰エネルギーを代表した高出力電気を使った（２）の内蔵電気ヒーターが、持続的エネルギー供給を行える、また、バイオマスペレット燃料を投入して燃焼が開始すれば、前記エネルギー燃焼同様に持続的エネルギー供給して、（２）内蔵のセンサーによってヒーターは自動的に解除となることにより、各家庭単位毎にバラツキのあるバイオマスペレット燃料のエネルギー供給を一律平均的に安定化させることが可能でもあり、セパレート家庭単位毎に家庭ゴミを産業廃棄物化せずに、分散セパレート化したことで、前記（０００３）の特許文献にあるものを併せて、家庭単位毎のミニプラントエネルギー生産が複合化を可能にしての費用対効果を生み出して、グリーンでゆっくりでも豊かな生活を可能にしてくれて、環境・防衛・経済・財政的にも安心な暮らしを提供される家庭バイオマスペレット燃料の耐震装置・火消し蓋付き壺兼用熱源順応かまどエネルギーの前記（１）〜（８）のエネルギー持続供給可能な各種変換増大化装置。
【発明の効果】
【０００８】
上記のようにセパレート家庭単位であって、対既存化石・電気エネルギーに与しない、自家製バイオマスペレット燃料・蒸気エネルギーと蒸気タービン駆動の自家発電気による変換電気のエネルギーとで単純・簡単構造にしてリーズナブルな低廉価格でしかも本格的な燃料源としての家庭バイオマスペレット燃料の耐震装置・火消し蓋付き壺兼用熱源順応かまどのエネルギーを持続・増大化して、尚且つ、環境・経済問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来るマルチタイプの前記家庭バイオマスペレット燃料の耐震装置・火消し蓋付き壺兼用熱源順応かまどを発明したのである。
【図面の簡単な説明】
【０００９】
【図１】本発明の耐震装置・火消し蓋付き壺兼用熱源順応かまどの平面図である。        
【図２】本発明の耐震装置・火消し蓋付き壺兼用熱源順応かまどの正面図である。        
【図３】本発明の耐震装置・火消し蓋付き壺兼用熱源順応かまどの踏み台を外した状態A-A” 側断面図である。
【図４】本発明の耐震装置・火消し蓋付き壺兼用熱源順応かまどの踏み台を踏んだ状態のA-A”側断面図である。  
【図５】本発明のストーブ放熱熱源組込機の耐震装置・火消し蓋付き壺兼用熱源順応かまどの正面図である。
【図６】本発明のストーブ放熱熱源組込機の耐震装置・火消し壺蓋付き兼用熱源順応かまどの側面図である。
【図７】本発明のシステム実施例を示す図である。
【発明を実施するための形態】
【００１０】
家庭バイオマスペレット燃料の耐震装置・火消し蓋付き壺兼用熱源順応かまどには、複合的マルチタイプの小・移設型システム内容が求められている、本発明の家庭バイオマスペレット燃料の耐震装置・火消し蓋付き壺兼用熱源順応かまどは、その内容が難しくない簡単・単純なもので、同時複合的連関を発生させる発明実施の形態であって、バイオマスペレット燃料の専用かまどとして環境に優しく、高温に耐えられて、持ち運び移設に小型・簡便で、しかも安全であることを可能とした工夫が家庭バイオマスペレット燃料用の耐震装置・火消し蓋付き壺兼用熱源順応かまどである。
【００１１】
本発明に用いる燃料ペレットは特に制限されず、しかしながら、ダイオキシンや重金属の除去されていないものや、余分なものが混在している、例えば、放射能をかぶったバイオマスの除染が出来ていないものは制限されるが、それらに対して前記（０００３）特許文献のバイオマスペレット燃料は全てを満たしているから制限されないのである。
【００１２】
以下、添付図面符号に従って一実施例を説明する、
図３・４は、本発明の家庭バイオマスペレット燃料の耐震装置・火消し蓋付き壺兼用熱源順応かまどの実施例を示す図２正面の断面図である、図３・４中、（１１）は、ストーブ用耐熱珪藻土かまど、（１４）は、バイオマスペレット燃料置き空気孔付き受皿、周りの淵は、より堅牢・背高で五徳使用も可、（１５）は、かまど空気調整開閉調整口、（２２）は、火消用落し蓋アジャスター継ぎ手、（２３）は、火消用落し蓋アジャスター踏み台、（２４）は、火消用落し蓋アジャスト重量（目皿・火消蓋・（１４）の燃料より重い）継ぎ手鋳・鉄棒、（２５）は、（２７）継ぎ手と一体構造の鋳物製目皿、（２６）は、（２３）の踏み台の補助取手、（２７）は、火消蓋・目皿自在継ぎ手（一体構造の目皿と継ぎ手・火消蓋の支点のアジャスターの丁番（３３）にて、シーソー・上下降する）、（２８）は、目皿・火消蓋・（１４）の燃料置き空気孔付き受け皿アジャスター・フェンダー、（２９）は、火消蓋（（３２）の目皿の自在取付具によって用をなして、それまでは単なる自在蓋であるが、（２８）のアジャスターの真下に位置して（３１）の火消壺内を密閉する。）、（３０）は、火消蓋・目皿・（２７）継手アジャスター開閉の上下運動支点、（３１）は、火消壺・かまど、（３２）は、目皿の火消蓋自在取付具兼（３９）の安全ストッパー自在解除具、（３３）は、鋳物製目皿（２５）と火消蓋・目皿自在継ぎ手(２７）との継ぎ手丁番である。
【００１３】
図３・４において、鋳物製目皿（２５）は、一体構造の火消蓋・目皿自在継ぎ手(２７）と目皿と継ぎ手・火消蓋の支点のアジャスターの丁番（３３）において回動自在に取り付けられており、通常は、（２５）の鋳物製目皿、（２９）の火消用落し蓋と、（１４）の燃料の総重量より重い継ぎ手鋳・鉄棒（２４）の重力により、火消蓋・目皿自在継ぎ手（２７）に図中下方向に力が働くことで、鋳物製目皿（２５）は、目皿・火消蓋アジャスター（２８）よりくり抜かれた形が正確にはまり込む（目皿の枠内定位置）ことで、（３２）の取付具によって（２９）の火消蓋が（２８）のアジャスターの真下にくるように固定されている。
【００１４】
図３・４に示す家庭バイオマスペレット燃料の耐震装置・火消し蓋付き壺兼用熱源順応かまどは、バイオマスペレット燃料をバイオマスペレット燃料置き空気孔付き受皿（１４）内に入れ、（２９）の火消蓋を（３２）の自在取付具より放すか、（２５）の目皿の隙間から軽く叩き落として、（３２）の取付具を解放して（３１）火消壺・かまど内に落とし、（１５）のかまどの空気調整口を開けて、そこでバイオマスペレット燃料を（１７）のスチール着火カプセルにて燃焼させる装置である。
【００１５】
図３・４において、また、使用を中断したい場合等においては、以下のように、（３９）のストッパーを外してから、又は、耐震装置（３７）の金属ボールが、自在解除具（３２）を作動して、（３９）の（３２）よりのリードラインを通して、ストッパーが外れて、燃焼中のバイオマスペレット燃料を火消壺（３１）中に落とし、消火することができる、すなわち、火消用落し蓋アジャスター踏み台（２３）を足で踏むことによるか、耐震装置（３７）により、（２５）の目皿、（２８）の火消用落し蓋、（１４）の中身の燃料の合計重量より（２４）の鉄棒の重量は、重いか、又は、尚更に合計重量に加えて、（３７）の金属ボールの移動落下荷重によって一時的に２倍まで重くなる耐震装置の金属ボール（３７）との合計により重くなった分、軽くなる継手鋳物棒（２４）が、図中、前記の何れかによって上方向に移動し、火消用落し蓋アジャスター継ぎ手（２２）及び火消蓋・目皿自在継ぎ手（２７）が、図中、上方向に移動すると、目皿・火消蓋アジャスター（２８）の真下にくるように固定されていた鋳物製目皿（２５）は、目皿と継ぎ手・火消蓋の支点のアジャスターの丁番（３３）において下方向に回転して、図４に示す状態になる、したがって、バイオマスペレット燃料置き空気孔付き受け皿（１４）内の燃料ペレットが火消壺内に落下して、（１４）内燃料と（３７）の金属ボールの落下荷重が元に戻った重量合計の軽くなった分、重量を上回った継手鋳・鉄棒（２４）の重力にて、継手（２２）と下方向に移動して、継手（２７）と一体構造の（２５）は丁番（３３）において回転して、（２５）は（３２）によって火消蓋（２８）をとらえた状態にて、（１５）のかまど空気調整口は塞ぐことで、密封した状態となり、火消壺内は酸素不足の状態になっている為に、消火がおこなわれる、この状態を、図３でより詳細に説明する。
【００１６】
図３において、火消用落し蓋アジャスター踏み台（２３）から足を離すと、火消用落し蓋アジャスト重量（目皿より重い）継ぎ手鋳物棒（２４）が、図中、重力により下方向に移動し、火消用落し蓋アジャスター継ぎ手（２２）及び火消蓋・目皿自在継ぎ手（２７）が、図中、（２７）・（２５）の一体構造が（３３）の丁番を支点にシーソー下方向に移動することで、鋳物製目皿（２５）と（３２）の火消蓋の目皿自在取付具は、目皿・火消蓋アジャスター（２８）の枠内定位置・真下に固定されて、尚更に、より安全確保のために（３９）の安全ストッパーを掛けて、（１５）の空気開閉調整口を閉めると消火出来て、前記（１５）の調整口を開けて火消し蓋（２９）を（３１）内に落とせば、着火燃焼出来る。
【００１７】
また、火消壺（３１）内に落下し、消火された燃料ペレットは、再利用することができる、前記（０００３）の特許文献の燃料ペレットは、高密度・燃焼の、着火し難いので、ポリプロピレンを原料としたものを穴空き金属製ペレット状カプセルに収納させた着火装置を使用することが好ましい。
【００１８】
本発明の第２は、本発明の家庭バイオマスペレット燃料の耐震装置・火消し蓋付き壺兼用熱源順応かまどを熱源として利用する前記ストーブ放熱熱源組込機である、本発明のストーブ放熱熱源組込機の正・側面図を図５、６に示す、また、図５、６中、（１）は、家庭バイオマスペレット燃料用の耐震装置・火消し蓋付き壺兼用熱源順応かまど、（１４）は、バイオマスペレット燃料置き空気孔付き受皿、（３４）は、ストーブ煙突、３５は薪ストーブ窓、（３６）は、ストーブ灰皿受けであるので、薪を燃やし入れたいときには、順応かまどをストーブから取り出して、（１２）のアジャストを設ければ、薪ストーブになる。
【００１９】
本発明の第３は、本発明の家庭バイオマスペレット燃料用の耐震装置・火消し蓋付き壺兼用熱源順応かまどを熱源として同時に用いるボイラーと、前記ボイラーで発生した高温・圧蒸気で駆動する蒸気タービンと、前記蒸気タービンで発生した高速回転運動エネルギーに比例する高出力電気エネルギーに変換する前記自家発電機と、前記蒸気タービンの蒸気排気口と繋がった熱交換器と、前記熱交換機に接続された放熱螺旋形パイプ内蔵の前記保温庫内の放熱螺旋形配管パイプが、尚更なる、前記パイプより太い外径の放熱螺旋形配管パイプで二重に密閉して被せられ、内部液体は、中心パイプ内蔵の液体と同じものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震装置・火消し蓋付き壺兼用熱源順応かまどの前記ボイラー過熱とを加えた加熱量によって、保温庫内給湯量の大量使用の冷水入れ替え時にも対応して、熱湯・床冷暖・給湯装置に接続された冷媒機と、前記自家発電機で発生した電気によって、一つは、そのまま電源としての利用で以って、余剰電気は分配・売電出来て、二つは、（１０）の電力変換装置より電気をバッテリーに各別充電して、尚且つ電力変換装置を経て各別電源に変換して持続的に利用できる自家発電機装置で発生した電気によって、駆動・送風サポートする冷暖房床・空調機とを備える、冷暖房空調装置である。
【００２０】
本発明の自家発電機・冷暖房空調装置の模式図を図７に示す、図中、家庭バイオマスペレット燃料の耐震装置・火消し蓋付き壺兼用熱源順応かまど（１）で発生した熱により、ボイラー（２）に収容された液体（沸点調整剤使用も好ましい。）を沸騰させ、高温、高圧蒸気により蒸気タービン（３）の高速回転に比例して高出力自家発電を行い、得られた電気により、各別電源として用いる自家発電装置であり、余力各別電気は、前記蒸気タービンの排出口に繋がる熱交換器と前記熱交換器より排出の高温・圧の蒸気と、熱交換器の排出口に繋がる前記二重構造の放熱螺旋形パイプと前記電気加熱ヒーター放熱螺旋形パイプ内蔵の熱湯保温庫、冷媒機とを併せ以って冷暖房空調および給湯・床冷暖房機を十二分にサポートして行う装置であり、図７中、（１）は、家庭バイオマスペレット燃料の耐震装置・火消し蓋付き壺兼用熱源順応かまど、（２）は、自家発電気ヒーター内蔵ボイラー、（３）は蒸気タービン、（４）は、自家発電機、（５）は、熱交換器、（６）は、電気モーター（電力は自己完結方式）、（７）は循環ポンプ、（８）は、発電余力電力の充電用安全機、（９）は、充電器、（１０）は、電力変換装置である。
【００２１】
前記各種の装置は、前記家庭バイオマスペレット燃料用の耐震装置・火消し蓋付き壺兼用熱源順応かまどにて、同時使用にて、前記ボイラー（２）の沸点状態に於いて、前記（１４）の目皿に投入分のバイオマスペレット燃料を燃焼１回分を１エネルギー容量とする燃料エネルギーを変換増大化させて使用出来ることから、持続的に最大効果・率のエネルギー変換増大化を生み出すことができるグリーンな家庭バイオマスペレット燃料用の耐震装置・火消し蓋付き壺兼用熱源順応かまどエネルギー増大化装置である。
【符号の説明】
【００２２】
１、家庭バイオマスペレット燃料用の耐震装置・火消し蓋付き壺兼用熱源順応かまど
２、ボイラー（温度センサー付き自己完結型高出力電気ヒーター・切替機装置内蔵）
３、蒸気タービン
４、自家発電機
５、熱交換器
６、電気モーター（電力は自己完結方式）
７、循環ポンプ
８、発電気の電力変換機装置と充電機の安全機
９、充電器                                  
10、正弦波長・電力変換装置
11、ストーブ用の耐熱珪藻土かまど
12、アジャスト薪空気孔付き受け皿（薪を用いる場合のストーブ用部材。）
13、前記１の火消開閉蓋（取換用部品。）
14、バイオマスペレット燃料置き空気孔付き受皿（（２８）と一体構造の鋳物）
15、かまど空気開閉調整口（引き違い戸かはめ込み栓方式の何れか。）
16、アジャスト空気孔筒伸縮調整蛇腹（内気導入を止めて、外気導入時の備品）
17、スチール着火カプセル（ポリプロピレン入り金属製発火口付きカプセル）
18、ストーブ（（１）の放熱熱源組込み機装置）
19、モーター・除湿調性用ヒーター付き送風ファン
20、冷媒機熱（熱交換器に繋がった保温庫に繋がる）
21、モーター付き圧縮ポンプ（冷暖切換機付き）
22、火消用落し蓋アジャスター継ぎ手
23、火消用落し蓋アジャスター踏み台
24、火消用落し蓋アジャスト重量（目皿＋火消蓋＋（１４）の燃料合計より重い。）継ぎ手鋳・鉄棒
25、（２７）継ぎ手と一体構造の鋳物製目皿（（２８）のアジャスターを目皿の型に刳り抜いた形体）
26、踏み台の補助取っ手
27、火消蓋・目皿自在継ぎ手（（２８）アジャスターの丁番（３３）を支点に上下降する）
28、目皿・火消蓋アジャスター・フェンダー（（１４）・（２７）と同質の鋳物で（１４）と一体構造）
29、火消蓋（（３２）取付具によって（２５）の目皿と一体化出来、それまでは落蓋。）
30、火消蓋アジャスター継ぎ手支点
31、火消壺・かまど（珪藻土。）
32、目皿の火消蓋自在取付具兼（３９）の作動自在解除具併せ持つ、（３９）のストッパーを外す。
33、目皿と継ぎ手・火消蓋の支点のアジャスターの丁番
34、ストーブ煙突
35、薪ストーブ窓
36、ストーブ灰皿受け
37、耐震装置金属ボールの（３２）自在解除具に金属ボールが転がり衝突作動      
38、外壁ステンレス板（珪藻土外壁強化材）
39、安全ストッパー（（２９）の火消蓋が動かぬ様に固定化、（３７）の（３２）によって外れる。）
40、保温庫（熱交換器に接続の二重構造放熱配管の螺旋形パイプと電気加熱温度センサー付きヒーター螺旋形パイプの保温庫内内蔵と保温庫の給湯・床暖・熱湯保温する（床暖引込口・パイプ等埋設設備複数予備パイプライン・ジョイントあり、冷媒機に接続される））
41、ヒーター（湿度調整）（１９）のヒーター付き送風ファンに同じ
42、（１１）の鋳物製フェンダー（（２８）のフェンダーと同じ働き）

【手続補正書】
【提出日】平成24年9月1日(2012.9.1)
【手続補正１】
【補正対象書類名】明細書
【補正対象項目名】全文
【補正方法】変更
【補正の内容】
【発明の詳細な説明】
【技術分野】
【０００１】
本発明は、前記ストーブ放熱熱源組込機・専用ボイラーの熱源かまどとしても、又、単独でも料理用かまどとしても活用出来て、蒸気タービン高速回転に比例した高出力自家発電機と充電器・電力変換機で各種電源も用意出来て、熱交換器排出の高温・圧液体とそれに繋がる保温庫エネルギーとを併せ、加えて、モーターポンプ・送風機を自立完結型にて駆動させることで、冷暖両用となる前記高密度・熱量ペレット燃料を用いた自家製造バイオマスペレット燃料用の耐震・衝撃装置・火消し蓋付き壺兼用熱源順応かまどに関する。
【背景技術】
【０００２】
バイオマスペレットを燃料とするストーブやボイラーは、色々あるが、どの燃料源も、薪・バイオマスペレットも自在に使用できる内容の物はなくて、更に、有事の場合にも複合的活用できるシステムになっていない、そればかりか、低密度・熱量で、専用ペレットストーブはグリーンというタイトルのみに頼ったように高額過ぎて実質的になじめず、大型・容量タイプで、しかも、費用対効果的にも難色を感じることを禁じえない、このように、従来のエネルギー燃料は、大型プラントでしか造れなくて、負の生産が甚だしいので、負を減らすことと、エネルギーを一極集中大型化して広範囲に分散・配している現状と、高密度ポイント複合化することとは、相矛盾していて、エネルギーの損失が過大にて全く利用不可能であるので、可能にするには、家庭・事業所生ゴミ等を産業廃棄物化しない装置で、費用対効果ある正を保持・増大化出来る家庭・事業所単位のセパレート化が希求されている、
本発明に関連して、特許証登録内容には、自家製の高密度・熱量でグリーンな家庭・事業所の生ゴミ等のバイオマスペレット燃料の製造方法が登録されている。
【先行技術文献】
【特許文献】
【０００３】
特開２０１１−２５１８８８号公報
【発明の概要】
【発明が解決しようとする課題】
【０００４】
本発明は、上述した実情に鑑みてなされたものであり、より環境にやさしく、どこにでも移設・順応出来る出し入れ自在で簡単・単純なマルチな前記高密度・熱量ペレット燃料を用いた自家製造バイオマスペレット燃料用の耐震・衝撃装置・火消し蓋付き壺兼用熱源順応かまどは、前記ストーブ放熱熱源・電気動力機器組込機、及び前記冷暖房空調機・熱湯保温庫・給湯機・自家発電機装置を提供して、同時に複合化することで、前記のグリーンな前記高密度・熱量ペレット燃料を用いた自家製造バイオマスペレット燃料用の耐震・衝撃装置・火消し蓋付き壺兼用熱源順応かまど熱源エネルギーを保持・自立・増大・持続化することを目的とする。
【課題を解決するための手段】
【０００５】
本発明者は、上記課題を解決すべく鋭意検討した結果、費用対効果があって、環境に優しいバイオマスペレット燃料熱源化でき、基本的構造部分についてどこにでもあり、販売・使用許可される既存道具・部品類を出来るだけ用いて簡単・単純なシステムを以って、旧来の化石・電気エネルギーの動力を廃して、自家製造バイオマス燃料からストーブ放熱熱源・電気動力機器組込機で直接に、そして、複合的に、ボイラー・蒸気タービンの自家発電気で以ってそれに代えられる物とするために複合的順応マルチかまどである前記高密度・熱量ペレット燃料を用いた自家製造バイオマスペレット燃料用の耐震・衝撃装置・火消し蓋付き壺兼用熱源順応かまどを発明した。
【０００６】
かくして本発明によれば、下記（１）〜（４）の前記高密度・熱量ペレット燃料を用いた自家製造バイオマスペレット燃料用の耐震・衝撃装置・火消し蓋付き壺兼用熱源順応かまど・下記（５）のストーブ放熱熱源組込み機装置・下記（６）の前記出し入れ自在の自家製造高密度・熱量バイオマスペレット燃料用の耐震・衝撃装置・火消し蓋付き壺兼用熱源順応かまどを用いた自動電気動力発電ミニプラント組込装置・（７）の前記自家製造高密度・熱量バイオマスペレット燃料を用いる冷暖房空調機装置・下記（８）の前記ペレットを用いた熱量を活用する床冷暖房・給湯機装置・下記(９)の前記ペレットを用いた高温・高圧蒸気の蒸気タービンの高速回転を高出力電気に変換する自家発電機装置・下記（１０）の前記ペレットを用いる変換複合機会装置のエネルギー持続可能な各種変換増大化装置が提供される。
（１）少なくとも上部に開口部を有する耐熱性容器と、前記耐熱性容器の上部の開口部を開閉できるように設けられた耐震装置・火消蓋付きと、着火装置とを備える、前記高密度・熱量ペレット燃料を用いた自家製造バイオマスペレット燃料用の耐震・衝撃装置・火消し蓋付き壺兼用熱源順応かまど。
（２）前記耐熱性容器が、珪藻土製の容器である、前記（１）に記載の前記高密度・熱量ペレット燃料を用いた自家製造バイオマスペレット燃料用の耐震・衝撃装置・火消し蓋付き壺兼用熱源順応かまど。
（３）さらに、踏み台と、前記踏み台と前記前記高密度・熱量ペレット燃料を用いた自家製造バイオマスペレット燃料用の耐震・衝撃装置・火消し蓋付き壺兼用熱源順応かまどとを連結する火消し蓋開閉機構とを備える前記高密度・熱量ペレット燃料を用いた自家製造バイオマスペレット燃料用の耐震・衝撃装置・火消し蓋付き壺兼用熱源順応かまどであって、耐震装置によるか、踏み台を操作することで、火消蓋開閉機構を通じて、火消蓋の開閉状態を制御するものである、前記（１）〜（２）のいずれかに記載の前記高密度・熱量ペレット燃料を用いた自家製造バイオマスペレット燃料用の耐震・衝撃装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載の前記高密度・熱量ペレット燃料を用いた自家製造バイオマスペレット燃料用の耐震・衝撃装置・火消し蓋付き壺兼用熱源順応かまど。
（５）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いるストーブ放熱熱源組込み機装置。
（６）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる後記（７）〜（１０）いずれかに記載の各装置を組み込むに、その内の給湯水装置を除外した物と、そうでない物とに分けると、
一つは、保温庫給湯水装置を除外した物を用いた内蔵の発電機装置は、自動電気動力を自動機器設置内部で直接・効率・円滑的に駆動させることが可能であることから、バッテリー電気をスタート時のみ用いるか、内燃機関のアイドリング状態似のボイラー熱源電気ヒーターの自動調整による蒸気タービンの低速回転にて、前記保温庫内温度を確保出来て、短時間で高出力電気エネルギー化出来て、電気高・低出力調整も出来ることの何れかであり、自家製造電気エネルギーを前記自動電気動力の内部で直接使用することで、外部電気取入不要にて、バッテリーを軽量・小型化でき、調整・持続・自立した高出力電気エネルギーが、電気動力装置が組み込まれた後記（７）〜（１０）いずれかに記載の各装置を用いた自家発電機装置でもって前記自動機器外部の各家庭・事業所使用電気エネルギーをも供給出来る図７・８・９に示す通りの自動電気動力駆動発電機組込ミニプラント装置。
二つは、保温庫給湯水装置を付帯した後記（７）〜（１０）の装置は、後記（８）の装置を組み込んだ内容の前記自動電気動力装置として、ボイラー内加熱電気ヒーター最大にして前記高密度・熱量ペレット燃料を用いた自家製造バイオマスペレット燃料用の耐震・衝撃装置・火消し蓋付き壺兼用熱源順応かまどの前記自家製ペレット燃料を自動投下燃焼を最大化して、尚且つ、保温庫内自家製電気ヒーターを最大化して冷水注入温度低下を短時間で補完して、自動電気動力装置に組込まれた後記（７）〜（１０）いずれかに記載の各装置を用いた自家発電機装置でもって、自らの自動内蔵自家製電気動力エネルギーに限らず、各家庭・事業所使用電気エネルギーをも供給出来る図７・８・９に示す通りの自動電気動力駆動発電機組込ミニプラント装置。
（７）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記ボイラーと、前記ボイラーで発生した高温・圧蒸気で駆動する液体を潤滑オイルとした多段多軸蒸気タービンとして用いて、軸受部分の直付けの簡略・単純化と高速回転を可能として、超小型・高速化を可能とした蒸気タービンと、前記蒸気タービンで発生した高速運動エネルギーに比例した高出力電気エネルギーに変換増大化する自家発電機装置と、前記蒸気タービンの蒸気排気口と接続された熱交換器と、前記熱交換器排出口に繋がる冷媒機と、前記自家発電機で発生した電気によって駆動する冷暖房空調機とを備える冷暖房空調機装置。
（８））前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記ボイラーで発生した高温・圧蒸気で駆動する液体を潤滑オイルとした多段多軸蒸気タービンと前記蒸気タービンの蒸気排気口と接続された熱交換器と、前記熱交換機の排出口に接続された放熱螺旋形配管パイプが内蔵された前記潤滑オイルである液体と給湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記自家製造高密度・熱量バイオマスペレット燃料用の耐震・衝撃装置・火消し蓋付き壺兼用熱源順応かまどの熱源として用いる前記ボイラー過熱とを加えた加熱量によって、保温庫内給湯量の大量使用の冷水入れ替え時にも対応出来る、これによって、中心パイプ内液体高温保温状態で、持続的熱湯保温・給湯・床冷暖房機による温水給配と保温庫内配管・給排水口取付口設備にて、床冷暖房機とを備える、床冷暖房・給湯機装置。
（９）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記自家発電機によって発生した高出力電気を電力変換機装置を経て各種電圧電源を供給したり、選択充電を使用したり出来て、電気動力組込の必要条件にて、前記超小型多段多軸型蒸気タービンで発生した高速回転運動エネルギー２０，０００rpm回転以上に比例した高出力電気エネルギー１００kw（ps）/rpmに変換増大化する自家発電機装置。
【０００７】
（１０）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として各種増大化装置による同時複合化することで、貴重な前記高密度・熱量バイオマスペレット燃料エネルギーを、前記（１４）の目皿に投入燃焼１回分のバイオマスペレット燃料をボイラー（２）の沸点状態に於ける１とする容量に対して、エネルギー複数容量に変換増大化されたことで、上記の自家製造高密度・熱量バイオマスペレット燃料用の耐震・衝撃装置・火消し蓋付き壺兼用熱源順応かまどの前記上部の開口部に投入した前記燃焼１回分のペレット燃料供給が停止・不足・忘れ等がなされたりの状態でも、前記ボイラー内臓の温度感知センサー（２）の作動にて、前記各種エネルギー増大化装置の余剰エネルギーを代表した高出力電気を使った（２）の内蔵電気ヒーターが、持続的エネルギー供給を行える、また、前記バイオマスペレット燃料を投入して燃焼が開始すれば、前記エネルギー燃焼同様に持続的エネルギー供給して、（２）内蔵のセンサーによってヒーターは自動的に解除になったり、自動温度調整にて、内燃機関のアイドリング状態似の低速回転の低出力電気となることにより、保温庫内熱湯温度をキープしたままいつでも最大高速回転化出来て、高出力電気エネルギー供給出来、アイドリング状態に出来ない場合でも、特に、自動電気動力の場合は、バッテリーで駆動させて短時間に、前記高密度・熱量ペレット燃料を用いた自家製造バイオマスペレット燃料用の耐震・衝撃装置・火消し蓋付き壺兼用熱源順応かまどを自動着火させて、蒸気タービンを高速回転できて、高出力電気エネルギーを生み出せるので、各家庭・事業所単位毎にバラツキのあるバイオマスペレット燃料のエネルギー供給を一律平均的に安定化させることが可能でもあり、セパレート家庭・事業所単位毎に家庭・事業所生ゴミを産業廃棄物化せずに、分散セパレート化したことで、前記（０００３）の特許文献にあるものを併せて、家庭・事業所単位毎のミニプラントエネルギー生産が複合化を可能にしての費用対効果を生み出して、特に、自動電気動力装置に於いては、その都度動力停止しての長時間充電しなくて済み、重量・大型充電器の軽量・小型化が可能となり、グリーンでゆっくりでも豊かな生活を可能にしてくれて、環境・防衛・経済・財政・外交的にもより安定した安心な暮らしを提供される前記高密度・熱量ペレット燃料を用いた自家製造バイオマスペレット燃料用の耐震・衝撃装置・火消し蓋付き壺兼用熱源順応かまどエネルギーの前記（５）〜（１０）のエネルギー持続供給可能な各種変換増大化装置、
【発明の効果】
【０００８】
上記のようにセパレート家庭・事業所単位であって、対既存化石・電気エネルギーに与しない、国内自給自足出来る前記（０００３）の高密度・熱量自家製造バイオマスペレット燃料を用いた高温・圧蒸気ボイラーエネルギーと蒸気タービン駆動の高速回転に比例する高出力自家発電気による変換電気のエネルギーとで単純・簡単構造にしてリーズナブルな低廉価格でしかも本格的な燃料源としての前記高密度・熱量ペレット燃料を用いた自家製造バイオマスペレット燃料用の耐震・衝撃装置・火消し蓋付き壺兼用熱源順応かまどのエネルギーを持続・増大化して、尚且つ、環境・経済問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来る発展的マルチタイプの前記高密度・熱量ペレット燃料を用いた自家製造バイオマスペレット燃料用の耐震・衝撃装置・火消し蓋付き壺兼用熱源順応かまどを発明したのである。
【図面の簡単な説明】
【０００９】
【図１】本発明の耐震装置・火消し蓋付き壺兼用熱源順応かまどの平面図である。        
【図２】本発明の耐震装置・火消し蓋付き壺兼用熱源順応かまどの正面図である。      
【図３】本発明の耐震装置・火消し蓋付き壺兼用熱源順応かまどの踏み台を外した状態A-A” 側断面図である。
【図４】本発明の耐震装置・火消し蓋付き壺兼用熱源順応かまどの踏み台を踏んだ状態のA-A”側断面図である。  
【図５】本発明のストーブ放熱熱源組込機の耐震装置・火消し蓋付き壺兼用熱源順応かまどの正面図である。
【図６】本発明のストーブ放熱熱源組込機の耐震装置・火消し壺蓋付き兼用熱源順応かまどの側面図である。
【図７】本発明のシステム実施例を示す図である。
【図８】本発明の前図７の各装置模式図の各形と構造とコンパクトミニプラント電気動力機器組込・固定模式構造・形を示す図である。
【図９】本発明の前記電気動力ミニプラント組込・固定とプラント設置されない家に電気動力組込機より電気注入実施例を示す図である。
【発明を実施するための形態】
【００１０】
前記高密度・熱量ペレット燃料を用いた自家製造バイオマスペレット燃料用の耐震・衝撃装置・火消し蓋付き壺兼用熱源順応かまどには、複合的マルチタイプの小・移設型システム内容の発展タイプが求められている、本発明の前記高密度・熱量ペレット燃料を用いた自家製造バイオマスペレット燃料用の耐震・衝撃装置・火消し蓋付き壺兼用熱源順応かまどは、その内容が難しくない簡単・単純なもので、同時複合的連関を発生・展させる発明実施の形態であって、高密度・熱量バイオマスペレット燃料の専用かまどとして環境に優しく、高温に耐えられて、持ち運び移設に小型・簡便・発展的で、図１・２・３・４・８に示す通りで、しかも安全であることを可能とした工夫が前記高密度・熱量ペレット燃料を用いた自家製造バイオマスペレット燃料用の耐震・衝撃装置・火消し蓋付き壺兼用熱源順応かまどである。
【００１１】
本発明に用いる燃料ペレットは高密度・熱量に於いて、自動選別・制限される、したがって、ダイオキシンや重金属の除去されていないものや、余分なものが混在している、例えば、放射能をかぶったバイオマスの除染が出来ていないものは当然制限されるが、それらに対して前記（０００３）特許文献の高密度・熱量バイオマスペレット燃料は全てを満たしているから選外・制限されないのである。
【００１２】
以下、添付図面符号に従って一実施例を説明する、図３・４は、本発明の前記高密度・熱量ペレット燃料を用いた自家製造バイオマスペレット燃料用の耐震・衝撃装置・火消し蓋付き壺兼用熱源順応かまどの実施例を示す図２の断面図である、図３・４中、（１１）は、ストーブ用耐熱珪藻土かまど、（１４）は、バイオマスペレット燃料置き空気孔付き受皿、周りの淵は、より堅牢・背高で五徳使用も可、（１５）は、かまど空気調整開閉調整口、（２２）は、火消用落し蓋アジャスター継ぎ手、（２３）は、火消用落し蓋アジャスター踏み台、（２４）は、火消用落し蓋アジャスト重量（目皿・火消蓋・（１４）の燃料より重い）継ぎ手鋳物・鉄棒、（２５）は、（２７）継ぎ手と一体構造の鋳物製目皿、（２６）は、（２３）の踏み台の補助取手、（２７）は、火消蓋・目皿自在継ぎ手（一体構造の目皿と継ぎ手・火消蓋の支点のアジャスターの丁番（３３）にて、シーソー・上下降する）、（２８）は、目皿・火消蓋・（１４）の燃料置き空気孔付き受け皿アジャスター・フェンダー、（２９）は、火消蓋（（３２）の目皿の自在取付具によって用をなして、それまでは単なる自在蓋であるが、（２８）のアジャスターの真下に位置して（３１）の火消壺内を密閉する。）、（３０）は、火消蓋・目皿・（２７）継手アジャスター開閉の上下運動支点、（３１）は、火消壺・かまど、（３２）は、目皿の火消蓋自在取付具兼（３９）の安全ストッパー自在解除具、（３３）は、鋳物製目皿（２５）と火消蓋・目皿自在継ぎ手(２７）との継ぎ手丁番である。
【００１３】
図３・４において、鋳物製目皿（２５）は、一体構造の火消蓋・目皿自在継ぎ手(２７）と目皿と継ぎ手・火消蓋の支点のアジャスターの丁番（３３）において回動自在に取り付けられており、通常は、（２５）の鋳物製目皿、（２９）の火消用落し蓋と、（１４）の燃料の総重量より重い継ぎ手鋳・鉄棒（２４）の重力により、火消蓋・目皿自在継ぎ手（２７）に図中下方向に力が働くことで、鋳物製目皿（２５）は、目皿・火消蓋アジャスター（２８）よりくり抜かれた形が正確にはまり込む（目皿の枠内定位置）ことで、（３２）の取付具によって（２９）の火消蓋が（２８）のアジャスターの真下にくるように固定されている。
【００１４】
図３・４に示す前記高密度・熱量ペレット燃料を用いた自家製造バイオマスペレット燃料用の耐震・衝撃装置・火消し蓋付き壺兼用熱源順応かまどは、バイオマスペレット燃料をバイオマスペレット燃料置き空気孔付き受皿（１４）内に入れ、（２９）の火消蓋を（３２）の自在取付具より放すか、（２５）の目皿の隙間から自動的に軽く叩き落として、（３２）の取付具を解放して（３１）火消壺・かまど内に落とし、（１５）のかまどの空気調整口を開けて、そこでバイオマスペレット燃料を（１７）のスチール着火カプセルにて燃焼させる装置である。
【００１５】
また、使用を中断したい場合等においては、以下のように、図１・２・３・４・８に示す（３９）のストッパーを外してから、又は、耐震・衝撃装置（３７）の金属ボールが、自在解除具（３２）を作動して、（３９）の（３２）よりのリードラインを通して、ストッパーが外れて、燃焼中のバイオマスペレット燃料を火消壺（３１）中に落とし、消火することができる、すなわち、火消用落し蓋アジャスター踏み台（２３）を足で踏むことによるか、耐震・衝撃装置（３７）により、（２５）の目皿、（２８）の火消用落し蓋、  （１４）の中身の燃料の合計重量より（２４）の鉄棒の重量は、重いか、又は、尚更に合計重量に加えて、（３７）の金属ボールの移動落下荷重によって一時的に２倍まで重くなる耐震装置の金属ボール（３７）との合計により重くなった分、軽くなる継手鋳物棒（２４）が、図中、前記の何れかによって上方向に移動し、火消用落し蓋アジャスター継ぎ手（２２）及び火消蓋・目皿自在継ぎ手（２７）が、図中、上方向に移動すると、目皿・火消蓋アジャスター（２８）の真下にくるように固定されていた鋳物製目皿（２５）は、目皿と継ぎ手・火消蓋の支点のアジャスターの丁番（３３）において下方向に回転して、図４に示す状態になる、したがって、バイオマスペレット燃料置き空気孔付き受け皿（１４）内の燃料ペレットが火消壺内に落下して、（１４）内燃料と（３７）の金属ボールの落下荷重が元に戻った重量合計の軽くなった分、重量を上回った継手鋳・鉄棒（２４）の重力にて、継手（２２）と下方向に移動して、継手（２７）と一体構造の（２５）は丁番（３３）において回転して、（２５）は（３２）によって火消蓋（２８）をとらえた状態にて、（１５）のかまど空気調整口は塞ぐことで、密封した状態となり、火消壺内は酸素不足の状態になっている為に、消火がおこなわれる、この状態を、図３でより詳細に説明する。
【００１６】
図３において、火消用落し蓋アジャスター踏み台（２３）から足を離すと、火消用落し蓋アジャスト重量（目皿より重い）継ぎ手鋳物棒（２４）が、図中、重力により下方向に移動し、火消用落し蓋アジャスター継ぎ手（２２）及び火消蓋・目皿自在継ぎ手（２７）が、図中、（２７）・（２５）の一体構造が（３３）の丁番を支点にシーソー下方向に移動することで、鋳物製目皿（２５）と（３２）の火消蓋の目皿自在取付具は、(２９)火消し蓋を捉えた状態のまま、目皿・火消蓋アジャスター（２８）の枠内定位置・真下に固定されて、尚更に、より安全確保のために（３９）の安全ストッパーを掛けて、（１５）の空気開閉調整口を閉めると消火出来て、前記（１５）の調整口を開けて火消し蓋（２９）を（３１）内に落とせば、着火燃焼開始出来る。
【００１７】
また、火消壺（３１）内に落下し、消火された燃料ペレットは、再利用することができる、前記（０００３）の特許文献の燃料ペレットは、高密度・熱量であるから、着火し難いので、ポリプロピレンを原料としたものを穴空き金属製ペレット状カプセルに収納させた着火装置を使用することが好ましい。
【００１８】
本発明の第２は、本発明の前記高密度・熱量ペレット燃料を用いた自家製造バイオマスペレット燃料用の耐震・衝撃装置・火消し蓋付き壺兼用熱源順応かまどを熱源として利用する前記ストーブ放熱熱源組込機である、本発明のペレットストーブ放熱熱源組込機の正・側面図を図５、６に示す、また、図５、６中、（１）は、前記高密度・熱量ペレット燃料を用いた自家製造バイオマスペレット燃料用の耐震・衝撃装置・火消し蓋付き壺兼用熱源順応かまど、（１４）は、バイオマスペレット燃料置き空気孔付き受皿、（３４）は、ストーブ煙突、３５は薪ストーブ窓、（３６）は、ストーブ灰皿受けであるので、薪を燃やし入れたいときには、順応かまどをストーブから取り出して、（１２）のアジャストを設ければ、ペレットストーブが薪ストーブに早代わりとなる。
【００１９】
本発明の第３は、本発明の図１・２・３・４・７・８・９に示す前記高密度・熱量ペレット燃料を用いた自家製造バイオマスペレット燃料用の耐震・衝撃装置・火消し蓋付き壺兼用熱源順応かまどを（１４）の目皿にて燃焼容量１回分投与のエネルギー容量１とする、エネルギー熱源として同時に用いるボイラーと、前記ボイラーで発生したボイラー内蔵液体の潤滑オイルの高温・圧蒸気で駆動する蒸気タービンと、前記多段・軸超小型蒸気タービンで発生した高速回転運動エネルギー２０，０００rpmに比例する高出力電気エネルギー１００kw（pS）/rpm以上に変換する自家発電機と、前記自家発電機で発生した電気によって、前記蒸気タービンの蒸気排気口と繋がった熱交換器と、前記熱交換機に接続された放熱螺旋形パイプ内蔵の前記保温庫内の放熱螺旋形配管パイプが、尚更なる、前記パイプより太い外径の放熱螺旋形配管パイプで二重に密閉して被せられ、内部液体は、中心パイプ内蔵の液体と同じものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震装置・火消し蓋付き壺兼用熱源順応かまどの前記ボイラー過熱とを加えた加熱量によって、保温庫内給湯量の大量使用の冷水入れ替え時にも対応して、熱湯・床冷暖・給湯装置に接続駆動された冷媒機等各複合機器と、これらによって、
一つは、自家発電機からそのまま高出力電気電源としての利用で以って、余剰電気は分配・売電出来て、
二つは、（１０）の電力変換装置より電気をバッテリーに各別充電して、尚且つ電力変換装置を経て各別電源に変換して持続・自立的に利用できる自家発電機装置で発生した電気によって、駆動・送風サポートする冷暖房床・空調機とを備える、固定・自動電気動力機器組込形式何れかのミニプラント自家発電機装置である。
【００２０】
本発明の自家発電機・冷暖房空調装置の模式外形構図を図７・８に示す、図中、前記高密度・熱量ペレット燃料を用いた自家製造バイオマスペレット燃料用の耐震・衝撃装置・火消し蓋付き壺兼用熱源順応かまど（１）で発生した熱により、ボイラー（２）に収容された液体である潤滑オイル（沸点調性剤使用も可）を高温・圧蒸気により超小型蒸気タービン（３）の高速回転２０，０００rpmに比例して高出力１００kw（ps）/rpm自家発電を行い、得られた電気により、各別電源として用いる自家発電装置であり、余力各別電気は、前記蒸気タービンの排出口に繋がる熱交換器と前記熱交換器より排出の高温・圧の蒸気と、熱交換器の排出口に繋がる前記二重構造の放熱螺旋形パイプと前記電気加熱ヒーター放熱螺旋形パイプ内蔵の熱湯保温庫、冷媒機とを併せ以って冷暖房空調および給湯・床冷暖房機を十二分にサポートして行う装置であり、図７・８中、（１）は、家庭バイオマスペレット燃料の耐震装置・火消し蓋付き壺兼用熱源順応かまど、（２）は、自家発電気ヒーター内蔵ボイラー、（３）は超小型蒸気タービン、（４）は、自家発電機、（５）は、熱交換器、（６）は、電気モーター（電力は自己完結方式）、（７）・（２１）は循環ポンプ、（８）は、発電余力電力の充電用安全機、（９）は、充電器、（１０）は、電力変換装置である。
【００２１】
前記各種の装置は、前記高密度・熱量ペレット燃料を用いた自家製造バイオマスペレット燃料用の耐震・衝撃装置・火消し蓋付き壺兼用熱源順応かまどにて、同時使用にて、前記ボイラー（２）の沸点状態に於いて、前記（１４）の目皿に投入分のバイオマスペレット燃料を燃焼１回分を１エネルギー容量とする燃料エネルギーを変換増大化させて使用出来ることから、持続的に最大効果・率のエネルギー変換増大化を生み出すことができるグリーンな出し入れ自在な前記高密度・熱量ペレット燃料を用いた自家製造バイオマスペレット燃料用の耐震・衝撃装置・火消し蓋付き壺兼用熱源順応かまどエネルギー増大化ミニプラント装置（４３）である。
【符号の説明】
【００２２】
１、高密度・熱量ペレット燃料を用いた自家製造バイオマスペレット燃料用の耐震・衝撃装置・火消し蓋付き壺兼用熱源順応かまど
２、ボイラー（内蔵液体潤滑オイル使用、温度センサー付き自己完結型高出力電気ヒーター・切替機装置内蔵）
３、超小型蒸気タービン
４、自家発電機
５、熱交換器
６、電気モーター（電力は自己完結方式）
７、循環ポンプ
８、発電気の電力変換機装置と充電機の安全機
９、充電器                                  
10、正弦波長・電力変換装置
11、ストーブ用の耐熱珪藻土かまど
12、アジャスト薪空気孔付き受け皿（薪を用いる場合のストーブ用部材。）
13、前記１の火消開閉蓋（取換用部品。）
14、バイオマスペレット燃料置き空気孔付き受皿（（２８）と一体構造の鋳物）
15、かまど空気開閉調整口（引き違い戸かはめ込み栓方式の何れか。）
16、アジャスト空気孔筒伸縮調整蛇腹（内気導入を止めて、外気導入時の備品）
17、スチール着火カプセル（ポリプロピレン入り金属製発火口付きカプセル）
18、ストーブ（（１）の放熱熱源組込み機装置）
19、モーター・除湿調性用ヒーター付き送風ファン
20、冷媒機熱（熱交換器に繋がった保温庫に繋がる）
21、モーター付き圧縮ポンプ（冷暖切換機付き）
22、火消用落し蓋アジャスター継ぎ手
23、火消用落し蓋アジャスター踏み台
24、火消用落し蓋アジャスト重量（目皿＋火消蓋＋（１４）の燃料合計より重い。）継ぎ手鋳・鉄棒
25、（２７）継ぎ手と一体構造の鋳物製目皿（（２８）のアジャスターを目皿の型に刳り抜いた形体）
26、踏み台の補助取っ手
27、火消蓋・目皿自在継ぎ手（（２８）アジャスターの丁番（３３）を支点に上下降する）
28、目皿・火消蓋アジャスター・フェンダー（（１４）・（２７）と同質の鋳物で（１４）と一体構造）
29、火消蓋（（３２）取付具によって（２５）の目皿と一体化出来、それまでは落蓋。）
30、火消蓋アジャスター継ぎ手支点
31、火消壺・かまど（珪藻土。）
32、目皿の火消蓋自在取付具兼（３９）の作動自在解除具併せ持つ、（３９）のストッパーを外す。
33、目皿と継ぎ手・火消蓋の支点のアジャスターの丁番
34、ストーブ煙突
35、薪ストーブ窓
36、ストーブ灰皿受け
37、耐震装置金属ボールの（３２）自在解除具に金属ボールが転がり衝突作動      
38、外壁ステンレス板（珪藻土外壁強化材）
39、安全ストッパー（（２９）の火消蓋が動かぬ様に固定化、（３７）の（３２）によって外れる。）
40、保温庫（熱交換器に接続の二重構造放熱配管の螺旋形パイプと電気加熱温度センサー付きヒーター螺旋形パイプの保温庫内内蔵と保温庫の給湯・床暖・熱湯保温する（床暖引込口・パイプ等埋設設備複数予備パイプライン・ジョイントあり、冷媒機に接続される））
41、ヒーター（湿度調整）（１９）のヒーター付き送風ファンに同じ
42、（１１）の鋳物製フェンダー（（２８）のフェンダーと同じ働き）
43,ミニプラント自家発電機装置（固定・電気動力機器組込何れかの方式）
44,ペレット燃料自動投下装置
45,潤滑オイルとオイルフィルター交換口装置（潤滑オイル交換が定期的に必要）
46,冷房機冷水補助タンク
47,ボイラー（２）、かまど（１）収納容器兼自動排気設備 
【手続補正２】
【補正対象書類名】特許請求の範囲
【補正対象項目名】全文
【補正方法】変更
【補正の内容】
【特許請求の範囲】
【請求項１】
請求項１の内容
少なくとも上部に開口部を有する耐熱性容器と、前記耐熱性容器の上部の開口部を開閉できるように設けられた耐震・衝撃装置・火消蓋付き壺と、熱源かまどとが一体化して、自家製造燃料ペレット着火装置とを備える、高密度・熱量ペレット燃料を用いた自家製造バイオマスペレット燃料用の耐震・衝撃装置・火消し蓋付き壺兼用熱源順応かまど。
【請求項２】
請求項２の内容
前記耐熱性容器が、珪藻土製の容器である、請求項１に記載の高密度・熱量ペレット燃料を用いた自家製造バイオマスペレット燃料用の耐震・衝撃装置・火消し蓋付き壺兼用熱源順応かまど。
【請求項３】
請求項３の内容
さらに、踏み台と、前記踏み台と前記耐震・衝撃装置・火消蓋付きとを連結する火消蓋開閉機構とを備える高密度・熱量ペレット燃料を用いた自家製造バイオマスペレット燃料用の耐震・衝撃装置・火消し蓋付き壺兼用熱源順応かまどであって、耐震・衝撃装置の作動によるか、踏み台を操作することで、火消蓋開閉機構を通じて、火消蓋の開閉状態を制御するものである、請求項１〜２のいずれかに記載の高密度・熱量ペレット燃料を用いた自家製造バイオマスペレット燃料用の耐震・衝撃装置・火消し蓋付き壺兼用熱源順応かまど。
【請求項４】
請求項４の内容
前記着火装置が、ポリプロピレンを原料としたものを穴空き金属製ペレット状カプセルに収納させたものである、請求項１〜３のいずれかに記載の高密度・熱量ペレット燃料を用いた自家製造バイオマスペレット燃料用の耐震・衝撃装置・火消し蓋付き壺兼用熱源順応かまど。
【請求項５】
請求項５の内容
請求項１〜４のいずれかに記載の高密度・熱量ペレット燃料を用いた自家製造バイオマスペレット燃料用の耐震・衝撃装置・火消し蓋付き壺兼用熱源順応かまどを熱源として用いるストーブ放熱熱源組込機装置。
【請求項６】
請求項６の内容
請求項１〜４のいずれかに記載の高密度・熱量ペレット燃料を用いた自家製造バイオマスペレット燃料用の耐震・衝撃装置・火消し蓋付き壺兼用熱源順応かまどを熱源として用いる潤滑オイルを内蔵液体の沸騰圧力ボイラーとして、前記ボイラーで発生した高温・圧蒸気で駆動する液体を潤滑オイルとしたことで、軸受部分の直付けの簡略・単純化と高速回転を可能とした超小型多段多軸蒸気タービンと、前記蒸気タービンで発生した高速回転運動エネルギー２０，０００rpmに比例した高出力電気エネルギー１００kw（ps）/rpmが可能となり、結果、自動電気動力機自体が、バッテリーを軽量・小型化出来て、外部からの充電・そのための消費時間皆無等々にて自立発電出来る電気動力機器組込・単体固定式の自家発電機として多目的、有効的に電力変換装置を通して使用したり、電源として直接使用出来る自家発電機装置。
【請求項７】
請求項７の内容
請求項１〜４のいずれかに記載の高密度・熱量ペレット燃料を用いた自家製造バイオマスペレット燃料用の耐震・衝撃装置・火消し蓋付き壺兼用熱源順応かまどを熱源として用いるボイラー（内部液体は潤滑オイルを用いている）と、前記ボイラーで発生した高温・圧蒸気で駆動する前記蒸気タービンと、前記蒸気タービンで発生した高速回転運動エネルギーに比例して高出力電気エネルギーに変換する自家発電機と、前記蒸気タービンの蒸気排出口と接続された熱交換器と、前記熱交換器排出口に繋がる放熱螺旋形配管パイプが内蔵された熱湯保温庫の部分の、前記放熱螺旋形配管パイプが、尚更なる、前記パイプより太い外径の放熱螺旋形配管パイプで二重に密閉して被せられ、前記内部液体は、潤滑オイルを用いて、中心パイプ内蔵の液体と類似のものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震・衝撃装置・火消し蓋付き壺兼用熱源順応かまどの前記ボイラー加熱とを加えた加熱量によって、保温庫内給湯量の大量使用の冷水入れ替え時（夏場の冷水保管庫（８６）は冷房専用）、暖房試用期間や発電不要時には、前記ボイラー内加熱ヒーターの自動温度調整によって内燃機関のアイドリング状態似の低出力発電にも対応できる、尚更に給湯水不要の場合は、前記ボイラー内加熱ヒーターの自動温度調整によって、中心パイプ内液体保温状態で、持続的熱湯保温・冷暖房機に繋がる冷媒機と、前記自家発電機で発生した電気によって駆動する空調冷暖房機とを備える、空調冷暖房機装置。
【請求項８】
請求項８の内容
請求項１〜４のいずれかに記載の高密度・熱量ペレット燃料を用いた自家製造バイオマスペレット燃料用の耐震・衝撃装置・火消し蓋付き壺兼用熱源順応かまどの前記上部の図３の（１４）の開口部に投入した、貴重な前記バイオマスペレット投入の前記ボイラーの沸点状態に於ける1回燃焼分の燃料エネルギーを１容量としたものに対して、熱源として同時複合化することで、エネルギー複数容量に変換増大化できることによって、バイオマスペレット燃料源供給不足・忘れ・その他供給停止のことが起こっても、自己完結的に、前記熱湯保温庫に代表される複合的エネルギー保持されることも手伝って、前記ボイラー内蔵の自家高出力電気の前記ヒーターによって持続してエネルギーを供給できることで、自家製造バイオマスペレット燃料の耐震・衝撃装置・火消し蓋付き壺兼用熱源順応かまどエネルギー停止状態前の前記ストーブ放熱熱源組込機・電気動力組込装置・冷暖房空調機・熱湯保温庫・給湯機・自家発電機装置を同時に複合化使用できることで、引き続きそのエネルギーを保持・持続・自立・増大化出来る各種変換増大化装置。
【手続補正４】
【補正対象書類名】図面
【補正対象項目名】図７
【補正方法】変更
【補正の内容】
【図７】
2014081084.tif 000019
【手続補正５】
【補正対象書類名】図面
【補正対象項目名】図８
【補正方法】追加
【補正の内容】
【図８】
2014081084.tif 000020
【手続補正６】
【補正対象書類名】図面
【補正対象項目名】図９
【補正方法】追加
【補正の内容】
【図９】
2014081084.tif 000021
【手続補正書】
【提出日】平成24年9月6日(2012.9.6)
【手続補正１】
【補正対象書類名】明細書
【補正対象項目名】０００２
【補正方法】変更
【補正の内容】
【０００２】
バイオマスペレットを燃料とするストーブやボイラーは、色々あるが、どの燃料源も、薪・バイオマスペレットも自在に使用できる内容の物はなくて、更に、有事の場合にも複合的活用できるシステムになっていない、そればかりか、低密度・熱量で、専用ペレットストーブはグリーンというタイトルのみに頼ったように高額過ぎて実質的になじめず、大型・容量タイプで、しかも、費用対効果的にも難色を感じることを禁じえない、このように、従来のエネルギー燃料は、大型プラントでしか造れなくて、負の生産が甚だしいので、負を減らすことと、エネルギーを一極集中大型化して広範囲に分散・配している現状と、高密度ポイント複合化することとは、相矛盾していて、エネルギーの損失が過大にて全く利用不可能であるので、可能にするには、家庭・事業所生ゴミ等を産業廃棄物化しない装置で、費用対効果ある正を保持・増大化出来る家庭・事業所単位のセパレート化が希求されている、
本発明に関連して、特許文献内容には、自家製の高密度・熱量でグリーンな家庭・事業所の生ゴミ等のバイオマスペレット燃料の製造方法が登録されている。
【手続補正２】
【補正対象書類名】明細書
【補正対象項目名】０００６
【補正方法】変更
【補正の内容】
【０００６】
かくして本発明によれば、下記（１）〜（４）の前記高密度・熱量ペレット燃料を用いた自家製造バイオマスペレット燃料用の耐震・衝撃装置・火消し蓋付き壺兼用熱源順応かまど・下記（５）のストーブ放熱熱源組込み機装置・下記（６）の前記出し入れ自在の自家製造高密度・熱量バイオマスペレット燃料用の耐震・衝撃装置・火消し蓋付き壺兼用熱源順応かまどを用いた自動電気動力発電ミニプラント組込装置・（７）の前記自家製造高密度・熱量バイオマスペレット燃料を用いる冷暖房空調機装置・下記（８）の前記ペレットを用いた熱量を活用する床冷暖房・給湯機装置・下記(９)の前記ペレットを用いた高温・高圧蒸気の蒸気タービンの高速回転を高出力電気に変換する自家発電機装置・下記（１０）の前記ペレットを用いる変換複合機械装置のエネルギー持続可能な各種変換増大化装置が提供される。
（１）少なくとも上部に開口部を有する耐熱性容器と、前記耐熱性容器の上部の開口部を開閉できるように設けられた耐震装置・火消蓋付きと、着火装置とを備える、前記高密度・熱量ペレット燃料を用いた自家製造バイオマスペレット燃料用の耐震・衝撃装置・火消し蓋付き壺兼用熱源順応かまど。
（２）前記耐熱性容器が、珪藻土製の容器である、前記（１）に記載の前記高密度・熱量ペレット燃料を用いた自家製造バイオマスペレット燃料用の耐震・衝撃装置・火消し蓋付き壺兼用熱源順応かまど。
（３）さらに、踏み台と、前記踏み台と前記高密度・熱量ペレット燃料を用いた自家製造バイオマスペレット燃料用の耐震・衝撃装置・火消し蓋付き壺兼用熱源順応かまどとを連結する火消し蓋開閉機構とを備える前記高密度・熱量ペレット燃料を用いた自家製造バイオマスペレット燃料用の耐震・衝撃装置・火消し蓋付き壺兼用熱源順応かまどであって、耐震装置によるか、踏み台を操作することで、火消蓋開閉機構を通じて、火消蓋の開閉状態を制御するものである、前記（１）〜（２）のいずれかに記載の前記高密度・熱量ペレット燃料を用いた自家製造バイオマスペレット燃料用の耐震・衝撃装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載の前記高密度・熱量ペレット燃料を用いた自家製造バイオマスペレット燃料用の耐震・衝撃装置・火消し蓋付き壺兼用熱源順応かまど。
（５）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いるストーブ放熱熱源組込み機装置。
（６）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる後記（７）〜（１０）いずれかに記載の各装置を組み込むに、その内の給湯水装置を除外した物と、そうでない物とに分けると、
一つは、保温庫給湯水装置を除外した物を用いた内蔵の発電機装置は、自動電気動力を自動機器設置内部で直接・効率・円滑的に駆動させることが可能であることから、バッテリー電気をスタート時のみ用いるか、内燃機関のアイドリング状態似のボイラー熱源電気ヒーターの自動調整による蒸気タービンの低速回転にて、前記保温庫内温度を確保出来て、短時間で高出力電気エネルギー化出来て、電気高・低出力調整も出来ることの何れかであり、自家製造電気エネルギーを前記自動電気動力の内部で直接使用することで、外部電気取入不要にて、バッテリーを軽量・小型化でき、調整・持続・自立した高出力電気エネルギーが、電気動力装置が組み込まれた後記（７）〜（１０）いずれかに記載の各装置を用いた自家発電機装置でもって前記自動機器外部の各家庭・事業所使用電気エネルギーをも供給出来る図７・８・９に示す通りの自動電気動力駆動発電機組込ミニプラント装置。
二つは、保温庫給湯水装置を付帯した後記（７）〜（１０）の装置は、後記（８）の装置を組み込んだ内容の前記自動電気動力装置として、ボイラー内加熱電気ヒーター最大にして前記高密度・熱量ペレット燃料を用いた自家製造バイオマスペレット燃料用の耐震・衝撃装置・火消し蓋付き壺兼用熱源順応かまどの前記自家製ペレット燃料を自動投下燃焼を最大化して、尚且つ、保温庫内自家製電気ヒーターを最大化して冷水注入温度低下を短時間で補完して、自動電気動力装置に組込まれた後記（７）〜（１０）いずれかに記載の各装置を用いた自家発電機装置でもって、自らの自動内蔵自家製電気動力エネルギーに限らず、各家庭・事業所使用電気エネルギーをも供給出来る図７・８・９に示す通りの自動電気動力駆動発電機組込ミニプラント装置。
（７）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記ボイラーと、前記ボイラーで発生した高温・圧蒸気で駆動する液体を潤滑オイルとした軸流多段蒸気タービンとして用いて、軸受部分の直付けの簡略・単純化と高速回転を可能として、超小型・高速化を可能とした蒸気タービンと、前記蒸気タービンで発生した高速運動エネルギーに比例した高出力電気エネルギーに変換増大化する自家発電機装置と、前記蒸気タービンの蒸気排気口と接続された熱交換器と、前記熱交換器排出口に繋がる冷媒機と、前記自家発電機で発生した電気によって駆動する冷暖房空調機とを備える冷暖房空調機装置。
（８））前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記ボイラーで発生した高温・圧蒸気で駆動する液体を潤滑オイルとした多段多軸蒸気タービンと前記蒸気タービンの蒸気排気口と接続された熱交換器と、前記熱交換機の排出口に接続された放熱螺旋形配管パイプが内蔵された前記潤滑オイルである液体と給湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記自家製造高密度・熱量バイオマスペレット燃料用の耐震・衝撃装置・火消し蓋付き壺兼用熱源順応かまどの熱源として用いる前記ボイラー過熱とを加えた加熱量によって、保温庫内給湯量の大量使用の冷水入れ替え時にも対応出来る、これによって、中心パイプ内液体高温保温状態で、持続的熱湯保温・給湯・床冷暖房機による温水給配と保温庫内配管・給排水口取付口設備にて、床冷暖房機とを備える、床冷暖房・給湯機装置。
（９）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記自家発電機によって発生した高出力電気を電力変換機装置を経て各種電圧電源を供給したり、選択充電を使用したり出来て、電気動力組込の必要条件にて、前記超小型軸流多段型蒸気タービンで発生した高速回転運動エネルギー１５，０００〜２０，０００rpmに比例した（電圧設定は５０〜１００Ｖ調整を外形の大きさをも考慮して決定）高出力電気エネルギー１００kw（ps）/rpm以上に変換増大化する自家発電機装置。
【手続補正３】
【補正対象書類名】明細書
【補正対象項目名】０００８
【補正方法】変更
【補正の内容】
【０００８】
上記のようにセパレート家庭・事業所単位であって、対既存化石・電気エネルギーに与しない、国内自給自足出来る前記（０００３）の高密度・熱量自家製造バイオマスペレット燃料を用いた高温・圧蒸気ボイラーエネルギーと蒸気タービン駆動の高速回転に比例する高出力自家発電気による変換電気のエネルギーとで単純・簡単構造にしてリーズナブルな低廉価格でしかも本格的な燃料源としての前記高密度・熱量ペレット燃料を用いた自家製造バイオマスペレット燃料用の耐震・衝撃装置・火消し蓋付き壺兼用熱源順応かまどのエネルギーを持続・増大化して、尚且つ、環境・経済問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来る発展的マルチタイプの前記高密度・熱量ペレット燃料を用いた自家製造バイオマスペレット燃料用の耐震・衝撃装置・火消し蓋付き壺兼用熱源順応かまどのことを前記（０００５）に付記する。
【手続補正４】
【補正対象書類名】明細書
【補正対象項目名】００１９
【補正方法】変更
【補正の内容】
【００１９】
本発明の第３は、本発明の図１・２・３・４・７・８・９に示す前記高密度・熱量ペレット燃料を用いた自家製造バイオマスペレット燃料用の耐震・衝撃装置・火消し蓋付き壺兼用熱源順応かまどを（１４）の目皿にて燃焼容量１回分投与のエネルギー容量１とする、エネルギー熱源として同時に用いるボイラーと、前記ボイラーで発生したボイラー内蔵液体の潤滑オイルの高温・圧蒸気で駆動する蒸気タービンと、前記超小型軸流多段蒸気タービンで発生した高速回転運動エネルギー１５，０００〜２０，０００rpmに比例する高出力電気エネルギー１００kw（pS）/rpm以上に変換する（電圧設定は５０〜１００Ｖ調整を外形の大きさをも考慮して決定）自家発電機と、前記自家発電機で発生した電気によって、前記蒸気タービンの蒸気排気口と繋がった熱交換器と、前記熱交換機に接続された放熱螺旋形パイプ内蔵の前記保温庫内の放熱螺旋形配管パイプが、尚更なる、前記パイプより太い外径の放熱螺旋形配管パイプで二重に密閉して被せられ、内部液体は、中心パイプ内蔵の液体と同じものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震装置・火消し蓋付き壺兼用熱源順応かまどの前記ボイラー過熱とを加えた加熱量によって、保温庫内給湯量の大量使用の冷水入れ替え時にも対応して、熱湯・床冷暖・給湯装置に接続駆動された冷媒機等各複合機器と、これらによって、
一つは、自家発電機からそのまま高出力電気電源としての利用で以って、余剰電気は分配・売電出来て、
二つは、（１０）の電力変換装置より電気をバッテリーに各別充電して、尚且つ電力変換装置を経て各別電源に変換して持続・自立的に利用できる自家発電機装置で発生した電気によって、駆動・送風サポートする冷暖房床・空調機とを備える、固定・自動電気動力機器組込形式何れかのミニプラント自家発電機装置である。
【手続補正５】
【補正対象書類名】明細書
【補正対象項目名】００２０
【補正方法】変更
【補正の内容】
【００２０】
本発明の自家発電機・冷暖房空調装置の模式外形構図を図７・８に示す、図中、前記高密度・熱量ペレット燃料を用いた自家製造バイオマスペレット燃料用の耐震・衝撃装置・火消し蓋付き壺兼用熱源順応かまど（１）で発生した熱により、ボイラー（２）に収容された液体である潤滑オイル（沸点調性剤使用も可）を高温・圧蒸気により超小型蒸気タービン（３）の高速回転１５，０００〜２０，０００rpmに比例して高出力１００kw（ps）/rpm以上自家発電を行い、得られた電気により、各別電源として用いる自家発電装置であり、余力各別電気は、前記蒸気タービンの排出口に繋がる熱交換器と前記熱交換器より排出の高温・圧の蒸気と、熱交換器の排出口に繋がる前記二重構造の放熱螺旋形パイプと前記電気加熱ヒーター放熱螺旋形パイプ内蔵の熱湯保温庫、冷媒機とを併せ以って冷暖房空調および給湯・床冷暖房機を十二分にサポートして行う装置であり、図７・８中、（１）は、家庭バイオマスペレット燃料の耐震装置・火消し蓋付き壺兼用熱源順応かまど、（２）は、自家発電気ヒーター内蔵ボイラー、（３）は超小型軸流多段蒸気タービン、（４）は、自家発電機、（５）は、熱交換器、（６）は、電気モーター（電力は自己完結方式）、（７）・（２１）は循環ポンプ、（８）は、発電余力電力の充電用安全機、（９）は、充電器、（１０）は、電力変換装置である。
【手続補正６】
【補正対象書類名】明細書
【補正対象項目名】００２２
【補正方法】変更
【補正の内容】
【００２２】
１、高密度・熱量ペレット燃料を用いた自家製造バイオマスペレット燃料用の耐震・衝撃装置・火消し蓋付き壺兼用熱源順応かまど
２、ボイラー（内蔵液体潤滑オイル使用、温度センサー付き自己完結型高出力電気ヒーター・切替機装置内蔵）
３、超小型軸流多段蒸気タービン
４、自家発電機
５、熱交換器
６、電気モーター（電力は自己完結方式）
７、循環ポンプ
８、発電気の電力変換機装置と充電機の安全機
９、充電器                                  
10、正弦波長・電力変換装置
11、ストーブ用の耐熱珪藻土かまど
12、アジャスト薪空気孔付き受け皿（薪を用いる場合のストーブ用部材。）
13、前記１の火消開閉蓋（取換用部品。）
14、バイオマスペレット燃料置き空気孔付き受皿（（２８）と一体構造の鋳物）
15、かまど空気開閉調整口（引き違い戸かはめ込み栓方式の何れか。）
16、アジャスト空気孔筒伸縮調整蛇腹（内気導入を止めて、外気導入時の備品）
17、スチール着火カプセル（ポリプロピレン入り金属製発火口付きカプセル）
18、ストーブ（（１）の放熱熱源組込み機装置）
19、モーター・除湿調性用ヒーター付き送風ファン
20、冷媒機熱（熱交換器に繋がった保温庫に繋がる）
21、モーター付き圧縮ポンプ（冷暖切換機付き）
22、火消用落し蓋アジャスター継ぎ手
23、火消用落し蓋アジャスター踏み台
24、火消用落し蓋アジャスト重量（目皿＋火消蓋＋（１４）の燃料合計より重い。）継ぎ手鋳・鉄棒
25、（２７）継ぎ手と一体構造の鋳物製目皿（（２８）のアジャスターを目皿の型に刳り抜いた形体）
26、踏み台の補助取っ手
27、火消蓋・目皿自在継ぎ手（（２８）アジャスターの丁番（３３）を支点に上下降する）
28、目皿・火消蓋アジャスター・フェンダー（（１４）・（２７）と同質の鋳物で（１４）と一体構造）
29、火消蓋（（３２）取付具によって（２５）の目皿と一体化出来、それまでは落蓋。）
30、火消蓋アジャスター継ぎ手支点
31、火消壺・かまど（珪藻土。）
32、目皿の火消蓋自在取付具兼（３９）の作動自在解除具併せ持つ、（３９）のストッパーを外す。
33、目皿と継ぎ手・火消蓋の支点のアジャスターの丁番
34、ストーブ煙突
35、薪ストーブ窓
36、ストーブ灰皿受け
37、耐震装置金属ボールの（３２）自在解除具に金属ボールが転がり衝突作動      
38、外壁ステンレス板（珪藻土外壁強化材）
39、安全ストッパー（（２９）の火消蓋が動かぬ様に固定化、（３７）の（３２）によって外れる。）
40、保温庫（熱交換器に接続の二重構造放熱配管の螺旋形パイプと電気加熱温度センサー付きヒーター螺旋形パイプの保温庫内内蔵と保温庫の給湯・床暖・熱湯保温する（床暖引込口・パイプ等埋設設備複数予備パイプライン・ジョイントあり、冷媒機に接続される））
41、ヒーター（湿度調整）（１９）のヒーター付き送風ファンに同じ
42、（１１）の鋳物製フェンダー（（２８）のフェンダーと同じ働き）
43,ミニプラント自家発電機装置（固定・電気動力機器組込何れかの方式）
44,ペレット燃料自動投下装置
45,潤滑オイルとオイルフィルター交換口装置（潤滑オイル交換が定期的に必要）
46,冷房機冷水補助タンク
47,ボイラー（２）、かまど（１）収納容器兼自動強制排気設備
【手続補正７】
【補正対象書類名】特許請求の範囲
【補正対象項目名】請求項６
【補正方法】変更
【補正の内容】
【請求項６】
請求項１〜４のいずれかに記載の高密度・熱量ペレット燃料を用いた自家製造バイオマスペレット燃料用の耐震・衝撃装置・火消し蓋付き壺兼用熱源順応かまどを熱源として用いる潤滑オイルを内蔵液体の沸騰圧力ボイラーとして、前記ボイラーで発生した高温・圧蒸気で駆動する液体を潤滑オイルとしたことで、軸受部分の直付けの簡略・単純・小型化と高速回転を可能とした超小型軸流多段蒸気タービンと、前記蒸気タービンで発生した高速回転運動エネルギー１５，０００〜２０，０００rpmに比例した高出力電気エネルギー１００kw（ps）/rpm以上が可能となり、結果、自動電気動力機自体が、バッテリーを軽量・小型化出来て、外部からの充電・そのための消費時間皆無等々にて自立発電出来る電気動力機器組込・単体固定式の自家発電機として多目的、有効的に電力変換装置を通して使用したり、電源として直接使用出来る自家発電機装置。
【手続補正書】
【提出日】平成24年9月7日(2012.9.7)
【手続補正１】
【補正対象書類名】明細書
【補正対象項目名】０００６
【補正方法】変更
【補正の内容】
【０００６】
かくして本発明によれば、下記（１）〜（４）の前記高密度・熱量ペレット燃料を用いた自家製造バイオマスペレット燃料用の耐震・衝撃装置・火消し蓋付き壺兼用熱源順応かまど・下記（５）のストーブ放熱熱源組込み機装置・下記（６）の前記出し入れ自在の自家製造高密度・熱量バイオマスペレット燃料用の耐震・衝撃装置・火消し蓋付き壺兼用熱源順応かまどを用いた自動電気動力発電ミニプラント組込装置・（７）の前記自家製造高密度・熱量バイオマスペレット燃料を用いる冷暖房空調機装置・下記（８）の前記ペレットを用いた熱量を活用する床冷暖房・給湯機装置・下記(９)の前記ペレットを用いた高温・高圧蒸気の蒸気タービンの高速回転を高出力電気に変換する自家発電機装置・下記（１０）の前記ペレットを用いる変換複合機械装置のエネルギー持続可能な各種変換増大化装置が提供される。
（１）少なくとも上部に開口部を有する耐熱性容器と、前記耐熱性容器の上部の開口部を開閉できるように設けられた耐震装置・火消蓋付きと、着火装置とを備える、前記高密度・熱量ペレット燃料を用いた自家製造バイオマスペレット燃料用の耐震・衝撃装置・火消し蓋付き壺兼用熱源順応かまど。
（２）前記耐熱性容器が、珪藻土製の容器である、前記（１）に記載の前記高密度・熱量ペレット燃料を用いた自家製造バイオマスペレット燃料用の耐震・衝撃装置・火消し蓋付き壺兼用熱源順応かまど。
（３）さらに、踏み台と、前記踏み台と前記高密度・熱量ペレット燃料を用いた自家製造バイオマスペレット燃料用の耐震・衝撃装置・火消し蓋付き壺兼用熱源順応かまどとを連結する火消し蓋開閉機構とを備える前記高密度・熱量ペレット燃料を用いた自家製造バイオマスペレット燃料用の耐震・衝撃装置・火消し蓋付き壺兼用熱源順応かまどであって、耐震装置によるか、踏み台を操作することで、火消蓋開閉機構を通じて、火消蓋の開閉状態を制御するものである、前記（１）〜（２）のいずれかに記載の前記高密度・熱量ペレット燃料を用いた自家製造バイオマスペレット燃料用の耐震・衝撃装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載の前記高密度・熱量ペレット燃料を用いた自家製造バイオマスペレット燃料用の耐震・衝撃装置・火消し蓋付き壺兼用熱源順応かまど。
（５）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いるストーブ放熱熱源組込み機装置。
（６）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる後記（７）〜（１０）いずれかに記載の各装置を組み込むに、その内の給湯水装置を除外した物と、そうでない物とに分けると、
一つは、保温庫の給湯水装置部分のみを除外した物を用いた内蔵の発電機装置は、自動電気動力を自動機器設置内部で直接・効率・円滑的に駆動させることが可能であることから、バッテリー電気をスタート時のみ用いるか、内燃機関のアイドリング状態似のボイラー熱源電気ヒーターの自動調整による蒸気タービンの低速回転にて、前記保温庫内温度を確保出来て、短時間で高出力電気エネルギー化出来て、電気高・低出力調整も出来ることの何れかであり、自家製造電気エネルギーを前記自動電気動力の内部で直接使用することで、外部電気取入不要にて、バッテリーを軽量・小型化でき、調整・持続・自立した高出力電気エネルギーが、電気動力装置が組み込まれた後記（７）〜（１０）いずれかに記載の各装置を用いた自家発電機装置でもって前記自動機器外部の各家庭・事業所使用電気エネルギーをも供給出来る図７・８・９に示す通りの自動電気動力駆動発電機組込ミニプラント装置。
二つは、保温庫給湯水装置を付帯した後記（７）〜（１０）の装置は、後記（８）の装置を組み込んだ内容の前記自動電気動力装置として、ボイラー内加熱電気ヒーター最大にして前記高密度・熱量ペレット燃料を用いた自家製造バイオマスペレット燃料用の耐震・衝撃装置・火消し蓋付き壺兼用熱源順応かまどの前記自家製ペレット燃料を自動投下燃焼を最大化して、尚且つ、保温庫内自家製電気ヒーターを最大化して冷水注入温度低下を短時間で補完して、自動電気動力装置に組込まれた後記（７）〜（１０）いずれかに記載の各装置を用いた自家発電機装置でもって、自らの自動内蔵自家製電気動力エネルギーに限らず、各家庭・事業所使用電気エネルギーをも供給出来る図７・８・９に示す通りの自動電気動力駆動発電機組込ミニプラント装置。
（７）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記ボイラーと、前記ボイラーで発生した高温・圧蒸気で駆動する液体を潤滑オイルとした軸流多段蒸気タービンとして用いて、直付けの軸受部分の簡略・単純・小型化の既存機械製作か、作り直しリビルトも可としての潤滑高速回転を可能となった、超小型・高速化を可能とした超小型軸流多段蒸気タービンと、前記蒸気タービンで発生した高速運動エネルギーに比例した高出力電気エネルギーに変換増大化する自家発電機装置と、前記蒸気タービンの蒸気排気口と接続された熱交換器と、前記熱交換器排出口に繋がる冷媒機と、前記自家発電機で発生した電気によって駆動する冷暖房空調機とを備える冷暖房空調機装置。
（８））前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記ボイラーで発生した高温・圧蒸気で駆動する液体を潤滑オイルとした超小型軸流多段蒸気タービンと前記蒸気タービンの蒸気排気口と接続された熱交換器と、前記熱交換機の排出口に接続された放熱螺旋形配管パイプが内蔵された前記潤滑オイルである液体と給湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記自家製造高密度・熱量バイオマスペレット燃料用の耐震・衝撃装置・火消し蓋付き壺兼用熱源順応かまどの熱源として用いる前記ボイラー過熱とを加えた加熱量によって、保温庫内給湯量の大量使用の冷水入れ替え時にも対応出来る、これによって、中心パイプ内液体高温保温状態で、持続的熱湯保温・給湯・床冷暖房機による温水給配と保温庫内配管・給排水口取付口設備にて、床冷暖房機とを備える、床冷暖房・給湯機装置。
（９）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記自家発電機によって発生した高出力電気を電力変換機装置を経て各種電圧電源を供給したり、選択充電を使用したり出来て、電気動力組込の必要条件にて、前記超小型軸流多段型蒸気タービンで発生した高速回転運動エネルギー１５，０００〜２０，０００rpmに比例した（電圧設定は５０〜１００Ｖ調整を外形の大きさをも考慮して決定）高出力電気エネルギー１００kw（ps）/rpm以上に変換増大化する自家発電機装置。
【手続補正書】
【提出日】平成24年9月9日(2012.9.9)
【手続補正１】
【補正対象書類名】明細書
【補正対象項目名】０００６
【補正方法】変更
【補正の内容】
【０００６】
かくして本発明によれば、下記（１）〜（４）の前記高密度・熱量ペレット燃料を用いた自家製造バイオマスペレット燃料用の耐震・衝撃装置・火消し蓋付き壺兼用熱源順応かまど・下記（５）のストーブ放熱熱源組込み機装置・下記（６）の前記出し入れ自在の自家製造高密度・熱量バイオマスペレット燃料用の耐震・衝撃装置・火消し蓋付き壺兼用熱源順応かまどを用いた自動電気動力発電ミニプラント組込装置・（７）の前記自家製造高密度・熱量バイオマスペレット燃料を用いる冷暖房空調機装置・下記（８）の前記ペレットを用いた熱量を活用する床冷暖房・給湯機装置・下記(９)の前記ペレットを用いた高温・高圧蒸気の蒸気タービンの高速回転を高出力電気に変換する自家発電機装置・下記（１０）の前記ペレットを用いる変換複合機械装置のエネルギー持続可能な各種変換増大化装置が提供される。
（１）少なくとも上部に開口部を有する耐熱性容器と、前記耐熱性容器の上部の開口部を開閉できるように設けられた耐震装置・火消蓋付きと、着火装置とを備える、前記高密度・熱量ペレット燃料を用いた自家製造バイオマスペレット燃料用の耐震・衝撃装置・火消し蓋付き壺兼用熱源順応かまど。
（２）前記耐熱性容器が、珪藻土製の容器である、前記（１）に記載の前記高密度・熱量ペレット燃料を用いた自家製造バイオマスペレット燃料用の耐震・衝撃装置・火消し蓋付き壺兼用熱源順応かまど。
（３）さらに、踏み台と、前記踏み台と前記高密度・熱量ペレット燃料を用いた自家製造バイオマスペレット燃料用の耐震・衝撃装置・火消し蓋付き壺兼用熱源順応かまどとを連結する火消し蓋開閉機構とを備える前記高密度・熱量ペレット燃料を用いた自家製造バイオマスペレット燃料用の耐震・衝撃装置・火消し蓋付き壺兼用熱源順応かまどであって、耐震装置によるか、踏み台を操作することで、火消蓋開閉機構を通じて、火消蓋の開閉状態を制御するものである、前記（１）〜（２）のいずれかに記載の前記高密度・熱量ペレット燃料を用いた自家製造バイオマスペレット燃料用の耐震・衝撃装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載の前記高密度・熱量ペレット燃料を用いた自家製造バイオマスペレット燃料用の耐震・衝撃装置・火消し蓋付き壺兼用熱源順応かまど。
（５）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いるストーブ放熱熱源組込み機装置。
（６）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる後記（７）〜（１０）いずれかに記載の各装置を組み込むに、その保温庫内の給湯水装置部分を除外した物と、そうでない物とに分けると、
一つは、保温庫の給湯水装置部分のみを除外した物を用いた内蔵の発電機装置は、自動電気動力を自動機器設置内部で直接・効率・円滑的に駆動させることが可能であることから、バッテリー電気をスタート時のみ用いるか、内燃機関のアイドリング状態似のボイラー熱源電気ヒーターの自動調整による蒸気タービンの低速回転にて、前記保温庫内温度を確保出来て、短時間で高出力電気エネルギー化出来て、電気高・低出力調整も出来ることの何れかであり、自家製造電気エネルギーを前記自動電気動力の内部で直接使用することで、外部電気取入不要にて、バッテリーを軽量・小型化でき、調整・持続・自立した高出力電気エネルギーが、電気動力装置が組み込まれた後記（７）〜（１０）いずれかに記載の各装置を用いた自家発電機装置でもって前記自動機器外部の各家庭・事業所使用電気エネルギーをも供給出来る図７・８・９に示す通りの自動電気動力駆動発電機組込ミニプラント装置。
二つは、保温庫給湯水装置を付帯した後記（７）〜（１０）の装置は、後記（８）の装置を組み込んだ内容の前記自動電気動力装置として、ボイラー内加熱電気ヒーター最大にして前記高密度・熱量ペレット燃料を用いた自家製造バイオマスペレット燃料用の耐震・衝撃装置・火消し蓋付き壺兼用熱源順応かまどの前記自家製ペレット燃料を自動投下燃焼を最大化して、尚且つ、保温庫内自家製電気ヒーターを最大化して冷水注入温度低下を短時間で補完して、自動電気動力装置に組込まれた後記（７）〜（１０）いずれかに記載の各装置を用いた自家発電機装置でもって、自らの自動内蔵自家製電気動力エネルギーに限らず、各家庭・事業所使用電気エネルギーをも供給出来る図７・８・９に示す通りの自動電気動力駆動発電機組込ミニプラント装置。
（７）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記ボイラーと、前記ボイラーで発生した高温・圧蒸気で駆動する液体を潤滑オイルとした軸流多段蒸気タービンとして用いて、直付けの軸受部分（潤滑オイル直接ベアリング噴霧循環）の図１０（４８）の簡略・単純・小型・潤滑化の新規・既存機械製作か、作り直しリビルトも可としての潤滑高速回転を可能となった、超小型・高速化を可能とした超小型軸流多段蒸気タービンと、前記蒸気タービンで発生した高速運動エネルギーに比例した高出力電気エネルギーに変換増大化する自家発電機装置と、前記蒸気タービンの蒸気排気口（５０）の部分は、型・構造を変えても背圧調整にて、蒸気タービンの高速回転を更に上げるようにすることも好ましい、前記蒸気タービン排出口と接続された熱交換器（５）と、前記熱交換器排出口に繋がる冷媒機（２０）と、前記自家発電機で発生した電気によって駆動する冷暖房空調機とを備える冷暖房空調機装置。
（８））前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記ボイラーで発生した高温・圧蒸気で駆動する液体を潤滑オイルとした超小型軸流多段蒸気タービン（３）と前記蒸気タービンの蒸気排気口と接続された熱交換器と、前記熱交換機の排出口に接続された放熱螺旋形配管パイプが内蔵された前記潤滑オイルである液体と給湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記自家製造高密度・熱量バイオマスペレット燃料用の耐震・衝撃装置・火消し蓋付き壺兼用熱源順応かまどの熱源として用いる前記ボイラー過熱とを加えた加熱量によって、保温庫内給湯量の大量使用の冷水入れ替え時にも対応出来る、これによって、中心パイプ内液体高温保温状態で、持続的熱湯保温・給湯・床冷暖房機による温水給配と保温庫内配管・給排水口取付口設備にて、床冷暖房機とを備える、床冷暖房・給湯機装置。
（９）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記自家発電機によって発生した高出力電気を電力変換機装置を経て各種電圧電源を供給したり、選択充電を使用したり出来て、電気動力組込の必要条件にて、前記超小型軸流多段型蒸気タービンで発生した高速回転運動エネルギー１０，０００〜２０，０００rpmに比例した（電圧設定は２４〜１００Ｖ調整を外形の大きさをも考慮して決定）高出力電気エネルギー１００kw（ps）/rpm以上に変換増大化する自家発電機装置。
【手続補正２】
【補正対象書類名】明細書
【補正対象項目名】０００９
【補正方法】変更
【補正の内容】
【０００９】
【図１】本発明の耐震装置・火消し蓋付き壺兼用熱源順応かまどの平面図である。
【図２】本発明の耐震装置・火消し蓋付き壺兼用熱源順応かまどの正面図である。
【図３】本発明の耐震装置・火消し蓋付き壺兼用熱源順応かまどの踏み台を外した状態A-A” 側断面図である。
【図４】本発明の耐震装置・火消し蓋付き壺兼用熱源順応かまどの踏み台を踏んだ状態のA-A”側断面図である。
【図５】本発明のストーブ放熱熱源組込機の耐震装置・火消し蓋付き壺兼用熱源順応かまどの正面図である。
【図６】本発明のストーブ放熱熱源組込機の耐震装置・火消し壺蓋付き兼用熱源順応かまどの側面図である。
【図７】本発明のシステム実施例を示す図である。
【図８】本発明の前図７の各装置模式図の各形と構造とコンパクトミニプラント電気動力機器組込・固定模式構造・形を示す図である。
【図９】本発明の前記電気動力ミニプラント組込・固定とプラント設置されない家に電気動力組込機より電気注入実施例を示す図である。
【図１０】本発明の前図７・８の（３）潤滑オイル仕様の軸流多段蒸気タービン直付け簡略・簡単軸受けベアリング超小型・高速潤滑化構造・形。
【手続補正３】
【補正対象書類名】明細書
【補正対象項目名】００１９
【補正方法】変更
【補正の内容】
【００１９】
本発明の第３は、本発明の図１・２・３・４・５・６・７・８・９・１１・１２に示す前記高密度・熱量ペレット燃料を用いた自家製造バイオマスペレット燃料用の耐震・衝撃装置・火消し蓋付き壺兼用熱源順応かまどを（１４）の目皿にて燃焼容量１回分投与のエネルギー容量１とする、エネルギー熱源として同時に用いるボイラーと、前記ボイラーで発生したボイラー内蔵液体の潤滑オイルの高温・圧蒸気で駆動する蒸気タービンと、前記超小型軸流多段蒸気タービンで発生した高速回転運動エネルギー１０，０００〜２０，０００rpmに比例する高出力電気エネルギー１００kw（pS）/rpm以上に変換する（電圧設定は２４〜１００Ｖ調整を外形の大きさをも考慮して決定）自家発電機と、前記自家発電機で発生した電気によって、前記蒸気タービンの蒸気排気口と繋がった熱交換器と、前記熱交換機に接続された放熱螺旋形パイプ内蔵の前記保温庫内の放熱螺旋形配管パイプが、尚更なる、前記パイプより太い外径の放熱螺旋形配管パイプで二重に密閉して被せられ、内部液体は、中心パイプ内蔵の液体と同じものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震装置・火消し蓋付き壺兼用熱源順応かまどの前記ボイラー過熱とを加えた加熱量によって、保温庫内給湯量の大量使用の冷水入れ替え時にも対応して、熱湯・床冷暖・給湯装置に接続駆動された冷媒機等各複合機器と、これらによって、
一つは、自家発電機からそのまま高出力電気電源としての利用で以って、余剰電気は分配・売電出来て、
二つは、（１０）の電力変換装置より電気をバッテリーに各別充電して、尚且つ電力変換装置を経て各別電源に変換して持続・自立的に利用できる自家発電機装置で発生した電気によって、駆動・送風サポートする冷暖房床・空調機とを備える、固定・自動電気動力機器組込形式何れかのミニプラント自家発電機装置である。
【手続補正４】
【補正対象書類名】明細書
【補正対象項目名】００２０
【補正方法】変更
【補正の内容】
【００２０】
本発明の自家発電機・冷暖房空調装置の模式外形構図を図７・８に示す、図中、前記高密度・熱量ペレット燃料を用いた自家製造バイオマスペレット燃料用の耐震・衝撃装置・火消し蓋付き壺兼用熱源順応かまど（１）で発生した熱により、ボイラー（２）に収容された液体である潤滑オイル（沸点調性剤使用も可）を高温・圧蒸気により超小型蒸気タービン（３）の高速回転１０，０００〜２０，０００rpmに比例して高出力１００kw（ps）/rpm以上自家発電を行い、得られた電気により、各別電源として用いる自家発電装置であり、余力各別電気は、前記蒸気タービンの排出口に繋がる熱交換器と前記熱交換器より排出の高温・圧の蒸気と、熱交換器の排出口に繋がる前記二重構造の放熱螺旋形パイプと前記電気加熱ヒーター放熱螺旋形パイプ内蔵の熱湯保温庫、冷媒機とを併せ以って冷暖房空調および給湯・床冷暖房機を十二分にサポートして行う装置であり、図７・８中、（１）は、家庭バイオマスペレット燃料の耐震装置・火消し蓋付き壺兼用熱源順応かまど、（２）は、自家発電気ヒーター内蔵ボイラー、（３）は超小型軸流多段蒸気タービン、（４）は、自家発電機、（５）は、熱交換器、（６）は、電気モーター（電力は自己完結方式）、（７）・（２１）は循環ポンプ、（８）は、発電余力電力の充電用安全機、（９）は、充電器、（１０）は、電力変換装置である。
【手続補正５】
【補正対象書類名】明細書
【補正対象項目名】００２２
【補正方法】変更
【補正の内容】
【００２２】
１、高密度・熱量ペレット燃料を用いた自家製造バイオマスペレット燃料用の耐震・衝撃装置・火消し蓋付き壺兼用熱源順応かまど
２、ボイラー（内蔵液体潤滑オイル使用、温度センサー付き自己完結型高出力電気ヒーター・切替機装置内蔵）
３、超小型軸流多段蒸気タービン
４、自家発電機
５、熱交換器
６、電気モーター（電力は自己完結方式）
７、循環ポンプ
８、発電気の電力変換機装置と充電機の安全機
９、充電器                                  
10、正弦波長・電力変換装置
11、ストーブ用の耐熱珪藻土かまど
12、アジャスト薪空気孔付き受け皿（薪を用いる場合のストーブ用部材。）
13、前記１の火消開閉蓋（取換用部品。）
14、バイオマスペレット燃料置き空気孔付き受皿（（２８）と一体構造の鋳物）
15、かまど空気開閉調整口（引き違い戸かはめ込み栓方式の何れか。）
16、アジャスト空気孔筒伸縮調整蛇腹（内気導入を止めて、外気導入時の備品）
17、スチール着火カプセル（ポリプロピレン入り金属製発火口付きカプセル）
18、ストーブ（（１）の放熱熱源組込み機装置）
19、モーター・除湿調性用ヒーター付き送風ファン
20、冷媒機熱（熱交換器に繋がった保温庫に繋がる）
21、モーター付き圧縮ポンプ（冷暖切換機付き）
22、火消用落し蓋アジャスター継ぎ手
23、火消用落し蓋アジャスター踏み台
24、火消用落し蓋アジャスト重量（目皿＋火消蓋＋（１４）の燃料合計より重い。）継ぎ手鋳・鉄棒
25、（２７）継ぎ手と一体構造の鋳物製目皿（（２８）のアジャスターを目皿の型に刳り抜いた形体）
26、踏み台の補助取っ手
27、火消蓋・目皿自在継ぎ手（（２８）アジャスターの丁番（３３）を支点に上下降する）
28、目皿・火消蓋アジャスター・フェンダー（（１４）・（２７）と同質の鋳物で（１４）と一体構造）
29、火消蓋（（３２）取付具によって（２５）の目皿と一体化出来、それまでは落蓋。）
30、火消蓋アジャスター継ぎ手支点
31、火消壺・かまど（珪藻土。）
32、目皿の火消蓋自在取付具兼（３９）の作動自在解除具併せ持つ、（３９）のストッパーを外す。
33、目皿と継ぎ手・火消蓋の支点のアジャスターの丁番
34、ストーブ煙突
35、薪ストーブ窓
36、ストーブ灰皿受け
37、耐震装置金属ボールの（３２）自在解除具に金属ボールが転がり衝突作動      
38、外壁ステンレス板（珪藻土外壁強化材）
39、安全ストッパー（（２９）の火消蓋が動かぬ様に固定化、（３７）の（３２）によって外れる。）
40、保温庫（熱交換器に接続の二重構造放熱配管の螺旋形パイプと電気加熱温度センサー付きヒーター螺旋形パイプの保温庫内内蔵と保温庫の給湯・床暖・熱湯保温する（床暖引込口・パイプ等埋設設備複数予備パイプライン・ジョイントあり、冷媒機に接続される））
41、ヒーター（湿度調整）（１９）のヒーター付き送風ファンに同じ
42、（１１）の鋳物製フェンダー（（２８）のフェンダーと同じ働き）
43,ミニプラント自家発電機装置（固定・電気動力機器組込何れかの方式）
44,ペレット燃料自動投下装置
45,潤滑オイルとオイルフィルター交換口装置（潤滑オイル交換が定期的に必要）
46,冷房機冷水補助タンク
47,ボイラー（２）、かまど（１）収納容器兼自動強制排気設備
48,軸受けベアリング（３の軸受け外側蓋直付け固定）
49,ボイラー（２）からの高温・圧蒸気ノズルの取り入れ口
50,蒸気タービン（３）の液体潤滑オイル蒸気排出口
51, ,蒸気タービン（３）の静翼
52, ,蒸気タービン（３）の動翼ブレード
53, ,蒸気タービン（３）の軸シャフト
【手続補正６】
【補正対象書類名】特許請求の範囲
【補正対象項目名】請求項６
【補正方法】変更
【補正の内容】
【請求項６】
請求項６の内容
請求項１〜４のいずれかに記載の高密度・熱量ペレット燃料を用いた自家製造バイオマスペレット燃料用の耐震・衝撃装置・火消し蓋付き壺兼用熱源順応かまどを熱源として用いる潤滑オイルを内蔵液体の沸騰圧力ボイラーとして、前記ボイラーで発生した高温・圧蒸気で駆動する液体を潤滑オイルとしたことで、軸受部分の直付けの簡略・単純・小型化と高速回転を可能とした超小型軸流多段蒸気タービンと、前記蒸気タービンで発生した高速回転運動エネルギー１０，０００〜２０，０００rpmに比例した高出力電気エネルギー１００kw（ps）/rpm以上が可能となり、結果、自動電気動力機自体が、バッテリーを軽量・小型化出来て、外部からの充電・そのための消費時間皆無等々にて自立発電出来る電気動力機器組込・単体固定式の自家発電機として多目的、有効的に電力変換装置を通して使用したり、電源として直接使用出来る自家発電機装置。
【手続補正７】
【補正対象書類名】図面
【補正対象項目名】図１０
【補正方法】追加
【補正の内容】
【図１０】
2014081084.tif 000022
【手続補正書】
【提出日】平成24年9月10日(2012.9.10)
【手続補正１】
【補正対象書類名】明細書
【補正対象項目名】００２２
【補正方法】変更
【補正の内容】
【００２２】
１、高密度・熱量ペレット燃料を用いた自家製造バイオマスペレット燃料用の耐震・衝撃装置・火消し蓋付き壺兼用熱源順応かまど
２、ボイラー（内蔵液体潤滑オイル使用、温度センサー付き自己完結型高出力電気ヒーター・切替機装置内蔵）
３、超小型軸流多段蒸気タービン
４、自家発電機
５、熱交換器
６、電気モーター（電力は自己完結方式）
７、循環ポンプ
８、発電気の電力変換機装置と充電機の安全機
９、充電器                                  
10、正弦波長・電力変換装置
11、ストーブ用の耐熱珪藻土かまど
12、アジャスト薪空気孔付き受け皿（薪を用いる場合のストーブ用部材。）
13、前記１の火消開閉蓋（取換用部品。）
14、バイオマスペレット燃料置き空気孔付き受皿（（２８）と一体構造の鋳物）
15、かまど空気開閉調整口（引き違い戸かはめ込み栓方式の何れか。）
16、アジャスト空気孔筒伸縮調整蛇腹（内気導入を止めて、外気導入時の備品）
17、スチール着火カプセル（ポリプロピレン入り金属製発火口付きカプセル）
18、ストーブ（（１）の放熱熱源組込み機装置）
19、モーター・除湿調性用ヒーター付き送風ファン
20、冷媒機熱（熱交換器に繋がった保温庫に繋がる）
21、モーター付き圧縮ポンプ（冷暖切換機付き）
22、火消用落し蓋アジャスター継ぎ手
23、火消用落し蓋アジャスター踏み台
24、火消用落し蓋アジャスト重量（目皿＋火消蓋＋（１４）の燃料合計より重い。）継ぎ手鋳・鉄棒
25、（２７）継ぎ手と一体構造の鋳物製目皿（（２８）のアジャスターを目皿の型に刳り抜いた形体）
26、踏み台の補助取っ手
27、火消蓋・目皿自在継ぎ手（（２８）アジャスターの丁番（３３）を支点に上下降する）
28、目皿・火消蓋アジャスター・フェンダー（（１４）・（２７）と同質の鋳物で（１４）と一体構造）
29、火消蓋（（３２）取付具によって（２５）の目皿と一体化出来、それまでは落蓋。）
30、火消蓋アジャスター継ぎ手支点
31、火消壺・かまど（珪藻土。）
32、目皿の火消蓋自在取付具兼（３９）の作動自在解除具併せ持つ、（３９）のストッパーを外す。
33、目皿と継ぎ手・火消蓋の支点のアジャスターの丁番
34、ストーブ煙突
35、薪ストーブ窓
36、ストーブ灰皿受け
37、耐震装置金属ボールの（３２）自在解除具に金属ボールが転がり衝突作動      
38、外壁ステンレス板（珪藻土外壁強化材）
39、安全ストッパー（（２９）の火消蓋が動かぬ様に固定化、（３７）の（３２）によって外れる。）
40、保温庫（熱交換器に接続の二重構造放熱配管の螺旋形パイプと電気加熱温度センサー付きヒーター螺旋形パイプの保温庫内内蔵と保温庫の給湯・床暖・熱湯保温する（床暖引込口・パイプ等埋設設備複数予備パイプライン・ジョイントあり、冷媒機に接続される））
41、ヒーター（湿度調整）（１９）のヒーター付き送風ファンに同じ
42、（１１）の鋳物製フェンダー（（２８）のフェンダーと同じ働き）
43,ミニプラント自家発電機装置（固定・電気動力機器組込何れかの方式）
44,ペレット燃料自動投下装置
45,潤滑オイルとオイルフィルター交換口装置（潤滑オイル交換が定期的に必要）
46,冷房機冷水補助タンク
47,ボイラー（２）、かまど（１）収納容器兼自動強制排気設備
48,軸受けベアリング（３の軸受け外側蓋直付け固定）
49,ボイラー（２）からの高温・圧蒸気ノズルの取り入れ口
50,蒸気タービン（３）の液体潤滑オイル蒸気排出口
51, 蒸気タービン（３）の静翼
52, 蒸気タービン（３）の動翼ブレード
53, 蒸気タービン（３）の軸シャフト
【手続補正書】
【提出日】平成24年9月15日(2012.9.15)
【手続補正１】
【補正対象書類名】明細書
【補正対象項目名】全文
【補正方法】変更
【補正の内容】
【発明の詳細な説明】
【技術分野】
【０００１】
本発明は、前記ストーブ放熱熱源組込機・専用ボイラーの熱源かまどとしても、又、単独でも料理用かまどとしても活用出来て、蒸気タービン高速回転に比例した高出力自家発電機と充電器・電力変換機で各種電源も用意出来て、超小型軸流反動式蒸気タービン排出の高温・圧液体とそれに繋がる保温庫エネルギーとを併せ、加えて、モーターポンプ・送風機を自立完結型にて駆動させることで、冷暖両用となる前記高密度・熱量ペレット燃料を用いた自家製造バイオマスペレット燃料用の耐震・衝撃装置・火消し蓋付き壺兼用熱源順応かまどに関する。
【背景技術】
【０００２】
バイオマスペレットを燃料とするストーブやボイラーは、色々あるが、どの燃料源も、薪・バイオマスペレットも自在に使用できる内容の物はなくて、更に、有事の場合にも複合的活用できるシステムになっていない、そればかりか、低密度・熱量で、専用ペレットストーブはグリーンというタイトルのみに頼ったように高額過ぎて実質的になじめず、大型・容量タイプで、しかも、費用対効果的にも難色を感じることを禁じえない、このように、従来のエネルギー燃料は、大型プラントでしか造れなくて、負の生産が甚だしいので、負を減らすことと、エネルギーを一極集中大型化して広範囲に分散・配している現状と、高密度ポイント複合化することとは、相矛盾していて、エネルギーの損失が過大にて全く利用不可能であるので、可能にするには、家庭・事業所生ゴミ等を産業廃棄物化しない装置で、費用対効果ある正を保持・増大化出来る家庭・事業所単位のセパレート化が希求されている、
本発明に関連して、特許文献内容には、自家製の高密度・熱量でグリーンな家庭・事業所の生ゴミ等のバイオマスペレット燃料の製造方法が登録されている。
【先行技術文献】
【特許文献】
【０００３】
特開２０１１−２５１８８８号公報
【発明の概要】
【発明が解決しようとする課題】
【０００４】
本発明は、上述した実情に鑑みてなされたものであり、より環境にやさしく、どこにでも移設・順応出来る出し入れ自在で簡単・単純なマルチな前記高密度・熱量ペレット燃料を用いた自家製造バイオマスペレット燃料用の耐震・衝撃装置・火消し蓋付き壺兼用熱源順応かまどは、前記ストーブ放熱熱源、各種エネルギー増大化ミニプラント装置の電気動力組込機、及び前記冷暖房空調機・熱湯保温庫・給湯機・自家発電機装置を提供して、同時に複合化することで、前記のグリーンな前記高密度・熱量ペレット燃料を用いた自家製造バイオマスペレット燃料用の耐震・衝撃装置・火消し蓋付き壺兼用熱源順応かまどの熱源エネルギーを保持・自立・増大・持続化することを目的とする。
【課題を解決するための手段】
【０００５】
本発明者は、上記課題を解決すべく鋭意検討した結果、費用対効果があって、環境に優しいバイオマスペレット燃料熱源化でき、基本的構造部分についてどこにでもあり、販売・使用許可される既存道具・部品類を出来るだけ用いて簡単・単純なシステムを以って、旧来の化石・電気エネルギーの動力を廃して、自家製造バイオマス燃料からストーブ放熱熱源・電気動力機器組込機で直接に、そして、複合的に、熱源ボイラー・蒸気タービンの自家発電気で以ってそれに代えられる物とするために複合的順応マルチかまどである前記高密度・熱量ペレット燃料を用いた自家製造バイオマスペレット燃料用の耐震・衝撃装置・火消し蓋付き壺兼用熱源順応かまどを発明した。
【０００６】
かくして本発明によれば、下記（１）〜（４）の前記高密度・熱量ペレット燃料を用いた自家製造バイオマスペレット燃料用の耐震・衝撃装置・火消し蓋付き壺兼用熱源順応かまど・下記（５）のストーブ放熱熱源組込み機装置・下記（６）の前記出し入れ自在の自家製造高密度・熱量バイオマスペレット燃料用の耐震・衝撃装置・火消し蓋付き壺兼用熱源順応かまどを用いた自動電気動力発電ミニプラント組込装置・（７）の前記自家製造高密度・熱量バイオマスペレット燃料を用いる冷暖房空調機装置・下記（８）の前記ペレットを用いた熱量を活用する床冷暖房・給湯機装置・下記(９)の前記ペレットを用いた高温・高圧蒸気の蒸気タービンの高速回転を高出力電気に変換する自家発電機装置・下記（１０）の前記ペレットを用いる変換複合機械装置のエネルギー持続可能な各種変換増大化装置が提供される。
（１）少なくとも上部に開口部を有する耐熱性容器と、前記耐熱性容器の上部の開口部を開閉できるように設けられた耐震装置・火消蓋付きと、着火装置とを備える、前記高密度・熱量ペレット燃料を用いた自家製造バイオマスペレット燃料用の耐震・衝撃装置・火消し蓋付き壺兼用熱源順応かまど。
（２）前記耐熱性容器が、珪藻土製の容器である、前記（１）に記載の前記高密度・熱量ペレット燃料を用いた自家製造バイオマスペレット燃料用の耐震・衝撃装置・火消し蓋付き壺兼用熱源順応かまど。
（３）さらに、踏み台と、前記踏み台と前記高密度・熱量ペレット燃料を用いた自家製造バイオマスペレット燃料用の耐震・衝撃装置・火消し蓋付き壺兼用熱源順応かまどとを連結する火消し蓋開閉機構とを備える前記高密度・熱量ペレット燃料を用いた自家製造バイオマスペレット燃料用の耐震・衝撃装置・火消し蓋付き壺兼用熱源順応かまどであって、耐震装置によるか、踏み台を操作することで、火消蓋開閉機構を通じて、火消蓋の開閉状態を制御するものである、前記（１）〜（２）のいずれかに記載の前記高密度・熱量ペレット燃料を用いた自家製造バイオマスペレット燃料用の耐震・衝撃装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載の前記高密度・熱量ペレット燃料を用いた自家製造バイオマスペレット燃料用の耐震・衝撃装置・火消し蓋付き壺兼用熱源順応かまど。
（５）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いるストーブ放熱熱源組込み機装置。
（６）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる後記（７）〜（１０）いずれかに記載の各装置を組み込むに、その内の給湯水装置を除外した物と、そうでない物とに分けると、
一つは、保温庫の給湯水装置部分のみを除外した物を用いた内蔵の発電機装置は、自動電気動力を自動機器設置内部で直接・効率・円滑的に駆動させることが可能であることから、バッテリー電気をスタート時のみ用いるか、内燃機関のアイドリング状態似のボイラー熱源電気ヒーターの自動調整による蒸気タービンの低速回転にて、前記保温庫内温度を確保出来て、短時間で高出力電気エネルギー化出来て、電気高・低出力調整も出来ることの何れかであり、自家製造電気エネルギーを前記自動電気動力の内部で直接使用することで、外部電気取入不要にて、バッテリーを軽量・小型化でき、調整・持続・自立した高出力電気エネルギーが、電気動力装置が組み込まれた後記（７）〜（１０）いずれかに記載の各装置を用いた自家発電機装置でもって前記自動機器外部の各家庭・事業所使用電気エネルギーをも供給出来る図７・８・１０に示す通りの自動電気動力駆動発電機組込ミニプラント装置。
二つは、保温庫給湯水装置を付帯した後記（７）〜（１０）の装置は、後記（８）の装置を組み込んだ内容の前記自動電気動力装置として、ボイラー内加熱電気ヒーター最大にして前記高密度・熱量ペレット燃料を用いた自家製造バイオマスペレット燃料用の耐震・衝撃装置・火消し蓋付き壺兼用熱源順応かまどの前記自家製ペレット燃料を自動投下燃焼を最大化して、尚且つ、保温庫内自家製電気ヒーターを最大化して冷水注入温度低下を短時間で補完して、自動電気動力装置に組込まれた後記（７）〜（１０）いずれかに記載の各装置を用いた自家発電機装置でもって、自らの自動内蔵自家製電気動力エネルギーに限らず、各家庭・事業所使用電気エネルギーをも供給出来る図７・８・１０に示す通りの自動電気動力駆動発電機組込ミニプラント装置。
（７）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記ボイラーと、前記ボイラーで発生した高温・圧蒸気で駆動する液体を潤滑オイルとした軸流多段反動式蒸気タービン（軸流式の定義は、回転軸に平行な向きに蒸気が流れる間にタービン翼によってエネルギーが得られる方式である、回転翼の長手方向に遠心力が加わるため、工学的な制約が比較的少ない、反動式の定義は、動翼内でも蒸気の圧力エネルギーを運動エネルギーに変換し、動翼から噴出する蒸気の反動力も利用して回転力が発生する、一段落当たりの熱落差が小さく段落数は多くなるが、翼は小型となる、）として用いて、直付けの軸受部分（潤滑オイル直接ベアリング噴霧循環）の図９（４８）の簡略・単純・小型・潤滑化の新規・既存機械製作か作り直しリビルトも可としての高速回転が可能となった、超小型軸流多段反動式蒸気タービンと、前記蒸気タービンで発生した高速運動エネルギーに比例した高出力電気エネルギーに変換増大化する自家発電機装置と、前記蒸気タービンの蒸気排気口（５０）の部分は、形・構造を変えても背圧調整にて、蒸気タービンの高速回転を更に上げるようにすることも好ましい、前記蒸気タービン排出口と接続された熱交換器（５）と、前記熱交換器排出口に繋がる冷媒機（２０）と、前記自家発電機（４）で発生した電気によって駆動する冷暖房空調機とを備える冷暖房空調機装置。
（８））前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記ボイラーで発生した高温・圧蒸気で駆動する液体を潤滑オイルとした超小型軸流多段反動式蒸気タービンと前記蒸気タービンの蒸気排気口と接続された熱交換器と、前記熱交換機の排出口に接続された放熱螺旋形配管パイプが内蔵された前記潤滑オイルである液体と給湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記自家製造高密度・熱量バイオマスペレット燃料用の耐震・衝撃装置・火消し蓋付き壺兼用熱源順応かまどの熱源として用いる前記ボイラー過熱とを加えた加熱量によって、保温庫内給湯量の大量使用の冷水入れ替え時にも対応出来る、これによって、中心パイプ内液体高温保温状態で、持続的熱湯保温・給湯・床冷暖房機による温水給配と保温庫内配管・給排水口取付口設備にて、床冷暖房機とを備える、床冷暖房・給湯機装置。
（９）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記自家発電機によって発生した高出力電気を電力変換機装置を経て各種電圧電源を供給したり、選択充電を使用したり出来て、電気動力組込の必要条件にて、前記超小型軸流多段反動式蒸気タービンで発生した高速回転運動エネルギー１０，０００〜２０，０００ＲＰＭ回転に比例した（発電機の電圧設定は、２４〜１００Ｖ調整を外形の大きさや巻線量と重さをも考慮して決定することが好ましい、）高出力電気エネルギー１００ＫＷ（ＰＳ）のＲＰＭ以上に変換増大化する自家発電機装置。
【０００７】
（１０）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として各種増大化装置による同時複合化することで、貴重な前記高密度・熱量バイオマスペレット燃料エネルギーを、前記（１４）の目皿に投入燃焼１回分の高密度・熱量バイオマスペレット燃料をボイラー（２）の沸点状態に於ける１とする容量に対して、エネルギー複数容量に変換増大化されたことで、上記の自家製造高密度・熱量バイオマスペレット燃料用の耐震・衝撃装置・火消し蓋付き壺兼用熱源順応かまどの前記上部の開口部に投入した前記燃焼１回分のペレット燃料供給が停止・不足・忘れ等がなされたりの状態でも、前記ボイラー内臓の温度感知センサー（２）の作動にて、前記各種エネルギー増大化装置の余剰エネルギーを代表した高出力電気を使った（２）の内蔵電気ヒーターが、持続的エネルギー供給を行える、また、前記バイオマスペレット燃料を投入して燃焼が開始すれば、前記エネルギー燃焼同様に持続的エネルギー供給して、（２）内蔵のセンサーによってヒーターは自動的に解除になったり、自動温度調整にて、内燃機関のアイドリング状態似の低速回転の低出力電気となることにより、保温庫内熱湯温度をキープしたままいつでも短時間で最大高速回転化出来て、高出力電気エネルギー供給出来、アイドリング状態に出来ない場合でも、特に、自動電気動力・固定いずれの場合も、バッテリーで駆動させて短時間に、前記高密度・熱量ペレット燃料を用いた自家製造バイオマスペレット燃料用の耐震・衝撃装置・火消し蓋付き壺兼用熱源順応かまどを自動着火させて、蒸気タービンを高速回転できて、高出力電気エネルギーを生み出せるので、各家庭・事業所単位毎にバラツキのあるバイオマスペレット燃料のエネルギー供給を一律平均的に安定化させることが可能でもあり、セパレート家庭・事業所単位毎に家庭・事業所生ゴミを産業廃棄物化せずに、分散セパレート化したことで、前記（０００３）の特許文献にあるものを併せて、家庭・事業所単位毎のミニプラントエネルギー生産が複合化を可能にしての費用対効果を生み出して、特に、自動電気動力装置に於いては、その都度動力停止しての長時間充電しなくて済み、重量・大型充電器の軽量・小型化が可能となり、グリーンでゆっくりでも豊かな生活を可能にしてくれて、環境・防衛・経済・財政・外交的にもより安定した安心な暮らしを提供される前記高密度・熱量ペレット燃料を用いた自家製造バイオマスペレット燃料用の耐震・衝撃装置・火消し蓋付き壺兼用熱源順応かまどエネルギーの前記（５）〜（１０）のエネルギー持続供給可能な各種変換増大化ミニプラント装置、
【発明の効果】
【０００８】
上記のようにセパレート家庭・事業所単位であって、対既存化石・電気エネルギーに与しない、国内自給自足出来る前記（０００３）の高密度・熱量自家製造バイオマスペレット燃料を用いた高温・圧蒸気ボイラーエネルギーと蒸気タービン駆動の高速回転に比例する高出力自家発電気による変換電気のエネルギーとで単純・簡単構造にしてリーズナブルな低廉価格でしかも本格的な燃料源としての前記高密度・熱量ペレット燃料を用いた自家製造バイオマスペレット燃料用の耐震・衝撃装置・火消し蓋付き壺兼用熱源順応かまどのエネルギーを持続・増大化して、尚且つ、環境・経済問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来る発展的マルチタイプの前記高密度・熱量ペレット燃料を用いた自家製造バイオマスペレット燃料用の耐震・衝撃装置・火消し蓋付き壺兼用熱源順応かまどのことを前記（０００５）の発明に付記する。
【図面の簡単な説明】
【０００９】
【図１】本発明の耐震装置・火消し蓋付き壺兼用熱源順応かまどの平面図である。        
【図２】本発明の耐震装置・火消し蓋付き壺兼用熱源順応かまどの正面図である。      
【図３】本発明の耐震装置・火消し蓋付き壺兼用熱源順応かまどの踏み台を外した状態Ａ-Ａ” 側断面図である。
【図４】本発明の耐震装置・火消し蓋付き壺兼用熱源順応かまどの踏み台を踏んだ状態のＡ-Ａ”側断面図である。  
【図５】本発明のストーブ放熱熱源組込機の耐震装置・火消し蓋付き壺兼用熱源順応かまどの正面図である。
【図６】本発明のストーブ放熱熱源組込機の耐震装置・火消し壺蓋付き兼用熱源順応かまどの側面図である。
【図７】本発明のシステム実施例を示す図である。
【図８】本発明の前図７の各装置模式図の各形と構造とコンパクトミニプラント電気動力機器組込・固定模式構造・形を示す図である。
【図９】本発明の前図７・８の（３）潤滑オイル仕様の超小型軸流多段反動式蒸気タービン直付け簡略・簡単・潤滑軸受けベアリング形・構造を示す図である。
【図１０】本発明の前記自家発電ミニプラント電気動力組込・固定とプラント設置されない家に電気動力組込機と固定機より電気注入実施例を示す図である。    
【発明を実施するための形態】
【００１０】
前記高密度・熱量ペレット燃料を用いた自家製造バイオマスペレット燃料用の耐震・衝撃装置・火消し蓋付き壺兼用熱源順応かまどには、複合的マルチタイプの小・移設型システム内容の発展タイプが求められている、本発明の前記高密度・熱量ペレット燃料を用いた自家製造バイオマスペレット燃料用の耐震・衝撃装置・火消し蓋付き壺兼用熱源順応かまどは、その内容が難しくない簡単・単純なもので、同時複合的連関を発生・展できる発明実施の形態であって、高密度・熱量バイオマスペレット燃料の専用かまどとして環境に優しく、高温に耐えられて、持ち運び移設に小型・簡便・発展的で、図１・２・３・４・７・８に示す通りで、しかも安全であることを可能とした工夫が前記高密度・熱量ペレット燃料を用いた自家製造バイオマスペレット燃料用の耐震・衝撃装置・火消し蓋付き壺兼用熱源順応かまどである。
【００１１】
本発明に用いる燃料ペレットは高密度・熱量に於いて、自動選別・制限される、したがって、ダイオキシンや重金属の除去されていないものや、余分なものが混在している、例えば、放射能をかぶったバイオマスの除染が出来ていないものは当然制限されるが、制限外・されない場合は、本機の増大化装置にて特に基よりペレット燃料使用量も少ないことからもバイオマスの使用量を超えない範囲内にて、コークス、石炭、灯油、ガソリン、ガスを用いることも熱量に言及すれば、好ましいのである、しかしながら、それらに対して前記（０００３）特許文献の高密度・熱量バイオマスペレット燃料は全てを満たして優れているから選外・制限されない内容にて使用燃料指定出来るのである。
【００１２】
以下、添付図面符号に従って一実施例を説明する、図３・４は、本発明の前記高密度・熱量ペレット燃料を用いた自家製造バイオマスペレット燃料用の耐震・衝撃装置・火消し蓋付き壺兼用熱源順応かまどの実施例を示す図２の断面図である、図３・４中、（１１）は、ストーブ用耐熱珪藻土かまど、（１４）は、バイオマスペレット燃料置き空気孔付き受皿、周りの淵は、より堅牢・背高で五徳使用も可、（１５）は、かまど空気調整開閉調整口、（２２）は、火消用落し蓋アジャスター継ぎ手、（２３）は、火消用落し蓋アジャスター踏み台、（２４）は、火消用落し蓋アジャスト重量（目皿・火消蓋・（１４）の燃料より重い）継ぎ手鋳物・鉄棒、（２５）は、（２７）継ぎ手と一体構造の鋳物製目皿、（２６）は、（２３）の踏み台の補助取手、（２７）は、火消蓋・目皿自在継ぎ手（一体構造の目皿と継ぎ手・火消蓋の支点のアジャスターの丁番（３３）にて、シーソー・上下降する）、（２８）は、目皿・火消蓋・（１４）の燃料置き空気孔付き受け皿アジャスター・フェンダー、（２９）は、火消蓋（（３２）の目皿の自在取付具によって用をなして、それまでは単なる自在蓋であるが、（２８）のアジャスターの真下に位置して（３１）の火消壺内を密閉する。）、（３０）は、火消蓋・目皿・（２７）継手アジャスター開閉の上下運動支点、（３１）は、火消壺・かまど、（３２）は、目皿の火消蓋自在取付具兼（３９）の安全ストッパー自在解除具、（３３）は、鋳物製目皿（２５）と火消蓋・目皿自在継ぎ手(２７）との継ぎ手丁番である。
【００１３】
図３・４において、鋳物製目皿（２５）は、一体構造の火消蓋・目皿自在継ぎ手(２７）と目皿と継ぎ手・火消蓋の支点のアジャスターの丁番（３３）において回動自在に取り付けられており、通常は、（２５）の鋳物製目皿、（２９）の火消用落し蓋と、（１４）の燃料の総重量より重い継ぎ手鋳・鉄棒（２４）の重力により、火消蓋・目皿自在継ぎ手（２７）に図中下方向に力が働くことで、鋳物製目皿（２５）は、目皿・火消蓋アジャスター（２８）よりくり抜かれた形が正確にはまり込む（目皿の枠内定位置）ことで、（３２）の取付具によって（２９）の火消蓋が（２８）のアジャスターの真下にくるように固定されている。
【００１４】
図３・４に示す前記高密度・熱量ペレット燃料を用いた自家製造バイオマスペレット燃料用の耐震・衝撃装置・火消し蓋付き壺兼用熱源順応かまどは、バイオマスペレット燃料をバイオマスペレット燃料置き空気孔付き受皿（１４）内に入れ、（２９）の火消蓋を（３２）の自在取付具より放すか、（２５）の目皿の隙間から自動的に軽く叩き落として、（３２）の取付具を解放して（３１）火消壺・かまど内に落とし、（１５）のかまどの空気調整口を開けて、そこでバイオマスペレット燃料を（１７）のスチール着火カプセルにて燃焼させる装置である。
【００１５】
また、使用を中断したい場合等においては、以下のように、図３・４に示す（３９）のストッパーを外してから、又は、耐震・衝撃装置（３７）の金属ボールが、自在解除具（３２）を作動して、（３９）の（３２）よりのリードラインを通して、ストッパーが外れて、燃焼中のバイオマスペレット燃料を火消壺（３１）中に落とし、消火することができる、すなわち、火消用落し蓋アジャスター踏み台（２３）を足で踏むことによるか、耐震・衝撃装置（３７）により、（２５）の目皿、（２８）の火消用落し蓋、  （１４）の中身の燃料の合計重量より（２４）の鉄棒の重量は、重いか、又は、尚更に合計重量に加えて、（３７）の金属ボールの移動落下荷重によって一時的に２倍まで重くなる耐震装置の金属ボール（３７）との合計により重くなった分、軽くなる継手鋳物棒（２４）が、図中、前記の何れかによって上方向に移動し、火消用落し蓋アジャスター継ぎ手（２２）及び火消蓋・目皿自在継ぎ手（２７）が、図中、上方向に移動すると、目皿・火消蓋アジャスター（２８）の真下にくるように固定されていた鋳物製目皿（２５）は、目皿と継ぎ手・火消蓋の支点のアジャスターの丁番（３３）において下方向に回転して、図４に示す状態になる、したがって、バイオマスペレット燃料置き空気孔付き受け皿（１４）内の燃料ペレットが火消壺内に落下して、（１４）内燃料と（３７）の金属ボールの落下荷重が元に戻った重量合計の軽くなった分、重量を上回った継手鋳・鉄棒（２４）の重力にて、継手（２２）と下方向に移動して、継手（２７）と一体構造の（２５）は丁番（３３）において回転して、（２５）は（３２）によって火消蓋（２８）をとらえた状態にて、（１５）のかまど空気調整口は塞ぐことで、密封した状態となり、火消壺内は酸素不足の状態になっている為に、消火がおこなわれる、この状態を、図３でより詳細に説明する。
【００１６】
図３において、火消用落し蓋アジャスター踏み台（２３）から足を離すと、火消用落し蓋アジャスト重量（目皿より重い）継ぎ手鋳物棒（２４）が、図中、重力により下方向に移動し、火消用落し蓋アジャスター継ぎ手（２２）及び火消蓋・目皿自在継ぎ手（２７）が、図中、（２７）・（２５）の一体構造が（３３）の丁番を支点にシーソー下方向に移動することで、鋳物製目皿（２５）と（３２）の火消蓋の目皿自在取付具は、(２９)火消し蓋を捉えた状態のまま、目皿・火消蓋アジャスター（２８）の枠内定位置・真下に固定されて、尚更に、より安全確保のために（３９）の安全ストッパーを掛けて、（１５）の空気開閉調整口を閉めると消火出来て、前記（１５）の調整口を開けて火消し蓋（２９）を（３１）内に落とせば、着火燃焼開始出来る。
【００１７】
また、火消壺（３１）内に落下し、消火された燃料ペレットは、再利用することができる、前記（０００３）の特許文献の燃料ペレットは、高密度・熱量であるから、コークス同様に着火し難いので、コークス並みにポリプロピレンを原料としたものを穴空き金属製ペレット状カプセルに収納させた着火装置を使用することが好ましい。
【００１８】
本発明の第２は、本発明の前記高密度・熱量ペレット燃料を用いた自家製造バイオマスペレット燃料用の耐震・衝撃装置・火消し蓋付き壺兼用熱源順応かまどを熱源として利用する前記ストーブ放熱熱源組込機である、本発明のペレットストーブ放熱熱源組込機の正・側面図を図５、６に示す、また、図５、６中、（１）は、前記高密度・熱量ペレット燃料を用いた自家製造バイオマスペレット燃料用の耐震・衝撃装置・火消し蓋付き壺兼用熱源順応かまど、（１４）は、バイオマスペレット燃料置き空気孔付き受皿、（３４）は、ストーブ煙突、３５は薪ストーブ窓、（３６）は、ストーブ灰皿受けであるので、薪を燃やし入れたいときには、順応かまどをストーブから取り出して、（１２）のアジャストを設ければ、ペレットストーブが薪ストーブに早代わりとなる。
【００１９】
本発明の第３は、本発明の図１・２・３・４・７・８・９・１０に示す前記高密度・熱量ペレット燃料を用いた自家製造バイオマスペレット燃料用の耐震・衝撃装置・火消し蓋付き壺兼用熱源順応かまどを（１４）の目皿にて燃焼容量１回分投与のエネルギー容量１とする、エネルギー熱源として同時に用いるボイラーと、前記ボイラーで発生したボイラー内蔵液体の潤滑オイルの高温・圧蒸気で駆動する蒸気タービンと、前記超小型軸流多段反動式蒸気タービンで発生した高速回転運動エネルギー１０，０００〜２０，０００ＲＰＭに比例する高出力電気エネルギー１００ＫＷ（ＰＳ）のＲＰＭ以上に変換する（発電機電圧は、２４〜１００Ｖ調整を外形の大きさや巻線量の重さ等を考慮して決定することが好ましい、）自家発電機と、前記自家発電機で発生した電気によって、前記蒸気タービンの蒸気排気口と繋がった熱交換器と、前記熱交換機に接続された放熱螺旋形パイプ内蔵の前記保温庫内の放熱螺旋形配管パイプが、尚更なる、前記パイプより太い外径の放熱螺旋形配管パイプで二重に密閉して被せられ、内部液体は、中心パイプ内蔵の液体と同じものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き本温庫内加熱ヒーター放熱螺旋形配管パイプと前記耐震装置・火消し蓋付き壺兼用熱源順応かまどの前記ボイラー過熱とを加えた加熱量によって、保温庫内給湯量の使用の冷水入れ替え時にも対応して、熱湯・床冷暖・給湯装置に接続駆動された冷媒機等各複合機器と、これらによって、一つは、自家発電機からそのまま高出力電気電源としての利用で以って、余剰電気は分配・売電出来て、二つは、（１０）の電力変換装置より電気をバッテリーに各別充電して、尚且つ電力変換装置を経て各別電源に変換して持続・自立的に利用できる自家発電機装置で発生した電気によって、駆動・送風サポートする冷暖房床・空調機とを備える、固定・自動電気動力機器組込形式何れかのミニプラント自家発電器装置である。                                                                                                                          
【００２０】
本発明の自家発電機・冷暖房空調装置の模式外形構図を図７・８に示す、図中、前記高密度・熱量ペレット燃料を用いた自家製造バイオマスペレット燃料用の耐震・衝撃装置・火消し蓋付き壺兼用熱源順応かまど（１）で発生した熱により、ボイラー（２）に収容された液体である潤滑オイル（沸点調性剤使用も可）を高温・圧蒸気により超小型軸流多段反動式蒸気タービン（３）の高速回転１０，０００〜２０，０００ＲＰＭに比例して高出力１００ＫＷ（ＰＳ）のＲＰＭ以上自家発電を行い、得られた電気により、各別電源として用いる自家発電装置であり、余力各別電気は、前記蒸気タービンの排出口に繋がる熱交換器と前記熱交換器より排出の高温・圧の蒸気と、熱交換器の排出口に繋がる前記二重構造の放熱螺旋形パイプと前記電気加熱ヒーター放熱螺旋形パイプ内蔵の熱湯保温庫、冷媒機とを併せ以って冷暖房空調および給湯・床冷暖房機を十二分にサポートして行う装置であり、図７・８中、（１）は、家庭バイオマスペレット燃料の耐震装置・火消し蓋付き壺兼用熱源順応かまど、（２）は、自家発電気ヒーター内蔵ボイラー、（３）は超小型軸流多段反動式蒸気タービン、（４）は、自家発電機、（５）は、熱交換器、（６）は、電気モーター（電力は自己完結方式）、（７）・（２１）は循環ポンプ、（８）は、発電余力電力の充電用安全機、（９）は、充電器、（１０）は、電力変換装置である。
【００２１】
前記各種の装置は、前記高密度・熱量ペレット燃料を用いた自家製造バイオマスペレット燃料用の耐震・衝撃装置・火消し蓋付き壺兼用熱源順応かまどにて、同時使用にて、前記ボイラー（２）の沸点状態に於いて、前記（１４）の目皿に投入分のバイオマスペレット燃料を燃焼１回分を１エネルギー容量とする燃料エネルギーを変換増大化させて使用出来ることから、持続的に最大効果・率のエネルギー変換増大化を生み出すことができるグリーンな出し入れ自在な前記高密度・熱量ペレット燃料を用いた自家製造バイオマスペレット燃料用の耐震・衝撃装置・火消し蓋付き壺兼用熱源順応かまどエネルギー増大化ミニプラント装置（４３）である。
【符号の説明】
【００２２】
１、高密度・熱量ペレット燃料を用いた自家製造バイオマスペレット燃料用の耐震・衝撃装置・火消し蓋付き壺兼用熱源順応かまど
２、ボイラー（内蔵液体潤滑オイル使用、温度センサー付き自己完結型高出力電気ヒーター・切替機装置内蔵）
３、超小型軸流多段反動式蒸気タービン
４、自家発電機
５、熱交換器
６、電気モーター（電力は自己完結方式）
７、循環ポンプ
８、発電気の電力変換機装置と充電機の安全機
９、充電器                                  
10、正弦波長・電力変換装置
11、耐熱珪藻土かまど
12、アジャスト薪空気孔付き受け皿（薪を用いる場合のストーブ用部材。）
13、前記１の火消開閉蓋（取換用部品。）
14、バイオマスペレット燃料置き空気孔付き受皿（（２８）と一体構造の鋳物）
15、かまど空気開閉調整口（引き違い戸かはめ込み栓方式の何れか。）
16、アジャスト空気孔筒伸縮調整蛇腹（内気導入を止めて、外気導入時の備品）
17、スチール着火カプセル（ポリプロピレン入り金属製発火口付きカプセル）
18、ストーブ（（１）の放熱熱源組込み機装置）
19、モーター・除湿調性用ヒーター付き送風ファン
20、冷媒機熱（熱交換器に繋がった保温庫に繋がる）
21、モーター付き圧縮ポンプ（冷暖切換機付き）
22、火消用落し蓋アジャスター継ぎ手
23、火消用落し蓋アジャスター踏み台
24、火消用落し蓋アジャスト重量（目皿＋火消蓋＋（１４）の燃料合計より重い。）継ぎ手鋳・鉄棒
25、（２７）継ぎ手と一体構造の鋳物製目皿（（２８）のアジャスターを目皿の型に刳り抜いた形体）
26、踏み台の補助取っ手
27、火消蓋・目皿自在継ぎ手（（２８）アジャスターの丁番（３３）を支点に上下降する）
28、目皿・火消蓋アジャスター・フェンダー（（１４）・（２７）と同質の鋳物で（１４）と一体構造）
29、火消蓋（（３２）取付具によって（２５）の目皿と一体化出来、それまでは落蓋。）
30、火消蓋アジャスター継ぎ手支点
31、火消壺・かまど（珪藻土。）
32、目皿の火消蓋自在取付具兼（３９）の作動自在解除具併せ持つ、（３９）のストッパーを外す。
33、目皿と継ぎ手・火消蓋の支点のアジャスターの丁番
34、ストーブ煙突
35、薪ストーブ窓
36、ストーブ灰皿受け
37、耐震装置金属ボールの（３２）自在解除具に金属ボールが転がり衝突作動      
38、外壁ステンレス板（珪藻土外壁強化材）
39、安全ストッパー（（２９）の火消蓋が動かぬ様に固定化、（３７）の（３２）によって外れる。）
40、保温庫（熱交換器に接続の二重構造放熱配管の螺旋形パイプと電気加熱温度センサー付きヒーター螺旋形パイプの保温庫内内蔵と保温庫の給湯・床暖・熱湯保温する（床暖引込口・パイプ等埋設設備複数予備パイプライン・ジョイントあり、冷媒機に接続される））
41、ヒーター（湿度調整）（１９）のヒーター付き送風ファンに同じ
42、（１１）の鋳物製フェンダー（（２８）のフェンダーと同じ働き）
43,ミニプラント自家発電機装置（固定・電気動力機器組込何れかの方式）
44,ペレット燃料自動投下装置
45,潤滑オイルとオイルフィルター交換口装置（潤滑オイル交換が定期的に必要）
46,冷房機冷水補助タンク
47,ボイラー（２）、かまど（１）収納容器兼自動排気設備 
48、軸受けベアリング（３の軸受け外側蓋直付け固定）
49、ボイラー（２）からの高温・圧蒸気のノズルへの取り入れ口
50、蒸気タービン（３）の液体潤滑オイル蒸気排出口
51、蒸気タービン（３）の静翼
52、蒸気タービン（３）の動翼ブレード
53、蒸気タービン（３）の軸シャフト
【手続補正２】
【補正対象書類名】特許請求の範囲
【補正対象項目名】全文
【補正方法】変更
【補正の内容】
【特許請求の範囲】
【請求項１】
請求項１の内容
少なくとも上部に開口部を有する耐熱性容器と、前記耐熱性容器の上部の開口部を開閉できるように設けられた耐震・衝撃装置・火消蓋付き壺と、熱源かまどとが一体化して、自家製造燃料ペレット着火装置とを備える、高密度・熱量ペレット燃料を用いた自家製造バイオマスペレット燃料用の耐震・衝撃装置・火消し蓋付き壺兼用熱源順応かまど。
【請求項２】
請求項２の内容
前記耐熱性容器が、珪藻土製の容器である、請求項１に記載の高密度・熱量ペレット燃料を用いた自家製造バイオマスペレット燃料用の耐震・衝撃装置・火消し蓋付き壺兼用熱源順応かまど。
【請求項３】
請求項３の内容
さらに、踏み台と、前記踏み台と前記耐震・衝撃装置・火消蓋付きとを連結する火消蓋開閉機構とを備える高密度・熱量ペレット燃料を用いた自家製造バイオマスペレット燃料用の耐震・衝撃装置・火消し蓋付き壺兼用熱源順応かまどであって、耐震・衝撃装置の作動によるか、踏み台を操作することで、火消蓋開閉機構を通じて、火消蓋の開閉状態を制御するものである、請求項１〜２のいずれかに記載の高密度・熱量ペレット燃料を用いた自家製造バイオマスペレット燃料用の耐震・衝撃装置・火消し蓋付き壺兼用熱源順応かまど。
【請求項４】
請求項４の内容
前記着火装置が、ポリプロピレンを原料としたものを穴空き金属製ペレット状カプセルに収納させたものである、請求項１〜３のいずれかに記載の高密度・熱量ペレット燃料を用いた自家製造バイオマスペレット燃料用の耐震・衝撃装置・火消し蓋付き壺兼用熱源順応かまど。
【請求項５】
請求項５の内容
請求項１〜４のいずれかに記載の高密度・熱量ペレット燃料を用いた自家製造バイオマスペレット燃料用の耐震・衝撃装置・火消し蓋付き壺兼用熱源順応かまどを熱源として用いるストーブ放熱熱源組込機装置。
【請求項６】
請求項６の内容
請求項１〜４のいずれかに記載の高密度・熱量ペレット燃料を用いた自家製造バイオマスペレット燃料用の耐震・衝撃装置・火消し蓋付き壺兼用熱源順応かまどを熱源として用いる潤滑オイルを内蔵液体の沸騰圧力ボイラーとして、前記ボイラーで発生した高温・圧蒸気で駆動する液体を潤滑オイルとしたことで、軸受部分の直付けの簡略・単純・小型・潤滑化により高速回転を可能とした超小型軸流多段反動式蒸気タービンと、前記蒸気タービンで発生した高速回転運動エネルギー１０，０００〜２０，０００ＲＰＭに比例した高出力電気エネルギー１００ＫＷ（ＰＳ）のＲＰＭ以上が可能となり、結果、自動電気動力機自体が、バッテリーを軽量・小型化出来て、外部からの充電・そのための消費時間皆無等々にて自立発電出来る電気動力機器組込・単体固定式の自家発電機として多目的、有効的に電力変換装置を通して使用したり、電源として直接使用出来る自家発電機装置。
【請求項７】
請求項７の内容
請求項１〜４のいずれかに記載の高密度・熱量ペレット燃料を用いた自家製造バイオマスペレット燃料用の耐震・衝撃装置・火消し蓋付き壺兼用熱源順応かまどを熱源として用いるボイラー（内部液体は潤滑オイルを用いている）と、前記ボイラーで発生した高温・圧蒸気で駆動する前記超小型軸流多段反動式蒸気タービンと、前記超小型軸流多段反動式蒸気タービンで発生した高速回転運動エネルギーに比例して高出力電気エネルギーに変換する自家発電機と、前記超小型軸流多段反動式蒸気タービンの蒸気排出口と接続された熱交換器と、前記熱交換器排出口に繋がる放熱螺旋形配管パイプが内蔵された熱湯保温庫の部分の、前記放熱螺旋形配管パイプが、尚更なる、前記パイプより太い外径の放熱螺旋形配管パイプで二重に密閉して被せられ、前記内部液体は、潤滑オイルを用いて、中心パイプ内蔵の液体と類似のものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震・衝撃装置・火消し蓋付き壺兼用熱源順応かまどの前記ボイラー加熱とを加えた加熱量によって、保温庫内給湯量の大量使用の冷水入れ替え時（夏場の冷水保管庫（８６）は冷房専用）、暖房試用期間や発電不要時には、前記ボイラー内加熱ヒーターの自動温度調整によって内燃機関のアイドリング状態似の低出力発電にも対応できる、尚更に給湯水不要の場合は、前記ボイラー内加熱ヒーターの自動温度調整によって、中心パイプ内液体保温状態で、持続的熱湯保温・冷暖房機に繋がる冷媒機と、前記自家発電機で発生した電気によって駆動する空調冷暖房機とを備える、空調冷暖房機装置。
【請求項８】
請求項８の内容
請求項１〜４のいずれかに記載の高密度・熱量ペレット燃料を用いた自家製造バイオマスペレット燃料用の耐震・衝撃装置・火消し蓋付き壺兼用熱源順応かまどの前記上部の図３の（１４）の開口部に投入した、貴重な前記バイオマスペレット投入の前記ボイラーの沸点状態に於ける1回燃焼分の燃料エネルギーを１容量としたものに対して、熱源として同時複合化することで、エネルギー複数容量に変換増大化できることによって、バイオマスペレット燃料源供給不足・忘れ・その他供給停止のことが起こっても、自己完結的に、前記熱湯保温庫に代表される複合的エネルギー保持されることも手伝って、前記ボイラー内蔵の自家高出力電気の前記ヒーターによって持続してエネルギーを供給できることで、自家製造バイオマスペレット燃料の耐震・衝撃装置・火消し蓋付き壺兼用熱源順応かまどエネルギー停止状態前の前記ストーブ放熱熱源組込機・電気動力組込装置・冷暖房空調機・熱湯保温庫・給湯機・自家発電機装置を同時に複合化使用できることで、引き続きそのエネルギーを保持・持続・自立・増大化出来る各種変換増大化ミニプラント装置。
【手続補正４】
【補正対象書類名】図面
【補正対象項目名】全図
【補正方法】変更
【補正の内容】
【図１】
2014081084.tif 000023
【図２】
2014081084.tif 000024
【図３】
2014081084.tif 000025
【図４】
2014081084.tif 000026
【図５】
2014081084.tif 000027
【図６】
2014081084.tif 000028
【図７】
2014081084.tif 000029
【図８】
2014081084.tif 000030
【図９】
2014081084.tif 000031
【図１０】
2014081084.tif 000032
【手続補正書】
【提出日】平成24年10月1日(2012.10.1)
【手続補正１】
【補正対象書類名】明細書
【補正対象項目名】０００９
【補正方法】変更
【補正の内容】
【０００９】
【図１】本発明の耐震装置・火消し蓋付き壺兼用熱源順応かまどの平面図である。
【図２】本発明の耐震装置・火消し蓋付き壺兼用熱源順応かまどの正面図である。
【図３】本発明の耐震装置・火消し蓋付き壺兼用熱源順応かまどの踏み台を外した状態Ａ-Ａ”側断面図である。
【図４】本発明の耐震装置・火消し蓋付き壺兼用熱源順応かまどの踏み台を踏んだ状態のＡ-Ａ”側断面図である。
【図５】本発明のストーブ放熱熱源組込機の耐震装置・火消し蓋付き壺兼用熱源順応かまどの正面図である。
【図６】本発明のストーブ放熱熱源組込機の耐震装置・火消し壺蓋付き兼用熱源順応かまどの側面図である。
【図７】本発明のシステム実施例を示す図である。
【図８】本発明の前図７の各装置模式図の各形と構造とコンパクトミニプラント電気動力機器組込・固定模式構造・形を示す図である。
【図９】本発明の前図７・８の（３）潤滑オイル仕様の超小型軸流多段反動式蒸気タービン直付け簡略・簡単・潤滑軸受けベアリング形・構造を示す図である。
【図１０】本発明の前記自家発電ミニプラント電気動力組込・固定とプラント設置されない家に電気動力組込機と固定機より電気注入実施例を示す図である。
【手続補正２】
【補正対象書類名】明細書
【補正対象項目名】００１９
【補正方法】変更
【補正の内容】
【００１９】
本発明の第３は、本発明の図１・２・３・４・７・８・９・１０に示す前記高密度・熱量ペレット燃料を用いた自家製造バイオマスペレット燃料用の耐震・衝撃装置・火消し蓋付き壺兼用熱源順応かまどを（１４）の目皿にて燃焼容量１回分投与のエネルギー容量１とする、エネルギー熱源として同時に用いるボイラーと、前記ボイラーで発生したボイラー内蔵液体の潤滑オイルの高温・圧蒸気で駆動する蒸気タービンと、前記超小型軸流多段反動式蒸気タービンで発生した高速回転運動エネルギー１０，０００〜２０，０００ＲＰＭに比例する高出力電気エネルギー１００ＫＷ（ＰＳ）のＲＰＭ以上に変換する（発電機電圧は、２４〜１００Ｖ調整を外形の大きさや巻線量の重さ等を考慮して決定することが好ましい、）自家発電機と、前記自家発電機で発生した電気によって、前記蒸気タービンの蒸気排気口と繋がった熱交換器と、前記熱交換機に接続された放熱螺旋形パイプ内蔵の前記保温庫内の放熱螺旋形配管パイプが、尚更なる、前記パイプより太い外径の放熱螺旋形配管パイプで二重に密閉して被せられ、内部液体は、中心パイプ内蔵の液体と同じものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き本温庫内加熱ヒーター放熱螺旋形配管パイプと前記耐震装置・火消し蓋付き壺兼用熱源順応かまどの前記ボイラー過熱とを加えた加熱量によって、保温庫内給湯量の使用の冷水入れ替え時にも対応して、熱湯・床冷暖・給湯装置に接続駆動された冷媒機等各複合機器と、これらによって、一つは、自家発電機からそのまま高出力電気電源としての利用で以って、余剰電気は分配・売電出来て、二つは、（１０）の電力変換装置より電気をバッテリーに各別充電して、尚且つ電力変換装置を経て各別電源に変換して持続・自立的に利用できる自家発電機装置で発生した電気によって、駆動・送風サポートする冷暖房床・空調機とを備える、固定・自動電気動力機器組込形式何れかのミニプラント自家発電器装置である。
【手続補正３】
【補正対象書類名】図面
【補正対象項目名】全図
【補正方法】変更
【補正の内容】
【図１】
2014081084.tif 000033
【図２】
2014081084.tif 000034
【図３】
2014081084.tif 000035
【図４】
2014081084.tif 000036
【図５】
2014081084.tif 000037
【図６】
2014081084.tif 000038
【図７】
2014081084.tif 000039
【図８】
2014081084.tif 000040
【図９】
2014081084.tif 000041
【図１０】
2014081084.tif 000042
【手続補正書】
【提出日】平成24年10月16日(2012.10.16)
【手続補正１】
【補正対象書類名】図面
【補正対象項目名】図３
【補正方法】変更
【補正の内容】
【図３】
2014081084.tif 000043
【手続補正２】
【補正対象書類名】図面
【補正対象項目名】図９
【補正方法】変更
【補正の内容】
【図９】
2014081084.tif 000044
【手続補正書】
【提出日】平成24年10月29日(2012.10.29)
【手続補正１】
【補正対象書類名】明細書
【補正対象項目名】０００４
【補正方法】変更
【補正の内容】
【０００４】    段落番号０００４の内容本発明は、上述した実情に鑑みてなされたものであり、より環境にやさしく、どこにでも移設・順応出来る出し入れ自在で簡単・単純なマルチな前記高密度・熱量ペレット燃料を用いた自家製造バイオマスペレット燃料用の耐震・衝撃装置・火消し蓋付き壺兼用熱源順応かまどは、前記ストーブ放熱熱源、各種エネルギー増大化ミニプラント装置の電気動力組込機、及び前記冷暖房空調機・熱湯保温庫・給湯機・自家発電機装置を提供して、同時に複合化することで、前記のグリーンな前記高密度・熱量ペレット燃料を用いた自家製造バイオマスペレット燃料用の耐震・衝撃装置・火消し蓋付き壺兼用熱源順応かまどの熱源エネルギーを保持・自立・増大・持続・連結・拡大化することを目的とする。
【手続補正２】
【補正対象書類名】明細書
【補正対象項目名】０００６
【補正方法】変更
【補正の内容】
【０００６】段落番号０００６の内容かくして本発明によれば、下記（１）〜（４）の前記高密度・熱量ペレット燃料を用いた自家製造バイオマスペレット燃料用の耐震・衝撃装置・火消し蓋付き壺兼用熱源順応かまど・下記（５）のストーブ放熱熱源組込み機装置・下記（６）の前記出し入れ自在の自家製造高密度・熱量バイオマスペレット燃料用の耐震・衝撃装置・火消し蓋付き壺兼用熱源順応かまどを用いた自動電気動力発電ミニプラント組込装置・（７）の前記自家製造高密度・熱量バイオマスペレット燃料を用いる冷暖房空調機装置・下記（８）の前記ペレットを用いた熱量を活用する床冷暖房・給湯機装置・下記(９)の前記ペレットを用いた高温・高圧蒸気の蒸気タービンの高速回転を高出力電気に変換する自家発電機装置・下記（１０）の前記ペレットを用いる変換複合機械装置のエネルギー持続可能な各種変換増大・連結・拡大化装置が提供される。（１）少なくとも上部に開口部を有する耐熱性容器と、前記耐熱性容器の上部の開口部を開閉できるように設けられた耐震装置・火消蓋付きと、着火装置とを備える、前記高密度・熱量ペレット燃料を用いた自家製造バイオマスペレット燃料用の耐震・衝撃装置・火消し蓋付き壺兼用熱源順応かまど。（２）前記耐熱性容器が、珪藻土製の容器である、前記（１）に記載の前記高密度・熱量ペレット燃料を用いた自家製造バイオマスペレット燃料用の耐震・衝撃装置・火消し蓋付き壺兼用熱源順応かまど。（３）さらに、踏み台と、前記踏み台と前記高密度・熱量ペレット燃料を用いた自家製造バイオマスペレット燃料用の耐震・衝撃装置・火消し蓋付き壺兼用熱源順応かまどとを連結する火消し蓋開閉機構とを備える前記高密度・熱量ペレット燃料を用いた自家製造バイオマスペレット燃料用の耐震・衝撃装置・火消し蓋付き壺兼用熱源順応かまどであって、耐震装置によるか、踏み台を操作することで、火消蓋開閉機構を通じて、火消蓋の開閉状態を制御するものである、前記（１）〜（２）のいずれかに記載の前記高密度・熱量ペレット燃料を用いた自家製造バイオマスペレット燃料用の耐震・衝撃装置・火消し蓋付き壺兼用熱源順応かまど。（４）前記着火装置が、ポリプロピレンを原料としたものを穴空き金属製ペレット状カプセルに収納させたものである、前記（１）〜（３）のいずれかに記載の前記高密度・熱量ペレット燃料を用いた自家製造バイオマスペレット燃料用の耐震・衝撃装置・火消し蓋付き壺兼用熱源順応かまど。（５）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いるストーブ放熱熱源組込み機装置。（６）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる後記（７）〜（１０）いずれかに記載の各装置を組み込むに、その内の給湯水装置を除外した物と、そうでない物とに分けると、一つは、保温庫の給湯水装置部分のみを除外した物を用いた内蔵の発電機装置は、自動電気動力を自動機器設置内部で直接・効率・円滑的に駆動させることが可能であ���ことから、バッテリー電気をスタート時のみ用いるか、内燃機関のアイドリング状態似のボイラー熱源電気ヒーターの自動調整による蒸気タービンの低速回転にて、前記保温庫内温度を確保出来て、短時間で高出力電気エネルギー化出来て、電気高・低出力調整も出来ることの何れかであり、自家製造電気エネルギーを前記自動電気動力の内部で直接使用することで、外部電気取入不要にて、バッテリーを軽量・小型化でき、調整・持続・自立した高出力電気エネルギーが、電気動力装置が組み込まれた後記（７）〜（１０）いずれかに記載の各装置を用いた自家発電機装置でもって前記自動機器外部の各家庭・事業所使用電気エネルギーをも供給出来る図７・８・１０に示す通りの自動電気動力駆動発電機組込ミニプラント装置。二つは、保温庫給湯水装置を付帯した後記（７）〜（１０）の装置は、後記（８）の装置を組み込んだ内容の前記自動電気動力装置として、ボイラー内加熱電気ヒーター最大にして前記高密度・熱量ペレット燃料を用いた自家製造バイオマスペレット燃料用の耐震・衝撃装置・火消し蓋付き壺兼用熱源順応かまどの前記自家製ペレット燃料を自動投下燃焼を最大化して、尚且つ、保温庫内自家製電気ヒーターを最大化して冷水注入温度低下を短時間で補完して、自動電気動力装置に組込まれた後記（７）〜（１０）いずれかに記載の各装置を用いた自家発電機装置でもって、自らの自動内蔵自家製電気動力エネルギーに限らず、各家庭・事業所使用電気エネルギーをも供給出来る図７・８・１０・１１・１２に示す通りの自動電気動力駆動発電機組込ミニプラント装置。（７）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記ボイラーと、前記ボイラーで発生した高温・圧蒸気で駆動する液体を潤滑オイルとした軸流多段反動式蒸気タービン（軸流式の定義は、回転軸に平行な向きに蒸気が流れる間にタービン翼によってエネルギーが得られる方式である、回転翼の長手方向に遠心力が加わるため、工学的な制約が比較的少ない、反動式の定義は、動翼内でも蒸気の圧力エネルギーを運動エネルギーに変換し、動翼から噴出する蒸気の反動力も利用して回転力が発生する、一段落当たりの熱落差が小さく段落数は多くなるが、翼は小型となる、）として用いて、直付けの軸受部分（潤滑オイル直接ベアリング噴霧循環）の図９（４８）の簡略・単純・小型・潤滑化の新規・既存機械製作か作り直しリビルトも可としての高速回転が可能となった、超小型軸流多段反動式蒸気タービンと、前記蒸気タービンで発生した高速運動エネルギーに比例した高出力電気エネルギーに変換増大化する自家発電機装置と、前記蒸気タービンの蒸気排気口（５０）の部分は、形・構造を変えても背圧調整にて、蒸気タービンの高速回転を更に上げるようにすることは、エネルギー増大・拡大化に好ましい、尚更に、動翼の外環部分に遠心弾みリングを設置して高速回転数を大幅に上げるようにすることもエネルギー増大・拡大化に好ましく、連結することで汎用化を可能として、前記蒸気タービン排出口と接続された熱交換器（５）と、前記熱交換器排出口に繋がる冷媒機���２０）と、前記自家発電機（４）で発生した電気によって駆動する冷暖房空調機とを備える冷暖房空調機装置。（８））前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記ボイラーで発生した高温・圧蒸気で駆動する液体を潤滑オイルとした超小型軸流多段反動式蒸気タービンと前記蒸気タービンの蒸気排気口と接続された熱交換器と、前記熱交換機の排出口に接続された放熱螺旋形配管パイプが内蔵された前記潤滑オイルである液体と給湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記自家製造高密度・熱量バイオマスペレット燃料用の耐震・衝撃装置・火消し蓋付き壺兼用熱源順応かまどの熱源として用いる前記ボイラー過熱とを加えた加熱量によって、保温庫内給湯量の大量使用の冷水入れ替え時にも対応出来る、これによって、中心パイプ内液体高温保温状態で、持続的熱湯保温・給湯・床冷暖房機による温水給配と保温庫内配管・給排水口取付口設備にて、床冷暖房機とを備える、床冷暖房・給湯機装置。（９）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記自家発電機によって発生した高出力電気を電力変換機装置を経て各種電圧電源を供給したり、選択充電を使用したり出来て、電気動力組込の必要条件にて、前記超小型軸流多段反動式蒸気タービンで発生した高速回転運動エネルギー１０，０００〜３０，０００ＲＰＭ回転に比例した（発電機の電圧設定は、２４〜２００Ｖ調整を用途別に単・三相を符号１０の電力変換機を通して、外形の大きさや巻線量と重さをも考慮して決定することが好ましい、）高出力電気エネルギー１５０〜３００ＫＷ（ＰＳ）のＲＰＭ以上に変換増大・連結・拡大・汎用化する自家発電機装置。
【手続補正３】
【補正対象書類名】明細書
【補正対象項目名】０００７
【補正方法】変更
【補正の内容】
【０００７】段落番号０００７の内容  （１０）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として各種増大化装置による同時複合化することで、貴重な前記高密度・熱量バイオマスペレット燃料エネルギーを、前記（１４）の目皿に投入燃焼１回分の高密度・熱量バイオマスペレット燃料をボイラー（２）の沸点状態に於ける１とする容量に対して、エネルギー複数容量に変換増大化されたことで、上記の自家製造高密度・熱量バイオマスペレット燃料用の耐震・衝撃装置・火消し蓋付き壺兼用熱源順応かまどの前記上部の開口部に投入した前記燃焼１回分のペレット燃料供給が停止・不足・忘れ等がなされたりの状態でも、前記ボイラー内臓の温度感知センサー（２）の作動にて、前記各種エネルギー増大化装置の余剰エネルギーを特に代表した高出力電気を使った（２）の内蔵電気ヒーターが、持続的エネルギー供給を行える、また、前記バイオマスペレット燃料を投入して燃焼が開始すれば、前記エネルギー燃焼同様に持続的エネルギー供給して、（２）内蔵のセンサーによってヒーターは自動的に解除になったり、自動温度調整にて、内燃機関のアイドリング状態似の低速回転の低出力電気となることにより、保温庫内熱湯温度をキープしたままいつでも短時間で最大高速回転化出来て、高出力電気エネルギー供給出来、アイドリング状態に出来ない場合でも、特に、自動電気動力・固定いずれの場合も、バッテリーで駆動させて短時間に、前記高密度・熱量ペレット燃料を用いた自家製造バイオマスペレット燃料用の耐震・衝撃装置・火消し蓋付き壺兼用熱源順応かまどを自動着火させて、蒸気タービンを高速回転できて、高出力電気エネルギーを生み出せるので、各家庭・事業所単位毎にバラツキのあるバイオマスペレット燃料のエネルギー供給を一律平均的に安定化させることが可能でもあり、セパレート家庭・事業所単位毎に家庭・事業所生ゴミを産業廃棄物化せずに、分散セパレート化したことで、前記（０００３）の特許文献にあるものを併せて、家庭・事業所単位毎のミニプラントエネルギー生産が複合化を可能にしての費用対効果を生み出して、特に、自動電気動力装置に於いては、その都度動力停止しての長時間充電しなくて済み、重量・大型充電器の軽量・小型化が可能となり、グリーンでゆっくりでも豊かな生活を可能にしてくれて、環境・防衛・経済・財政・外交的にもより安定した安心な暮らしを提供される前記高密度・熱量ペレット燃料を用いた自家製造バイオマスペレット燃料用の耐震・衝撃装置・火消し蓋付き壺兼用熱源順応かまどエネルギーの前記（５）〜（１０）のエネルギー持続・連結・拡大供給可能な各種変換増大・汎用化ミニプラント装置。
【手続補正４】
【補正対象書類名】明細書
【補正対象項目名】０００８
【補正方法】変更
【補正の内容】
【０００８】段落番号０００８の内容  上記のようにセパレート家庭・事業所単位であって、対既存化石・電気エネルギーに与しない、国内自給自足出来る前記（０００３）の高密度・熱量自家製造バイオマスペレット燃料を用いた高温・圧蒸気ボイラーエネルギーと蒸気タービン駆動の高速回転に比例する高出力自家発電気による変換電気のエネルギーとで単純・簡単構造にしてリーズナブルな低廉価格でしかも本格的な燃料源としての前記高密度・熱量ペレット燃料を用いた自家製造バイオマスペレット燃料用の耐震・衝撃装置・火消し蓋付き壺兼用熱源順応かまどのエネルギーを持続・増大・連結・拡大化して、尚且つ、環境・経済問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来る発展的マルチタイプの前記高密度・熱量ペレット燃料を用いた自家製造バイオマスペレット燃料用の耐震・衝撃装置・火消し蓋付き壺兼用熱源順応かまどのことを前記（０００５）の発明に付記する。
【手続補正５】
【補正対象書類名】明細書
【補正対象項目名】０００９
【補正方法】変更
【補正の内容】
【０００９】段落番号０００９の内容【図１】本発明の耐震装置・火消し蓋付き壺兼用熱源順応かまどの平面図である。
【図２】本発明の耐震装置・火消し蓋付き壺兼用熱源順応かまどの正面図である。
【図３】本発明の耐震装置・火消し蓋付き壺兼用熱源順応かまどの踏み台を外した状態Ａ-Ａ”側断面図である。
【図４】本発明の耐震装置・火消し蓋付き壺兼用熱源順応かまどの踏み台を踏んだ状態のＡ-Ａ”側断面図である。
【図５】本発明のストーブ放熱熱源組込機の耐震装置・火消し蓋付き壺兼用熱源順応かまどの正面図である。
【図６】本発明のストーブ放熱熱源組込機の耐震装置・火消し壺蓋付き兼用熱源順応かまどの側面図である。
【図７】本発明のシステム実施例を示す図である。
【図８】本発明の前図７の各装置模式図の各形と構造とコンパクトミニプラント電気動力機器組込・固定模式構造・形を示す図である。
【図９】本発明の前図７・８の（３）潤滑オイル仕様の超小型軸流多段反動式蒸気タービン直付け簡略・簡単・潤滑軸受けベアリング形・構造を示す図である。
【図１０】本発明の前記自家発電ミニプラント電気動力組込・固定とプラント設置されない家に電気動力組込機と固定機より電気注入実施例を示す図である。
【図１１】本発明の前記自家発電ミニプラント電気動力組込・固定された汎用実施例を示す図である。
【図１２】本発明の前記自家発電ミニプラント電気動力組込・固定とプラント設置されない工場に電気動力組込機より電気注入汎用実施例を示す図である。
【手続補正６】
【補正対象書類名】明細書
【補正対象項目名】００１２
【補正方法】変更
【補正の内容】
【００１２】段落番号００１２の内容以下、添付図面符号に従って一実施例を説明する、図３・４は、本発明の前記高密度・熱量ペレット燃料を用いた自家製造バイオマスペレット燃料用の耐震・衝撃装置・火消し蓋付き壺兼用熱源順応かまどの実施例を示す図２の断面図である、図３・４中、（１１）は、ストーブ用耐熱珪藻土かまど、（１４）は、バイオマスペレット燃料置き空気孔付き受皿、周りの淵は、より堅牢・背高で五徳使用・汎用時の燃料増加も可、（１５）は、かまど空気調整開閉調整口、（２２）は、火消用落し蓋アジャスター継ぎ手、（２３）は、火消用落し蓋アジャスター踏み台、（２４）は、火消用落し蓋アジャスト重量（目皿・火消蓋・（１４）の燃料より重い）継ぎ手鋳物・鉄棒、（２５）は、（２７）継ぎ手と一体構造の鋳物製目皿、（２６）は、（２３）の踏み台の補助取手、（２７）は、火消蓋・目皿自在継ぎ手（一体構造の目皿と継ぎ手・火消蓋の支点のアジャスターの丁番（３３）にて、シーソー・上下降する）、（２８）は、目皿・火消蓋・（１４）の燃料置き空気孔付き受け皿アジャスター・フェンダー、（２９）は、火消蓋（（３２）の目皿の自在取付具によって用をなして、それまでは単なる自在蓋であるが、（２８）のアジャスターの真下に位置して（３１）の火消壺内を密閉する。）、（３０）は、火消蓋・目皿・（２７）継手アジャスター開閉の上下運動支点、（３１）は、火消壺・かまど、（３２）は、目皿の火消蓋自在取付具兼（３９）の安全ストッパー自在解除具、（３３）は、鋳物製目皿（２５）と火消蓋・目皿自在継ぎ手(２７）との継ぎ手丁番である。
【手続補正７】
【補正対象書類名】明細書
【補正対象項目名】００１３
【補正方法】変更
【補正の内容】
【００１３】  段落番号００１３の内容図３・４において、鋳物製目皿（２５）は、一体構造の火消蓋・目皿自在継ぎ手(２７）と目皿と継ぎ手・火消蓋の支点のアジャスターの丁番（３３）において回動自在に取り付けられており、通常は、（２５）の鋳物製目皿、（２９）の火消用落し蓋と、（１４）の燃料（燃料増加の場合は、其れに合わせた重りを取り付ける。）の総重量より重い継ぎ手鋳・鉄棒（２４）の重力により、火消蓋・目皿自在継ぎ手（２７）に図中下方向に力が働くことで、鋳物製目皿（２５）は、目皿・火消蓋アジャスター（２８）よりくり抜かれた形が正確にはまり込む（目皿の枠内定位置）ことで、（３２）の取付具によって（２９）の火消蓋が（２８）のアジャスターの真下にくるように固定されている。
【手続補正８】
【補正対象書類名】明細書
【補正対象項目名】００１９
【補正方法】変更
【補正の内容】
【００１９】  段落番号００１９の内容本発明の第３は、本発明の図１・２・３・４・７・８・９・１０・１１・１２に示す前記高密度・熱量ペレット燃料を用いた自家製造バイオマスペレット燃料用の耐震・衝撃装置・火消し蓋付き壺兼用熱源順応かまどを（１４）の目皿にて燃焼容量１回分投与のエネルギー容量１とする、エネルギー熱源として同時に用いるボイラーと、前記ボイラーで発生したボイラー内蔵液体の潤滑オイルの高温・圧蒸気で駆動する蒸気タービンと、前記超小型軸流多段反動式蒸気タービンで発生した高速回転運動エネルギー１０，０００〜３０，０００ＲＰＭに比例する高出力電気エネルギー１００〜３００ＫＷ（ＰＳ）のＲＰＭ以上に変換する（発電機電圧は、２４〜２００Ｖ調整を符号１０の電圧変換機を通して、外形の大きさや巻線量の重さ等を考慮して決定することが好ましい、）自家発電機と、前記自家発電機で発生した電気によって、前記蒸気タービンの蒸気排気口と繋がった熱交換器と、前記熱交換機に接続された放熱螺旋形パイプ内蔵の前記保温庫内の放熱螺旋形配管パイプが、尚更なる、前記パイプより太い外径の放熱螺旋形配管パイプで二重に密閉して被せられ、内部液体は、中心パイプ内蔵の液体と同じものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き本温庫内加熱ヒーター放熱螺旋形配管パイプと前記耐震装置・火消し蓋付き壺兼用熱源順応かまどの前記ボイラー過熱とを加えた加熱量によって、保温庫内給湯量の使用の冷水入れ替え時にも対応して、熱湯・床冷暖・給湯装置に接続駆動された冷媒機等各複合機器と、これらによって、一つは、自家発電機からそのまま高出力電気電源としての利用で以って、余剰電気は分配・売電出来て、二つは、（１０）の電力変換装置より電気をバッテリーに各別充電して、尚且つ電力変換装置を経て各別電源に変換して持続・自立的に利用できる自家発電機装置で発生した電気によって、駆動・送風サポートする冷暖房床・空調機とを備える、固定・自動電気動力機器組込形式何れかのミニプラント自家発電器装置である。
【手続補正９】
【補正対象書類名】明細書
【補正対象項目名】００２０
【補正方法】変更
【補正の内容】
【００２０】段落番号００２０の内容本発明の自家発電機・冷暖房空調装置の模式外形構図を図７・８に示す、図中、前記高密度・熱量ペレット燃料を用いた自家製造バイオマスペレット燃料用の耐震・衝撃装置・火消し蓋付き壺兼用熱源順応かまど（１）で発生した熱により、ボイラー（２）に収容された液体である潤滑オイル（沸点調性剤使用も可）を高温・圧蒸気により前記超小型軸流多段反動式蒸気タービン（３）の高速回転１０，０００〜３０，０００ＲＰＭに比例して高出力１００〜３００ＫＷ（ＰＳ）のＲＰＭ以上自家発電を行い、得られた電気により、各別電源として用いる自家発電装置であり、余力各別電気は、前記蒸気タービンの排出口に繋がる熱交換器と前記熱交換器より排出の高温・圧の蒸気と、熱交換器の排出口に繋がる前記二重構造の放熱螺旋形パイプと前記電気加熱ヒーター放熱螺旋形パイプ内蔵の熱湯保温庫、冷媒機とを併せ以って冷暖房空調および給湯・床冷暖房機を十二分にサポートして行う装置であり、図７・８中、（１）は、家庭バイオマスペレット燃料の耐震装置・火消し蓋付き壺兼用熱源順応かまど、（２）は、自家発電気ヒーター内蔵ボイラー、（３）は超小型軸流多段反動式蒸気タービン、（４）は、自家発電機、（５）は、熱交換器、（６）は、電気モーター（電力は自己完結方式）、（７）・（２１）は循環ポンプ、（８）は、発電余力電力の充電用安全機、（９）は、充電器、（１０）は、電力変換装置である。
【手続補正１０】
【補正対象書類名】明細書
【補正対象項目名】００２１
【補正方法】変更
【補正の内容】
【００２１】段落番号００２１の内容  前記各種の装置は、前記高密度・熱量ペレット燃料を用いた自家製造バイオマスペレット燃料用の耐震・衝撃装置・火消し蓋付き壺兼用熱源順応かまどにて、同時使用にて、前記ボイラー（２）の沸点状態に於いて、前記（１４）の目皿に投入分のバイオマスペレット燃料を燃焼１回分を１エネルギー容量とする燃料エネルギーを変換増大化させて使用出来ることから、持続的に最大効果・率のエネルギー変換増大・拡大化を生み出すことができるグリーンな出し入れ自在な前記高密度・熱量ペレット燃料を用いた自家製造バイオマスペレット燃料用の耐震・衝撃装置・火消し蓋付き壺兼用熱源順応かまどエネルギー容量１に対して各蒸気タービン・発電機４機まで連結・増大・拡大化ミニプラント装置とするに、無用となる（５）・（２０）・（４６）は取り外し、（８）・（９）・（１０）は、連結拡大容量に合わせることで、エネルギー増大・連結・拡大・汎用化は好ましく、エネルギー連結・増大・拡大１セット基本ミニプラント装置（４３）である。
【手続補正１１】
【補正対象書類名】特許請求の範囲
【補正対象項目名】請求項６
【補正方法】変更
【補正の内容】
【請求項６】
請求項６の内容  請求項１〜４のいずれかに記載の高密度・熱量ペレット燃料を用いた自家製造バイオマスペレット燃料用の耐震・衝撃装置・火消し蓋付き壺兼用熱源順応かまどを熱源として用いる潤滑オイルを内蔵液体の沸騰圧力ボイラーとして、前記ボイラーで発生した高温・圧蒸気で駆動する液体を潤滑オイルとしたことで、軸受部分の直付けの簡略・単純・小型・潤滑化に加えて、蒸気タービン排気口の背圧調整と動翼外環遠心弾みリング設えにより高速回転を可能とした超小型軸流多段反動式蒸気タービンと、前記超小型軸流多段反動式蒸気タービンで発生した高速回転運動エネルギー１０，０００〜３０，０００ＲＰＭに比例した高出力電気エネルギー１００〜３００ＫＷ（ＰＳ）のＲＰＭ以上が可能となり、結果、自動電気動力機自体が、バッテリーを軽量・小型化出来て、外部からの充電・そのための消費時間皆無等々にて自立発電出来る電気動力機器組込・単体固定式の自家発電機として多目的、有効的に電力変換装置を通して使用したり、電源として直接使用出来る自家発電機装置。
【手続補正１２】
【補正対象書類名】特許請求の範囲
【補正対象項目名】請求項８
【補正方法】変更
【補正の内容】
【請求項８】
請求項８の内容  請求項１〜４のいずれかに記載の高密度・熱量ペレット燃料を用いた自家製造バイオマスペレット燃料用の耐震・衝撃装置・火消し蓋付き壺兼用熱源順応かまどの前記上部の図３の（１４）の開口部に投入した、貴重な前記バイオマスペレット投入の前記ボイラーの沸点状態に於ける1回燃焼分の燃料エネルギーを１容量としたものに対して、熱源として同時複合化することで、エネルギー複数容量に変換増大化できることによって、バイオマスペレット燃料源供給不足・忘れ・その他供給停止のことが起こっても、自己完結的に、前記熱湯保温庫に代表される複合的エネルギー保持されることも手伝って、前記ボイラー内蔵の自家高出力電気の前記ヒーターによって持続してエネルギーを供給できることで、自家製造バイオマスペレット燃料の耐震・衝撃装置・火消し蓋付き壺兼用熱源順応かまどエネルギー停止状態前の前記ストーブ放熱熱源組込機・電気動力組込装置・冷暖房空調機・熱湯保温庫・給湯機・自家発電機装置を同時に複合化使用できることで、特に高速回転前記超小型軸流多段反動式蒸気タービンによって、引き続きそのエネルギーを保持・持続・自立・増大・拡大化が・連結することで最大効率・果を集積出来る各種変換増大・拡大・汎用化基本ミニプラント装置。
【手続補正１４】
【補正対象書類名】図面
【補正対象項目名】図１１
【補正方法】追加
【補正の内容】
【図１１】
2014081084.tif 000045
【手続補正１５】
【補正対象書類名】図面
【補正対象項目名】図１２
【補正方法】追加
【補正の内容】
【図１２】
2014081084.tif 000046
【手続補正書】
【提出日】平成24年11月12日(2012.11.12)
【手続補正１】
【補正対象書類名】明細書
【補正対象項目名】全文
【補正方法】変更
【補正の内容】
【発明の詳細な説明】
【技術分野】
【０００１】
本発明は、前記ストーブ放熱熱源組込機・専用ボイラーの熱源かまどとしても、又、単独でも料理用かまどとしても活用出来て、蒸気タービン高速回転に比例した高出力自家発電機と充電器・電力変換機で各種電源も用意出来て、超小型軸流反動式蒸気タービン排出の高温・圧液体とそれに繋がる保温庫エネルギーとを併せ、加えて、モーターポンプ・送風機を自立完結型にて駆動させることで、冷暖両用となる前記高密度・熱量ペレット燃料を用いた自家製造バイオマスペレット燃料用の耐震・衝撃装置・火消し蓋付き壺兼用熱源順応かまどに関する。
【背景技術】
【０００２】
バイオマスペレットを燃料とするストーブやボイラーは、色々あるが、どの燃料源も、薪・バイオマスペレットも自在に使用できる内容の物はなくて、更に、有事の場合にも複合的活用できるシステムになっていない、そればかりか、低密度・熱量で、専用ペレットストーブはグリーンというタイトルのみに頼ったように高額過ぎて実質的になじめず、大型・容量タイプで、しかも、費用対効果的にも難色を感じることを禁じえない、このように、従来のエネルギー燃料は、大型プラントでしか造れなくて、負の生産が甚だしいので、負を減らすことと、エネルギーを一極集中大型化して広範囲に分散・配している現状と、高密度ポイント複合効率化することとは、相矛盾していて、エネルギーの損失が過大にて全く利用不可能であるので、可能にするには、家庭・事業所生ゴミ等を産業廃棄物化しない装置で、費用対効果ある正を保持・増大化出来る家庭・事業所単位のセパレート化が希求されている、
本発明に関連して、特許文献内容には、自家製の高密度・熱量でグリーンな家庭の生ゴミ等のバイオマスペレット燃料の製造方法が登録されている。
【先行技術文献】
【特許文献】
【０００３】
特開２０１１−２５１８８８号公報
【発明の概要】
【発明が解決しようとする課題】
【０００４】
本発明は、上述した実情に鑑みてなされたものであり、より環境にやさしく、どこにでも移設・順応出来る出し入れ自在で簡単・単純なマルチな前記高密度・熱量ペレット燃料を用いた自家製造バイオマスペレット燃料用の耐震・衝撃装置・火消し蓋付き壺兼用熱源順応かまどは、前記ストーブ放熱熱源、各種エネルギー増大化ミニプラント装置の電気動力組込機、及び前記冷暖房空調機・熱湯保温庫・給湯機・自家発電機装置を提供して、同時に複合化することで、前記のグリーンな前記高密度・熱量ペレット燃料を用いた自家製造バイオマスペレット燃料用の耐震・衝撃装置・火消し蓋付き壺兼用熱源順応かまどの熱源エネルギーを保持・自立・増大・持続・連結・拡大化することを目的とする。
【課題を解決するための手段】
【０００５】
本発明者は、上記課題を解決すべく鋭意検討した結果、費用対効果があって、環境に優しいバイオマスペレット燃料熱源化でき、基本的構造部分についてどこにでもあり、販売・使用許可される既存道具・部品類を出来るだけ用いて単純・簡単構造のシステムを以って、セパレート家庭・事業所単位に旧来の化石・電気エネルギーの動力を廃して、国内自給自足出来る前記（０００３）の高密度・熱量にしてリーズナブルな低廉価格でしかも本格的な燃料源としての自家製造バイオマス燃料からストーブ放熱熱源・高温・圧蒸気ボイラーエネルギーと、前記超小型軸流多段反動式蒸気タービン駆動の高速回転に比例する高出力自家発電気動力機器組込機で直接に、自家製造バイオマスペレット燃料用の耐震・衝撃装置・火消し蓋付き壺兼用熱源順応かまどエネルギーを、複合的に持続・増大・連結・拡大化して、尚且つ、環境・経済問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来る発展的マルチタイプの前記高密度・熱量ペレット燃料を用いた、熱源ボイラー・蒸気タービンの自家発電気で以ってそれに代えられる物とするために複合的順応マルチかまどである前記高密度・熱量ペレット燃料を用いた自家製造バイオマスペレット燃料用の耐震・衝撃装置・火消し蓋付き壺兼用熱源順応かまどを発明した。
【０００６】
かくして本発明によれば、下記（１）〜（４）の前記高密度・熱量ペレット燃料を用いた自家製造バイオマスペレット燃料用の耐震・衝撃装置・火消し蓋付き壺兼用熱源順応かまど・下記（５）のストーブ放熱熱源組込み機装置・下記（６）の前記出し入れ自在の自家製造高密度・熱量バイオマスペレット燃料用の耐震・衝撃装置・火消し蓋付き壺兼用熱源順応かまどを用いた自動電気動力発電ミニプラント組込装置・（７）の前記自家製造高密度・熱量バイオマスペレット燃料を用いる冷暖房空調機装置・下記（８）の前記ペレットを用いた熱量を活用する床冷暖房・給湯機装置・下記(９)の前記ペレットを用いた高温・高圧蒸気の蒸気タービンの高速回転を高出力電気に変換する自家発電機装置・下記（１０）の前記ペレットを用いる変換複合機械装置のエネルギー持続可能な各種変換増大・連結・拡大化基本装置が提供される。
（１）少なくとも上部に開口部を有する耐熱性容器と、前記耐熱性容器の上部の開口部を開閉できるように設けられた耐震装置・火消蓋付きと、着火装置とを備える、前記高密度・熱量ペレット燃料を用いた自家製造バイオマスペレット燃料用の耐震・衝撃装置・火消し蓋付き壺兼用熱源順応かまど。
（２）前記耐熱性容器が、珪藻土製の容器である、前記（１）に記載の前記高密度・熱量ペレット燃料を用いた自家製造バイオマスペレット燃料用の耐震・衝撃装置・火消し蓋付き壺兼用熱源順応かまど。
（３）さらに、踏み台と、前記踏み台と前記高密度・熱量ペレット燃料を用いた自家製造バイオマスペレット燃料用の耐震・衝撃装置・火消し蓋付き壺兼用熱源順応かまどとを連結する火消し蓋開閉機構とを備える前記高密度・熱量ペレット燃料を用いた自家製造バイオマスペレット燃料用の耐震・衝撃装置・火消し蓋付き壺兼用熱源順応かまどであって、耐震装置によるか、踏み台を操作することで、火消蓋開閉機構を通じて、火消蓋の開閉状態を制御するものである、前記（１）〜（２）のいずれかに記載の前記高密度・熱量ペレット燃料を用いた自家製造バイオマスペレット燃料用の耐震・衝撃装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載の前記高密度・熱量ペレット燃料を用いた自家製造バイオマスペレット燃料用の耐震・衝撃装置・火消し蓋付き壺兼用熱源順応かまど。
（５）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いるストーブ放熱熱源組込み機装置。
（６）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる後記（７）〜（１０）いずれかに記載の各装置を組み込むに、その内の給湯水装置を除外した物と、そうでない物とに分けると、
一つは、保温庫の給湯水装置部分のみを除外した物を用いた内蔵の発電機装置は、自動電気動力を自動機器設置内部で直接・効率・円滑的に駆動させることが可能であることから、バッテリー電気をスタート時のみ用いるか、内燃機関のアイドリング状態似のボイラー熱源電気ヒーターの自動調整による蒸気タービンの低速回転にて、前記保温庫内温度を確保出来て、短時間で高出力電気エネルギー化出来て、電気高・低出力調整も出来ることの何れかであり、自家製造電気エネルギーを前記自動電気動力の内部で直接使用することで、外部電気取入不要にて、バッテリーを軽量・小型化でき、調整・持続・自立した高出力電気エネルギーが、電気動力装置が組み込まれた後記（７）〜（１０）いずれかに記載の各装置を用いた自家発電機装置でもって前記自動機器外部の各家庭・事業所使用電気エネルギーをも供給出来る図７・８・１０・１１・１２に示す通りの自動電気動力駆動発電機組込ミニプラント基本装置。
二つは、保温庫給湯水装置を付帯した後記（７）〜（１０）の装置は、後記（８）の装置を組み込んだ内容の前記自動電気動力装置として、ボイラー内加熱電気ヒーター最大にして前記高密度・熱量ペレット燃料を用いた自家製造バイオマスペレット燃料用の耐震・衝撃装置・火消し蓋付き壺兼用熱源順応かまどの前記自家製ペレット燃料を自動投下燃焼を最大化して、尚且つ、保温庫内自家製電気ヒーターを最大化して冷水注入温度低下を短時間で補完して、自動電気動力装置に組込まれた後記（７）〜（１０）いずれかに記載の各装置を用いた自家発電機装置でもって、自らの自動内蔵自家製電気動力エネルギーに限らず、各家庭・事業所使用電気エネルギーをも供給出来る図７・８・１０・１１・１２に示す通りの自動電気動力駆動発電機組込ミニプラント基本装置。
（７）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記ボイラーと、前記ボイラーで発生した高温・圧蒸気で駆動する液体を潤滑オイルとした超小型軸流多段反動式蒸気タービン（軸流式の定義は、回転軸に平行な向きに蒸気が流れる間にタービン翼によってエネルギーが得られる方式である、回転翼の長手方向に遠心力が加わるため、工学的な制約が比較的少ない、反動式の定義は、動翼内でも蒸気の圧力エネルギーを運動エネルギーに変換し、動翼から噴出する蒸気の反動力も利用して回転力が発生する、一段落当たりの熱落差が小さく段落数は多くなるが、翼は小型となる、）として用いて、直付けの軸受部分（潤滑オイル直接ベアリング噴霧循環）の図９（４８）の簡略・単純・小型・潤滑化の新規機械製作かリビルトも可としての高速回転が可能となった、超小型軸流多段反動式蒸気タービンと、前記蒸気タービンで発生した高速運動エネルギーに比例した高出力電気エネルギーに変換増大化する自家発電機装置と、前記蒸気タービンの蒸気排気口（５０）の部分は、形・構造を変えても背圧調整にて、蒸気タービンの高速回転を更に上げるようにすることは、エネルギー増大・拡大化に好ましい、尚更に、動翼の外環部分に遠心弾みリングを設置して高速回転数を大幅に上げるようにすることもエネルギー増大・拡大化に好ましく、連結することで汎用化を可能として、前記蒸気タービン排出口と接続された熱交換器（５）と、前記熱交換器排出口に繋がる冷媒機（２０）と、前記自家発電機（４）で発生した電気によって駆動する冷暖房空調機とを備える冷暖房空調機装置。
（８））前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記ボイラーで発生した高温・圧蒸気で駆動する液体を潤滑オイルとした超小型軸流多段反動式蒸気タービンと前記蒸気タービンの蒸気排気口と接続された熱交換器と、前記熱交換機の排出口に接続された放熱螺旋形配管パイプが内蔵された前記潤滑オイルである液体と給湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記自家製造高密度・熱量バイオマスペレット燃料用の耐震・衝撃装置・火消し蓋付き壺兼用熱源順応かまどの熱源として用いる前記ボイラー加熱とを加えた加熱量によって、保温庫内給湯量の大量使用の冷水入れ替え時にも対応出来る、これによって、中心パイプ内液体高温保温状態で、持続的熱湯保温・給湯・床冷暖房機による温水給配と保温庫内配管・給排水口取付口設備にて、床冷暖房機とを備える、床冷暖房・給湯機装置。
（９）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記自家発電機によって発生した高出力電気を電力変換機装置を経て各種電圧電源を供給したり、選択充電を使用したり出来て、電気動力組込の必要条件にて、前記超小型軸流多段反動式蒸気タービンで発生した高速回転運動エネルギー１０，０００〜３０，０００ＲＰＭ回転に比例した（発電機の電圧設定は、２４〜２００Ｖ調整を用途別に単・三相を符号１０の電力変換機を通して、外形の大きさや巻線量と重さをも考慮して決定することが好ましい、）高出力電気エネルギー１５０〜３００ＫＷ（ＰＳ）のＲＰＭ以上に変換増大・連結・拡大・汎用化する自家発電機装置。
【０００７】
（１０）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として各種増大化装置による同時複合化することで、貴重な前記高密度・熱量バイオマスペレット燃料エネルギーを、前記（１４）の目皿に投入燃焼１回分の高密度・熱量バイオマスペレット燃料をボイラー（２）の沸点状態に於ける１とする容量に対して、エネルギー複数容量に変換増大化されたことで、上記の自家製造高密度・熱量バイオマスペレット燃料用の耐震・衝撃装置・火消し蓋付き壺兼用熱源順応かまどの前記上部の開口部に投入した前記燃焼１回分のペレット燃料供給が停止・不足・忘れ等がなされたりの状態でも、前記ボイラー内臓の温度感知センサー（２）の作動にて、前記各種エネルギー増大化装置の余剰エネルギーを特に代表した高出力電気を使った（２）の内蔵電気ヒーターが、持続的エネルギー供給を行える、また、前記バイオマスペレット燃料を投入して燃焼が開始すれば、前記エネルギー燃焼同様に持続的エネルギー供給して、（２）内蔵のセンサーによってヒーターは自動的に解除になったり、自動温度調整にて、内燃機関のアイドリング状態似の低速回転の低出力電気となることにより、保温庫内熱湯温度をキープしたままいつでも短時間で最大高速回転化出来て、高出力電気エネルギー供給出来、アイドリング状態に出来ない場合でも、特に、自動電気動力・固定いずれの場合も、バッテリーで駆動させて短時間に、前記高密度・熱量ペレット燃料を用いた自家製造バイオマスペレット燃料用の耐震・衝撃装置・火消し蓋付き壺兼用熱源順応かまどを自動着火させて、蒸気タービンを高速回転できて、高出力電気エネルギーを生み出せるので、各家庭・事業所単位毎にバラツキのあるバイオマスペレット燃料のエネルギー供給を一律平均的に安定化させることが可能でもあり、セパレート家庭・事業所単位毎に家庭・事業所生ゴミを産業廃棄物化せずに、分散セパレート化したことで、前記（０００３）の特許文献にあるものを併せて、家庭・事業所単位毎のミニプラントエネルギー生産が複合化を可能にしての費用対効果を生み出して、特に、自動電気動力装置に於いては、その都度動力停止しての長時間充電しなくて済み、重量・大型充電器の軽量・小型化が可能となり、グリーンでゆっくりでも豊かな生活を可能にしてくれて、環境・防衛・経済・財政・外交的にもより安定した安心な暮らしを提供される前記高密度・熱量ペレット燃料を用いた自家製造バイオマスペレット燃料用の耐震・衝撃装置・火消し蓋付き壺兼用熱源順応かまどエネルギーの前記（５）〜（１０）のエネルギー持続・連結・拡大供給可能な各種変換増大・汎用化ミニプラント装置。
【発明の効果】
【０００８】
上記のようにセパレート家庭・事業所単位であって、対既存化石・電気エネルギーに与しない、国内自給自足出来る前記（０００３）の高密度・熱量自家製造バイオマスペレット燃料を用いた高温・圧蒸気ボイラーエネルギーと、前記超小型軸流多段反動式蒸気タービン駆動の高速回転に比例する高出力自家発電気による変換電気のエネルギーとで、単純・簡単構造にしてリーズナブルな低廉価格でしかも本格的な燃料源としての前記高密度・熱量ペレット燃料を用いた自家製造バイオマスペレット燃料用の耐震・衝撃装置・火消し蓋付き壺兼用熱源順応かまどのエネルギーを持続・増大・連結・拡大化して、尚且つ、環境・経済問題も、国家的燃料問題も、慣れ過ぎた高度インフラ整備社会に惑わされたとすれば、転ばぬ先の杖として有事の際の別回線的エネルギー生産をも用意できて、真にグリーンで環境に優しくて豊かな生活をエンジョイ出来る発展的マルチタイプの前記高密度・熱量ペレット燃料を用いた要となる効果をもたらしたのが、自家製造バイオマスペレット燃料用の耐震・衝撃装置・火消し蓋付き壺兼用熱源順応かまどである。
【図面の簡単な説明】
【０００９】
【図１】本発明の耐震装置・火消し蓋付き壺兼用熱源順応かまどの平面図である。
【図２】本発明の耐震装置・火消し蓋付き壺兼用熱源順応かまどのＡ-Ａ”表記の正面図である。
【図３】本発明の耐震装置・火消し蓋付き壺兼用熱源順応かまどの踏み台を外した状態Ａ-Ａ”側断面図である。
【図４】本発明の耐震装置・火消し蓋付き壺兼用熱源順応かまどの踏み台を踏んだ状態のＡ-Ａ”側断面図である。  
【図５】本発明のストーブ放熱熱源組込機の耐震装置・火消し蓋付き壺兼用熱源順応かまどの正面図である。
【図６】本発明のストーブ放熱熱源組込機の耐震装置・火消し壺蓋付き兼用熱源順応かまどの側面図である。
【図７】本発明のシステム実施例を示す図である。
【図８】本発明の前図７の各装置模式図の各形と構造とコンパクトミニプラント電気動力機器組込・固定模式構造・形を示す図である。
【図９】本発明の前図７・８の（３）潤滑オイル仕様の超小型軸流多段反動式蒸気タービン直付け簡略・簡単・潤滑軸受けベアリング形・構造を示す図である。
【図１０】本発明の前記自家発電ミニプラント電気動力組込・固定とプラント設置されない家に電気動力組込機と固定機より電気注入実施例を示す図である。
【図１１】本発明の前記自家発電気ミニプラント電気動力組込・固定された汎用実施例を示す図である
【図１２】本発明の前記自家発電気ミニプラント電気動力組込とプラント設置されない工場に電気動力組込機より電気注入出来る汎用実施例を示す図である。
【発明を実施するための形態】
【００１０】
前記高密度・熱量ペレット燃料を用いた自家製造バイオマスペレット燃料用の耐震・衝撃装置・火消し蓋付き壺兼用熱源順応かまどには、複合的マルチタイプの小・移設型システム内容の発展タイプが求められている、本発明の前記高密度・熱量ペレット燃料を用いた自家製造バイオマスペレット燃料用の耐震・衝撃装置・火消し蓋付き壺兼用熱源順応かまどは、その内容が難しくない簡単・単純なもので、同時複合的連関を発生・展できる発明実施の形態であって、高密度・熱量バイオマスペレット燃料の専用かまどとして環境に優しく、高温に耐えられて、持ち運び移設に小型・簡便・発展的で、図１・２・３・４・７・８に示す通りで、しかも安全であることを可能とした工夫が前記高密度・熱量ペレット燃料を用いた自家製造バイオマスペレット燃料用の耐震・衝撃装置・火消し蓋付き壺兼用熱源順応かまどである。
【００１１】
本発明に用いる燃料ペレットは高密度・熱量に於いて、自動選別・制限される、したがって、ダイオキシンや重金属の除去されていないものや、余分なものが混在している、例えば、放射能をかぶったバイオマスの除染が出来ていないものは当然制限されるが、制限外・されない場合は、本機の増大化装置にて特に基よりペレット燃料使用量も少ないことからもバイオマスの使用量を超えない範囲内にて、コークス、石炭、灯油、ガソリン、ガスを用いることも熱量に言及すれば、好ましいのである、しかしながら、それらに対して前記（０００３）特許文献の高密度・熱量バイオマスペレット燃料は全てを満たして優れているから選外・制限されない内容にて使用燃料指定出来るのである。
【００１２】
以下、添付図面符号に従って一実施例を説明する、図３・４は、本発明の前記高密度・熱量ペレット燃料を用いた自家製造バイオマスペレット燃料用の耐震・衝撃装置・火消し蓋付き壺兼用熱源順応かまどの実施例を示す図２の断面図である、図３・４中、（１１）は、ストーブ用耐熱珪藻土かまど、（１４）は、バイオマスペレット燃料置き空気孔付き受皿、周りの淵は、より堅牢・背高で五徳使用・汎用時の燃料増加も可、（１５）は、かまど空気調整開閉調整口、（２２）は、火消用落し蓋アジャスター継ぎ手、（２３）は、火消用落し蓋アジャスター踏み台、（２４）は、火消用落し蓋アジャスト重量（目皿・火消蓋・（１４）の燃料より重い）継ぎ手鋳物・鉄棒、（２５）は、（２７）継ぎ手と一体構造の鋳物製目皿、（２６）は、（２３）の踏み台の補助取手、（２７）は、火消蓋・目皿自在継ぎ手（一体構造の目皿と継ぎ手・火消蓋の支点のアジャスターの丁番（３３）にて、シーソー・上下降する）、（２８）は、目皿・火消蓋・（１４）の燃料置き空気孔付き受け皿アジャスター・フェンダー、（２９）は、火消蓋（（３２）の目皿の自在取付具によって用をなして、それまでは単なる自在蓋であるが、（２８）のアジャスターの真下に位置して（３１）の火消壺内を密閉する。）、（３０）は、火消蓋・目皿・（２７）継手アジャスター開閉の上下運動支点、（３１）は、火消壺・かまど、（３２）は、目皿の火消蓋自在取付具兼（３９）の安全ストッパー自在解除具、（３３）は、鋳物製目皿（２５）と火消蓋・目皿自在継ぎ手(２７）との継ぎ手丁番である。
【００１３】
図３・４において、鋳物製目皿（２５）は、一体構造の火消蓋・目皿自在継ぎ手(２７）と目皿と継ぎ手・火消蓋の支点のアジャスターの丁番（３３）において回動自在に取り付けられており、通常は、（２５）の鋳物製目皿、（２９）の火消用落し蓋と、（１４）の燃料（燃料増加の場合は、其れに合わせた重りを取り付ける。）の総重量より重い継ぎ手鋳・鉄棒（２４）の重力により、火消蓋・目皿自在継ぎ手（２７）に図中下方向に力が働くことで、鋳物製目皿（２５）は、目皿・火消蓋アジャスター（２８）よりくり抜かれた形が正確にはまり込む（目皿の枠内定位置）ことで、（３２）の取付具によって（２９）の火消蓋が（２８）のアジャスターの真下にくるように固定されている。
【００１４】
図３・４に示す前記高密度・熱量ペレット燃料を用いた自家製造バイオマスペレット燃料用の耐震・衝撃装置・火消し蓋付き壺兼用熱源順応かまどは、バイオマスペレット燃料をバイオマスペレット燃料置き空気孔付き受皿（１４）内に入れ、（２９）の火消蓋を（３２）の自在取付具より放すか、（２５）の目皿の隙間から自動的に軽く叩き落として、（３２）の取付具を解放して（３１）火消壺・かまど内に落とし、（１５）のかまどの空気調整口を開けて、そこでバイオマスペレット燃料を（１７）のスチール着火カプセルにて燃焼させる装置である。
【００１５】
また、使用を中断したい場合等においては、以下のように、図３・４に示す（３９）のストッパーを外してから、又は、耐震・衝撃装置（３７）の金属ボールが、自在解除具（３２）を作動して、（３９）の（３２）よりのリードラインを通して、ストッパーが外れて、燃焼中のバイオマスペレット燃料を火消壺（３１）中に落とし、消火することができる、すなわち、火消用落し蓋アジャスター踏み台（２３）を足で踏むことによるか、耐震・衝撃装置（３７）により、（２５）の目皿、（２８）の火消用落し蓋、  （１４）の中身の燃料の合計重量より（２４）の鉄棒の重量は、重いか、又は、尚更に合計重量に加えて、（３７）の金属ボールの移動落下荷重によって一時的に２倍まで重くなる耐震装置の金属ボール（３７）との合計により重くなった分、軽くなる継手鋳物棒（２４）が、図中、前記の何れかによって上方向に移動し、火消用落し蓋アジャスター継ぎ手（２２）及び火消蓋・目皿自在継ぎ手（２７）が、図中、上方向に移動すると、目皿・火消蓋アジャスター（２８）の真下にくるように固定されていた鋳物製目皿（２５）は、目皿と継ぎ手・火消蓋の支点のアジャスターの丁番（３３）において下方向に回転して、図４に示す状態になる、したがって、バイオマスペレット燃料置き空気孔付き受け皿（１４）内の燃料ペレットが火消壺内に落下して、（１４）内燃料と（３７）の金属ボールの落下荷重が元に戻った重量合計の軽くなった分、重量を上回った継手鋳・鉄棒（２４）の重力にて、継手（２２）と下方向に移動して、継手（２７）と一体構造の（２５）は丁番（３３）において回転して、（２５）は（３２）によって火消蓋（２８）をとらえた状態にて、（１５）のかまど空気調整口は塞ぐことで、密封した状態となり、火消壺内は酸素不足の状態になっている為に、消火がおこなわれる、この状態を、図３でより詳細に説明する。
【００１６】
図３において、火消用落し蓋アジャスター踏み台（２３）から足を離すと、火消用落し蓋アジャスト重量（目皿より重い）継ぎ手鋳物棒（２４）が、図中、重力により下方向に移動し、火消用落し蓋アジャスター継ぎ手（２２）及び火消蓋・目皿自在継ぎ手（２７）が、図中、（２７）・（２５）の一体構造が（３３）の丁番を支点にシーソー下方向に移動することで、鋳物製目皿（２５）と（３２）の火消蓋の目皿自在取付具は、(２９)火消し蓋を捉えた状態のまま、目皿・火消蓋アジャスター（２８）の枠内定位置・真下に固定されて、尚更に、より安全確保のために（３９）の安全ストッパーを掛けて、（１５）の空気開閉調整口を閉めると消火出来て、前記（１５）の調整口を開けて火消し蓋（２９）を（３１）内に落とせば、着火燃焼開始出来る。
【００１７】
また、火消壺（３１）内に落下し、消火された燃料ペレットは、再利用することができる、前記（０００３）の特許文献の燃料ペレットは、高密度・熱量であるから、コークス同様に着火し難いので、コークス並みに（１７）のポリプロピレンを原料としたものを穴空き金属製ペレット状カプセルに収納させた着火装置を使用することが好ましい。
【００１８】
本発明の第２は、本発明の前記高密度・熱量ペレット燃料を用いた自家製造バイオマスペレット燃料用の耐震・衝撃装置・火消し蓋付き壺兼用熱源順応かまどを熱源として利用する前記ストーブ放熱熱源組込機である、本発明のペレットストーブ放熱熱源組込機の正・側面図を図５、６に示す、また、図５、６中、（１）は、前記高密度・熱量ペレット燃料を用いた自家製造バイオマスペレット燃料用の耐震・衝撃装置・火消し蓋付き壺兼用熱源順応かまど、（１４）は、バイオマスペレット燃料置き空気孔付き受皿、（３４）は、ストーブ煙突、３５は薪ストーブ窓、（３６）は、ストーブ灰皿受けであるので、薪を燃やし入れたいときには、順応かまどをストーブから取り出して、（１２）のアジャストを設ければ、ペレットストーブが薪ストーブに早代わりとなる。
【００１９】
本発明の第３は、本発明の図１・２・３・４・７・８・９・１０・１１・１２に示す前記高密度・熱量ペレット燃料を用いた自家製造バイオマスペレット燃料用の耐震・衝撃装置・火消し蓋付き壺兼用熱源順応かまどを（１４）の目皿にて燃焼容量１回分投与のエネルギー容量１とする、エネルギー熱源として同時に用いるボイラーと、前記ボイラーで発生したボイラー内蔵液体の潤滑オイルの高温・圧蒸気で駆動する蒸気タービンと、前記超小型軸流多段反動式蒸気タービンで発生した高速回転運動エネルギー１０，０００〜３０，０００ＲＰＭに比例する高出力電気エネルギー１００〜３００ＫＷ（ＰＳ）ＲＰＭ以上に変換する（発電機電圧は、２４〜２００Ｖ調整を符号１０の電圧変換機を通して、外形の大きさや巻線量の重さ等を考慮して決定することが好ましい、）自家発電機と、前記自家発電機で発生した電気によって、前記蒸気タービンの蒸気排気口と繋がった熱交換器と、前記熱交換機に接続された放熱螺旋形パイプ内蔵の前記保温庫内の放熱螺旋形配管パイプが、尚更なる、前記パイプより太い外径の放熱螺旋形配管パイプで二重に密閉して被せられ、内部液体は、中心パイプ内蔵の液体と同じものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き本温庫内加熱ヒーター放熱螺旋形配管パイプと前記耐震装置・火消し蓋付き壺兼用熱源順応かまどの前記ボイラー過熱とを加えた加熱量によって、保温庫内給湯量の使用の冷水入れ替え時にも対応して、熱湯・床冷暖・給湯装置に接続駆動された冷媒機等各複合機器と、これらによって、一つは、自家発電機からそのまま高出力電気電源としての利用で以って、余剰電気は分配・売電出来て、二つは、（１０）の電力変換装置より電気をバッテリーに各別充電して、尚且つ電力変換装置を経て各別電源に変換して持続・自立的に利用できる自家発電機装置で発生した電気によって、駆動・送風サポートする冷暖房床・空調機とを備える、固定・自動電気動力機器組込形式何れかのミニプラント自家発電器装置である。
【００２０】
本発明の自家発電機・冷暖房空調装置の模式外形構図を図７・８に示す、図中、前記高密度・熱量ペレット燃料を用いた自家製造バイオマスペレット燃料用の耐震・衝撃装置・火消し蓋付き壺兼用熱源順応かまど（１）で発生した熱により、ボイラー（２）に収容された液体である潤滑オイル（沸点調性剤使用も可）を高温・圧蒸気により前記超小型軸流多段反動式蒸気タービン（３）の高速回転１０，０００〜３０，０００ＲＰＭに比例して高出力１００〜３００ＫＷ（ＰＳ）のＲＰＭ以上自家発電を行い、得られた電気により、各別電源として用いる自家発電装置であり、余力各別電気は、前記蒸気タービンの排出口に繋がる熱交換器と前記熱交換器より排出の高温・圧の蒸気と、熱交換器の排出口に繋がる前記二重構造の放熱螺旋形パイプと前記電気加熱ヒーター放熱螺旋形パイプ内蔵の熱湯保温庫、冷媒機とを併せ以って冷暖房空調および給湯・床冷暖房機を十二分にサポートして行う装置であり、図７・８中、（１）は、家庭バイオマスペレット燃料の耐震装置・火消し蓋付き壺兼用熱源順応かまど、（２）は、自家発電気ヒーター内蔵ボイラー、（３）は超小型軸流多段反動式蒸気タービン、（４）は、自家発電機、（５）は、熱交換器、（６）は、電気モーター（電力は自己完結方式）、（７）・（２１）は循環ポンプ、（８）は、発電余力電力の充電用安全機、（９）は、充電器、（１０）は、電力変換装置である。
【００２１】
前記各種の装置は、前記高密度・熱量ペレット燃料を用いた自家製造バイオマスペレット燃料用の耐震・衝撃装置・火消し蓋付き壺兼用熱源順応かまどにて、同時使用にて、前記ボイラー（２）の沸点状態に於いて、前記（１４）の目皿に投入分のバイオマスペレット燃料を燃焼１回分を１エネルギー容量とする燃料エネルギーを変換増大化させて使用出来ることから、持続的に最大効果・率のエネルギー変換増大・拡大化を生み出すことができるグリーンな出し入れ自在な前記高密度・熱量ペレット燃料を用いた自家製造バイオマスペレット燃料用の耐震・衝撃装置・火消し蓋付き壺兼用熱源順応かまどエネルギー容量１に対して各蒸気タービン・発電機４機まで連結・増大・拡大化ミニプラント装置とするに、無用となる（５）・（２０）・（４６）は取り外し、（８）・（９）・（１０）は、連結拡大容量に合わせることで、図（１０）のエネルギー増大・連結・拡大して、図（１１）・（１２）の汎用化は好ましく、エネルギー連結・増大・拡大１セット基本ミニプラント装置（４３）である。
【符号の説明】
【００２２】
１、高密度・熱量ペレット燃料を用いた自家製造バイオマスペレット燃料用の耐震・衝撃装置・火消し蓋付き壺兼用熱源順応かまど
２、ボイラー（内蔵液体潤滑オイル使用、温度センサー付き自己完結型高出力電気ヒーター・切替機装置内蔵）
３、超小型軸流多段反動式蒸気タービン
４、自家発電機
５、熱交換器
６、電気モーター（電力は自己完結方式）
７、循環ポンプ
８、発電気の電力変換機装置と充電機の安全機
９、充電器                                  
１０、正弦波長・電力変換装置
１１、耐熱珪藻土かまど
１２、アジャスト薪空気孔付き受け皿（薪を用いる場合のストーブ用部材。）
１３、前記１の火消開閉蓋（取換用部品。）
１４、バイオマスペレット燃料置き空気孔付き受皿（（２８）と一体構造の鋳物）
１５、かまど空気開閉調整口（引き違い戸かはめ込み栓方式の何れか。）
１６、アジャスト空気孔筒伸縮調整蛇腹（内気導入を止めて、外気導入時の備品）
１７、スチール着火カプセル（ポリプロピレン入り金属製発火口付きカプセル）
１８、ストーブ（（１）の放熱熱源組込み機装置）
１９、モーター・除湿調性用ヒーター付き送風ファン
２０、冷媒機熱（熱交換器に繋がった保温庫に繋がる）
２１、モーター付き圧縮ポンプ（冷暖切換機付き）
２２、火消用落し蓋アジャスター継ぎ手
２３、火消用落し蓋アジャスター踏み台
２４、火消用落し蓋アジャスト重量（目皿＋火消蓋＋（１４）の燃料合計より重い。）継ぎ手鋳・鉄棒
２５、（２７）継ぎ手と一体構造の鋳物製目皿（（２８）のアジャスターを目皿の型に刳り抜いた形体）
２６、踏み台の補助取っ手
２７、火消蓋・目皿自在継ぎ手（（２８）アジャスターの丁番（３３）を支点に上下降する）
２８、目皿・火消蓋アジャスター・フェンダー（（１４）・（２７）と同質の鋳物で（１４）と一体構造）
２９、火消蓋（（３２）取付具によって（２５）の目皿と一体化出来、それまでは落蓋。）
３０、火消蓋アジャスター継ぎ手支点
３１、火消壺・かまど（珪藻土。）
３２、目皿の火消蓋自在取付具兼（３９）の作動自在解除具併せ持つ、（３９）のストッパーを外す。
３３、目皿と継ぎ手・火消蓋の支点のアジャスターの丁番
３４、ストーブ煙突
３５、薪ストーブ窓
３６、ストーブ灰皿受け
３７、耐震装置金属ボールの（３２）自在解除具に金属ボールが転がり衝突作動      
３８、外壁ステンレス板（珪藻土外壁強化材）
３９、安全ストッパー（（２９）の火消蓋が動かぬ様に固定化、（３７）の（３２）によって外れる。）
４０、保温庫（熱交換器に接続の二重構造放熱配管の螺旋形パイプと電気加熱温度センサー付きヒーター螺旋形パイプの保温庫内内蔵と保温庫の給湯・床暖・熱湯保温する（床暖引込口・パイプ等埋設設備複数予備パイプライン・ジョイントあり、冷媒機に接続される））
４１、ヒーター（湿度調整）（１９）のヒーター付き送風ファンに同じ
４２、（１１）の鋳物製フェンダー（（２８）のフェンダーと同じ働き）
４３、ミニプラント基本装置（自家発電機固定・電気動力機器組込何れかの方式）
４４、ペレット燃料自動投下装置
４５、潤滑オイルとオイルフィルター交換口装置（潤滑オイル交換が定期的に必要）
４６、冷房機冷水補助タンク
４７、ボイラー（２）、かまど（１）収納容器兼自動排気設備 
４８、軸受けベアリング（３の軸受け外側蓋直付け固定）
４９、ボイラー（２）からの高温・圧蒸気のノズルへの取り入れ口
５０、蒸気タービン（３）の液体潤滑オイル蒸気排出口
５１、蒸気タービン（３）の静翼
５２、蒸気タービン（３）の動翼ブレード
５３、蒸気タービン（３）の軸シャフト

【手続補正２】
【補正対象書類名】図面
【補正対象項目名】図１１
【補正方法】変更
【補正の内容】
【図１１】
2014081084.tif 000047
【手続補正３】
【補正対象書類名】図面
【補正対象項目名】図１２
【補正方法】変更
【補正の内容】
【図１２】
2014081084.tif 000048
【手続補正書】
【提出日】平成24年11月16日(2012.11.16)
【手続補正１】
【補正対象書類名】明細書
【補正対象項目名】０００６
【補正方法】変更
【補正の内容】
【０００６】
かくして本発明によれば、下記（１）〜（４）の前記高密度・熱量ペレット燃料を用いた自家製造バイオマスペレット燃料用の耐震・衝撃装置・火消し蓋付き壺兼用熱源順応かまど・下記（５）のストーブ放熱熱源組込み機装置・下記（６）の前記出し入れ自在の自家製造高密度・熱量バイオマスペレット燃料用の耐震・衝撃装置・火消し蓋付き壺兼用熱源順応かまどを用いた自動電気動力発電ミニプラント組込装置・（７）の前記自家製造高密度・熱量バイオマスペレット燃料を用いる冷暖房空調機装置・下記（８）の前記ペレットを用いた熱量を活用する床冷暖房・給湯機装置・下記(９)の前記ペレットを用いた高温・高圧蒸気の蒸気タービンの高速回転を高出力電気に変換する自家発電機装置・下記（１０）の前記ペレットを用いる変換複合機械装置のエネルギー持続可能な各種変換増大・連結・拡大化基本装置が提供される。
（１）少なくとも上部に開口部を有する耐熱性容器と、前記耐熱性容器の上部の開口部を開閉できるように設けられた耐震装置・火消蓋付きと、着火装置とを備える、前記高密度・熱量ペレット燃料を用いた自家製造バイオマスペレット燃料用の耐震・衝撃装置・火消し蓋付き壺兼用熱源順応かまど。
（２）前記耐熱性容器が、珪藻土製の容器である、前記（１）に記載の前記高密度・熱量ペレット燃料を用いた自家製造バイオマスペレット燃料用の耐震・衝撃装置・火消し蓋付き壺兼用熱源順応かまど。
（３）さらに、踏み台と、前記踏み台と前記高密度・熱量ペレット燃料を用いた自家製造バイオマスペレット燃料用の耐震・衝撃装置・火消し蓋付き壺兼用熱源順応かまどとを連結する火消し蓋開閉機構とを備える前記高密度・熱量ペレット燃料を用いた自家製造バイオマスペレット燃料用の耐震・衝撃装置・火消し蓋付き壺兼用熱源順応かまどであって、耐震装置によるか、踏み台を操作することで、火消蓋開閉機構を通じて、火消蓋の開閉状態を制御するものである、前記（１）〜（２）のいずれかに記載の前記高密度・熱量ペレット燃料を用いた自家製造バイオマスペレット燃料用の耐震・衝撃装置・火消し蓋付き壺兼用熱源順応かまど。
（４）前記着火装置が、ポリプロピレンを原料としたものを穴空き金属製ペレット状カプセルに収納させたものである、前記（１）〜（３）のいずれかに記載の前記高密度・熱量ペレット燃料を用いた自家製造バイオマスペレット燃料用の耐震・衝撃装置・火消し蓋付き壺兼用熱源順応かまど。
（５）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いるストーブ放熱熱源組込み機装置。
（６）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる後記（７）〜（１０）いずれかに記載の各装置を組み込むに、その内の給湯水装置を除外した物と、そうでない物とに分けると、
一つは、保温庫の給湯水装置部分のみを除外した物を用いた内蔵の発電機装置は、自動電気動力を自動機器設置内部で直接・効率・円滑的に駆動させることが可能であることから、バッテリー電気をスタート時のみ用いるか、内燃機関のアイドリング状態似のボイラー熱源電気ヒーターの自動調整による蒸気タービンの低速回転にて、前記保温庫内温度を確保出来て、短時間で高出力電気エネルギー化出来て、電気高・低出力調整も出来ることの何れかであり、自家製造電気エネルギーを前記自動電気動力の内部で直接使用することで、外部電気取入不要にて、バッテリーを軽量・小型化でき、調整・持続・自立した高出力電気エネルギーが、電気動力装置が組み込まれた後記（７）〜（１０）いずれかに記載の各装置を用いた自家発電機装置でもって前記自動機器外部の各家庭・事業所使用電気エネルギーをも供給出来る図７・８・１０・１１・１２に示す通りの自動電気動力駆動発電機組込ミニプラント基本装置。
二つは、保温庫給湯水装置を付帯した後記（７）〜（１０）の装置は、後記（８）の装置を組み込んだ内容の前記自動電気動力装置として、ボイラー内加熱電気ヒーター最大にして前記高密度・熱量ペレット燃料を用いた自家製造バイオマスペレット燃料用の耐震・衝撃装置・火消し蓋付き壺兼用熱源順応かまどの前記自家製ペレット燃料を自動投下燃焼を最大化して、尚且つ、保温庫内自家製電気ヒーターを最大化して冷水注入温度低下を短時間で補完して、自動電気動力装置に組込まれた後記（７）〜（１０）いずれかに記載の各装置を用いた自家発電機装置でもって、自らの自動内蔵自家製電気動力エネルギーに限らず、各家庭・事業所使用電気エネルギーをも供給出来る図７・８・１０・１１・１２に示す通りの自動電気動力駆動発電機組込ミニプラント基本装置。
（７）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記ボイラーと、前記ボイラーで発生した高温・圧蒸気で駆動する液体を潤滑オイルとした超小型軸流多段反動式蒸気タービン（軸流式の定義は、回転軸に平行な向きに蒸気が流れる間にタービン翼によってエネルギーが得られる方式である、回転翼の長手方向に遠心力が加わるため、工学的な制約が比較的少ない、反動式の定義は、動翼内でも蒸気の圧力エネルギーを運動エネルギーに変換し、動翼から噴出する蒸気の反動力も利用して回転力が発生する、一段落当たりの熱落差が小さく段落数は多くなるが、翼は小型となる、）として用いて、直付けの軸受部分（潤滑オイル直接ベアリング噴霧循環）の図９（４８）の簡略・単純・小型・潤滑化の新規機械製作かリビルトも可としての高速回転が可能となった、超小型軸流多段反動式蒸気タービンと、前記蒸気タービンで発生した高速運動エネルギーに比例した高出力電気エネルギーに変換増大化する自家発電機装置と、前記蒸気タービンの蒸気排気口（５０）の部分は、形・構造を変えても背圧調整にて、蒸気タービンの高速回転を更に上げるようにすることは、エネルギー増大・拡大化に好ましい、尚更に、動翼の外環部分に遠心弾みリングを設置して高速回転数を大幅に上げるようにすることもエネルギー増大・拡大化に好ましく、ミニプラント基本装置を連結することで汎用化を可能として、前記蒸気タービン排出口と接続された熱交換器（５）と、前記熱交換器排出口に繋がる冷媒機（２０）と、前記自家発電機（４）で発生した電気によって駆動する冷暖房空調機とを備える冷暖房空調機装置。
（８））前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記ボイラーで発生した高温・圧蒸気で駆動する液体を潤滑オイルとした超小型軸流多段反動式蒸気タービンと前記蒸気タービンの蒸気排気口と接続された熱交換器と、前記熱交換機の排出口に接続された放熱螺旋形配管パイプが内蔵された前記潤滑オイルである液体と給湯保温庫の部分の、前記放熱螺旋形配管パイプが、尚更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記自家製造高密度・熱量バイオマスペレット燃料用の耐震・衝撃装置・火消し蓋付き壺兼用熱源順応かまどの熱源として用いる前記ボイラー加熱とを加えた加熱量によって、保温庫内給湯量の大量使用の冷水入れ替え時にも対応出来る、これによって、中心パイプ内液体高温保温状態で、持続的熱湯保温・給湯・床冷暖房機による温水給配と保温庫内配管・給排水口取付口設備にて、床冷暖房機とを備える、床冷暖房・給湯機装置。
（９）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として用いる前記自家発電機によって発生した高出力電気を電力変換機装置を経て各種電圧電源を供給したり、選択充電を使用したり出来て、電気動力組込の必要条件にて、前記超小型軸流多段反動式蒸気タービンで発生した高速回転運動エネルギー１０，０００〜３０，０００ＲＰＭ回転に比例した（発電機の電圧設定は、２４〜２００Ｖ調整を用途別に単・三相を符号１０の電力変換機を通して、外形の大きさや巻線量と重さをも考慮して決定することが好ましい、）高出力電気エネルギー１５０〜３００ＫＷ（ＰＳ）ＲＰＭ以上に変換増大・連結・拡大・汎用化する自家発電機装置。
【手続補正２】
【補正対象書類名】明細書
【補正対象項目名】０００７
【補正方法】変更
【補正の内容】
【０００７】
（１０）前記（１）〜（４）のいずれかに記載の前記高密度・熱量ペレット燃料を用いた自家製造バイオマスペレット燃料用の耐震・衝撃装置・火消し蓋付き壺兼用熱源順応かまどを熱源として各種増大化装置による同時複合化することで、貴重な前記高密度・熱量バイオマスペレット燃料エネルギーを、前記（１４）の目皿に投入燃焼１回分の高密度・熱量バイオマスペレット燃料をボイラー（２）の沸点状態に於ける１とする容量に対して、エネルギー複数容量に変換増大化されたことで、上記の自家製造高密度・熱量バイオマスペレット燃料用の耐震・衝撃装置・火消し蓋付き壺兼用熱源順応かまどの前記上部の開口部に投入した前記燃焼１回分のペレット燃料供給が停止・不足・忘れ等がなされたりの状態でも、前記ボイラー内臓の温度感知センサー（２）の作動にて、前記各種エネルギー増大化装置の余剰エネルギーを特に代表した高出力電気を使った（２）の内蔵電気ヒーターが、持続的エネルギー供給を行える、また、前記バイオマスペレット燃料を投入して燃焼が開始すれば、前記エネルギー燃焼同様に持続的エネルギー供給して、（２）内蔵のセンサーによってヒーターは自動的に解除になったり、自動温度調整にて、内燃機関のアイドリング状態似の低速回転の低出力電気となることにより、保温庫内熱湯温度をキープしたままいつでも短時間で最大高速回転化出来て、高出力電気エネルギー供給出来、アイドリング状態に出来ない場合でも、特に、自動電気動力・固定いずれの場合も、バッテリーで駆動させて短時間に、前記高密度・熱量ペレット燃料を用いた自家製造バイオマスペレット燃料用の耐震・衝撃装置・火消し蓋付き壺兼用熱源順応かまどを自動着火させて、蒸気タービンを高速回転できて、高出力電気エネルギーを生み出せるので、各家庭・事業所単位毎にバラツキのあるバイオマスペレット燃料のエネルギー供給を一律平均的に安定化させることが可能でもあり、セパレート家庭・事業所単位毎に家庭・事業所生ゴミを産業廃棄物化せずに、分散セパレート化したことで、前記（０００３）の特許文献にあるものを併せて、家庭・事業所単位毎のミニプラントエネルギー生産が複合化を可能にしての費用対効果を生み出して、特に、自動電気動力装置に於いては、その都度動力停止しての長時間充電しなくて済み、重量・大型充電器の軽量・小型化が可能となり、グリーンでゆっくりでも豊かな生活を可能にしてくれて、環境・防衛・経済・財政・外交的にもより安定した安心な暮らしを提供される前記高密度・熱量ペレット燃料を用いた自家製造バイオマスペレット燃料用の耐震・衝撃装置・火消し蓋付き壺兼用熱源順応かまどエネルギーの前記（５）〜（１０）のエネルギー持続・連結・拡大供給可能な各種変換増大・汎用化ミニプラント基本装置。
【手続補正３】
【補正対象書類名】特許請求の範囲
【補正対象項目名】請求項６
【補正方法】変更
【補正の内容】
【請求項６】
請求項１〜４のいずれかに記載の高密度・熱量ペレット燃料を用いた自家製造バイオマスペレット燃料用の耐震・衝撃装置・火消し蓋付き壺兼用熱源順応かまどを熱源として用いる潤滑オイルを内蔵液体の沸騰圧力ボイラーとして、前記ボイラーで発生した高温・圧蒸気で駆動する液体を潤滑オイルとしたことで、軸受部分の直付けの簡略・単純・小型・潤滑化に加えて、蒸気タービン排気口の背圧調整と動翼外環遠心弾みリング設えにより高速回転を可能とした超小型軸流多段反動式蒸気タービンと、前記超小型軸流多段反動式蒸気タービンで発生した高速回転運動エネルギー１０，０００〜３０，０００ＲＰＭに比例した高出力電気エネルギー１００〜３００ＫＷ（ＰＳ）ＲＰＭ以上が可能となり、結果、自動電気動力機自体が、バッテリーを軽量・小型化出来て、外部からの充電・そのための消費時間皆無等々にて自立発電出来る電気動力機器組込・単体固定式の自家発電機として多目的、有効的に電力変換装置を通して使用したり、電源として直接使用出来る自家発電機装置。
【手続補正書】
【提出日】平成25年10月24日(2013.10.24)
【手続補正１】
【補正対象書類名】明細書
【補正対象項目名】全文
【補正方法】変更
【補正の内容】
【発明の詳細な説明】
【技術分野】
【０００１】
本発明は、２大別して、生ごみを資源材料とするバイオマス堆肥・木質材を資源材料とする再生可能エネルギーを燃料源として、前記高密度・高熱量ペレット燃料を用いた専用ボイラーの熱源として、かまどに投入・燃焼する１回分ペレットの熱量を１として、これに対するに、無限大エネルギーの拡大と無尽蔵に広がる資源エネルギーの活用を行える、何れも超小型軸流多段反動式オイル蒸気・エア噴霧タービン（以下「タービン」という。）動力・駆動源を用いてこれ等を何れも有効なエネルギーとする。
【０００２】
グリーンエネルギーであるバイオマスペレット（以下「ペレット」という。）は、生ごみの産業廃棄物化せずに、ごみの減量化、エコロジー等を目的として、また、木材の生産の低迷が森や川を劣化させて、海産物の生産にも影響を与えている現状を木材の木質ペレット化することで、少しでも好転させることができれば、これもまたエコロジーに繋がるのである、そこで、従来の前記ペレット類を燃料とするストーブやボイラーは、色々あるが、どの燃料源も、薪・ペレットも自在に満足できる使用内容の物はなくて、更に有事の場合にも複合的活用できるシステムになっていない、そればかりか、専用ストーブはグリーンというタイトルのみに頼ったように高額過ぎてなじめず、大型容量タイプで、しかも費用対抗的にも難色を感じることを禁じ得ない、前記ペレット燃料を用いた前記専用ボイラーを用いたタービンにて発電機を駆動し、又は、直接動力源とすることで、量的利用・量的活用の幅も広がることとなり、林業産業の活性化ばかりか、水産資源の保護化に繋がり、全産業構造もエネルギー資源を外から買わなくて済み、大幅に対外競争力増幅のスナップが強くなり、従前の一極集中大型化して広範囲に分散・分配している現状と高密度ポイント複合化及び広範囲活性化出来ることとは、相矛盾していて、負のエネルギーの損失が過大にて、まったく損失を埋めることは、現状のままであれば不可能であるので、可能にするには、家庭・事業所の生ごみを産業廃棄物化しない装置とタービン駆動力を以て木材チップや大鋸屑を身近にして、特に、林業伐採・搬出に携わる労働力問題・林業生産者の保護・東北地区の除染化が緊急課題であるが、処理可能な量にて燃料化出来る範囲が重要でして、費用対効果ある正を保持・増大化出来る家庭・事業所単位のセパレート化が希求されている、
本発明に関連して、特許文献公開内容には、自家製の高密度：高熱量グリーンな家庭ゴミであるバイオマスペレット燃料（以下「ペレット」という。）の製造方法が登録されている。
【先行技術文献】
【特許文献】
【０００３】
特開2011−251888号公報
【発明の概要】
【発明が解決しようとする課題】
【０００４】
本発明は、上述した実情に鑑みてなされたものであり、より環境にやさしく、どこにでも移設・順応・連結・汎用化出来るマルチな熱源である火消し壺とかまどとが、一体化装置として、これを基軸に、特に動力源であるタービンによる駆動動力として、更に駆動させる電気動力化の複合化各種装置を各種類の一体融合ミニプラント装置として提供するために、前記（０００３）の特許内容のバイオマス堆肥製造機を耐熱材にて設えた小型反応釜としても簡単に使えるようにすることで、より身近で、グリーンで、より簡便で、安全なペレットとして利用範囲が更に拡大化され、かまどに投入されたペレットを１エネルギーとして、何増倍から無限大化までのエネルギー増大化して活用出来ることも含めて、資源のない我が国にとっては希求する内容である。
【課題を解決するための手段】
【０００５】
本発明は、上記課題を解決すべく鋭意検討した結果、費用対効果があって、環境にやさしい高熱量・高密度ペレットを熱源化でき、基本的構造部分についてどこにでもあり、販売・使用許可される既存道具や部品類を出来るだけ用いて簡単・単純なシステムで以て、旧来の化石・電気エネルギーの動力を廃して、自家製バイオマス燃料使用のかまどからストーブ放熱熱源組込器として直接利用もでき、そして、一体的にかまど・ボイラーで以て、タービン動力装置を、更に、複合的に、一体的かまど・ボイラー・タービン動力で以て発電機を駆動させるミニプラント装置（以下「ミニプラント」という。）に、更に、前記ミニプラントの連結した汎用化装置を発明した。
【０００６】
ここで、「バイオマス」とは、再生可能な、生物由来の有機性資源で化石資源を除いたもの、つまり、太陽エネルギーと水や土といった自然を使って生物が作り出した様々な資源を意味し、本明細書においては、特に、各事業所・各家庭で発生する生ゴミ、落ち葉、大鋸屑、雑草、新聞紙、雑誌等と我が国土の森林からとれる木材大鋸屑・下草刈り草木等とを指す。
【０００７】
かくして本発明によれば、前記段落（０００３）の手動式オイルジャッキアップに加える電気式オイルシリンダー（１０Ｔ用）も好ましくて、広く個人・中小企業の生産を活性化出来るための量的カバーできる木材大鋸屑を混ぜる・大鋸屑単体のバイオマス堆肥のペレットは、前記段落（０００３）のペレットに比べて、費用価格は、多少アップすることになり、除染した際の除染水の量も毎回各別平均的に２００Ｌのドラム缶１本分の処理の問題が残るのであるが、簡便なフィルター装置を用いることは好ましく、残るは、放射能成分のフィルターを含めて処分方法を確立させなければならないことを明記して、小型タービン駆動力を以てすれば、小型木材粉砕機・小型大鋸屑製造機をジョイント設定できれば、自前で必要なだけ個人・事業所単位のセパレートに供給可能であって、エネルギー消費が量的にも直接的であるが、高熱量・高密度で大いに需要を喚起できて、下記（１）の前記段落（０００３）のバイオマス堆肥製造機を耐熱材にて改造した簡易反応釜を兼ねた装置・下記（２）〜（５）の前記高密度・高熱量ペレットを用いた自家製造ペレット用の耐震・衝撃装置・火消し蓋付き壺兼用熱源順応耐熱かまど・専用ボイラー・下記（６）のストーブ放熱熱源組込み機装置も好ましく・下記（７）の前記出し入れ自在の自家製造高密度・高熱量ペレット用の耐震・衝撃装置・火消し蓋付き壺兼用熱源順応耐熱かまど・専用ボイラーを用いた高速回転力タービン小型動力装置・下記（８）の自動電気動力発電駆動ミニプラント組込動力装置の自家製造高密度・高熱量ペレット用の耐震・衝撃装置・火消し蓋付き壺兼用熱源順応耐熱かまど・専用ボイラーを用いた高速回転力タービン小型動力・発電機ミニプラント装置、下記（９）の前記自家製造高密度・高熱量ペレットを用いる冷暖房空調機装置・下記（１０）の前記ペレットを用いた熱量を活用する床冷暖房・給湯機装置・下記(１１)の前記ペレットを用いる変換複合機械装置のエネルギー持続可能な各種変換増大・拡大化出来る発電機装置、下記（１２）前項（７）の自動電気動力発電ミニプラント組込装置の連結された汎用装置が提供される。
（１）バイオマスを発酵させて水分含有量が１０〜２０重量％の、無定形のバイオマス堆肥を製造するバイオマス堆肥製造機と、該バイオマス堆肥製造機とデイスポーザーに通した後の水切りで大鋸屑を通さない目の網を設えることにより除染されて製造された無定形のバイオマス堆肥から堆肥ペレットを製造するペレット製造機（大型プラントでは、量的処理の費用が掛かり過ぎて、費用対効果が下がり過ぎて負を発生させて、正を発生させることが困難であるが、国民すべての積極的参加があれば、各家庭セパレート単位での分散稼働エネルギーは、これ等負の生産を抑えて正の生産を可能とできることは、セパレート単位であるが故である。）とで構成されてなる前記バイオマス堆肥自家製造装置であって、生ゴミと腐葉土と大鋸屑を加えることも好ましく、また、大鋸屑単独で、これ等を混合・単体としてなる粉砕小片であって、水分含有量５０〜８０重量％のものを発酵させた後、乾燥させることで、水分含有量が１０〜２０重量％のバイオマス堆肥を製造するものである、これを耐熱材装置にてすべてを作ることと耐熱断熱材でカバーすることで、重金属・ダイオキシンに汚染された紙粘土状のバイオマスは、消石灰を混ぜて３００〜５００℃まで反応させることで、安全面も含めて高温に耐えられる簡易反応釜として、重金属や毒性の高いダイオキシンを除去できるバイオマス堆肥製造器・反応釜装置。
（２）少なくとも上部に開口部を有する耐熱性容器と、前記耐熱性容器の上部の開口部を開閉できるように設けられた耐震装置・火消蓋付きと、着火装置とを備える、前記高密度・高熱量ペレットを用いた自家製造ペレット用の耐震・衝撃装置・火消し蓋付き壺兼用熱源順応耐熱かまど。
（３）前記耐熱性容器が、耐熱材（現在は、ステンレス鋼がより優れていると思考される。）の容器である、前記（２）に記載の前記高密度・高熱量ペレットを用いた自家製造ペレット用の耐震・衝撃装置・火消し蓋付き壺兼用熱源順応耐熱かまど。
（４）さらに、前記踏み台と前記高密度・高熱量ペレットを用いた自家製造ペレット用の耐震・衝撃装置・火消し蓋付き壺と熱源順応耐熱かまどとを連結する火消し蓋開閉機構とを備える前記高密度・熱量ペレットを用いた自家製造ペレット用の耐震・衝撃装置・火消し蓋付き壺兼用熱源順応耐熱かまどであって、耐震装置によるか、踏み台・取っ手を操作することで、火消蓋上下開閉機構を通じて、火消蓋を上げることで、火消し開閉状態を制御するものである、前記（２）のいずれかに記載の前記高密度・高熱量ペレットを用いた自家製造ペレット用の耐震・衝撃装置・火消し蓋付き壺兼用熱源順応耐熱かまど。
（５）前記着火装置が、ポリプロピレンを原料としたものを火花が拡散・飛び火しない安全な穴空き金属製ペレット状カプセルに収納させて絶対にペレットと一緒に保管してはならず、単独着火・保管して、投下する途中で詰まったりしない内容のものである、前記（２）〜（３）のいずれかに記載の前記高密度・高熱量ペレットを用いた自家製造ペレット用の耐震・衝撃装置・火消し蓋付き壺兼用熱源順応耐熱かまど。
（６）前記（２）〜（５）のいずれかに記載の前記高密度・高熱量ペレットを用いた自家製造ペレット用の耐震・衝撃装置・火消し蓋付き壺兼用熱源順応耐熱かまどを熱源としても用いることができるストーブ放熱熱源組込み機装置。
（７）前記（２）〜（５）のいずれかに記載の前記高密度・高熱量ペレットを用いた自家製造ペレット用の耐震・衝撃装置・火消し蓋付き壺兼用熱源順応耐熱かまどを熱源として、ペレット投入装置付きで、高圧エア噴霧多極ノズル付ボイラーとタービン排出口に直結する保温庫とエアコンプレッサーとこれを駆動させるオルタネータを装備する図７・図８・図９・図１０は、トルクの高い小型で移動可能で使い易いタービン小型動力装置で、前記かまどの熱源として用いるペレットを用いた前記かまどボイラーを熱源とした、プラス面とマイナス面を列挙し、補完対応するに、
（Ａ）  タービンの蒸気発生する液体を潤滑オイルとして用いて駆動するに、プラス面は、タービンの特殊軸受部分の簡略・単純・短略・小型・潤滑化のことが、可能になり、超小型・高速化を可能とした、
（Ｂ）  マイナス面は、タービン潤滑オイルの粘性があり、水分比率が半分以下で、高温沸騰状態のオイル潤滑能力低下する、これを避けるに、シリコンを数パーセント添加したオイルにて、更に、沸騰直前にボイラー内エアコンプレッサー多極噴霧ノズルにて霧状態にして、オイルの熱せられた高温・高圧力・膨張・蒸気エネルギーと噴霧状態の高温霧状エア高圧力とを合わせて高速回転出来る、更に、エアコンプレッサーを安定的補完するために、エアコンプレッサーとは、別に、エアコンプレッサー出力掃出し口の前に、補助エアタンクを設けて、循環オイルとエアの圧力・送出し量を（６６）分岐・分配装置の調整で、十分補完しあう様にする、
（Ｃ）  タービン回転数を上げるのに、タービン排出口に背圧調整口装置を設ける、
（Ｄ）  タービン動翼ブレード外郭リングを弾み車とすることで、飛躍的に回転数を上げることが可能である、以上の４点を設え調整することで、十分に基本の回転数３０,０００ｒｐｍ以上が確保されて、５０，０００ｒｐｍを超える場合は、背圧調整とボイラー燃料減量投入・火消しすることで抑制でき、超小型軸流多段オイル蒸気タービン方式（軸流式の定義は、回転軸に平行な向きに蒸気が流れる間にタービン翼によってエネルギーが得られる方式である、回転翼の長手方向に遠心力が加わるため、工学的な制約が比較的すくない、反動式の定義は、動翼内でも蒸気の圧力・オイルエネルギーを運動エネルギーに変換し、動翼から噴出する蒸気・噴霧状オイルの反動力も利用して回転力（トルク）が発生する（エアコンプレッサーのトルクは、実例として、車のタイヤ交換用のものがあり、締まったネジを簡単に緩めて外したり、締めることが出来て、圧力調整をしないと太い金属製ネジを締め切る程のトルクであるから。オイルエネルギーを併せると強力である。）、一段当たりの熱落差が小さく段落数は多くなるが、翼は小型となる。）で発生したトルクの高い高速回転運動エネルギーに変換増大化して、タービン動力を以て木材粉砕・木材大鋸屑製造機を駆動させることで身近で容易にペレットを安定供給できるタービン駆動装置。
（８）後記（９）〜（１２）いずれかに記載の各装置を組み込むに、その内の共通する保温庫に、給湯水装置を除外した物と、そうでない物とに分けると、
一つは、保温庫の給湯水装置部分のみを除外した物を用いた内蔵のタービン動力装置は、自動電気動力を自動機器設置内部で直接・効率・円滑的に発電機を駆動させることが可能であることから、バッテリー電気をスタート時のみ用いるか、内燃機関のアイドリング状態似のボイラー熱源電気ヒーターの自動調整によるタービンの低速回転にて、前記保温庫内温度を確保出来て、短時間で高出力電気エネルギー化出来て、電気高出力・低出力調整も出来ることの何れかであり、自家製造電気エネルギーを前記自動電気動力の内部で直接使用することで、外部電気取入不要にて、バッテリーを軽量・小型化でき、調整・持続・自立した高出力電気エネルギーが、電気動力装置が組み込まれた後記（８）〜（１１）いずれかに記載の各装置を用いた自家発電機装置でもって前記自動機器外部の各家庭・事業所使用電気エネルギーをも供給出来る図１０・図１１・図１２・図１３・図１４・図１５・図１６・図１７・図１８に示す通りの自動電気動力タービン駆動発電機組込ミニプラント装置、
二つは、保温庫給湯水装置を付帯した後記（８）〜（１１）の装置は、後記（８）の装置を組み込んだ内容の前記自動電気動力装置として、ボイラー内加熱電気ヒーター最大にして前記高密度・熱量ペレットを用いた自家製造ペレット用の耐震・衝撃装置・火消し蓋付き壺兼用熱源順応耐熱かまどの前記自家製ペレットを自動投下燃焼を最大化して、尚且つ、保温庫内自家製電気ヒーターを最大化して冷水注入温度低下を短時間で補完して、自動電気動力装置に組込まれた後記（７）〜（１０）いずれかに記載の各装置を用いた自家発電機装置でもって、自らの自動内蔵自家製電気動力エネルギーに限らず、各家庭・事業所使用電気エネルギーをも供給出来る図１０・図１１・図１２・図１３・図１４・図１５・図１６・図１７・図１８に示す通りの自動電気動力タービン駆動発電機組込ミニプラント装置。
（９）前記（２）〜（５）のいずれかに記載の前記高密度・高熱量ペレットを用いた自家製造ペレット用の耐震・衝撃装置・火消し蓋付き壺兼用熱源順応耐熱かまどを熱源として用いる前記ボイラーと、前記ボイラーで発生した高温・高圧蒸気・高圧エア噴霧で高速
回転する液体を潤滑オイルとした基本は、軸流多段反動式蒸気タービン（軸流式の定義は、回転軸に平行な向きに蒸気が流れる間にタービン翼によってエネルギーが得られる方式である、回転翼の長手方向に遠心力が加わるため、工学的な制約が比較的少ない、反動式の定義は、動翼内でも蒸気の圧力エネルギーを運動エネルギーに変換し、動翼から噴出する蒸気の反動力も利用して回転力が発生する、一段落当たりの熱落差が小さく段落数は多くなるが、翼は小型となる、）として用いて、直付けの軸受部分（潤滑オイル直接ベアリング噴霧循環）の図１０の符号（４８）の簡略・短略・単純・小型・潤滑化の新規・改の造既存機械製作か作り直しリビルトも可としての高速回転が可能となった、超小型軸流多段反動式オイル蒸気・エア噴霧タービン（以下「タービン」という。）と、前記タービンで発生した高速運動エネルギーに比例した高出力電気エネルギーに変換増大化する自家発電機装置と、前記タービンの蒸気排気口符号（５０）の部分は、形・構造を変えても背圧調整にて、タービンの高速回転を更に上げるようにすることは、エネルギー増大・拡大化に好ましい、更に、動翼の外環部分に遠心弾みリングを設置して高速回転数を大幅に上げるようにすることもエネルギー増大・拡大化に好ましく、前記ミニプラントを連結することで汎用化を可能として、前記蒸気タービン排出口と接続された熱交換器符号（５）と、前記熱交換器排出口に繋がる冷媒機符号（２０）と、前記自家発電機符号（４）で発生した電気によって駆動する冷暖房空調機とを備える冷暖房空調機装置。
（１０）前記（２）〜（５）のいずれかに記載の前記高密度・高熱量ペレットを用いた自家製造ペレット用の耐震・衝撃装置・火消し蓋付き壺兼用熱源順応耐熱かまどを熱源として用いる前記ボイラーで発生した高温・高圧蒸気と高圧エア噴霧とで駆動する液体を潤滑オイルとしたタービンと前記タービンの蒸気排気口と接続された熱交換器と、前記熱交換機の排出口に接続された放熱螺旋形配管パイプが内蔵された前記潤滑オイルである液体と給湯保温庫の部分の、前記放熱螺旋形配管パイプが、更なる、前記パイプより太い外径の放熱螺旋形配管パイプで二重に密閉して被せられ、内部液体は、中心パイプ内蔵の液体と類似のものである、これによって熱伝導率の高いパイプ状容器の二重構造体にすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記自家製造高密度・高熱量ペレット用の耐震・衝撃装置・火消し蓋付き壺兼用熱源順応耐熱かまどの熱源として用いる前記ボイラー過熱とを加えた加熱量によって、保温庫内給湯量の大量使用の冷水入れ替え時にも対応出来る、これによって、中心パイプ内液体高温保温状態で、持続的熱湯保温・給湯・床冷暖房機による温水給配と保温庫内配管・給排水口取付口設備にて、床冷暖房機とを備える、床冷暖房・給湯機装置。
（１１）前記（２）〜（５）のいずれかに記載の前記高密度・高熱量ペレットを用いた自家製造ペレット用の耐震・衝撃装置・火消し蓋付き壺兼用熱源順応耐熱かまどを熱源として用いる前記自家発電機によって発生した高出力電気の電力変換機装置を経て各種電圧電源を供給したり、選択充電を使用したり出来て、電気動力組込の必要条件にて、前記タービンで発生した高速回転力運動エネルギー１０，０００〜５０，０００ＲＰＭ回転に比例した（発電機の規定電圧設定は、１，０００Ｖで調整を用途別に単相・三相を符号（１０）の電力変換機を通して、外形の大きさや巻線量と重さをも考慮して決定することが好ましく、高電気抵抗値に勝るタービントルクであり、前記段落（０００７）の（７）項（Ｄ）のエアコンプレッサーの実例トルクだけでも相当なものであるから、オイルエネルギーを併せたトルクは言うまでもないのである。）高出力電気エネルギー３００，０００Ｗ以上に変換増大・連結・拡大化する自家発電機装置。
【０００８】
（１２）前記（２）〜（５）のいずれかに記載の前記高密度・高熱量ペレット燃料を用いた自家製造ペレット用の耐震・衝撃装置・火消し蓋付き壺兼用熱源順応耐熱かまどを熱源として各種増大化装置による同時複合化することで、貴重な前記高密度・高熱量ペレットを、符号（１４）の目皿に投入燃焼１回分の高密度・高熱量ペレットを符号（２）のボイラー沸点に於ける状態を１とする容量に対して、エネルギー複数容量に変換増大化されたことで、上記の自家製造高密度・高熱量ペレット用の耐震・衝撃装置・火消し蓋付き壺兼用熱源順応耐熱かまどの前記上部の開口部に投入した前記燃焼１回分のペレット供給が停止・不足・忘れ等がなされたりの状態でも、前記ボイラー内臓の温度感知センサー符号（２）の作動にて、前記各種エネルギー増大化装置の余剰エネルギーを特に代表した高出力電気を使った符号（２）の内蔵電気ヒーターが、持続的エネルギー供給を行える、また、前記ペレットを投入して燃焼が開始すれば、前記エネルギー燃焼同様に持続的エネルギー供給して、符号（２）内蔵のセンサーによってヒーターは自動的に解除になったり、自動温度調整に於いて、内燃機関のアイドリング状態似の低速回転の低出力電気となることにより、保温庫内熱湯温度をキープしたままいつでも短時間で最大高速回転化出来て、高出力電気エネルギー供給出来、アイドリング状態に出来ない場合でも、特に、自動電気動力・固定いずれの場合も、バッテリーで駆動させて短時間に、前記高密度・高熱量ペレットを用いた自家製造ペレット用の耐震・衝撃装置・火消し蓋付き壺兼用熱源順応耐熱かまどを自動着火させて、少量のペレットがあれば、タービンを高速回転力に比例して、高出力電気エネルギーを生み出せるので、各家庭・事業所単位毎にバラツキのあるペレットのエネルギー供給を一律平均的に安定化させることが可能でもあり、セパレート家庭・事業所単位毎に家庭・事業所生ゴミを産業廃棄物化せずに、分散セパレート化したことで、前記段落（０００３）の特許文献にあるものを併せて、家庭・事業所単位毎のミニプラントエネルギー生産が複合化を可能にしての費用対効果を生み出して、特に、自動電気動力装置に於いては、その都度充電器の電気動力を停止しての長時間充電しなくて済み、重量・大型充電器の軽量・小型化が可能となり、グリーンでゆっくりでも豊かな生活を可能にしてくれて、環境・防衛・経済・財政・外交的にもより安定した安心な暮らしを提供される前記高密度・高熱量ペレットを用いた自家製造ペレット用の耐震・衝撃装置・火消し蓋付き壺兼用熱源順応耐熱かまどエネルギーの前記（６）〜（１０）のエネルギー持続・連結・拡大供給可能な各種変換増大化・汎用化ミニプラント装置。
【発明の効果】
【０００９】
上記のようにセパレート家庭・事業所単位であって、対既存化石・電気エネルギーに与しない、国内自給自足出来る前記段落（０００３）の高密度・高熱量自家製造ペレットを用いた高温・高圧蒸気と高圧エア噴霧とでボイラーエネルギーをタービン駆動の高速回転力動力源に比例する高出力自家発電気装置による変換電気のエネルギーとで単純・簡単構造にしてリーズナブルな低廉価格で、しかも本格的な燃料源としての前記高密度・高熱量ペレットを用いた自家製造ペレット用の耐震・衝撃装置・火消し蓋付き壺兼用熱源順応耐熱かまどのエネルギーを持続・増大・連結・拡大化して、尚且つ、環境・経済問題も、国家的燃料問題も、慣れ過ぎた高度インフラ整備社会に惑わされたとすれば、転ばぬ先の杖として有事の際の別回線的エネルギー生産をも用意できて、真に環境に優しくて豊かな生活をエンジョイ出来る発展的マルチタイプの前記高密度・高熱量ペレットを用いた自家製造ペレット用の耐震・衝撃装置・火消し蓋付き壺兼用熱源順応耐熱かまどのことを前記段落（０００５）の発明に付記する。
【図面の簡単な説明】
【００１０】
【図１】本発明のかまどの平面図である。
【図２】本発明のかまどの正面図である。
【図３】本発明の火消し壺蓋が自動的に上がって閉まった状態のかまどのＡ−Ａ’側断面図である。
【図４】本発明の火消し壺蓋が落ちて、開いた状態のかまどのＡ−Ａ’側断面図である。
【図５】本発明の熱源かまど挿入ストーブの正面図である。
【図６】本発明の熱源かまど挿入ストーブの側面図である。
【図７】本発明の多極ノズル内臓ボイラー・かまど一体融合装置の正面図である。
【図８】本発明の多極ノズル内臓ボイラー補助エアタンク平面図である。
【図９】本発明のタービン駆動動力用システム図である。
【図１０】本発明のタービン構造図である。
【図１１】本発明のエア多極ノズル・電気ヒーター内臓ボイラー・かまど一体融合装置の正面図である。
【図１２】本発明のボイラー内蔵エア多極ノズル・電気ヒーター平面図である。
【図１３】本発明のタービン駆動発電機ミニプラントシステム図である。
【図１４】本発明の前項１３図の構造図である。
【図１５】本発明の発電機構造図である。
【図１６】本発明の前記自家発電ミニプラント電気動力組込・固定とプラント設置されない家に送電の電気動力組込機と固定機より電気注入と送電実施例を示す図である。
【図１７】本発明の前記発電ミニプラント連結した汎用実施例を示す図である。
【図１８】本発明の前記自家発電ミニプラント電気動力組込・固定とプラント設置されない工場に電気動力組込機より電気注入・送電の汎用実施例を示す図である。
【図１９】本発明のバイオマス堆肥製造機兼反応釜の平面図である。
【図２０】本発明のバイオマス堆肥製造機兼反応釜の正面図である。
【図２１】本発明のバイオマス堆肥製造機兼反応釜の側面図である。
【発明を実施するための形態】
【００１１】
前記高密度・高熱量ペレットを用いた自家製造ペレット用の耐震・衝撃装置・火消し蓋付き壺兼用熱源順応耐熱かまどには、複合的マルチタイプの小型・移設型システム内容の発展タイプが求められている、本発明の前記高密度・高熱量ペレットを用いた自家製造ペレット用の耐震・衝撃装置・火消し蓋付き壺兼用熱源順応耐熱かまどは、その内容が難しくない簡単・単純なもので、同時複合的連関を発生・発展できる発明実施の形態であって、高密度・高熱量ペレットの専用かまどとして環境に優しく、高温に耐えられて、持ち運び移設に小型・簡便・発展的で、図１・図２・図３・図４・図５・図６・図７・図８・図９・図１４・に示す通りで、しかも安全であることを可能とした工夫が前記高密度・高熱量ペレットを用いた自家製造ペレット用の耐震・衝撃装置・火消し蓋付き壺兼用熱源順応耐熱かまどである。
【００１２】
本発明に用いる燃料ペレットは高密度・高熱量に於いて、自動選別・制限される、したがって、ダイオキシンや重金属の除去されていないものや、余分なものが混在している、例えば、放射能をかぶったバイオマスの除染が出来ていないものは当然制限されるが、制限外・制限されない場合は、本機の増大化装置にて特に基よりペレット使用量も少ないことからもバイオマスの使用量を超えない範囲内にて、コークス、石炭、灯油、ガソリン、重油・ガスを用いることも熱量に言及すれば、好ましいのである、しかしながら、それらに対して前記（０００３）特許文献の高密度・高熱量ペレットは全てを満たして優れているから選外・制限されない内容にて使用燃料指定出来るのである。
【００１３】
以下、添付図面符号に従って一実施例を説明する、図３・図４は、本発明の前記高密度・熱量ペレット燃料を用いた自家製造ペレット用の耐震・衝撃装置・火消し蓋付き壺兼用熱源順応耐熱かまどの実施例を示す図２・図７・図１１の断面図である、図３・図４中、符号（１１）は、ストーブ用耐熱材かまど、符号（１４）は、ペレット置き空気孔付き受皿、周りの淵は、より堅牢・背高の五徳使用・汎用時の燃料増加も可、符号（１５）は、かまど空気調整開閉調整口、符号（２２）は、火消用落し蓋アジャスター継ぎ手、符号（２３）は、火消用落し蓋アジャスター踏み台、符号（２４）は、火消用落し蓋アジャスト重量（目皿・火消蓋・（１４）の燃料より重い）の継ぎ手鋳物・鉄棒、符号（２５）は、符号（２７）の継ぎ手と一体構造の鋳物製目皿、符号（２６）は、符号（２３）の踏み台の補助取手、符号（２７）は、火消蓋・目皿自在継ぎ手（一体構造の目皿と継ぎ手・火消蓋の支点のアジャスターの丁番（３３）にて、シーソー・上下降する）、符号（２８）は、目皿・火消蓋・（１４）の燃料置き空気孔付き受け皿アジャスター・フェンダー、符号（２９）は、火消蓋（符号（３２）の目皿の自在取付具によって用をなして、それまでは単なる自在蓋であるが、「蓋が自動的に上がる」ことで、符号（２８）のアジャスターの真下に位置して符号（３１）の火消壺内を密閉する。）、符号（３０）は、火消蓋・目皿・符号（２７）継手アジャスター開閉の上下運動支点、符号（３１）は、火消壺・かまど、符号（３２）は、目皿の火消蓋自在取付具兼符号（３９）の安全ストッパー自在解除具、符号（３３）は、鋳物製目皿（２５）と火消蓋・目皿自在継ぎ手(２７）との継ぎ手丁番である。
【００１４】
図３・図４において、鋳物製目皿（２５）は、一体構造の火消蓋・目皿自在継ぎ手(２７）と目皿と継ぎ手・火消蓋の支点のアジャスターの丁番（３３）において回動自在に取り付けられており、通常は、符号（２５）の鋳物製目皿、符号（２９）の火消用落し蓋と、符号（１４）の燃料（燃料増加の場合は、其れに合わせた重りを取り付ける。）の総重量より重い継ぎ手鋳・鉄棒（２４）の重力により、火消蓋・目皿自在継ぎ手（２７）に図中下方向に力が働くことで、鋳物製目皿（２５）は、「自動的に上がる」ことで、目皿・火消蓋アジャスター（２８）よりくり抜かれた形が正確にはまり込む（目皿の枠内定位置）ことで、（３２）の取付具によって符号（２９）の火消蓋が図３の符号（２８）のアジャスターの真下にくるように固定されている。
【００１５】
図３・図４に示す前記高密度・高熱量ペレット燃料を用いた自家製造ペレット用の耐震・衝撃装置・火消し蓋付き壺兼用熱源順応耐熱かまどは、ペレット燃料置き空気孔付き受皿（１４）内に入れ、符号（２９）の火消蓋を（３２）の自在取付具より放すか、（２５）の目皿の隙間から自動的に軽く叩き落として、符号（３２）の取付具を解放して、符号（３１）の火消壺・かまど内に落とし、（１５）のかまどの空気調整口を開けて、そこでペレットを（１７）のスチール着火安全カプセルにて燃焼させる装置である。
【００１６】
また、使用を中断したい場合等においては、以下のように、図３・図４に示す符号（３９）の安全ストッパーを外してから、又は、耐震・衝撃装置（３７）の金属ボールが、自在解除具（３２）を作動して、符号（３９）の符号（３２）よりのリードラインを通して、ストッパーが外れて、燃焼中のペレットを火消壺（３１）中に落とし、消火することができる、すなわち、火消用落し蓋アジャスター踏み台（２３）を足で踏むことによるか、耐震・衝撃装置（３７）により、符号（２５）の目皿、符号（２８）の火消用落し蓋、符号（１４）の中身の燃料の合計重量より（２４）の鉄棒の重量は、重いか、又は、尚更に合計重量に加えて、符号（３７）の金属ボールの移動落下荷重によって一時的に２倍まで重くなる耐震装置の金属ボール（３７）との合計により重くなった分、軽くなる継手鋳物棒（２４）が、図中、前記の何れかによって上方向に自動的に移動し、火消用落し蓋アジャスター継ぎ手（２２）及び火消蓋・目皿自在継ぎ手（２７）が、図３中、上方向に移動すると、目皿・火消蓋アジャスター（２８）の真下にくるように固定されていた鋳物製目皿（２５）は、目皿と継ぎ手・火消蓋の支点のアジャスターの丁番（３３）において下方向に回転して、図４に示す状態になる、したがって、ペレット置き空気孔付き受け皿（１４）内の燃料ペレットが火消壺内に落下して、符号（１４）内燃料と符号（３７）の金属ボールの落下荷重が元に戻った重量合計の軽くなった分、重量を上回った継手鋳・鉄棒（２４）の重力にて、継手（２２）と下方向に移動して、継手（２７）と一体構造の（２５）は丁番（３３）において回転して、符号（２５）は符号（３２）によって火消蓋（２８）をとらえた状態にて、「自動的に上がり」、符号（１５）のかまど空気調整口は塞ぐことで、密封した状態となり、火消壺内は酸素不足の状態になっている為に、消火がおこなわれる、この状態を、図３でより詳細に説明する。
【００１７】
図３において、火消用落し蓋アジャスター踏み台（２３）から足を離すと、火消用落し蓋アジャスト重量（目皿より重い）継ぎ手鋳物棒（２４）が、図３中、重力により下方向に移動し、火消用落し蓋アジャスター継ぎ手（２２）及び火消蓋・目皿自在継ぎ手（２７）が、図３中、符号（２７）・符号（２５）の一体構造が符号（３３）の丁番を支点にシーソー下方向に移動することで、鋳物製目皿（２５）と符号（３２）の火消蓋の目皿自在取付具は、符号(２９)の火消し蓋を捉えた状態のまま、目皿・火消蓋アジャスター（２８）の枠内定位置・真下の上方向に移動して固定され、更に、より安全確保のために符号（３９）の安全ストッパーを掛けて、符号（１５）の空気開閉調整口を閉めると消火出来て、前記（１５）の調整口を開けて火消し蓋（２９）を符号（３１）内に落とせば、着火燃焼開始出来る。
【００１８】
また、火消壺（３１）内に落下し、消火された燃料ペレットは、再利用することができる、前記（０００３）の特許文献のペレットは、高密度・高熱量であるから、コークス同様に着火し難いので、コークス並みにポリプロピレンを原料としたものを花火同様に拡散・飛散するのを抑えた穴空き金属製ペレット型カプセルを途中で詰まったり、絡んだりしないようにスムーズに落下する為にも、安全の為に金属製カプセルに収納させた着火装置を使用しなければならない。
【００１９】
本発明は、前記高密度・高熱量ペレットを用いた自家製造ペレット用の耐震・衝撃装置・火消し蓋付き壺兼用熱源順応耐熱かまどを熱源としても利用できる前記ストーブ放熱熱源組込機である、本発明のペレットストーブ放熱熱源組込機の正・側面図を図５、図６に示す、また、図５・図６中の符号（１）は、前記高密度・熱量ペレット燃料を用いた自家製造ペレット用の耐震・衝撃装置・火消し蓋付き壺兼用熱源順応耐熱かまど、符号（１４）は、ペレット置き空気孔付き受皿、符号（３４）は、ストーブ煙突、符号（３５）は薪ストーブ窓、符号（３６）は、ストーブ灰皿受けであるので、薪を燃やし入れたいときには、順応かまどをストーブから取り出して、符号（１２）のアジャストを設ければ、ペレットストーブが薪ストーブに早代わりともなる。
【００２０】
本発明は、図１・図２・図３・図４・図５・図６・図７・図９・図１１・図１３・図１４に示す前記高密度・高熱量ペレットを用いた自家製造ペレット用の耐震・衝撃装置・火消し蓋付き壺兼用熱源順応耐熱かまどを、符号（１４）の目皿にて燃焼容量１回分投与のエネルギー容量１とする、エネルギー熱源として同時に用いるボイラーと、前記ボイラーで発生したボイラー内蔵液体の潤滑オイルの高温・高圧蒸気と同内臓エア噴霧多極ノズルの高圧エア噴霧で駆動するタービンと、前記タービンで発生した高速回転力運動エネルギー１０，０００〜５０，０００ＲＰＭに比例する高出力電気エネルギー３００,０００Ｗ以上に変換する（発電機規定電圧は、１,０００Ｖで調整を符号（１０）の電力変換機を通して、外形の大きさや巻線量の重さ等を考慮して決定することが好ましく、高電気抵抗に対する高トルクのタービン駆動力にて発電される。）自家発電機（４）と、前記自家発電機で発生した電気によって、前記蒸気タービンの蒸気排気口（５０）と繋がった熱交換器（５）と、前記熱交換機に接続された放熱螺旋形パイプ内蔵の前記保温庫（４０）内の放熱螺旋形配管パイプが、尚更なる、前記パイプより太い外径の放熱螺旋形配管パイプで二重に密閉して被せられ、内部液体は、中心パイプ内蔵の液体と同じものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震装置・火消し蓋付き壺兼用熱源順応耐熱かまどの前記ボイラー過熱とを加えた加熱量によって、保温庫内給湯量の使用の冷水入れ替え時にも対応して、熱湯・床冷暖・給湯装置に接続駆動された冷媒機等各複合機器と、これらによって、
一つは、自家発電機からそのまま高出力電気電源としての利用で以って、余剰電気は分配・売電出来て、
二つは、（１０）の電力変換装置より電気をバッテリー（９）に各別充電して、尚且つ電力変換装置を経て各別電源に変換して持続・自立的に利用できる自家発電機装置（４）で発生した電気によって、駆動・送風サポートする冷暖房床・空調機とを備える、固定・自動電気動力機器組込形式何れかのミニプラント自家発電器装置（４３）である。
【００２１】
本発明の自家発電機・冷暖房空調装置の模式外形構図を図１３・図１４に示す、図中、前記高密度・熱量ペレット燃料を用いた自家製造ペレット用の耐震・衝撃装置・火消し蓋付き壺兼用熱源順応耐熱かまど（１）で発生した熱により、ボイラー（２）に収容された液体である潤滑オイル（沸点調性剤使用も可）を高温・高圧オイル蒸気と高圧エア噴霧とにより前記タービン（３）の高速回転力１０，０００〜５０，０００ＲＰＭに比例して高出力３００,０００Ｗ以上自家発電を行い、得られた電気により、各別電源として用いる自家発電装置であり、無限な余力各別電気は、前記タービンの排出口（５０）に繋がる熱交換器（５）と前記熱交換器より排出の高温・高圧のオイルと符号（７）・（６８）の高圧エア噴霧・高圧・高温オイル蒸気と、熱交換器の排出口に繋がる前記二重構造の放熱螺旋形パイプと前記電気加熱ヒーター放熱螺旋形パイプ内蔵の熱湯保温庫、冷媒機とを併せ以って冷暖房空調および給湯・床冷暖房機を十二分にサポートして行う装置であり、図１３・図１４中、（１）は、ペレット燃料の耐震装置・火消し蓋付き壺兼用熱源順応耐熱かまど、（２）は、自家発電気ヒーター内蔵ボイラー、（３）は超小型軸流多段反動式高温・高圧オイル蒸気・高圧エア噴霧タービン、（４）は、自家発電機、（５）は、熱交換器、（６）は、電気モーター（電力は自己完結方式）、（２１）は圧縮循環ポンプ、（７）は、エアコンプレッサー、（６８）は、エア圧力噴霧多極ノズル、（８）は、発電余力電力の充電用安全機、（９）は、充電器、（１０）は、電力変換装置である。
【００２２】
前記各種の装置は、前記高密度・高熱量ペレットを用いた自家製造ペレット用の耐震・衝撃装置・火消し蓋付き壺兼用熱源順応耐熱かまどにて、同時使用にて、前記ボイラー（２）の沸点状態に於いて、前記（１４）の目皿に投入分のペレットの燃焼１回分を１エネルギー容量とする燃料エネルギーを無限に変換増大化させて使用出来ることから、持続的に最大効果・効率のエネルギー変換増大・拡大化を生み出すことができるグリーンな出し入れ自在な前記高密度・高熱量ペレットを用いた自家製造ペレット用の耐震・衝撃装置・火消し蓋付き壺兼用熱源順応耐熱かまどエネルギー容量１に対して各タービン・発電機４機まで連結・増大・拡大化ミニプラント装置とするに、重なることで無用となる符号（５）の熱交換器・符号（２０）の冷媒器・符号（４６）の冷房機冷水補助タンク（８４）は取り外し、符号（８）の安全器・符号（９）の充電器・符号（１０）の電力変換装置は、更に連結拡大容量に合わせることで、エネルギー増大・連結・拡大・汎用化は好ましく、エネルギー連結・増大・拡大１セット基本ミニプラント装置（４３）である。
【符号の説明】
【００２３】
１、高密度・高熱量ペレット燃料を用いた自家製造ペレット用の耐震・衝撃装置・火消し蓋付き壺兼用熱源順応耐熱かまど（現在はステンレス鋼が優れていると思考される。）
２、ボイラー（内蔵液体潤滑オイル使用、温度センサー付き自己完結型高出力電気ヒーター・切替機装置内蔵、ヒーターはタービン駆動動力のみには装備されない、エアコンプレッサー噴霧掃出しノズル）・（１）かまどは一体。
３、超小型軸流多段反動式高温・高圧オイル蒸気・高圧エア噴霧タービン
４、自家発電機、（前項２のヒーターが、内臓されない場合は、主にエアコンプレッサー駆動用のみの低出力発電機である。）。
５、熱交換器
６、電気モーター（電力は自己完結方式）
７、エアコンプレッサー（aircompressor）空気圧縮
８、発電気の電力変換機装置と充電機の安全機
９、充電器                                  
10、正弦波長・電力変換装置
11、耐熱材（ステンレス鋼が今現在は最も優れていると思考される。）かまど
12、アジャスト薪空気孔付き受け皿（薪やその他燃料を用いる場合のストーブ用部材。）
13、前記１の自動的に上がることで作動する火消開閉蓋（取換用部品。）
14、ペレット置き空気孔付き受皿（（２８）と一体構造の鋳物）・五徳
15、かまど空気開閉調整口（引き違い戸か何れか方式の自動開閉式。）
16、アジャスト空気孔筒伸縮調整蛇腹（内気導入を止めて、外気導入時の備品）
17、スチール着火穴あきカプセル（ポリプロピレン入り金属製の拡散・飛散防止安全発火口付きペレット型カプセル着火装置。）
18、ストーブ（（１）の放熱熱源組込み機装置。）
19、モーター・除湿調性用ヒーター付き送風ファン
20、冷媒機（熱交換器に繋がった保温庫に繋がる）
21、モーター付き圧縮循環ポンプ（冷暖切換機付き）
22、火消用落し蓋アジャスター継ぎ手
23、火消用落し蓋アジャスター踏み台
24、火消用落し蓋アジャスト重量（目皿＋火消蓋＋（１４）の燃料合計より重い。）継ぎ手鋳・鉄棒
25、（２７）継ぎ手と一体構造の鋳物製目皿（（２８）のアジャスターを目皿の型に刳り抜いた形体）
26、踏み台の補助取っ手(ミニプラントでは、自動式で、かまど・ボイラーと一体的。)
27、火消蓋・目皿自在継ぎ手（（２８）アジャスターの丁番（３３）を支点に上下降する）
28、目皿・火消蓋アジャスター・フェンダー（（１４）・（２７）と同質の鋳物で（１４）と一体構造）
29、火消蓋（（３２）取付具によって（２５）の目皿と一体化出来、それまでは落蓋で、自動的に蓋が上がることで密閉され火消しとなる。）
30、火消蓋アジャスター継ぎ手支点
31、火消壺・かまど（耐熱材は現在、ステンレス鋼が最も優れていると思考される。。）
32、目皿の火消蓋自在取付具兼（３９）の作動自在解除具併せ持つ、（３９）のストッパーを外す。
33、目皿と継ぎ手・火消蓋の支点のアジャスターの丁番
34、ストーブ煙突
35、薪ストーブ窓
36、ストーブ灰皿受け
37、耐震装置金属ボールの（３２）自在解除具に金属ボールが転がり衝突作動      
38、外壁ステンレス板（耐熱材外壁一体構造で、現在ステンレス鋼が最も優れていると思考される。）
39、安全ストッパー（（２９）の火消蓋が動かぬ様に固定化、（３７）の（３２）によって外れる。）
40、保温庫（熱交換器に接続の二重構造放熱配管の螺旋形パイプと電気加熱温度センサー付きヒーター螺旋形パイプの保温庫内内蔵と保温庫の給湯・床暖・熱湯保温する（床暖引込口・パイプ等埋設設備複数予備パイプライン・ジョイントあり、冷媒機に接続される）、タービンを単に駆動動力とする場合は、保温機能のみとなっている。）
41、ヒーター（湿度調整）（１９）のヒーター付き送風ファンに同じ
42、（１１）の鋳物製フェンダー（（２８）のフェンダーと同じ働き）
43,ミニプラント自家発電機装置（固定・電気動力機器組込何れかの方式で、電気動力の場合は、連結することで、汎用化される。）
44,ペレット燃料自動投下装置
45,潤滑オイルとオイルフィルター交換口装置（潤滑オイル交換が定期的に必要）
46,冷房機冷水補助タンク
47,ボイラー（２）、かまど収納容器兼自動排気設備 
48、軸受けベアリング（３の軸受け外側蓋直付け固定）
49、ボイラー（２）からの高温・圧蒸気のタービンノズルへの取り入れ口
50、蒸気タービン（３）の液体潤滑オイル蒸気排出口
51、蒸気タービン（３）の静翼
52、蒸気タービン（３）の動翼ブレード
53、蒸気タービン（３）の軸シャフト
54、バイオマス堆肥製造・反応釜装置外壁(断熱材)
55、耐熱材（現在はステンレス鋼が優れている。）穴空き器内容器２台分
56、前項５５の内容器の撹拌回転軸・回転翼
57、前項５５の内容器取出し取っ手
58、耐熱材（現在はステンレス鋼が優れている。）外容器兼反応釜１台分
59、前項５６の内容器の回転軸受け両サイド補強筋違
60、前項５８の水抜き栓で５４の外部に取出し口あり
61、前項５６の回転受け両サイドの固定
62、前項５６のハンドル取っ手脱着自在
63、前項５５の穴あき内容器底部開閉スライド式乾燥堆肥取出し口
64、前項５８の耐熱材蓋・前項５４の外壁断熱材蓋
65、エアタンク（エアコンプレッサーの補助タンク）
66、エアコンプレッサーの温度・圧力センサー付き分岐・分配装置
67、オイル循環配管
68、エア圧力噴霧多極ノズル
69、ボイラー（内蔵沸騰用液体は潤滑オイル、温度センサー付き、自動温度調整付き自己完結型電気ヒーター・切換機装置内蔵、エアコンプレッサー噴霧掃出しノズル）（４１）かまどと一体
70、ボイラー（４２）、かまど（４１）収納一体容器自動強制排気菅設備
71、電気ヒーター
72、ボイラー内蒸気・エア噴霧圧力噴出管ノズル
73、ボイラー（２）、かまど（１）収納一体容器自動強制排気菅設備開閉蓋
74、ボイラーかまど空気取入口
75、発電機コア同一円筒３２極のネオジム磁石１６極 
76、発電機コア同一円筒３２極のネオジム磁石１６極
77、発電機軸
78、発電機コア
79、発電機同一円筒３２極中の巻線１６極 
80、発電機同一円筒３２極中の巻線１６極
81、発電機同一円筒３２極中の１６極巻線
82、エアコンプレッサー駆動等補助バッテリー
83、木材粉砕機・チップ・大鋸屑化製造機
84、夏場用冷水庫
【手続補正２】
【補正対象書類名】特許請求の範囲
【補正対象項目名】全文
【補正方法】変更
【補正の内容】
【特許請求の範囲】
【請求項１】
少なくとも上部に開口部を有する耐熱性容器と、前記耐熱性容器の上部の開口部を開閉できるように設けられた耐震・衝撃装置・火消蓋付き耐熱壺と、熱源耐熱かまどとが一体化して、自家製造燃料ペレット着火装置と自家製造耐熱簡易反応釜兼バイオマス堆肥製造機を備える、特許文献（特開２０１１−２５１８８８号）の高密度・高熱量ペレットを用いて、自家製造ペレット用の耐震・衝撃装置・火消し蓋付き壺兼用熱源順応耐熱かまどを熱源として用いるストーブ放熱熱源組込機としても用いられることは好ましい自家製造ペレット用の耐震・衝撃装置・火消し蓋付き壺兼用熱源順応耐熱かまど。
【請求項２】
前記耐熱性容器が、耐熱製ステンレスに代表される容器である、請求項１に記載の高密度・熱量ペレットを用いた自家製造ペレット用の耐震・衝撃装置・火消し蓋付き壺兼用熱源順応耐熱かまど。
【請求項３】
さらに、踏み台と、前記踏み台と前記耐震・衝撃装置・火消蓋付きとを連結する火消蓋開閉機構とを備える高密度・高熱量ペレットを用いた自家製造ペレット用の耐震・衝撃装置・火消し蓋付き壺兼用熱源順応耐熱かまどであって、耐震・衝撃装置の作動によるか、踏み台か自動開閉補助取手を操作することで、火消蓋開閉機構を通じて、火消蓋の開閉状態を制御するものである、請求項１〜２のいずれかに記載の高密度・高熱量ペレットを用いた自家製造ペレット用の耐震・衝撃装置・火消し蓋付き壺兼用熱源順応耐熱かまど。
【請求項４】
前記着火装置が、ポリプロピレンを原料としたものを花火の様に飛散・拡散防止・投下が途中留まらずにスムーズに落下できることの安全最小限穴空き金属製ペレット状カプセルに収納させたもので、請求項１〜３のいずれかに記載の高密度・高熱量ペレットを用いた自家製造ペレット用の耐震・衝撃装置・火消し蓋付き壺兼用熱源順応耐熱かまど。
【請求項５】
請求項１〜４のいずれかに記載の高密度・高熱量ペレットを用いた自家製造ペレット用の耐震・衝撃装置・火消し蓋付き壺兼用熱源順応耐熱かまどを熱源として用いる潤滑オイルを内蔵液体のかまど・ボイラーとして、前記ボイラーで発生した高温・高圧オイル蒸気と高圧エア噴霧とでタービンを高速回転力で駆動させられることから、軸受部分の直付けの簡略・単純と軸の短略・小型・潤滑化に加えて、蒸気タービン排気口の背圧調整と動翼外環遠心弾みリング設えることにより高速回転をより可能とした超小型軸流多段反動式蒸気タービンの改造型の、前記超小型軸流多段反動式高温・高圧オイル蒸気と高圧エア噴霧とでタービンが高速回転力運動エネルギーを発生させることから、各種動力・駆動源となり、ここでは、木材粉砕機・大鋸屑背臓器を駆動させることが好ましくて、より身近で大掛かりでなくてもグリーンであることの目的を果たせるセパレートタイプを提供できるタービン動力・駆動装置。
【請求項６】
請求項１〜４のいずれかに記載の高密度・熱量ペレットを用いた自家製造ペレット用の耐震・衝撃装置・火消し蓋付き壺兼用熱源順応耐熱かまどを熱源として用いる潤滑オイルを内蔵液体の沸騰圧力蒸気ボイラーとして、前記ボイラーで発生した高温・高圧オイル蒸気と高圧エア噴霧で駆動するタービンとしたことで、軸受部分の直付けの簡略・短略・単純・小型・潤滑化に加えて、タービン排気口の背圧調整と動翼外環遠心弾みリング設えにより高速回転をより可能とした超小型軸流多段反動式蒸気タービンを改造した、前記超小型軸流多段反動式高圧・高温オイル蒸気と高圧エア噴霧とでタービンを高速回転力の動力駆動装置として１０，０００〜５０，０００ＲＰＭに比例した高出力電気エネルギー３００,０００Ｗ以上が可能となり、結果、自動電気動力機自体が、バッテリーを軽量・小型化出来て、外部からの充電・そのための消費時間は皆無にて自立発電出来る電気動力機器組込・単体固定式の自家発電機として多目的、有効的に電力変換装置を通して使用できて、電源として直接使用出来る自家発電機装置。
【請求項７】
請求項１〜４のいずれかに記載の高密度・高熱量ペレットを用いた自家製造ペレット用の耐震・衝撃装置・火消し蓋付き壺兼用熱源順応耐熱かまどを熱源として用いるボイラー（内部液体は再生使用可能な潤滑オイルを用いている）と、前記ボイラーで発生した高温・高圧蒸気で駆動する前記超小型軸流多段反動式蒸気タービンを改造した、前記超小型軸流多段反動式高温・高圧オイル蒸気と高圧エア噴霧とでタービンを高速回転力で動力・駆動源化出来ることは、発電機を高速回転で、それに比例して高出力電気エネルギーに変換できて、前記タービンの蒸気排出口と接続された熱交換器と、前記熱交換器排出口に繋がる放熱螺旋形配管パイプが内蔵された熱湯保温庫の部分の、前記放熱螺旋形配管パイプが、更なる、前記パイプより太い外径の放熱螺旋形配管パイプで二重に密閉して被せられ、前記内部液体は、オイルを用いて、中心パイプ内蔵の液体と類似のものである、これによって熱伝導率の高いパイプ状容器の二重構造体とすることで、液体の放熱高伝導率・温まると冷めにくい効果をも併せ以って保温庫内変動温度の影響を急激に受け難く放熱し続け、また更に、前記自家発電機の高出力電気の温度センサー付き保温庫内加熱ヒーター放熱螺旋形配管パイプと前記耐震・衝撃装置・火消し蓋付き壺兼用熱源順応耐熱かまどの前記ボイラー加熱とを加えた加熱量によって、保温庫内給湯量の大量使用の冷水入れ替え時（夏場の冷水保管庫（８４）は冷房専用）、暖房試用期間や発電不要時には、前記ボイラー内加熱ヒーターの自動温度調整によって内燃機関のアイドリング状態似の低出力発電にも対応できる、尚更に給湯水不要の場合は、前記ボイラー内加熱ヒーターの自動温度調整によって、中心パイプ内液体保温状態で、持続的熱湯保温・冷暖房機に繋がる冷媒機と、前記自家発電機で発生した電気によって駆動する空調冷暖房機とを備える、空調冷暖房機装置。
【請求項８】
請求項１〜７のいずれかに記載の一体型融合かまど・ボイラーを熱源とするタービン動力と各種エネルギー拡大変換各装置の高密度・高熱量ペレットを用いた自家製造ペレット用の耐震・衝撃装置・火消し蓋付き壺兼用熱源順応耐熱かまどの前記上部の図３の（１４）の開口部に投入した、貴重な前記ペレット投入の前記ボイラーの沸点状態に於ける1回燃焼分の燃料エネルギーを１容量としたものに対して、熱源として同時複合化することで、無限にエネルギー複数容量に変換増大化できることから、ペレット供給不足・忘れ・その他供給停止のことが起こっても、自己完結的に、前記熱湯保温庫に代表される複合的エネルギー保持されることも手伝って、前記ボイラー内蔵の自家高出力電気の前記ヒーターによって持続してエネルギーを供給できることで、自家製造ペレットの耐震・衝撃装置・火消し蓋付き壺兼用熱源順応耐熱かまどエネルギー停止状態前の前記電気動力組込装置・冷暖房空調機・熱湯保温庫・給湯機・自家発電機装置を同時に複合化使用できることで、特に高速回転力の前記タービンによって、引き続きそのエネルギーを保持・持続・自立・増大・拡大化がミニプラントを連結することで最大効率・効果を集積・発動出来る各種変換増大・拡大・汎用化の発電基本ミニプラント装置。
【手続補正３】
【補正対象書類名】図面
【補正対象項目名】全図
【補正方法】変更
【補正の内容】
【図１】
2014081084.tif 000049
【図２】
2014081084.tif 000050
【図３】
2014081084.tif 000051
【図４】
2014081084.tif 000052
【図５】
2014081084.tif 000053
【図６】
2014081084.tif 000054
【図７】
2014081084.tif 000055
【図８】
2014081084.tif 000056
【図９】
2014081084.tif 000057
【図１０】
2014081084.tif 000058
【図１１】
2014081084.tif 000059
【図１２】
2014081084.tif 000060
【図１３】
2014081084.tif 000061
【図１４】
2014081084.tif 000062
【図１５】
2014081084.tif 000063
【図１６】
2014081084.tif 000064
【図１７】
2014081084.tif 000065
【図１８】
2014081084.tif 000066
【図１９】
2014081084.tif 000067
【図２０】
2014081084.tif 000068
【図２１】
2014081084.tif 000069